(57)【要約】一体型電極を有するアッセイモジュールを使用して、アッセイモジュールを受け取り、アッセイモジュールのウエル又はアッセイ領域中で発光、好ましくは電極誘起発光を誘起し、誘起された発光を測定するように適合されたリーダ機器によって発光試験測定を行う。
2004534226.tif 000002
【特許請求の範囲】
【請求項１】
プレート底部を備える発光アッセイを行うためのマルチウエルプレートであって、前記プレート底部が、その上にパターン化した一緒にアドレス可能な各電極からなる独立にアドレス可能な各セクタを含む、マルチウエルプレート。
【請求項２】
複数のウエルを有するマルチウエルプレートであって、前記複数のウエルは、
（ａ）各ウエルが第１の電極表面と第２の電極表面を備える２つ以上のウエルの第１の組であって、前記第１の組の前記２つ以上のウエルの前記第１の各電極表面が電気的に接続され、前記第１の組の前記２つ以上のウエルの前記第２の各電極表面が電気的に接続されている第１の組と、
（ｂ）各ウエルが第１の電極表面と第２の電極表面を備える２つ以上のウエルの第２の組であって、前記第２の組の前記２つ以上のウエルの前記第１の各電極表面が電気的に接続され、前記第２の組の前記２つ以上のウエルの前記第２の各電極表面が電気的に接続されている第２の組とを備え、前記第１の組の前記電極表面及び前記第２の組の前記電極表面が独立にアドレス可能である、マルチウエルプレート。
【請求項３】
複数のウエルを有するマルチウエルプレートであって、２つ以上の前記複数のウエルがそれぞれ、動作電極表面及び対電極表面を備え、前記動作電極表面及び／又は前記対電極表面がカーボンを含む、マルチウエルプレート。
【請求項４】
複数のウエルを備えるマルチウエルプレートであって、２つ以上の前記複数のウエルがそれぞれ、動作電極表面及び対電極表面を備え、前記動作電極表面及び／又は前記対電極表面がスクリーン印刷されたカーボンを含む、マルチウエルプレート。
【請求項５】
複数のウエルを有するマルチウエルプレートであって、２つ以上の前記複数のウエルがそれぞれ、動作電極表面及び対電極表面を備え、前記動作電極表面がカーボンを含み、前記対電極表面が金属を含む、マルチウエルプレート。
【請求項６】
前記金属がアルミニウム、銀又はニッケルを含む、請求項５に記載のマルチウエルプレート。
【請求項７】
前記対電極表面がアルミニウムを含む、請求項５に記載のマルチウエルプレート。
【請求項８】
複数のウエルを有するマルチウエルプレートであって、２つ以上の前記複数のウエルがそれぞれ、動作電極表面及び対電極表面を備え、前記対電極表面が粘着層上に金属を含む、マルチウエルプレート。
【請求項９】
前記金属がアルミニウム、銀又はニッケルを含む、請求項８に記載のマルチウエルプレート。
【請求項１０】
前記金属がアルミニウム含む、請求項８に記載のマルチウエルプレート。
【請求項１１】
複数のウエルを有するマルチウエルプレートであって、２つ以上の前記ウエルが第１電極表面及び第２電極表面を有し、前記第１電極表面が前記ウエル底部の中心に位置し、前記第２電極表面が前記ウエル底部の周辺に隣接する、マルチウエルプレート。
【請求項１２】
前記第１電極表面が動作電極であり、前記第２電極表面が対電極である、請求項１１に記載のマルチウエルプレート。
【請求項１３】
前記第１電極表面及び第２電極表面が、前記ウエル内で同じ高さにある、請求項１１に記載のマルチウエルプレート。
【請求項１４】
前記第１電極表面が、前記第２電極表面によって完全に取り囲まれている、請求項１１に記載のマルチウエルプレート。
【請求項１５】
１つのウエル当たり複数の動作電極を備える複数のウエルを有するマルチウエルプレート。
【請求項１６】
前記動作電極が、その上に固定化された１種又は複数種のタンパク質を含む、請求項１５に記載のマルチウエルプレート。
【請求項１７】
電極誘起発光アッセイで動作電極として使用するのに適した第１電極表面、及び前記電極誘起発光アッセイで対電極として使用するのに適した第２電極表面を備える複数のウエルを有するマルチウエルプレートであって、前記第１電極表面と前記第２電極表面の表面の比が少なくとも２：１である、マルチウエルプレート。
【請求項１８】
複数のウエルを有するマルチウエルプレートであって、それぞれのウエルが動作電極表面及び対電極表面を備え、前記動作電極表面が誘電体表面と境界を接し、前記動作電極表面が前記誘電体表面よりも疎水性の度合いが少ない、マルチウエルプレート。
【請求項１９】
前記動作電極表面の水に対する接触角が、前記誘電体表面のものよりも２０°小さい、請求項１８に記載のマルチウエルプレート。
【請求項２０】
複数のウエルを有するマルチウエルプレートであって、少なくとも１つのウエルが、誘電体表面と境界を接する動作電極表面を備える、マルチウエルプレート。
【請求項２１】
複数のウエルを有するマルチウエルプレートであって、少なくとも１つのウエルが１つ又は複数の動作電極を備え、少なくとも１つの動作電極が、固定化された試薬を含む１つ又は複数のアッセイドメインを有し、前記アッセイドメインが、前記動作電極上で支持された１つ又は複数の誘電体層中の開口部によって画定される、マルチウエルプレート。
【請求項２２】
複数行の開口部を有するプレート上部と、パターン化した動作電極ストリップ及び対電極ストリップを有する基板とを備えるマルチウエルプレートであって、前記プレート上部が前記基板上に取り付けられ、それによって前記開口部から複数行のウエルが形成され、各ウエルの底部が、少なくとも１つの動作電極ストリップの露出部分及び前記対電極ストリップの２つの露出縁部を備える、マルチウエルプレート。
【請求項２３】
複数行の開口部を有するプレート上部と、パターン化した動作電極ストリップ及び対電極ストリップを有する基板とを備えるマルチウエルプレートであって、前記プレート上部が前記基板上に取り付けられ、それによって、前記複数の開口部から、前記動作電極ストリップ及び前記対電極ストリップに整列する複数のウエルの行が形成され、前記ウエルの行が、（ｉ）第１動作電極ストリップの露出部分を含む中心部分と、第１対電極ストリップの露出部分を含む第１縁部と、第２対電極ストリップの露出部分を含む第２縁部とを含む第１ウエル底部を備える第１ウエルと、（ｉｉ）前記第１動作電極ストリップの露出部分を含む第２中心部分と、前記第１対電極ストリップの露出部分を含む第１縁部と、前記第２対電極ストリップの露出部分を含む第２縁部とを含む第２ウエル底部を備える少なくとも第２ウエルとを備える、マルチウエルプレート。
【請求項２４】
前記ウエルの行が、（ｉ）第２動作電極ストリップの露出部分を含む中心部分と、第３対電極ストリップの露出部分を含む第１縁部と、第４対電極ストリップの露出部分を含む第２縁部とを含む第３ウエル底部を備える第３ウエルと、（ｉｉ）前記第２動作電極ストリップの露出部分を含む第４中心部分と、前記第３対電極ストリップの露出部分を含む第１縁部と、前記第４対電極ストリップの露出部分を含む第２縁部とを含む第４ウエル底部を備える少なくとも第４ウエルとをさらに備える、請求項２３に記載のマルチウエルプレート。
【請求項２５】
複数のウエル及び基板を有するマルチウエルプレートであって、前記基板が第１面及び第２面を有し、前記基板が、前記第１面上の複数の動作電極表面及び複数の対電極表面と、前記第２面上の１つ又は複数の導電接点とを備え、２つ以上の前記複数のウエルがそれぞれ、１つ又は複数の動作電極表面及び１つ又は複数の対電極表面を備え、前記基板が、前記第１面上の前記１つ又は複数の動作電極表面及び前記１つ又は複数の対電極表面を前記第２面上の前記導電接点に電気的に接続する１つ又は複数の導電スルーホールをさらに備える、マルチウエルプレート。
【請求項２６】
複数のウエル及び基板を有するマルチウエルプレートであって、前記基板が第１面及び第２面を有し、前記基板が、前記第１面上の１つ又は複数の電極表面と、前記第２面上の１つ又は複数の導電接点とを備え、前記１つ又は複数の電極表面が前記１つ又は複数の導電接点に電気的に接続される、マルチウエルプレート。
【請求項２７】
前記第１面が前記マルチウエルプレートの上部表面であり、前記第２面が前記マルチウエルプレートの底部表面である、請求項２６に記載のマルチウエルプレート。
【請求項２８】
前記基板が、前記第１面上の前記１つ又は複数の動作電極表面を前記第２面上の前記１つ又は複数の導電接点に電気的に接続する１つ又は複数の導電スルーホールをさらに備える、請求項２６に記載のマルチウエルプレート。
【請求項２９】
複数のウエルを有するマルチウエルプレートであって、絶縁基板及び導電基板を備え、前記導電基板を前記絶縁基板の周りに折り曲げて、前記絶縁基板の第１面上に１つ又は複数の電極表面と、前記絶縁基板の第２面上に１つ又は複数の電気接点とを形成し、前記１つ又は複数の電気接点を前記１つ又は複数の電極表面に電気的に接続する、マルチウエルプレート。
【請求項３０】
複数のウエルを有するマルチウエルプレートであって、基板の上部表面に隣接した動作電極表面及び対電極表面を備え、前記基板が複数の電気接点位置を含む底部表面をさらに備え、前記電気接点位置が前記底部表面上で前記複数のウエル間に位置する、マルチウエルプレート。
【請求項３１】
９６ウエルプレート構成に対応するウエルアレイを有し、前記アレイが、
Ａ１〜Ａ４、Ｂ１〜Ｂ４、Ｃ１〜Ｃ４及びＤ１〜Ｄ４のウエルを有する第１セクタと、
Ａ５〜Ａ８、Ｂ５〜Ｂ８、Ｃ５〜Ｃ８及びＤ５〜Ｄ８のウエルを有する第２セクタと、
Ａ９〜Ａ１２、Ｂ９〜Ｂ１２、Ｃ９〜Ｃ１２及びＤ９〜Ｄ１２のウエルを有する第３セクタと、
Ｅ１〜Ｅ４、Ｆ１〜Ｆ４、Ｇ１〜Ｇ４及びＨ１〜Ｈ４のウエルを有する第４セクタと、
Ｅ５〜Ｅ８、Ｆ５〜Ｆ８、Ｇ５〜Ｇ８及びＨ５〜Ｈ８のウエルを有する第５セクタと、
Ｅ９〜Ｅ１２、Ｆ９〜Ｆ１２、Ｇ９〜Ｇ１２及びＨ９〜Ｈ１２のウエルを有する第６セクタの１つ又は複数のセクタを含むマルチウエルプレートであって、
上部表面上の複数の電極及び底部表面上の複数の接点表面を有し、前記複数の電極が前記複数の接点表面に電気的に接続される、マルチウエルプレート。
【請求項３２】
前記ウエル間又は前記ウエルに隣接して前記複数の接点表面を配置する、請求項３１に記載のマルチウエルプレート。
【請求項３３】
前記複数の電極が、１つ又は複数の動作電極及び１つ又は複数の対電極を含み、前記複数の接点表面が、前記１つ又は複数の動作電極に電気的に接続された１つ又は複数の動作接点及び前記１つ又は複数の対電極に電気的に接続された１つ又は複数の対向接点を含む、請求項３１に記載のマルチウエルプレート。
【請求項３４】
前記接点表面を、
（ｉ）Ａ１−Ｂ２、Ａ２−Ｂ３、Ａ３−Ｂ４、Ｃ１−Ｄ２、Ｃ２−Ｄ３、Ｃ３−Ｄ４のうち２つ以上の第１セクタ位置と、
（ｉｉ）Ａ５−Ｂ６、Ａ６−Ｂ７、Ａ７−Ｂ８、Ｃ５−Ｄ６、Ｃ６−Ｄ７、Ｃ７−Ｄ８のうち２つ以上の第２セクタ位置と
（ｉｉｉ）Ａ９−Ｂ１０、Ａ１０−Ｂ１１、Ａ１１−Ｂ１２、Ｃ９−Ｄ１０、Ｃ１０−Ｄ１１、Ｃ１１−Ｄ１２のうち２つ以上の第３セクタ位置と、
（ｉｖ）Ｅ１−Ｆ２、Ｅ２−Ｆ３、Ｅ３−Ｆ４、Ｇ１−Ｈ２、Ｇ２−Ｈ３、Ｇ３−Ｈ４のうち２つ以上の第４セクタ位置と、
（ｖ）Ｅ５−Ｆ６、Ｅ６−Ｆ７、Ｅ７−Ｆ８、Ｇ５−Ｈ６、Ｇ６−Ｈ７、Ｇ７−Ｈ８のうち２つ以上の第５セクタ位置と、
（ｖｉ）Ｅ９−Ｆ１０、Ｅ１０−Ｆ１１、Ｅ１１−Ｆ１２、Ｇ９−Ｈ１０、Ｇ１０−Ｈ１１、Ｇ１１−Ｈ１２のうち２つ以上の第６セクタ位置の１つ又は複数の位置に配置する、請求項３１に記載のマルチウエルプレート。
【請求項３５】
（ａ）前記動作接点を、
（ｉ）Ａ１−Ｂ２、Ａ３−Ｂ４、Ｃ１−Ｄ２及びＣ３−Ｄ４の１つ又は複数の第１セクタ位置と、
（ｉｉ）Ａ５−Ｂ６、Ａ７−Ｂ８、Ｃ５−Ｄ６及びＣ７−Ｄ８の１つ又は複数の第２セクタ位置と、
（ｉｉｉ）Ａ９−Ｂ１０、Ａ１１−Ｂ１２、Ｃ９−Ｄ１０及びＣ１１−Ｄ１２の１つ又は複数の第３セクタ位置と、
（ｉｖ）Ｅ１−Ｆ２、Ｅ３−Ｆ４、Ｇ１−Ｈ２及びＧ３−Ｈ４の１つ又は複数の第４セクタ位置と、
（ｖ）Ｅ５−Ｆ６、Ｅ７−Ｆ８、Ｇ５−Ｈ６及びＧ７−Ｈ８の１つ又は複数の第５セクタ位置と、
（ｖｉ）Ｅ９−Ｆ１０、Ｅ１１−Ｆ１２、Ｇ９−Ｈ１０及びＧ１１−Ｈ１２の１つ又は複数の第６セクタ位置の１つ又は複数の位置に配置し、
（ｂ）前記対向接点を、
（ｉ）Ａ２−Ｂ３及びＣ２−Ｄ３の１つ又は複数の第１セクタ位置と、
（ｉｉ）Ａ６−Ｂ７及びＣ６−Ｄ７の１つ又は複数の第２セクタ位置と、
（ｉｉｉ）Ａ１０−Ｂ１１及びＣ１０−Ｄ１１の１つ又は複数の第３セクタ位置と、
（ｉｖ）Ｅ２−Ｆ３及びＧ２−Ｈ３の１つ又は複数の第４セクタ位置と、
（ｖ）Ｅ６−Ｆ７及びＧ６−Ｈ７の１つ又は複数の第５セクタ位置と、
（ｖｉ）Ｅ１０−Ｆ１１及びＧ１０−Ｈ１１の１つ又は複数の第６セクタ位置の１つ又は複数の位置に配置する、請求項３３に記載のマルチウエルプレート。
【請求項３６】
３８４ウエルプレート構成に対応するウエルアレイを有し、前記アレイが、
Ａ１〜Ａ８、Ｂ１〜Ｂ８、Ｃ１〜Ｃ８、Ｄ１〜Ｄ８、Ｅ１〜Ｅ８、Ｆ１〜Ｆ８、Ｇ１〜Ｇ８及びＨ１〜Ｈ８のウエルを有する第１セクタと、
Ａ９〜Ａ１６、Ｂ９〜Ｂ１６、Ｃ９〜Ｃ１６、Ｄ９〜Ｄ１６、Ｅ９〜Ｅ１６、Ｆ９〜Ｆ１６、Ｇ９〜Ｇ１６及びＨ９〜Ｈ１６のウエルを有する第２セクタと、
Ａ１７〜Ａ２４、Ｂ１７〜Ｂ２４、Ｃ１７〜Ｃ２４、Ｄ１７〜Ｄ２４、Ｅ１７〜Ｅ２４、Ｆ１７〜Ｆ２４、Ｇ１７〜Ｇ２４及びＨ１７〜Ｈ２４のウエルを有する第３セクタと、
Ｉ１〜Ｉ８、Ｊ１〜Ｊ８、Ｋ１〜Ｋ８、Ｌ１〜Ｌ８、Ｍ１〜Ｍ８、Ｎ１〜Ｎ８、Ｏ１〜Ｏ８及びＰ１〜Ｐ８のウエルを有する第４セクタと、
Ｉ９〜Ｉ１６、Ｊ９〜Ｊ１６、Ｋ９〜Ｋ１６、Ｌ９〜Ｌ１６、Ｍ９〜Ｍ１６、Ｎ９〜Ｎ１６、Ｏ９〜Ｏ１６及びＰ９〜Ｐ１６のウエルを有する第５セクタと、
Ｉ１７〜Ｉ２４、Ｊ１７〜Ｊ２４、Ｋ１７〜Ｋ２４、Ｌ１７〜Ｌ２４、Ｍ１７〜Ｍ２４、Ｎ１７〜Ｎ２４、Ｏ１７〜Ｏ２４及びＰ１７〜Ｐ２４のウエルを有する第６セクタの１つ又は複数のセクタを含むマルチウエルプレートであって、
上部表面上の複数の電極及び底部表面上の複数の接点表面を有し、前記複数の電極が前記複数の接点表面に電気的に接続される、マルチウエルプレート。
【請求項３７】
前記ウエル間又は前記ウエルに隣接して前記複数の接点表面を配置する、請求項３６に記載のマルチウエルプレート。
【請求項３８】
前記複数の電極が、１つ又は複数の動作電極及び１つ又は複数の対電極を含み、前記複数の接点表面が、前記１つ又は複数の動作電極に電気的に接続された１つ又は複数の動作接点及び前記１つ又は複数の対電極に電気的に接続された１つ又は複数の対向接点を含む、請求項３６に記載のマルチウエルプレート。
【請求項３９】
前記接点表面を、
（ｉ）Ｂ２−Ｃ３、Ｂ４−Ｃ５、Ｂ６−Ｃ７、Ｆ２−Ｇ３、Ｆ４−Ｇ５、Ｆ６−Ｇ７のうち２つ以上の第１セクタ位置と、
（ｉｉ）Ｂ１０−Ｃ１１、Ｂ１２−Ｃ１３、Ｂ１４−Ｃ１５、Ｆ１０−Ｇ１１、Ｆ１２−Ｇ１３、Ｆ１４−Ｇ１５のうち２つ以上の第２セクタ位置と、
（ｉｉｉ）Ｂ１８−Ｃ１９、Ｂ２０−Ｃ２１、Ｂ２２−Ｃ２３、Ｆ１８−Ｇ１９、Ｆ２０−Ｇ２１、Ｆ２２−Ｇ２３のうち２つ以上の第３セクタ位置と、
（ｉｖ）Ｊ２−Ｋ３、Ｊ４−Ｋ５、Ｊ６−Ｋ７、Ｎ２−Ｏ３、Ｎ４−Ｏ５、Ｎ６−Ｏ７のうち２つ以上の第４セクタ位置と、
（ｖ）Ｊ１０−Ｋ１１、Ｊ１２−Ｋ１３、Ｊ１４−Ｋ１５、Ｎ１０−Ｏ１１、Ｎ１２−Ｏ１３、Ｎ１４−Ｏ１５の２つ以上の第５セクタ位置と、
（ｖｉ）Ｊ１８−Ｋ１９、Ｊ２０−Ｋ２１、Ｊ２２−Ｋ２３、Ｎ１８−Ｏ１９、Ｎ２０−Ｏ２１、Ｎ２２−Ｏ２３のうち２つ以上の第６セクタ位置の１つ又は複数の位置に配置する、請求項３６に記載のマルチウエルプレート。
【請求項４０】
（ａ）前記動作接点を、
（ｉ）Ｂ２−Ｃ３、Ｂ６−Ｃ７、Ｆ２−Ｇ３及びＦ６−Ｇ７の１つ又は複数の第１セクタ位置と、
（ｉｉ）Ｂ１０−Ｃ１１、Ｂ１４−Ｃ１５、Ｆ１０−Ｇ１１及びＦ１４−Ｇ１５の１つ又は複数の第２セクタ位置と、
（ｉｉｉ）Ｂ１８−Ｃ１９、Ｂ２２−Ｃ２３、Ｆ１８−Ｇ１９及びＦ２２−Ｇ２３の１つ又は複数の第３セクタ位置と、
（ｉｖ）Ｊ２−Ｋ３、Ｊ６−Ｋ７、Ｎ２−Ｏ３及びＮ６−Ｏ７の１つ又は複数の第４セクタ位置と、
（ｖ）Ｊ１０−Ｋ１１、Ｊ１４−Ｋ１５、Ｎ１０−Ｏ１１及びＮ１４−Ｏ１５の１つ又は複数の第５セクタ位置と、
（ｖｉ）Ｊ１８−Ｋ１９、Ｊ２２−Ｋ２３、Ｎ１８−Ｏ１９及びＮ２２−Ｏ２３の１つ又は複数の第６セクタ位置の１つ又は複数の位置に配置し、
（ｂ）前記対向接点を、
（ｉ）Ｂ４−Ｃ５及びＦ４−Ｇ５の１つ又は複数の第１セクタ位置と、
（ｉｉ）Ｂ１２−Ｃ１３及びＦ１２−Ｇ１３の１つ又は複数の第２セクタ位置と、
（ｉｉｉ）Ｂ２０−Ｃ２１及びＦ２０−Ｇ２１の１つ又は複数の第３セクタ位置と、
（ｉｖ）Ｊ４−Ｋ５及びＮ４−Ｏ５の１つ又は複数の第４セクタ位置と、
（ｖ）Ｊ１２−Ｋ１３及びＮ１２−Ｏ１３の１つ又は複数の第５セクタ位置と、
（ｖｉ）Ｊ２０−Ｋ２１及びＮ２０−Ｏ２１の１つ又は複数の第６セクタ位置の１つ又は複数の位置に配置する、請求項３８に記載のマルチウエルプレート。
【請求項４１】
２×３アレイの正方形セクタを有し、かつ上部表面上の複数の電極及び底部表面上の複数の接点表面を有する基板を備えるアッセイモジュールであって、前記複数の電極を前記複数の接点表面に電気的に接続する、アッセイモジュール。
【請求項４２】
前記複数の電極が、１つ又は複数の動作電極及び１つ又は複数の対電極を含み、前記複数の接点表面が、前記１つ又は複数の動作電極に電気的に接続された１つ又は複数の動作接点及び前記１つ又は複数の対電極に電気的に接続された１つ又は複数の対向接点を含む、請求項４１に記載のアッセイモジュール。
【請求項４３】
各セクタが、（表側を上にして）前記基板の左上コーナから（インチで）測った以下の位置（Ｘ，Ｙ）：
（ｉ）（０．７４３、０．６２０）、（１．０９７、０．６２０）、（１．４５１、０．６２０）、（０．７４３、１．３２９）、（１．０９７、１．３２９）、（１．４５１、１．３２９）のうち２つ以上の第１セクタ位置（インチ、±０．１２５””）と、
（ｉｉ）（２．１６１、０．６２０）、（２．５１５、０．６２０）、（２．８６９、０．６２０）、（２．１６１、１．３２９）、（２．５１５、１．３２９）、（２．８６９、１．３２９）のうち２つ以上の第２セクタ位置（インチ、±０．１２５””）と、
（ｉｉｉ）（３．５７９、０．６２０）、（３．９３３、０．６２０）、（４．２８７、０．６２０）、（３．５７９、１．３２９）、（３．９３３、１．３２９）、（４．２８７、１．３２９）のうち２つ以上の第３セクタ位置（インチ、±０．１２５”）と、
（ｉｖ）（０．７４３、２．０３８）、（１．０９７、２．０３８）、（１．４５１、２．０３８）、（０．７４３、２．７４７）、（１．０９７、２．７４７）、（１．４５１、２．７４７）のうち２つ以上の第４セクタ位置（インチ、±０．１２５”）と、
（ｖ）（２．１６１、２．０３８）、（２．５１５、２．０３８）、（２．８６９、２．０３８）、（２．１６１、２．７４７）、（２．５１５、２．７４７）、（２．８６９、２．７４７）のうち２つ以上の第５セクタ位置（インチ、±０．１２５”）と、
（ｖｉ）（３．５７９、２．０３８）、（３．９３３、２．０３８）、（４．２８７、２．０３８）、（３．５７９、２．７４７）、（３．９３３、２．７４７）、（４．２８７、２．７４７）のうち２つ以上の第６セクタ位置（インチ、±０．１２５”）
の１つ又は複数の位置に配置した１つ又は複数の電気接点を備える、請求項４１に記載のアッセイモジュール。
【請求項４４】
（ａ）前記動作接点を、
（ｉ）（０．７４３、０．６２０）、（１．４５１、０．６２０）、（０．７４３、１．３２９）及び（１．４５１、１．３２９）の１つ又は複数の第１セクタ位置（インチ、±０．１２５”）と、
（ｉｉ）（２．１６１、０．６２０）、（２．８６９、０．６２０）、（２．１６１、１．３２９）及び（２．８６９、１．３２９）の１つ又は複数の第２セクタ位置（インチ、±０．１２５”）と、
（ｉｉｉ）（３．５７９、０．６２０）、（４．２８７、０．６２０）、（３．５７９、１．３２９）及び（４．２８７、１．３２９）の１つ又は複数の第３セクタ位置（インチ、±０．１２５”）と、
（ｉｖ）（０．７４３、２．０３８）、（１．４５１、２．０３８）、（０．７４３、２．７４７）及び（１．４５１、２．７４７）の１つ又は複数の第４セクタ位置（インチ、±０．１２５”）と、
（ｖ）（２．１６１、２．０３８）、（２．８６９、２．０３８）、（２．１６１、２．７４７）及び（２．８６９、２．７４７）の１つ又は複数の第５セクタ位置（インチ、±０．１２５”）と、（ｖｉ）（３．５７９、２．０３８）、（４．２８７、２．０３８）、（３．５７９、２．７４７）及び（４．２８７、２．７４７）の１つ又は複数の第６セクタ位置（インチ、±０．１２５”）の１つ又は複数の位置に配置し、
（ｂ）前記対向接点を、
（ｉ）（１．０９７、０．６２０）及び（１．０９７、１．３２９）の１つ又は複数の第１セクタ位置（インチ、±０．１２５”）と、
（ｉｉ）（２．５１５、０．６２０）及び（２．５１５、１．３２９）の１つ又は複数の第２セクタ位置（インチ、±０．１２５”）と、
（ｉｉｉ）（３．９３３、０．６２０）及び（３．９３３、１．３２９）の１つ又は複数の第３セクタ位置（インチ、±０．１２５”）と、
（ｉｖ）（１．０９７、２．０３８）及び（１．０９７、２．７４７）の１つ又は複数の第４セクタ位置（インチ、±０．１２５”）と、
（ｖ）（２．５１５、２．０３８）及び（２．５１５、２．７４７）の１つ又は複数の第５セクタ位置（インチ、±０．１２５”）と、
（ｖｉ）（３．９３３、２．０３８）及び（３．９３３、２．７４７）の１つ又は複数の第６セクタ位置（インチ、±０．１２５”）の１つ又は複数の位置に配置する、請求項４２に記載のアッセイモジュール。
【請求項４５】
複数のウエルを有するマルチウエルプレートである、請求項４１に記載のアッセイモジュール。
【請求項４６】
複数のウエルを有するマルチウエルプレートであって、少なくとも１つのウエルが、動作電極表面及びその上に形成された複数のアッセイドメインを有する、マルチウエルプレート。
【請求項４７】
少なくとも２つの前記複数のアッセイドメインが異なる試薬を含む、請求項４６に記載のマルチウエルプレート。
【請求項４８】
前記動作電極表面が、その上に形成された少なくとも４つの離散アッセイドメインを含む、請求項４６に記載のマルチウエルプレート。
【請求項４９】
前記アッセイドメインが独立にアドレス可能である、請求項４６に記載のマルチウエルプレート。
【請求項５０】
複数のウエルを有するマルチウエルプレートであって、２つ以上のウエルが複数の動作電極表面を有し、各動作電極表面が、その上に形成された１つ又は複数のアッセイドメインを有する、マルチウエルプレート。
【請求項５１】
複数のウエルを有するプレート上部を備えるマルチウエルプレートであって、前記複数のウエルがそれぞれ、動作電極表面及び対電極表面を有するウエル底部を含み、各ウエルが、４〜２０重量％の白色顔料を含むプラスチック製ウエル壁を備える、マルチウエルプレート。
【請求項５２】
（ａ）導電層と、
（ｂ）複数の絶縁層開口部を有する絶縁層と、
（ｃ）導電表面を含み、複数のプレート上部開口部を有するプレート上部とを備えるマルチウエルプレートであって、前記絶縁層が、前記導電層と前記プレート上部の間にあり、前記絶縁層開口部及び前記プレート上部開口部を整列させて、アッセイを行うためのウエルを形成する、マルチウエルプレート。
【請求項５３】
（ａ）パターン化した複数の電極を有する基板表面と、
（ｂ）複数の絶縁層開口部を有する絶縁層と、
（ｃ）導電表面を含み、複数のプレート上部開口部を有するプレート上部とを備えるマルチウエルプレートであって、前記絶縁層が、前記基板表面と前記プレート上部の間にあり、前記絶縁層開口部及び前記プレート上部開口部を整列させて、１つ又は複数の前記複数の電極の上にプレート開口部を形成し、それによってウエルが形成される、マルチウエルプレート。
【請求項５４】
（ａ）２つ以上の電気的に絶縁したセクタに分割された導電層と、
（ｂ）複数の絶縁層開口部を有する絶縁層と、
（ｃ）導電表面を含み、複数のプレート上部開口部を有するプレート上部とを備えるマルチウエルプレートであって、前記絶縁層が、前記導電層と前記プレート上部の間にあり、前記絶縁層開口部及び前記プレート上部開口部を整列させてウエルを形成する、マルチウエルプレート。
【請求項５５】
（ａ）導電層と、
（ｂ）複数の絶縁層開口部を有する絶縁層と、
（ｃ）２つ以上の電気的に絶縁したセクタに分割された導電表面を含み、複数のプレート上部開口部を有するプレート上部とを備えるマルチウエルプレートであって、前記絶縁層が、前記導電層と前記プレート上部の間にあり、前記絶縁層開口部及び前記プレート上部開口部を整列させてウエルを形成する、マルチウエルプレート。
【請求項５６】
（ａ）第１導電層と、
（ｂ）複数の絶縁層開口部を有する絶縁層と、
（ｃ）複数の第２導電層開口部を有し、かつ、前記絶縁層上の第２導電層と、
（ａ）複数のプレート上部開口部を有するプレート上部とを備えるマルチウエルプレートであって、前記絶縁層が、前記第１導電層と前記プレート上部の間にあり、前記絶縁層開口部、前記第２導電層開口部及び前記プレート上部開口部を整列させて複数のウエルを形成する、マルチウエルプレート。
【請求項５７】
（ａ）分割された導電表面を備える基板と、
（ｂ）複数の絶縁層開口部を有する絶縁層と、
（ｃ）複数の第２導電層開口部を有し、かつ、前記絶縁層上の第２導電層と、
（ｄ）複数のプレート上部開口部を有するプレート上部とを備えるマルチウエルプレートであって、前記絶縁層が、前記基板と前記プレート上部の間にあり、前記絶縁層開口部、前記第２導電層開口部及び前記プレート上部開口部を整列させてウエルを形成する、マルチウエルプレート。
【請求項５８】
（ａ）１つ又は複数の導電表面を備える基板と、
（ｂ）複数の絶縁層開口部を有する絶縁層と、
（ｃ）複数の第２導電層開口部を有する前記絶縁層上の分割された第２導電層と、
（ｄ）複数のプレート上部開口部を有するプレート上部とを備えるマルチウエルプレートであって、前記絶縁層が、前記基板と前記プレート上部の間にあり、前記層開口部、前記分割された第２導電層開口部及び前記プレート上部開口部を整列させてウエルを形成する、マルチウエルプレート。
【請求項５９】
（ａ）２つ以上の電気的に絶縁したセクタに分割された第１導電層と、
（ｂ）複数の絶縁層開口部を有する絶縁層と、
（ｃ）複数の第２導電層開口部を有する前記絶縁層上の第２導電層と、
（ｄ）複数のプレート上部開口部を有するプレート上部とを備えるマルチウエルプレートであって、前記絶縁層が、前記第１導電層と前記プレート上部の間にあり、前記絶縁層開口部、前記第２導電層開口部及び前記プレート上部開口部を整列させてウエルを形成し、前記２つ以上の電気的に絶縁したセクタを前記プレート上部開口部に整列させ、それによって、一緒にアドレス可能なウエルからなる独立にアドレス可能なセクタが形成される、マルチウエルプレート。
【請求項６０】
（ａ）第１導電層と、
（ｂ）複数の絶縁層開口部を有する絶縁層と、
（ｃ）複数の第２導電層開口部を有する前記絶縁層上の第２導電層であって、前記導電フィルムが２つ以上の電気的に絶縁したセクタに分割される導電層と、
（ｄ）複数のプレート上部開口部を有するプレート上部とを備える電極誘起発光アッセイを行うためのマルチウエルプレートであって、前記絶縁層が、前記第１導電層とプレート上部の間にあり、前記絶縁層開口部、前記第２導電層開口部及び前記プレート上部開口部を整列させて、前記電極誘起発光アッセイを行うためのウエルを形成する、マルチウエルプレート。
【請求項６１】
（ａ）２つ以上の電気的に絶縁したセクタに分割された第１導電層と、
（ｂ）複数の絶縁層開口部を有する絶縁層と、
（ｃ）複数の第２導電層開口部を有する前記絶縁層上の第２導電層であって、前記導電フィルムが２つ以上の電気的に絶縁したセクタに分割される第２導電層と、
（ｄ）複数のプレート上部開口部を有するプレート上部とを備える電極誘起発光アッセイを行うためのマルチウエルプレートであって、前記絶縁層が、前記第１導電層とプレート上部の間にあり、前記絶縁層開口部、前記第２導電層開口部及び前記プレート上部開口部を整列させて、前記電極誘起発光アッセイを行うためのウエルを形成する、マルチウエルプレート。
【請求項６２】
複数のウエルを有するマルチウエルプレートであって、２つ以上の前記複数のウエルがそれぞれ、銀を含む導電層の上に１つ又は複数のカーボン層を付着させることによって形成した動作電極表面を備える、マルチウエルプレート。
【請求項６３】
前記１つ又は複数のカーボン層が前記導電層を完全に覆う、請求項６２に記載のマルチウエルプレート。
【請求項６４】
（ａ）上部表面及び底部表面を有する基板と、
（ｂ）前記上部表面上の複数のパターン化した動作電極と、
（ｃ）前記上部表面上の複数のパターン化した対電極であって、それぞれが、対応するパターン化した動作電極に付随する対電極と、
（ｄ）２つ以上の独立にアドレス可能なセクタとを備え、各セクタが、前記底部表面上に２つ以上の独立にアドレス可能な接点を有し、前記接点がそれぞれ、前記セクタの１つの中にあるウエル内の１つ又は複数の電極に対応する、マルチウエルプレート底部。
【請求項６５】
（ａ）上部表面及び底部表面を有する基板と、
（ｂ）前記上部表面上の複数のパターン化した動作電極と、
（ｃ）前記上部表面上の複数のパターン化した対電極であって、それぞれが、対応するパターン化した動作電極に付随する対電極と、
（ｄ）前記底部表面上の２つ以上の独立にアドレス可能な接点セクタとを備えるマルチウエルプレート底部であって、前記接点セクタがそれぞれ、前記上部表面上の１つ又は複数の前記複数のパターン化した動作電極及び１つ又は複数の前記複数のパターン化した対電極を備える電極セクタに対応し、かつ複数の導電接点表面を含み、前記複数の導電接点表面が、
（ｉ）第１接点領域内に配置され、前記上部表面上の前記１つ又は複数の対応するパターン化した動作電極に電気的に接続された第１導電接点表面と、
（ｉｉ）第２接点領域内に配置され、前記上部表面上の前記１つ又は複数の対応するパターン化した対電極に電気的に接続された第２導電接点表面とを含み、
（ｉｉｉ）前記第１導電接点表面と前記第２導電接点表面が互いに電気的に絶縁される、マルチウエルプレート底部。
【請求項６６】
請求項６４又は６５に記載のプレート底部と、前記プレート底部の前記上部表面上に取り付けられてマルチウエルプレートを形成するプレート上部とを備えるマルチウエルプレート。
【請求項６７】
（ａ）１つ又は複数の電極を有する少なくとも１つの導電層を形成することと、
（ｂ）前記少なくとも１つの導電層上に少なくとも１つの誘電体層を形成して、複数の誘電体層開口部を形成することと、
（ｃ）前記誘電体層上に複数のプレート上部開口部部を有するプレート上部を取り付けることとを含み、前記誘電体層開口部及び前記プレート上部開口部を整列させて複数のウエルを形成する、発光アッセイで使用するマルチウエルプレートを作製する方法。
【請求項６８】
前記少なくとも１つの導電層が、１つ又は複数の動作電極をさらに形成する、請求項６７に記載の方法。
【請求項６９】
前記少なくとも１つの導電層が、１つ又は複数の対電極をさらに形成する、請求項６７に記載の方法。
【請求項７０】
前記プレート上部が１つ又は複数の導電表面を備え、それによって１つ又は複数の対電極を形成する、請求項６７に記載の方法。
【請求項７１】
前記誘電体層上に１つ又は複数の導電表面を付着させて、１つ又は複数の対電極を形成するステップをさらに含む、請求項６７に記載の方法。
【請求項７２】
前記少なくとも１つの導電層をスクリーン印刷によって付着させる、請求項６７に記載の方法。
【請求項７３】
基板を備える、発光アッセイを行うためのアッセイモジュールであって、前記基板が、その上にパターン化した一緒にアドレス可能な電極からなる独立にアドレス可能なセクタを含む、アッセイモジュール。
【請求項７４】
基板上に、サンプル及び／又はアッセイ試薬を導入するための１つ又は複数の流体チャネルと、１つ又は複数の動作電極表面及び１つ又は複数の対電極表面とを有する基板を備えるアッセイモジュールであって、前記動作電極がカーボンインクを含む、アッセイモジュール。
【請求項７５】
動作電極表面及び対電極表面を備えるアッセイモジュールであって、前記動作電極表面及び前記対電極表面が、印刷した導電材料を含む、アッセイモジュール。
【請求項７６】
動作電極表面及び対電極表面を備えるアッセイモジュールであって、前記動作電極表面及び前記対電極表面が、液体の形態で付着させた導電材料を含む、アッセイモジュール。
【請求項７７】
動作電極表面及び対電極表面を備えるアッセイモジュールであって、前記動作電極表面がカーボンを含み、前記対電極表面が金属を含む、アッセイモジュール。
【請求項７８】
前記金属がアルミニウム、銀又はニッケルを含む、請求項７７に記載のアッセイモジュール。
【請求項７９】
前記対電極表面がアルミニウムを含む、請求７７に記載のアッセイモジュール。
【請求項８０】
動作電極表面及び対電極表面を備えるアッセイモジュールであって、前記対電極表面が粘着層上の金属を含む、アッセイモジュール。
【請求項８１】
前記金属がアルミニウム、銀又はニッケルを含む、請求項８０に記載のアッセイモジュール。
【請求項８２】
前記金属がアルミニウム含む、請求項８０に記載のアッセイモジュール。
【請求項８３】
１つ又は複数のアッセイ領域を有するアッセイモジュールであって、前記アッセイ領域が、１つ又は複数の動作電極表面及び１つ又は複数の対電極表面を備え、前記１つ又は複数の動作電極表面と前記１つ又は複数の対電極表面の表面の比が少なくとも２：１である、アッセイモジュール。
【請求項８４】
印刷した動作電極表面及びその上に形成された複数のアッセイドメインを含むアッセイモジュール。
【請求項８５】
少なくとも２つの前記複数のアッセイドメインが異なる結合試薬を含む、請求項８４に記載のアッセイモジュール。
【請求項８６】
銀を含む導電層上に１つ又は複数のカーボン層を付着させることによって形成した動作電極表面を備え、それによって形成されるアッセイモジュール。
【請求項８７】
前記１つ又は複数のカーボン層が前記導電層を完全に覆う、請求項８６に記載のアッセイモジュール。
【請求項８８】
基板上で金属含有材料をパターン化して前記基板上にパターン化した導電金属含有表面を形成することと、その後、前記パターン化した導電金属含有表面上にカーボン含有材料を付着させてパターン化した電極表面を形成することとを含む、アッセイモジュールを作製する方法。
【請求項８９】
前記カーボン含有材料が、前記パターン化した導電金属含有表面を覆う、請求項８８に記載の方法。
【請求項９０】
前記パターン化した電極表面上に１つ又は複数の試薬を固定化することをさらに含む、請求項８９に記載の方法。
【請求項９１】
前記金属含有材料が銀を含む、請求項８９に記載の方法。
【請求項９２】
セクタ中のウエルに電気エネルギーを供給すること、セクタ中で発光を誘起すること、セクタ中で前記発光を測定すること、あるいはそれらの組合せを含む、請求項１から４０まで又は４６から６３までのいずれか一項に記載のマルチウエルアッセイプレートから発光を測定する方法。
【請求項９３】
アッセイ用の機器と、請求項１から４０まで又は４６から６３までのいずれか一項に記載のマルチウエルアッセイプレートとを備える、アッセイを行うシステム。
【請求項９４】
発光用の機器と、請求項１から４０まで又は４６から６３までのいずれか一項に記載のマルチウエルアッセイプレートとを備える、発光アッセイを行うシステム。
【請求項９５】
請求項１から４０まで又は４６から６３までのいずれか一項に記載のマルチウエルアッセイプレートと、前記プレートから発光を誘起し測定する機器とを備える、電極誘起発光アッセイを行うシステム。
【請求項９６】
マルチウエルアッセイプレートと、（ａ）少なくとも１つの発光標識、（ｂ）少なくとも１つの電気化学発光共同反応物、（ｃ）１つ又は複数の結合試薬、（ｄ）ｐＨ緩衝液、（ｅ）１つ又は複数の遮断試薬、（ｆ）防腐剤、（ｇ）安定剤、（ｈ）酵素、（ｉ）洗剤、及び（ｊ）乾燥剤からなる群から選択した少なくとも１つのアッセイ成分とを１つ又は複数の容器内に備える、電極誘起発光アッセイを行うのに使用するキット。
【請求項９７】
前記ウエル内に少なくとも１つのアッセイ成分を固定化する、請求項９６に記載のキット。
【請求項９８】
前記ウエル内で少なくとも１つのアッセイ成分を乾燥させる、請求項９６又は９７のいずれか一項に記載のキット。
【請求項９９】
セクタ中で前記電極誘起発光アッセイを行うのに使用するように前記マルチウエルプレートを適合させる、請求項９６から９８までのいずれか一項に記載のキット。
【請求項１００】
前記複数のウエルが、少なくとも２つの異なる生物試薬を含む、請求項９６から９９までのいずれか一項に記載のキット。
【請求項１０１】
（ｉ）請求項１から４０まで若しくは４６から６３までのいずれか一項に記載のマルチウエルアッセイプレート、又は請求項４１若しくは７３から８７までのいずれかに記載のアッセイモジュールと、（ｉｉ）（ａ）少なくとも１つの発光標識、及び（ｂ）少なくとも１つの電気化学発光共同反応物からなる群から選択した少なくとも１つのアッセイ成分とを備える、電極誘起発光アッセイを行うのに使用するキット。
【請求項１０２】
前記ウエルが、少なくとも２つの異なる生物試薬を含む、請求項１０１に記載のキット。
【請求項１０３】
複数のウエルを有するマルチウエルアッセイプレートと、（ａ）少なくとも１つの発光標識、（ｂ）少なくとも１つの電気化学発光共同反応物、（ｃ）１つ又は複数の結合試薬、（ｄ）ｐＨ緩衝液、（ｅ）１つ又は複数の遮断剤、（ｆ）防腐剤、（ｇ）安定剤、（ｈ）酵素、（ｉ）洗剤、（ｊ）標準液、及び（ｋ）乾燥剤からなる群から選択した少なくとも１つのアッセイ成分と備える、電極誘起発光アッセイを行うのに使用するキット。
【請求項１０４】
前記ウエル内に少なくとも１つのアッセイ成分を固定化する、請求項１０３に記載のキット。
【請求項１０５】
前記ウエル内で少なくとも１つのアッセイ成分を乾燥させる、請求項１０３から１０４までのいずれか一項に記載のキット。
【請求項１０６】
セクタ中で前記電極誘起発光アッセイを行うのに使用するように前記マルチウエルプレートを適合させる、請求項１０３から１０５までのいずれか一項に記載のキット。
【請求項１０７】
前記複数のウエルが、少なくとも２つの異なる生物試薬を含む、請求項１０３から１０６までのいずれか一項に記載のキット。
【請求項１０８】
前記ウエル内ですべてのアッセイ成分を乾燥させる、請求項１０３から１０７までのいずれか一項に記載のキット。
【請求項１０９】
複数のウエルをさらに備える、請求項４１から４５まで又は７３から９１までのいずれか一項に記載のアッセイモジュール。
【請求項１１０】
１つ又は複数の流体チャネルをさらに備える、請求項４１から４５まで又は７３から９１までのいずれか一項に記載のアッセイモジュール。
【請求項１１１】
前記マルチウエルプレートが標準のマルチウエルアッセイプレートである、請求項１から３０まで又は４６から６３までのいずれか一項に記載のマルチウエルプレート。
【請求項１１２】
２ウエルプレート、６ウエルプレート、２４ウエルプレート、９６ウエルプレート、３８４ウエルプレート、１５３６ウエルプレート、６１４４ウエルプレート又は９６００ウエルプレートである、請求項１から３０まで又は４６から６３までのいずれか一項に記載のマルチウエルプレート。
【請求項１１３】
前記複数のウエルが、ウエルの行及び列を含む、請求項２から２１まで、２５から３０まで、４６又は５０のいずれか一項に記載のマルチウエルプレート。
【請求項１１４】
前記複数のウエルが、行及び列を含めて、ウエルのアレイを含む、請求項２から２１まで、２５から３０まで、４６又は５０のいずれか一項に記載のマルチウエルプレート。
【請求項１１５】
前記複数のウエルが、セクタ内で電気的にアドレス可能である、請求項２から２１まで、２５から３０まで、４６又は５０から５１までのいずれか一項に記載のマルチウエルプレート。
【請求項１１６】
前記プレートが、２つ以上のウエルを含む複数の独立にアドレス可能なセクタを備える、請求項２から２１まで、２５から３０まで、４６又は５０から５１までのいずれか一項に記載のマルチウエルプレート。
【請求項１１７】
複数のウエルを含む複数の独立にアドレス可能なセクタを備える、請求項２から２１まで、２５から３０まで、４６又は５０から５１までのいずれか一項に記載のマルチウエルプレート。
【請求項１１８】
複数の独立にアドレス可能なセクタを備え、２つ以上の前記セクタが２つ以上のウエルを備える、請求項２から２１まで、２５から３０まで、４６又は５０から５１までのいずれか一項に記載のマルチウエルプレート。
【請求項１１９】
前記複数のウエルを別々にアドレス可能なセクタに分割する、請求項２から２１まで、２５から３０まで、４６又は５０から５１までのいずれか一項に記載のマルチウエルプレート。
【請求項１２０】
前記セクタが、前記複数のウエルの２つ以上５０％未満のウエルを含む、請求項１１５から１１９までのいずれか一項に記載のマルチウエルプレート。
【請求項１２１】
前記セクタが、前記複数のウエルの２つ以上４０％未満のウエルを含む、請求項１１５から１１９までのいずれか一項に記載のマルチウエルプレート。
【請求項１２２】
前記セクタが、前記複数のウエルの２つ以上３０％未満のウエルを含む、請求項１１５から１１９までのいずれか一項に記載のマルチウエルプレート。
【請求項１２３】
前記セクタが、前記複数のウエルの２つ以上２０％未満のウエルを含む、請求項１１５から１１９までのいずれか一項に記載のマルチウエルプレート。
【請求項１２４】
前記セクタが、前記複数のウエルの２つ以上１５％未満のウエルを含む、請求項１１５から１１９までのいずれか一項に記載のマルチウエルプレート。
【請求項１２５】
前記セクタが、前記複数のウエルの２つ以上１０％未満のウエルを含む、請求項１１５から１１９までのいずれか一項に記載のマルチウエルプレート。
【請求項１２６】
前記セクタが、前記複数のウエルの２つ以上５％未満のウエルを含む、請求項１１５から１１９までのいずれか一項に記載のマルチウエルプレート。
【請求項１２７】
前記セクタが、前記複数のウエルのサブアレイを備える、請求項１１５から１１９までのいずれか一項に記載のマルチウエルプレート。
【請求項１２８】
前記セクタが、４×４アレイの前記ウエルを備える、請求項１又は１１５から１１９までのいずれか一項に記載のマルチウエルプレート。
【請求項１２９】
２×３アレイのセクタを備える、請求項１又は１１５から１１９までのいずれか一項に記載のマルチウエルプレート。
【請求項１３０】
６つのセクタを備え、各セクタが４×４アレイの前記複数のウエルを有する、請求項２から２１まで、２５から３０まで、４６又は５０から５１までのいずれか一項に記載のマルチウエルプレート。
【請求項１３１】
前記セクタが、１つ又は複数の行又は１つ又は複数の列の前記ウエルを備える、請求項１又は１１５から１１９までのいずれか一項に記載のマルチウエルプレート。
【請求項１３２】
前記セクタが、１行又は１列の前記複数のウエルを備える、請求項１又は１１５から１１９までのいずれか一項に記載のマルチウエルプレート。
【請求項１３３】
前記セクタが、一緒にアドレス可能な複数の行又は複数の列のウエルを備える、請求項１又は１１５から１１９までのいずれか一項に記載のマルチウエルプレート。
【請求項１３４】
互いに重なり合うセクタのアレイを有し、各セクタが、行及び／又は列の前記複数のウエルの交互のメンバを含む、請求項１又は１１５から１１９までのいずれか一項に記載のマルチウエルプレート。
【請求項１３５】
セグメント化した行及び／又はセグメント化した列を有し、前記セグメント化した行又はセグメント化した列が交互のウエルを含み、前記プレート上で少なくとも２つのセクタが重なり合う、請求項１又は１１５から１１９までのいずれか一項に記載のマルチウエルプレート。
【請求項１３６】
前記セクタが、１つ又は複数の電気的に接続された電極を備える、請求項１又は１１５から１１９までのいずれか一項に記載のマルチウエルプレート。
【請求項１３７】
前記２つ以上の前記動作電極が一緒にアドレス可能である、請求項１５、５３又は６６に記載のマルチウエルプレート。
【請求項１３８】
前記プレート上に一緒にアドレス可能なウエルからなる複数の独立にアドレス可能なセクタをさらに備え、前記一緒にアドレス可能なウエルからなる複数の独立にアドレス可能なセクタに電気的に接続された少なくとも２つの電気接点表面を含む底部表面をさらに備える、請求項１から２４までのいずれか一項に記載のマルチウエルプレート。
【請求項１３９】
前記動作電極表面及び前記対電極表面が、前記ウエル内で同じ垂直高さにある、請求項３、４、５、８、３０又は５１に記載のマルチウエルプレート。
【請求項１４０】
前記動作電極表面と前記対電極表面の平均間隔が０．１インチ未満である、請求項３、４、５、８、３０又は５１に記載のマルチウエルプレート。
【請求項１４１】
前記動作電極表面と前記対電極表面の平均間隔が０．０５インチ未満である、請求項３、４、５、８、３０又は５１に記載のマルチウエルプレート。
【請求項１４２】
前記動作電極表面と前記対電極表面の平均間隔が０．０１インチ未満である、請求項３、４、５、８、３０又は５１に記載のマルチウエルプレート。
【請求項１４３】
前記電極がカーボンを含む、請求項１、２１、５３又は６６に記載のマルチウエルプレート。
【請求項１４４】
前記電極が、銀層上のカーボン層を含む、請求項１、２１、５３又は６６に記載のマルチウエルプレート。
【請求項１４５】
前記電極がカーボン粒子を含む、請求項１、２１、５３又は６６に記載のマルチウエルプレート。
【請求項１４６】
前記電極がカーボンフィブリル又はカーボンブラックを含む、請求項１、２１、５３又は６６に記載のマルチウエルプレート。
【請求項１４７】
前記電極がカーボンフィブリルを含む、請求項１、２１、５３又は６６に記載のマルチウエルプレート。
【請求項１４８】
前記電極がカーボンインクを含む、請求項１、２１、５３又は６６に記載のマルチウエルプレート。
【請求項１４９】
前記電極が、印刷した導電材料を含む、請求項１、２１、５３又は６６に記載のマルチウエルプレート。
【請求項１５０】
前記電極が、液体の形態で付着させた導電材料を含む、請求項１、２１、５３又は６６に記載のマルチウエルプレート。
【請求項１５１】
１つ又は複数の前記電極が、その上に形成された複数のアッセイドメインを有する電極を含む、請求項１、５３又は６６に記載のマルチウエルプレート。
【請求項１５２】
前記複数のアッセイドメインが、少なくとも４個のアッセイドメインを含む、請求項２１、５０又は１５１に記載のマルチウエルプレート。
【請求項１５３】
前記複数のアッセイドメインが、少なくとも７個のアッセイドメインを含む、請求項２１、５０又は１５１に記載のマルチウエルプレート。
【請求項１５４】
前記複数のアッセイドメインが、少なくとも１０個のアッセイドメインを含む、請求項２１、５０又は１５１に記載のマルチウエルプレート。
【請求項１５５】
前記複数のアッセイドメインが、少なくとも２５個のアッセイドメインを含む、請求項２１、５０又は１５１に記載のアッセイモジュール。
【請求項１５６】
前記アッセイドメインが、固定化した試薬を含む、請求項２１、５０又は１５１に記載のマルチウエルプレート。
【請求項１５７】
前記アッセイドメインが、抗体、抗体の断片、タンパク質、酵素、酵素基質、阻害剤、補因子、抗原、ハプテン、リポタンパク質、リポサッカライド、細胞、細胞内成分、細胞受容体、ウイルス、核酸、抗原、脂質、糖タンパク質、炭水化物、ペプチド、アミノ酸、ホルモン、タンパク質結合性リガンド、薬剤、発光標識又はそれらの組合せから選択した１つ又は複数の固定化した試薬を含む、請求項１５１から１５６までのいずれか一項に記載のマルチウエルプレート。
【請求項１５８】
前記固定化した試薬が、タンパク質、核酸又はそれらの組合せを含む、請求項１５６又は１５７に記載のマルチウエルプレート。
【請求項１５９】
１つ又は複数の前記電極が、複数の流体封じ込め領域で画定された表面を有し、前記封じ込め領域が、１つのウエル内で複数の測定を行うための複数の異なる試薬を含む、請求項１、１５、３１、３６、５３又は６６のいずれか一項に記載のマルチウエルプレート。
【請求項１６０】
前記複数の流体封じ込め領域で画定された表面が、１つのウエル内で複数のアッセイを行うための複数の異なる試薬を含む、請求項１５９に記載のマルチウエルプレート。
【請求項１６１】
前記複数の流体封じ込め領域が、前記電極上の１つ又は複数の誘電体層中の穴で画定される、請求項１５９に記載のマルチウエルプレート。
【請求項１６２】
前記第１電極表面がカーボンを含む、請求項２、１１又は１７のいずれか一項に記載のマルチウエルプレート。
【請求項１６３】
前記第１電極表面が、銀層上のカーボン層を含む、請求項２、１１又は１７のいずれか一項に記載のマルチウエルプレート。
【請求項１６４】
前記第１電極表面がカーボン粒子を含む、請求項２、１１又は１７のいずれか一項に記載のマルチウエルプレート。
【請求項１６５】
前記第１電極表面がカーボンフィブリル又はカーボンブラックを含む、請求項２、１１又は１７のいずれか一項に記載のマルチウエルプレート。
【請求項１６６】
前記第１電極表面がカーボンフィブリルを含む、請求項２、１１又は１７のいずれか一項に記載のマルチウエルプレート。
【請求項１６７】
前記第１電極表面がカーボンインクを含む、請求項２、１１又は１７のいずれか一項に記載のマルチウエルプレート。
【請求項１６８】
前記第１電極表面が、印刷した導電材料を含む、請求項２、１１又は１７のいずれか一項に記載のマルチウエルプレート。
【請求項１６９】
前記第１電極表面が、液体の形態で付着させた導電材料を含む、請求項２、１１又は１７のいずれか一項に記載のマルチウエルプレート。
【請求項１７０】
前記第１電極表面がウエル底部の中心に位置する、請求項２又は１７のいずれか一項に記載のマルチウエルプレート。
【請求項１７１】
前記第１電極表面が、その上に固定化された１つ又は複数の結合試薬を含む、請求項２、１１又は１７のいずれか一項に記載のマルチウエルプレート。
【請求項１７２】
前記第１電極表面が、その上に形成された複数のアッセイドメインを有する電極を含む、請求項２、１１又は１７のいずれか一項に記載のマルチウエルプレート。
【請求項１７３】
前記第２電極表面が金属を含む、請求項２、１１又は１７のいずれか一項に記載のマルチウエルプレート。
【請求項１７４】
前記第２電極表面が、銀、アルミニウム又はニッケルから選択した金属を含む、請求項２、１１又は１７のいずれか一項に記載のマルチウエルプレート。
【請求項１７５】
前記第２電極表面がアルミニウムを含む、請求項２、１１又は１７のいずれか一項に記載のマルチウエルプレート。
【請求項１７６】
前記第２電極表面がカーボンを含む、請求項２、１１又は１７のいずれか一項に記載のマルチウエルプレート。
【請求項１７７】
前記動作電極表面がカーボンを含む、請求項３、４、８、１８、２５、３０、４６又は５１のいずれか一項に記載のマルチウエルプレート。
【請求項１７８】
前記動作電極表面が、銀層上のカーボン層を含む、請求項３、４、５、８、１８、２５、３０、４６又は５１のいずれか一項に記載のマルチウエルプレート。
【請求項１７９】
前記動作電極表面がカーボン粒子を含む、請求項３、４、５、８、１８、２５、３０、４６、５１又は６２はのいずれか一項に記載のマルチウエルプレート。
【請求項１８０】
前記動作電極表面がカーボンフィブリル又はカーボンブラックを含む、請求項３、４、５、８、１８、２５、３０、４６、５１又は６２のいずれか一項に記載のマルチウエルプレート。
【請求項１８１】
前記動作電極表面がカーボンフィブリルを含む、請求項３、４、５、８、１８、２５、３０、４６、５１又は６２のいずれか一項に記載のマルチウエルプレート。
【請求項１８２】
前記動作電極表面がカーボンインクを含む、請求項３、４、５、８、１８、２５、３０、４６、５１又は６２のいずれか一項に記載のマルチウエルプレート。
【請求項１８３】
前記動作電極表面が、印刷した導電材料を含む、請求項３、４、５、８、１８、２５、３０、４６、５１又は６２のいずれか一項に記載のマルチウエルプレート。
【請求項１８４】
前記動作電極表面が、液体の形態で付着させた導電材料を含む、請求項３、４、５、８、１８、２５、３０、４６、５１又は６２のいずれか一項に記載のマルチウエルプレート。
【請求項１８５】
前記動作電極表面がウエル底部の中心に位置する、請求項３、４、５、８、１８、２５、３０、４６、５１又は６２のいずれか一項に記載のマルチウエルプレート。
【請求項１８６】
前記動作電極表面が、その上に固定化された１つ又は複数の結合試薬を含む、請求項３、４、５、８、１８、２５、３０、４６、５１又６２のいずれか一項に記載のマルチウエルプレート。
【請求項１８７】
前記動作電極表面が、その上に形成された複数のアッセイドメインを有する電極を含む、請求項３、４、５、８、１８、２５、３０、４６、５１又は６２のいずれか一項に記載のマルチウエルプレート。
【請求項１８８】
前記複数のアッセイドメインが、少なくとも４つのアッセイドメインを含む、請求項１８７に記載のマルチウエルプレート。
【請求項１８９】
前記アッセイドメインが、固定化した試薬を含む、請求項１８７又は１８８に記載のマルチウエルプレート。
【請求項１９０】
前記アッセイドメインが、抗体、抗体の断片、タンパク質、酵素、酵素基質、阻害剤、補因子、抗原、ハプテン、リポタンパク質、リポサッカライド、細胞、細胞内成分、細胞受容体、ウイルス、核酸、抗原、脂質、糖タンパク質、炭水化物、ペプチド、アミノ酸、ホルモン、タンパク質結合性リガンド、薬剤、発光標識又はそれらの組合せから選択した１つ又は複数の固定化した試薬を含む、請求項１８７又は１８８に記載のマルチウエルプレート。
【請求項１９１】
前記固定化した試薬が、タンパク質、核酸又はそれらの組合せを含む、請求項１９０に記載のマルチウエルプレート。
【請求項１９２】
前記動作電極表面が、複数の流体封じ込め領域で画定された表面を含み、前記封じ込め領域が、１つのウエル内で複数の測定を行うための複数の異なる試薬を含む、請求項３、４、５、８、１８、２５、３０、４６、５１又は６２のいずれか一項に記載のマルチウエルプレート。
【請求項１９３】
前記複数の流体封じ込め領域で画定された表面が、１つのウエル内で複数のアッセイを行うための複数の異なる試薬を含む、請求項１９２に記載のマルチウエルプレート。
【請求項１９４】
前記複数の流体封じ込め領域が、前記動作電極表面上の１つ又は複数の誘電体層中の穴で画定される、請求項１９２に記載のマルチウエルプレート。
【請求項１９５】
前記動作電極がカーボンを含む、請求項１２、１７又は２１のいずれか一項に記載のマルチウエルプレート。
【請求項１９６】
前記動作電極が、銀層上のカーボン層を含む、請求項１２、１７又は２１のいずれか一項に記載のマルチウエルプレート。
【請求項１９７】
前記動作電極がカーボン粒子を含む、請求項１２、１７又は２１のいずれか一項に記載のマルチウエルプレート。
【請求項１９８】
前記動作電極がカーボンフィブリル又はカーボンブラックを含む、請求項１２、１７又は２１のいずれか一項に記載のマルチウエルプレート。
【請求項１９９】
前記動作電極がカーボンフィブリルを含む、請求項１２、１７又は２１のいずれか一項に記載のマルチウエルプレート。
【請求項２００】
前記動作電極がウエル底部の中心に位置する、請求項１２、１７又は２１のいずれか一項に記載のマルチウエルプレート。
【請求項２０１】
前記動作電極が、その上に固定化された１つ又は複数の結合試薬を含む、請求項１２、１７又は２１のいずれか一項に記載のマルチウエルプレート。
【請求項２０２】
前記動作電極が、その上に形成された複数のアッセイドメインを有する電極を含む、請求項１２、１７又は２１のいずれか一項に記載のマルチウエルプレート。
【請求項２０３】
前記第１導電層がカーボンを含む、請求項５６、５９、６０又は６１のいずれか一項に記載のマルチウエルプレート。
【請求項２０４】
前記第１導電層が、銀層上のカーボン層を含む、請求項５６、５９、６０又は６１のいずれか一項に記載のマルチウエルプレート。
【請求項２０５】
前記第１導電層がカーボン粒子を含む、請求項５６、５９、６０又は６１のいずれか一項に記載のマルチウエルプレート。
【請求項２０６】
前記第１導電層がカーボンフィブリル又はカーボンブラックを含む、請求項５６、５９、６０又は６１のいずれか一項に記載のマルチウエルプレート。
【請求項２０７】
前記第１導電層がカーボンフィブリルを含む、請求項５６、５９、６０又は６１のいずれか一項に記載のマルチウエルプレート。
【請求項２０８】
前記第１導電層がウエル底部の中心に位置する、請求項５６、５９、６０又は６１のいずれか一項に記載のマルチウエルプレート。
【請求項２０９】
前記第１導電層が、その上に固定化された１つ又は複数の結合試薬を含む、請求項５６、５９、６０又は６１のいずれか一項に記載のマルチウエルプレート。
【請求項２１０】
前記第１導電層が、１つ又は複数のアッセイドメインを備える、請求項５６、５９、６０又は６１のいずれか一項に記載のマルチウエルプレート。
【請求項２１１】
前記アッセイドメインが、抗体、抗体の断片、タンパク質、酵素、酵素基質、阻害剤、補因子、抗原、ハプテン、リポタンパク質、リポサッカライド、細胞、細胞内成分、細胞受容体、ウイルス、核酸、抗原、脂質、糖タンパク質、炭水化物、ペプチド、アミノ酸、ホルモン、タンパク質結合性リガンド、薬剤、発光標識又はそれらの組合せから選択した１つ又は複数の固定化した試薬を含む、請求項５６、５９、６０又は６１のいずれか一項に記載のマルチウエルプレート。
【請求項２１２】
前記固定化した試薬が、タンパク質、核酸又はそれらの組合せを含む、請求項５６、５９、６０又は６１のいずれか一項に記載のマルチウエルプレート。
【請求項２１３】
前記導電表面がカーボンを含む、請求項５７又は５８に記載のマルチウエルプレート。
【請求項２１４】
前記導電表面が、銀層上のカーボン層を含む、請求項５７又は５８に記載のマルチウエルプレート。
【請求項２１５】
前記導電表面がカーボン粒子を含む、請求項５７又は５８に記載のマルチウエルプレート。
【請求項２１６】
前記対電極表面がカーボンを含む、請求項３から８まで、１８、３０又は５１のいずれか一項に記載のマルチウエルプレート。
【請求項２１７】
前記対電極表面が、銀層上のカーボン層を含む、請求項３から８まで、１８、３０又は５１のいずれか一項に記載のマルチウエルプレート。
【請求項２１８】
前記対電極表面がカーボン粒子を含む、請求項３から８まで、１８、３０又は５１のいずれか一項に記載のマルチウエルプレート。
【請求項２１９】
前記対電極表面がカーボンフィブリル又はカーボンブラックを含む、請求項３から８まで、１８、３０又は５１のいずれか一項に記載のマルチウエルプレート。
【請求項２２０】
前記対電極表面が金属を含む、請求項３から４まで、１８、３０又は５１のいずれか一項に記載のマルチウエルプレート。
【請求項２２１】
前記対電極表面が、銀、ニッケル又はアルミニウムからなる群から選択した金属を含む、請求項３から４まで、１８、３０又は５１のいずれか一項に記載のマルチウエルプレート。
【請求項２２２】
前記対電極表面がアルミニウムを含む、請求項３から４まで、１８、３０又は５１のいずれか一項に記載のマルチウエルプレート。
【請求項２２３】
前記ウエルの周辺部に前記対電極表面を配置する、請求項３から８まで、１８、３０又は５１のいずれか一項に記載のマルチウエルプレート。
【請求項２２４】
前記誘電体表面が、シリコン及びシリコーンを実質的に含まない、請求項１８又は２０に記載のマルチウエルプレート。
【請求項２２５】
前記誘電体表面が、基材中に分散させた液体、ゲル、固体又は粒子状材料を含む、請求項１８又は２０に記載のマルチウエルプレート。
【請求項２２６】
前記誘電体表面が、ポリマー、フォトレジスト、プラスチック、粘着剤、ゲル、ガラス、非導電性インク、非導電性ペースト、セラミック、紙、エラストマー、シリコーン、熱可塑性樹脂又はそれらの組合せを含む、請求項１８又は２０に記載のマルチウエルプレート。
【請求項２２７】
前記誘電体表面が、誘電体インク、ポリマーフィルム、フォトレジストフィルム、セラミックガラスフィルム又はそれらの組合せを含む、請求項１８又は２０に記載のマルチウエルプレート。
【請求項２２８】
前記誘電体表面が、非導電性プラスチック、ガラス又はセラミックを含む、請求項１８又は２０に記載のマルチウエルプレート。
【請求項２２９】
前記動作電極表面上に流体を閉じ込めるための複数の流体封じ込め領域を画定する誘電体層をさらに備える、請求項３、４、５、８、１８、２５、３０、４６、５１又は６２のいずれか一項に記載のマルチウエルプレート。
【請求項２３０】
前記動作電極上に流体を閉じ込めるための複数の流体封じ込め領域を画定する誘電体層をさらに備える、請求項１２又は１７に記載のマルチウエルプレート。
【請求項２３１】
前記プレート底部がプラスチックを含む、請求項１又は６６に記載のマルチウエルプレート。
【請求項２３２】
前記プレート底部が、前記プラスチック中又は前記プラスチック上に組み込まれた導電性粒子を含む、請求項１又は６６に記載のマルチウエルプレート。
【請求項２３３】
前記プレート底部が、前記プラスチック中又は前記プラスチック上に組み込まれたカーボン粒子を含む、請求項１又は６６に記載のマルチウエルプレート。
【請求項２３４】
前記プレート底部が、前記プラスチック中又は前記プラスチック上に組み込まれたカーボンフィブリルを含む、請求項１又は６６に記載のマルチウエルプレート。
【請求項２３５】
前記プレート底部が、シリコン及びシリコーンを実質的に含まない、請求項１又は６６に記載のマルチウエルプレート。
【請求項２３６】
前記プレート底部が多孔質材料を含む、請求項１又は６６に記載のマルチウエルプレート。
【請求項２３７】
前記多孔質材料がフィルターである、請求項２３６に記載のマルチウエルプレート。
【請求項２３８】
粘着剤を使用して前記基板に前記プレート上部を密封する、請求項２２、２３、５３、５７、５８又は６６に記載のマルチウエルプレート。
【請求項２３９】
前記粘着剤がシリコーンを実質的に含まない、請求項２３８に記載のマルチウエルプレート。
【請求項２４０】
前記基板がプラスチックを含む、請求項２２、２３、２５、２６、３０、５３、５７、５８、６４又は６５のいずれか一項に記載のマルチウエルプレート。
【請求項２４１】
前記基板が、前記プラスチック中又は前記プラスチック上に組み込まれた金属粒子を含む、請求項２２、２３、２５、２６、３０、５３、５７、５８、６４又は６５のいずれか一項に記載のマルチウエルプレート。
【請求項２４２】
前記基板が、前記プラスチック中又は前記プラスチック上に組み込まれたカーボン粒子を含む、請求項２２、２３、２５、２６、３０、５３、５７、５８、６４又は６５のいずれか一項に記載のマルチウエルプレート。
【請求項２４３】
前記基板が、前記プラスチック中又は前記プラスチック上に組み込まれたカーボンフィブリルを含む、請求項２２、２３、２５、２６、３０、５３、５７、５８、６４又は６５のいずれか一項に記載のマルチウエルプレート。
【請求項２４４】
前記基板が、シリコン及びシリコーンを実質的に含まない、請求項２２、２３、２５、２６、３０、５３、５７、５８、６４又は６５のいずれか一項に記載のマルチウエルプレート。
【請求項２４５】
前記基板が多孔質材料を含む、請求項２２、２３、２５、２６、３０、５３、５７、５８、６４又は６５のいずれか一項に記載のマルチウエルプレート。
【請求項２４６】
前記多孔質材料がフィルターである、請求項２４５に記載のマルチウエルプレート。
【請求項２４７】
前記動作電極に電気的に接続された１つ又は複数の動作電極用電気接点をさらに備える、請求項１５又は２１のいずれか一項に記載のマルチウエルプレート。
【請求項２４８】
導電スルーホールを介して、前記動作電極に前記１つ又は複数の動作電極用電気接点を接続する、請求項２４７に記載のマルチウエルプレート。
【請求項２４９】
前記導電スルーホールに導電材料を充填する、請求項２４８に記載のマルチウエルプレート。
【請求項２５０】
前記ウエル間又は前記ウエルに隣接して前記導電スルーホールを配置する、請求項２４８に記載のマルチウエルプレート。
【請求項２５１】
前記基板表面上に導電材料をスクリーン印刷することによって前記動作電極用電気接点を形成する、請求項２４７に記載のマルチウエルプレート。
【請求項２５２】
前記１つ又は複数の対電極表面に電気的に接続された１つ又は複数の対電極用接点をさらに備える、請求項３から１０まで、１８、３０又は５１のいずれか一項に記載のマルチウエルプレート。
【請求項２５３】
基板スルーホールを介して、前記１つ又は複数の対電極に前記対電極電気接点を接続する、請求項２５２に記載のマルチウエルプレート。
【請求項２５４】
前記導電基板スルーホールに導電材料を充填する、請求項２５３に記載のマルチウエルプレート。
【請求項２５５】
前記プレート表面上に導電材料をスクリーン印刷することによって前記対電極用接点を形成する、請求項２５２に記載のマルチウエルプレート。
【請求項２５６】
前記ウエルが内部底面を備え、前記内面を酸化して導電表面を露出させる、請求項１から４０まで又は４６から６３までのいずれか一項に記載のマルチウエルプレート。
【請求項２５７】
前記ウエルが内部底面を備え、前記内部底面を酸化して、アッセイ成分と結合させるための官能基を生成する、請求項１から４０まで又は４６から６３までのいずれか一項に記載のマルチウエルプレート。
【請求項２５８】
二官能性試薬で前記ウエルを処理して結合を行わせる、請求項１から４０まで又は４６から６３までのいずれか一項に記載のマルチウエルプレート。
【請求項２５９】
前記ウエルが内面を備え、二官能性試薬で前記内面を表面処理してアッセイ成分と結合させる、請求項１から４０まで又は４６から６３までのいずれか一項に記載のマルチウエルプレート。
【請求項２６０】
前記ウエルの内面上に、生物学的に特異的な結合剤をさらに備える、請求項１から４０まで又は４６から６３までのいずれか一項に記載のマルチウエルプレート。
【請求項２６１】
前記複数のウエル中に１つ又は複数のアッセイ試薬をさらに含む、請求項１から４０まで又は４６から６３までのいずれか一項に記載のマルチウエルプレート。
【請求項２６２】
抗体、抗体の断片、タンパク質、酵素、酵素基質、阻害剤、補因子、抗原、ハプテン、リポタンパク質、リポサッカライド、細胞、細胞内成分、細胞受容体、ウイルス、核酸、抗原、脂質、糖タンパク質、炭水化物、ペプチド、アミノ酸、ホルモン、タンパク質結合性リガンド、薬剤、発光標識又はそれらの組合せから選択した１つ又は複数の固定化した試薬をさらに含む、請求項１から４０まで又は４６から６３までのいずれか一項に記載のマルチウエルプレート。
【請求項２６３】
前記固定化された試薬が、タンパク質、核酸又はそれらの組合せを含む、請求項２６２に記載のマルチウエルプレート。
【請求項２６４】
２つ以上の前記ウエルが１つ又は複数のアッセイ試薬を含む、請求項１から４０まで又は４６から６３までのいずれか一項に記載のマルチウエルプレート。
【請求項２６５】
２つ以上の前記ウエルが１つ又は複数のサンプルを含む、請求項１から４０まで又は４６から６３までのいずれか一項に記載のマルチウエルプレート。
【請求項２６６】
１つ又は複数の前記複数のウエル中に発光標識をさらに含む、請求項１から４０まで又は４６から６３までのいずれか一項に記載のマルチウエルプレート。
【請求項２６７】
１つ又は複数の化学発光用ウエル及び／又は蛍光用ウエルをさらに含む、請求項１から４０まで又は４６から６３までのいずれか一項に記載のマルチウエルプレート。
【請求項２６８】
化学発光試薬を含む１つ又は複数の化学発光用ウエル及び／又は蛍光試薬を含む蛍光用ウエルをさらに備える、請求項１から４０まで又は４６から６３までのいずれか一項に記載のマルチウエルプレート。
【請求項２６９】
前記プレート上部が非導電性プラスチックである、請求項２２、２３、５１から６１まで又は６６のいずれか一項に記載のマルチウエルプレート。
【請求項２７０】
前記プレート上部が白色である、請求項２２、２３、５１から６１まで又は６６のいずれか一項に記載のマルチウエルプレート。
【請求項２７１】
前記プレート上部が黒色である、請求項２２、２３、５１から６１まで又は６６のいずれか一項に記載のマルチウエルプレート。
【請求項２７２】
前記プレート上部が、不透明な壁を有するウエルを備える、請求項２２、２３、５１から６１まで又は６６のいずれか一項に記載のマルチウエルプレート。
【請求項２７３】
前記プレート上部が、６〜１２重量％の白色顔料を含む、請求項２２、２３、５１から６１まで又は６６のいずれか一項に記載のマルチウエルプレート。
【請求項２７４】
前記ウエル壁が、６〜１２重量％の白色顔料を含む、請求項１から４０まで、４６から６３まで又は６６のいずれか一項に記載のマルチウエルプレート。
【請求項２７５】
前記プレート上部が、ＴｉＯ２、酸化鉛、アルミナ及びＳｉＯ２（シリカ）からなる群から選択した６〜１２重量％の白色顔料を含む、請求項２２、２３、５１から６１まで又は６６のいずれか一項に記載のマルチウエルプレート。
【請求項２７６】
前記ウエルの内面が、シリコン及びシリコーンを実質的に含まない、請求項１から４０まで、４６から６３まで又は６６のいずれか一項に記載のマルチウエルプレート。
【請求項２７７】
前記プレート上部が、シリコン及びシリコーンを実質的に含まない、請求項２２、２３、５１から６１まで又は６６のいずれか一項に記載のマルチウエルプレート。
【請求項２７８】
識別マークをさらに備える、請求項１から４０まで、４６から６３まで又は６６のいずれか一項に記載のマルチウエルプレート。
【請求項２７９】
バーコードをさらに備える、請求項１から４０まで、４６から６３まで又は６６のいずれか一項に記載のマルチウエルプレート。
【請求項２８０】
プレートの向きを判定するように適合されたマーク及び／又は構造部材をさらに備える、請求項１から４０まで、４６から６３まで又は６６のいずれか一項に記載のマルチウエルプレート。
【請求項２８１】
前記ウエルを覆うように構成された蓋をさらに備える、請求項１から４０まで、４６から６３まで又は６６のいずれか一項に記載のマルチウエルプレート。
【請求項２８２】
面取りしたコーナをさらに備える、請求項１から４０まで、４６から６３まで又は６６のいずれか一項に記載のマルチウエルプレート。
【請求項２８３】
ロボットハンドラによってつかまれるリップをさらに備える、請求項１から４０まで、４６から６３まで又は６６のいずれか一項に記載のマルチウエルプレート。
【請求項２８４】
前記プレートをもち上げるように適合された脚部又はシャツ部をさらに備える、請求項１から４０まで、４６から６３まで又は６６のいずれか一項に記載のマルチウエルプレート。
【請求項２８５】
前記プレート底部上に導電被覆をさらに含む、請求項１又は６６のいずれか一項に記載のマルチウエルプレート。
【請求項２８６】
基板の撓み又は曲げを少なくするためにプレート上に硬化支持体をさらに備える、請求項２２、２３、２５又は２６のいずれか一項に記載のマルチウエルプレート。
【請求項２８７】
マルチウエルプレートの撓み又は曲げを少なくするために硬化支持体をさらに備える、請求項１から４０まで、４６から６３まで又は６６のいずれか一項に記載のマルチウエルプレート。
【請求項２８８】
前記硬化支持体が、非導電性材料を含み、前記基板に取り付けられ、前記基板に電気的に接触することができるように１つ又は複数の開口部を備える、請求項２８６に記載のマルチウエルプレート。
【請求項２８９】
前記硬化支持体が、非導電性材料を含み、マルチウエルプレートに取り付けられ、前記マルチウエルプレートの底部に電気的に接触することができるように１つ又は複数の開口部を備える、請求項２８７に記載のマルチウエルプレート。
【請求項２９０】
前記プレート上部が、その上に形成された導電性金属被覆を含み、それによって前記導電表面が形成される、請求項５２、５３、５４又は５５に記載のマルチウエルプレート。
【請求項２９１】
前記プレート上部上に前記導電性金属被覆を塗る、請求項２９０に記載のマルチウエルプレート。
【請求項２９２】
前記プレート上部上に前記導電性金属被覆を蒸着させる、請求項２９０に記載のマルチウエルプレート。
【請求項２９３】
前記プレート上部上に前記導電性金属被覆を電気メッキする、請求項２９０に記載のマルチウエルプレート。
【請求項２９４】
前記導電性金属被覆が、銀、Ａｇ／Ｃｌ、ニッケル、銅、アルミニウム又はそれらの組合せを含む、請求項２９０に記載のマルチウエルプレート。
【請求項２９５】
前記導電性金属被覆が銀塗料である、請求項２９０に記載のマルチウエルプレート。
【請求項２９６】
前記絶縁層が、粘着誘電体フィルム又はスクリーン印刷した粘着性誘電体を含む、請求項５２から６１までのいずれか一項に記載のマルチウエルプレート。
【請求項２９７】
前記絶縁層が、シリコン及びシリコーンを実質的に含まない、請求項５２から６１までのいずれか一項に記載のマルチウエルプレート。
【請求項２９８】
前記絶縁層が、前記ウエルの底部上に流体を閉じ込めるために各ウエル内に複数の流体封じ込め領域を画定する、請求項５２から６１までのいずれか一項に記載のマルチウエルプレート。
【請求項２９９】
前記複数の流体封じ込め領域で画定された封じ込め表面が、個々のウエル内で複数の検出及び／又は測定を行うための複数の異なる試薬を含む、請求項２９８に記載のマルチウエルプレート。
【請求項３００】
前記導電層が、基質中又は基質上にカーボン粒子を含む複合材を含む、請求項５２又は５４に記載のマルチウエルプレート。
【請求項３０１】
前記カーボン粒子が、カーボンナノチューブ、カーボンフィブリル、カーボンブラック又はそれらの組合せを含む、請求項３００に記載のマルチウエルプレート。
【請求項３０２】
前記導電層が、導電材料で被覆したフィブリルを含む、請求項５２又は５４に記載のマルチウエルプレート。
【請求項３０３】
前記導電層が、基板上のカーボン被覆を含む、請求項５２又は５４に記載のマルチウエルプレート。
【請求項３０４】
（ａ）基板上に少なくとも１つの導電被覆を形成し、それによって、１つ又は複数の動作電極を有する前記導電層を形成することと、
（ｂ）前記少なくとも１つの導電被覆上に、複数の絶縁層開口部を有する少なくとも１つの絶縁層を形成することと、
（ｃ）前記絶縁層上に、複数のプレート上部開口部を有するプレート上部を取り付けることとを含む請求項５２に記載のマルチウエルプレートを作製する方法であって、
前記絶縁層開口部及び前記プレート上部開口部を整列させて前記複数のウエルを形成する方法。
【請求項３０５】
前記少なくとも１つの導電被覆が、１つ又は複数の対電極をさらに形成する、請求項３０４に記載の方法。
【請求項３０６】
前記プレート上部が１つ又は複数の導電表面を備え、それによって１つ又は複数の対電極を形成する、請求項３０４に記載の方法。
【請求項３０７】
前記絶縁層に１つ又は複数の導電表面を付着させて、１つ又は複数の対電極を形成するステップをさらに含む、請求項３０４に記載の方法。
【請求項３０８】
前記少なくとも１つの導電被覆をスクリーン印刷によって付着させる、請求項３０４に記載の方法。
【請求項３０９】
前記第１導電層が１つ又は複数の動作電極を形成する、請求項５６又は６０のいずれか一項に記載のマルチウエルプレート。
【請求項３１０】
前記第１導電層が、１つ又は複数の別々にアドレス可能なセクタに分割される、請求項５６又は６０のいずれか一項に記載のマルチウエルプレート。
【請求項３１１】
前記第１導電層が多孔質材料を含む、請求項５６又は５９から６１までのいずれか一項に記載のマルチウエルプレート。
【請求項３１２】
前記第１導電フィルムが銀を含む、請求項５６又は５９から６１までのいずれか一項に記載のマルチウエルプレート。
【請求項３１３】
前記第１導電層が、基板上のカーボン被覆を含む、請求項５６又は５９から６１までのいずれか一項に記載のマルチウエルプレート。
【請求項３１４】
前記第１導電層が、基板上のカーボンインクを含む、請求項５６又は５９から６１までのいずれか一項に記載のマルチウエルプレート。
【請求項３１５】
基板上にカーボンインクを付着させることによって前記第１導電層を形成する、請求項５６又は５９から６１までのいずれか一項に記載のマルチウエルプレート。
【請求項３１６】
前記第２導電層が、１つ又は複数の対電極を形成する、請求項５６又は５９から６１までのいずれか一項に記載のマルチウエルプレート。
【請求項３１７】
前記第２導電フィルムが銀を含む、請求項５６又は５９から６１までのいずれか一項に記載のマルチウエルプレート。
【請求項３１８】
前記第２導電層が、基板上のカーボンインクを含む、請求項５６又は５９から６１までのいずれか一項に記載のマルチウエルプレート。
【請求項３１９】
前記絶縁層が、粘着誘電体フィルム又はスクリーン印刷した粘着性誘電体を含む、請求項５２から５７までのいずれか一項に記載のマルチウエルプレート。
【請求項３２０】
前記絶縁層が、ウエル開口部を有する第１の半分及び接点用の穴を有する第２の半分を備え、前記絶縁層を前記第１導電層の周りで折り曲げて、（ｉ）前記絶縁層の前記第１の半分上で１つ又は複数の対電極に底部接点表面を提供し、（ｉｉ）前記第１導電層に電気的に接触するための前記接点用の穴を提供する、請求項５９に記載のマルチウエルプレート。
【請求項３２１】
前記絶縁層が、前記ウエル底部上に流体を閉じ込めるための複数の流体封じ込め領域を画定する、請求項５２から５７までのいずれか一項に記載のマルチウエルプレート。
【請求項３２２】
前記複数の流体封じ込め領域で画定された保持表面が、個々のウエル内で複数の検出及び／又は測定を行うための複数の異なる試薬を含む、請求項３２１に記載のマルチウエルプレート。
【請求項３２３】
（ａ）前記第１導電層上に絶縁層開口部を有する前記絶縁層を形成することと、
（ｂ）前記絶縁層上に導電フィルム開口部を有する導電フィルムを付着させて前記第２導電層を形成することとを含む、請求項５９に記載のマルチウエルプレートを作製する方法であって、前記絶縁層開口部及び前記導電フィルム開口部を整列させる、方法。
【請求項３２４】
前記第２導電層上に上部プレート開口部を有する上部プレートを張って、前記上部プレート開口部、前記絶縁フィルム開口部及び前記第２導電フィルム開口部を整列させることをさらに含む、請求項３２３に記載の方法。
【請求項３２５】
（ａ）前記底部プレート上に、前記パターン化した電極及び前記パターン化した電極に接続された２つ以上の動作電極接点を形成し、それによって、前記一緒にアドレス可能な電極からなる独立にアドレス可能なセクタを形成することと、
（ｂ）前記底部プレート上に、複数の開口部を有する上部プレートを取り付けることとを含む、請求項１に記載のマルチウエルプレートを作製する方法であって、前記複数の開口部により複数のウエルが形成され、ウエルの各々が少なくとも１つの動作電極を有する、方法。
【請求項３２６】
対電極フィルムを備え、かつ開口部を有する層を、導電基板の周りで折り曲げることを含む、請求項５６に記載のマルチウエルプレートを作製する方法。
【請求項３２７】
前記導電基板を、１つ又は複数の別々にアドレス可能なセクタに分割する、請求項３２６に記載の方法。
【請求項３２８】
前記電極が、金属を被覆した感圧粘着剤を含む、請求項１に記載のマルチウエルプレート。
【請求項３２９】
前記電極が蒸着金属を含む、請求項１に記載のマルチウエルプレート。
【請求項３３０】
前記第１電極表面及び／又は前記第２電極表面が、金属を被覆した感圧粘着剤を含む、請求項２、１１又は１７に記載のマルチウエルプレート。
【請求項３３１】
前記第１電極表面及び／又は前記第２電極表面が蒸着金属を含む、請求項２、１１又は１７に記載のマルチウエルプレート。
【請求項３３２】
前記マルチウエルプレートが、アッセイ緩衝液をさらに含む、請求項９３、９４又は９５に記載のシステム。
【請求項３３３】
前記マルチウエルプレートが、１つ又は複数のアッセイサンプルをさらに含む、請求項９３、９４又は９５に記載のシステム。
【請求項３３４】
前記マルチウエルプレートが、アッセイ緩衝液をさらに含む、請求項９３、９４又は９５に記載のシステム。
【請求項３３５】
（ａ）複数のウエルの一部内で発光を測定する光検出器と、
（ｂ）前記ウエルに電気エネルギー源を接続するように適合された電気接続部とを備える、複数のウエルを有するマルチウエルアッセイプレートから発光を測定するための機器。
【請求項３３６】
（ａ）電気エネルギー源と、
（ｂ）独立にアドレス可能なセクタに独立にアドレスするように適合された１つ又は複数の電気接続部とを備える、
一緒にアドレス可能なウエルからなる複数の独立にアドレス可能なセクタを有するマルチウエルアッセイプレートから発光を測定するための機器。
【請求項３３７】
（ａ）マルチウエルアッセイプレートを保持するように適合された支持部と、
（ｂ）電気エネルギー源と、
（ｃ）独立にアドレス可能なセクタに前記エネルギー源を接続するように適合された１つ又は複数の電気接続部とを備える、
一緒にアドレス可能なウエルからなる複数の独立にアドレス可能なセクタを有するマルチウエルアッセイプレートから発光を測定するための機器であって、
前記電気接続部及び前記支持部が相互に移動して、前記セクタに順に接触を行うことができるように適合される機器。
【請求項３３８】
（ａ）ウエルから発光を測定するように適合された光検出器と、
（ｂ）マルチウエルアッセイプレートを保持するように適合された支持部と、
（ｃ）電気エネルギー源と、
（ｄ）独立にアドレス可能なセクタに前記電気エネルギー源を接続するように適合された１つ又は複数の電気接続部とを備える、一緒にアドレス可能なウエルからなる複数の独立にアドレス可能なセクタを有するマルチウエルアッセイプレートから発光を測定するための機器であって、
前記光検出器及び前記支持部が相互に移動して、前記セクタから順に発光を測定することができるように適合される機器。
【請求項３３９】
複数のウエルから放出される発光を測定するように適合された光検出器と、前記測定中に測定プラットホーム上にプレートを保持するように適合されたプレートホルダとを備える、複数のウエルを有するマルチウエルアッセイプレートから発光を測定するための機器。
【請求項３４０】
画像システムを備え、複数のウエルを有するマルチウエルプレートから発光を測定するための機器であって、前記画像システムが、少なくとも２つの前記複数のウエルから放出される発光を同時に画像化するように適合され、前記画像化では、少なくとも１０°の円錐全角を有する円錐状の発光を収集する機器。
【請求項３４１】
（ａ）複数のウエルの少なくとも一部を画像化するように適合された画像システムと、
（ｂ）前記カメラが前記部分を画像化することができる測定位置にマルチウエルアッセイプレートを保持するように適合された支持部とを備える、複数のウエルを有するマルチウエルアッセイプレートから発光を測定するための機器であって、
前記画像システム及び／又は前記支持部が、セクタ内の前記複数のウエルを画像化し、それによって前記発光を測定するように適合される機器。
【請求項３４２】
（ａ）複数のウエルの少なくとも一部を画像化し、それによって発光を測定するように適合された画像システムと、
（ｂ）セクタ内の前記複数のウエルに電気エネルギーを供給するように適合された電気エネルギー源とを備える、複数のウエルを有するマルチウエルアッセイプレートから発光を測定するための機器。
【請求項３４３】
（ａ）セクタ内の複数のウエルを画像化し、それによってセクタ内の発光を測定するように適合された画像システムと、
（ｂ）前記複数のウエルの前記部分に、電圧又は電流として電気エネルギーを印加する電気エネルギー源とを備える、複数のウエルを有するマルチウエルアッセイプレートから発光を測定するための機器。
【請求項３４４】
（ａ）マルチウエルアッセイプレートを画像化するように適合された画像システムと、
（ｂ）測定位置に前記マルチウエルアッセイプレートを保持するように適合された支持部と、
（ｃ）電気エネルギー源と、
（ｄ）前記エネルギー源に前記マルチウエルアッセイプレートを接続するように適合された電気接続部とを備える、複数のウエルを有するマルチウエルアッセイプレートから発光を測定するための機器。
【請求項３４５】
前記複数のウエルが複数の独立にアドレス可能なセクタを含み、前記電気接続部が、前記エネルギー源に前記マルチウエルプレートの前記セクタを接続するように適合される、請求項３４４に記載の機器。
【請求項３４６】
（ａ）マルチウエルアッセイプレートのセクタを画像化するように適合された画像システムと、
（ｂ）測定位置に前記マルチウエルアッセイプレートを保持するように適合された支持部と、
（ｃ）電気エネルギー源と、
（ｄ）前記エネルギー源に前記マルチウエルプレートの前記セクタを接続するように適合された電気接続部とを備える、一緒にアドレス可能なウエルからなる複数の独立にアドレス可能なセクタを有するマルチウエルアッセイプレートから発光を測定するための機器であって、
前記複数のセクタに前記電気接続部を接続し、かつ／又は、前記複数のセクタを順に画像化するように適合される機器。
【請求項３４７】
上部表面及び底部表面を有する基板を備え、標準の９６ウエルプレート構成に対応するウエルアレイを有し、前記アレイが、
Ａ１〜Ａ４、Ｂ１〜Ｂ４、Ｃ１〜Ｃ４及びＤ１〜Ｄ４のウエルを有する第１セクタと、
Ａ５〜Ａ８、Ｂ５〜Ｂ８、Ｃ５〜Ｃ８及びＤ５〜Ｄ８のウエルを有する第２セクタと、
Ａ９〜Ａ１２、Ｂ９〜Ｂ１２、Ｃ９〜Ｃ１２及びＤ９〜Ｄ１２のウエルを有する第３セクタと、
Ｅ１〜Ｅ４、Ｆ１〜Ｆ４、Ｇ１〜Ｇ４及びＨ１〜Ｈ４のウエルを有する第４セクタと、
Ｅ５〜Ｅ８、Ｆ５〜Ｆ８、Ｇ５〜Ｇ８及びＨ５〜Ｈ８のウエルを有する第５セクタと、
Ｅ９〜Ｅ１２、Ｆ９〜Ｆ１２、Ｇ９〜Ｇ１２及びＨ９〜Ｈ１２のウエルを有する第６セクタの１つ又は複数のセクタを含むマルチウエルアッセイプレートから発光を測定するための機器であって、
前記ウエルから放出される発光を測定するように適合された光検出器と、複数の電気接続部とを備え、前記複数の電気接続部が前記底部表面への接触を行うように構成される機器。
【請求項３４８】
前記複数の電気接続部が、前記ウエル間で前記底部表面への接触を行うように構成される、請求項３４７に記載の機器。
【請求項３４９】
各セクタが、
（ｉ）Ａ１−Ｂ２、Ａ２−Ｂ３、Ａ３−Ｂ４、Ｃ１−Ｄ２、Ｃ２−Ｄ３、Ｃ３−Ｄ４のうち２つ以上の第１セクタ位置と、
（ｉｉ）Ａ５−Ｂ６、Ａ６−Ｂ７、Ａ７−Ｂ８、Ｃ５−Ｄ６、Ｃ６−Ｄ７、Ｃ７−Ｄ８のうち２つ以上の第２セクタ位置と
（ｉｉｉ）Ａ９−Ｂ１０、Ａ１０−Ｂ１１、Ａ１１−Ｂ１２、Ｃ９−Ｄ１０、Ｃ１０−Ｄ１１、Ｃ１１−Ｄ１２のうち２つ以上の第３セクタ位置と、
（ｉｖ）Ｅ１−Ｆ２、Ｅ２−Ｆ３、Ｅ３−Ｆ４、Ｇ１−Ｈ２、Ｇ２−Ｈ３、Ｇ３−Ｈ４のうち２つ以上の第４セクタ位置と、
（ｖ）Ｅ５−Ｆ６、Ｅ６−Ｆ７、Ｅ７−Ｆ８、Ｇ５−Ｈ６、Ｇ６−Ｈ７、Ｇ７−Ｈ８のうち２つ以上の第５セクタ位置と、
（ｖｉ）Ｅ９−Ｆ１０、Ｅ１０−Ｆ１１、Ｅ１１−Ｆ１２、Ｇ９−Ｈ１０、Ｇ１０−Ｈ１１、Ｇ１１−Ｈ１２のうち２つ以上の第６セクタ位置の１つ又は複数の位置に１つ又は複数の電気接点を備える、請求項３４７に記載の機器。
【請求項３５０】
上部表面及び底部表面を有する基板を備え、標準の３８４ウエルプレート構成に対応するウエルアレイを有し、前記アレイが、行Ａ〜Ｐ及び列１〜２４を有し、かつ、
Ａ１〜Ａ８、Ｂ１〜Ｂ８、Ｃ１〜Ｃ８、Ｄ１〜Ｄ８、Ｅ１〜Ｅ８、Ｆ１〜Ｆ８、Ｇ１〜Ｇ８及びＨ１〜Ｈ８のウエルを有する第１セクタと、
Ａ９〜Ａ１６、Ｂ９〜Ｂ１６、Ｃ９〜Ｃ１６、Ｄ９〜Ｄ１６、Ｅ９〜Ｅ１６、Ｆ９〜Ｆ１６、Ｇ９〜Ｇ１６及びＨ９〜Ｈ１６のウエルを有する第２セクタと、
Ａ１７〜Ａ２４、Ｂ１７〜Ｂ２４、Ｃ１７〜Ｃ２４、Ｄ１７〜Ｄ２４、Ｅ１７〜Ｅ２４、Ｆ１７〜Ｆ２４、Ｇ１７〜Ｇ２４及びＨ１７〜Ｈ２４のウエルを有する第３セクタと、
Ｉ１〜Ｉ８、Ｊ１〜Ｊ８、Ｋ１〜Ｋ８、Ｌ１〜Ｌ８、Ｍ１〜Ｍ８、Ｎ１〜Ｎ８、Ｏ１〜Ｏ８及びＰ１〜Ｐ８のウエルを有する第４セクタと、
Ｉ９〜Ｉ１６、Ｊ９〜Ｊ１６、Ｋ９〜Ｋ１６、Ｌ９〜Ｌ１６、Ｍ９〜Ｍ１６、Ｎ９〜Ｎ１６、Ｏ９〜Ｏ１６及びＰ９〜Ｐ１６のウエルを有する第５セクタと、
Ｉ１７〜Ｉ２４、Ｊ１７〜Ｊ２４、Ｋ１７〜Ｋ２４、Ｌ１７〜Ｌ２４、Ｍ１７〜Ｍ２４、Ｎ１７〜Ｎ２４、Ｏ１７〜Ｏ２４及びＰ１７〜Ｐ２４のウエルを有する第６セクタの１つ又は複数のセクタを含むマルチウエルプレートから発光を測定するための機器であって、
前記複数のウエルから放出される発光を測定するように適合された光検出器と、複数の電気接続部とを備え、前記複数の電気接続部が前記底部表面への接触を行うように構成される、機器。
【請求項３５１】
各セクタが、
（ｉ）Ｂ２−Ｃ３、Ｂ４−Ｃ５、Ｂ６−Ｃ７、Ｆ２−Ｇ３、Ｆ４−Ｇ５、Ｆ６−Ｇ７のうち２つ以上の第１セクタ位置と、
（ｉｉ）Ｂ１０−Ｃ１１、Ｂ１２−Ｃ１３、Ｂ１４−Ｃ１５、Ｆ１０−Ｇ１１、Ｆ１２−Ｇ１３、Ｆ１４−Ｇ１５のうち２つ以上の第２セクタ位置と、
（ｉｉｉ）Ｂ１８−Ｃ１９、Ｂ２０−Ｃ２１、Ｂ２２−Ｃ２３、Ｆ１８−Ｇ１９、Ｆ２０−Ｇ２１、Ｆ２２−Ｇ２３のうち２つ以上の第３セクタ位置と、
（ｉｖ）Ｊ２−Ｋ３、Ｊ４−Ｋ５、Ｊ６−Ｋ７、Ｎ２−Ｏ３、Ｎ４−Ｏ５、Ｎ６−Ｏ７のうち２つ以上の第４セクタ位置と、
（ｖ）Ｊ１０−Ｋ１１、Ｊ１２−Ｋ１３、Ｊ１４−Ｋ１５、Ｎ１０−Ｏ１１、Ｎ１２−Ｏ１３、Ｎ１４−Ｏ１５の２つ以上の第５セクタ位置と、
（ｖｉ）Ｊ１８−Ｋ１９、Ｊ２０−Ｋ２１、Ｊ２２−Ｋ２３、Ｎ１８−Ｏ１９、Ｎ２０−Ｏ２１、Ｎ２２−Ｏ２３のうち２つ以上の第６セクタ位置の１つ又は複数の位置に１つ又は複数の電気接点を備える、請求項３５０に記載の機器。
【請求項３５２】
標準のウエルプレート構成を有し、２×３アレイの正方形セクタをさらに有するマルチウエルプレートから発光を測定するための機器であって、
前記複数のウエルから放出される発光を測定するように適合された光検出器と、複数の電気接続部とを備え、前記複数の電気接続部が、前記ウエル間で前記プレートの底部表面への接触を行うように構成される機器。
【請求項３５３】
各セクタが、（表側を上にして）前記プレートの左上コーナから（インチで）測って以下の位置（Ｘ，Ｙ）、
（ｉ）（０．７４３、０．６２０）、（１．０９７、０．６２０）、（１．４５１、０．６２０）、（０．７４３、１．３２９）、（１．０９７、１．３２９）、（１．４５１、１．３２９）のうち２つ以上の第１セクタ位置（インチ、±０．１２５”）と、
（ｉｉ）（２．１６１、０．６２０）、（２．５１５、０．６２０）、（２．８６９、０．６２０）、（２．１６１、１．３２９）、（２．５１５、１．３２９）、（２．８６９、１．３２９）のうち２つ以上の第２セクタ位置（インチ、±０．１２５”）と、
（ｉｉｉ）（３．５７９、０．６２０）、（３．９３３、０．６２０）、（４．２８７、０．６２０）、（３．５７９、１．３２９）、（３．９３３、１．３２９）、（４．２８７、１．３２９）のうち２つ以上の第３セクタ位置（インチ、±０．１２５”）と、
（ｉｖ）（０．７４３、２．０３８）、（１．０９７、２．０３８）、（１．４５１、２．０３８）、（０．７４３、２．７４７）、（１．０９７、２．７４７）、（１．４５１、２．７４７）のうち２つ以上の第４セクタ位置（インチ、±０．１２５”）と、
（ｖ）（２．１６１、２．０３８）、（２．５１５、２．０３８）、（２．８６９、２．０３８）、（２．１６１、２．７４７）、（２．５１５、２．７４７）、（２．８６９、２．７４７）のうち２つ以上の第５セクタ位置（インチ、±０．１２５”）と、
（ｖｉ）（３．５７９、２．０３８）、（３．９３３、２．０３８）、（４．２８７、２．０３８）、（３．５７９、２．７４７）、（３．９３３、２．７４７）、（４．２８７、２．７４７）のうち２つ以上の第６セクタ位置（インチ、±０．１２５”）
の１つ又は複数の位置に配置された１つ又は複数の電気接点を備える、請求項３５２に記載の機器。
【請求項３５４】
マルチウエルアッセイプレートの少なくとも一部から光を測定するように適合された光検出器アレイと、
（ａ）前記マルチウエルプレートに電気エネルギーを供給する電気エネルギー源とを備える、複数のウエルを有するマルチウエルアッセイプレートから発光を測定するための機器。
【請求項３５５】
（ａ）複数の独立にアドレス可能なセクタから光を測定するように適合されたフォトダイオードアレイと、
（ｂ）マルチウエルプレートに電気エネルギーを供給する電気エネルギー源と
を備える、一緒にアドレス可能なウエルからなる複数の独立にアドレス可能なセクタを有するマルチウエルアッセイプレートから発光を測定するための機器であって、
前記フォトダイオードアレイが、独立にアドレス可能なセクタのそれぞれに整列するように構成され、それによって、各フォトダイオードが、前記セクタ内の１つのウエルに対応し、対応する１つのフォトダイオードによって各ウエルからの発光を測定する機器。
【請求項３５６】
（ａ）複数の独立にアドレス可能なセクタから光を測定するように適合されたフォトダイオードアレイと、
（ｂ）マルチウエルプレートに電気エネルギーを供給する電気エネルギー源とを備える、一緒にアドレス可能なウエルからなる複数の独立にアドレス可能なセクタを有するマルチウエルアッセイプレートから発光を測定するための機器であって、
前記フォトダイオードアレイが、独立にアドレス可能なセクタのそれぞれに整列するように構成され、それによって、前記セクタ内の各ウエルが、前記ウエルに整列した１つ又は複数のフォトダイオードを有し、それによって放出された発光を測定する機器。
【請求項３５７】
前記１つ又は複数のフォトダイオードが整列されていないウエルから測定するクロストーク発光量が５％未満である、請求項３５６に記載の機器。
【請求項３５８】
（ａ）マルチウエルアッセイプレートの少なくとも一部から光を測定するように適合された光検出器アレイと、
（ｂ）前記マルチウエルプレートに電気エネルギーを供給する電気エネルギー源とを備える、一緒にアドレス可能なウエルからなる複数の独立にアドレス可能なセクタを有するマルチウエルアッセイプレートから発光を測定するための機器であって、
セクタ内の前記発光を測定する機器。
【請求項３５９】
（ａ）マルチウエルアッセイプレートの少なくとも一部から光を測定するように適合された光検出器アレイと、
（ｂ）前記マルチウエルプレートに電気エネルギーを供給する電気エネルギー源とを備える、一緒にアドレス可能なウエルからなる複数の独立にアドレス可能なセクタを有するマルチウエルアッセイプレートから発光を測定するための機器であって、
セクタ内の前記ウエル中で発光を誘起する機器。
【請求項３６０】
（ａ）セクタ内のマルチウエルアッセイプレートから光を測定するように適合された光検出器アレイと、
（ｂ）前記マルチウエルプレート用の支持部とを備える、一緒にアドレス可能なウエルからなる複数の独立にアドレス可能なセクタを有するマルチウエルアッセイプレートから発光を測定するための機器であって、
前記光検出器アレイが、前記支持部に対して相対的に移動することができように適合され、それによって、前記検出器アレイに各セクタを位置合わせすることができる機器。
【請求項３６１】
複数のウエルを有するマルチウエルアッセイプレートから発光を測定するための方法であって、セクタ内の前記複数のウエルに電気エネルギーを供給する方法。
【請求項３６２】
複数のウエルを有するマルチウエルアッセイプレートから発光を測定するための方法であって、セクタ内の前記発光を測定する方法。
【請求項３６３】
一緒にアドレス可能なウエルからなる複数の独立にアドレス可能なセクタを有するマルチウエルアッセイプレートから発光を測定するための方法であって、
（ａ）セクタ内の前記マルチウエルアッセイプレートに電気エネルギーを供給することと、
（ｂ）前記マルチウエルアッセイプレートから発光を測定することとを含む方法。
【請求項３６４】
複数のウエルを有するマルチウエルアッセイプレートから発光を測定するための方法であって、
（ａ）前記複数のウエルの第１セクタに電気エネルギーを供給することと、
（ｂ）前記複数のウエルの前記第１セクタから発光を測定することと、
（ｃ）前記複数のウエルの第２セクタに電気エネルギーを供給することと、
（ｄ）前記複数のウエルの前記第２セクタから発光を測定することとを含む方法。
【請求項３６５】
複数のウエルを有するマルチウエルアッセイプレートから発光を測定するための方法であって、
（ａ）前記複数のウエルの第１セクタから発光を測定することと、
（ｂ）前記複数のウエルの第２セクタから発光を測定することとを含む方法。
【請求項３６６】
上部表面及び底部表面を有する基板並びにウエルアレイを備えるマルチウエルアッセイプレートから発光を測定するための、前記ウエルアレイから放出される発光を測定するように適合された光検出器を備える機器を使用して、１つ又は複数のアッセイを行うための方法であって、前記底部表面への接触を行う複数の電気接続部に前記プレート底部を接触させることと、発光を測定することとを含む方法。
【請求項３６７】
前記ウエル間で前記底部表面への接触を行う、請求項３６６に記載の方法。
【請求項３６８】
複数のウエルを有するマルチウエルプレートから発光を測定するための方法であって、少なくとも２つの前記複数のウエルから放出される発光を同時に画像化することを含み、前記画像化では、少なくとも１０°の円錐全角を有する円錐状の発光を収集する方法。
【請求項３６９】
複数のウエルを有するマルチウエルアッセイプレートから発光を測定するための方法であって、
（ａ）カメラで前記マルチウエルアッセイプレートの第１セクタの第１画像を形成することと、
（ｂ）前記マルチウエルアッセイプレートの第２セクタの第２画像を形成することとを含む方法。
【請求項３７０】
複数のウエルを有するマルチウエルアッセイプレートから発光を測定するための方法であって、
（ａ）前記マルチウエルアッセイプレートの第１セクタをカメラに位置合わせすることと、
（ｂ）前記カメラで前記マルチウエルアッセイプレートの前記第１セクタから発光を測定すること、
（ｃ）前記マルチウエルアッセイプレートの第２セクタを前記カメラに位置合わせすることと、
（ｄ）前記カメラで前記マルチウエルアッセイプレートの前記第２セクタから発光を測定することとを含む方法。
【請求項３７１】
複数のウエルを有するマルチウエルアッセイプレートから発光を測定するための方法であって、
（ａ）前記複数のウエルの第１セクタに電気エネルギーを供給することと、
（ｂ）カメラを使用して、前記複数のウエルの前記第１セクタから発光を測定すること、
（ｃ）前記複数のウエルの第２セクタに電気エネルギーを供給することと、
（ｄ）前記カメラを使用して、前記複数のウエルの前記第２セクタから発光を測定することとを含む方法。
【請求項３７２】
上部表面及び底部表面を有する基板を備え、標準の９６ウエルプレート構成に対応するウエルアレイを有し、前記アレイが、
Ａ１〜Ａ４、Ｂ１〜Ｂ４、Ｃ１〜Ｃ４及びＤ１〜Ｄ４のウエルを有する第１セクタと、
Ａ５〜Ａ８、Ｂ５〜Ｂ８、Ｃ５〜Ｃ８及びＤ５〜Ｄ８のウエルを有する第２セクタと、
Ａ９〜Ａ１２、Ｂ９〜Ｂ１２、Ｃ９〜Ｃ１２及びＤ９〜Ｄ１２のウエルを有する第３セクタと、
Ｅ１〜Ｅ４、Ｆ１〜Ｆ４、Ｇ１〜Ｇ４及びＨ１〜Ｈ４のウエルを有する第４セクタと、
Ｅ５〜Ｅ８、Ｆ５〜Ｆ８、Ｇ５〜Ｇ８及びＨ５〜Ｈ８のウエルを有する第５セクタと、
Ｅ９〜Ｅ１２、Ｆ９〜Ｆ１２、Ｇ９〜Ｇ１２及びＨ９〜Ｈ１２のウエルを有する第６セクタの１つ又は複数のセクタを含むマルチウエルプレートから発光を測定するための、前記複数のウエルから放出される発光を測定するように適合された光検出器を備える機器を使用して、１つ又は複数のアッセイを行う方法であって
（ａ）１つ又は複数の接点位置のところで、前記底部表面への接触を行う複数の電気接続部に前記底部表面の各セクタを接触させることと、
（ｂ）放出された発光を測定することとを含む方法。
【請求項３７３】
９６個のウエルを有するマルチウエルアッセイプレートから発光を測定するための、前記複数のウエル内で電極誘起発光を生成する電気エネルギー源及び前記複数のウエルから放出される発光を測定するカメラを備える機器を使用して、１つ又は複数のアッセイを行う方法であって、２つ以上の前記複数のウエルに約５０〜１５０マイクロリットルのアッセイ混合物を導入することと、前記ウエルから前記アッセイ混合物を測定することとを含む、方法。
【請求項３７４】
３８４個のウエルを有するマルチウエルアッセイプレートから発光を測定するための、前記複数のウエル内で電極誘起発光を生成する電気エネルギー源及び前記複数のウエルから放出される発光を測定するカメラを備える機器を使用して、１つ又は複数のアッセイを行う方法であって、２つ以上の前記複数のウエルに２０〜６０マイクロリットルのアッセイ混合物を導入することと、前記ウエルから前記アッセイ混合物を測定することとを含む方法。
【請求項３７５】
複数のウエルを有するマルチウエルアッセイプレートから発光を測定するための方法であって、
（ａ）前記複数のウエルの第１セクタに電気エネルギーを供給することと、
（ｂ）光検出器アレイで前記複数のウエルの前記第１セクタから発光を測定することと、
（ｃ）前記複数のウエルの第２セクタに電気エネルギーを供給することと、
（ｄ）前記光検出器アレイで前記第２セクタから発光を測定することとを含む方法。
【請求項３７６】
複数のウエルを有するマルチウエルアッセイプレートから発光を測定するための方法であって、
（ａ）前記複数のウエルの第１セクタに電気エネルギーを供給することと、
（ｂ）光検出器アレイを使用して、前記複数のウエルの前記第１セクタから発光を測定することと、
（ｃ）前記複数のウエルの第２セクタに電気エネルギーを供給することと、
（ｄ）前記光検出器アレイを使用して、前記複数のウエルの前記第２セクタから発光を測定することとを含む方法。
【請求項３７７】
複数のウエルを有するマルチウエルアッセイプレートから発光を測定するための方法であって、
（ａ）前記マルチウエルアッセイプレートの第１セクタに電気エネルギーを供給することと、
（ｂ）光検出器アレイで前記マルチウエルアッセイプレートの前記第１セクタから発光を測定することと、
（ｃ）前記マルチウエルアッセイプレートの第２セクタを前記光検出器アレイに位置合わせすることと、
（ｄ）前記光検出器アレイで前記マルチウエルアッセイプレートの前記第２セクタから発光を測定することとを含む方法。
【請求項３７８】
複数のウエルを有するマルチウエルアッセイプレートから発光を測定するための方法であって、
（ａ）前記マルチウエルアッセイプレートの第１セクタに電気エネルギーを供給することと、
（ｂ）光検出器アレイで前記マルチウエルアッセイプレートの前記第１セクタから発光を測定することと、
（ｃ）前記マルチウエルアッセイプレートの第２セクタを前記光検出器アレイに位置合わせすることと、
（ｄ）前記光検出器アレイで前記マルチウエルアッセイプレートの前記第２セクタから発光を測定することとを含む方法。
【請求項３７９】
アレイ状に配置された複数のウエルを有するマルチウエルアッセイプレートから発光を測定する機器を使用して１つ又は複数のアッセイを行うための方法であって、行又は列ごとに前記複数のウエルから前記発光を誘起し測定することを含む方法。
【請求項３８０】
発光を誘起し測定する機器、マルチウエルプレート及び電気化学発光試薬を備える、電極誘起発光アッセイを行うためのシステム。
【請求項３８１】
電極誘起発光を誘起し測定する機器及びマルチウエルプレートを備える、電極誘起発光アッセイを行うためのシステム。
【請求項３８２】
請求項３３５から３６０までのいずれか一項に記載の機器を備え、マルチウエルアッセイプレートをさらに備える、電極誘起発光アッセイを行うためのシステム。
【請求項３８３】
前記部分が２つ以上のウエルを含む、請求項３４１から３４２までのいずれか一項に記載の機器。
【請求項３８４】
前記セクタが、前記複数のウエルの２つ以上５０％未満のウエルを含む、請求項３３６から３３８まで、３４１から３４３まで、３４５から３５１まで、３５３、又は３５５から３６０までのいずれか一項に記載の機器。
【請求項３８５】
前記セクタが、前記複数のウエルの２つ以上４０％未満のウエルを含む、請求項３３６から３３８まで、３４１から３４３まで、３４５から３５１まで、３５３、又は３５５から３６０までのいずれか一項に記載の機器。
【請求項３８６】
前記セクタが、前記複数のウエルの２つ以上３０％未満のウエルを含む、請求項３３６から３３８まで、３４１から３４３まで、３４５から３５１まで、３５３、又は３５５から３６０までのいずれか一項に記載の機器。
【請求項３８７】
前記セクタが、前記複数のウエルの２つ以上２０％未満のウエルを含む、請求項３３６から３３８まで、３４１から３４３まで、３４５から３５１まで、３５３、又は３５５から３６０までのいずれか一項に記載の機器。
【請求項３８８】
前記セクタが、前記複数のウエルの２つ以上１０％未満のウエルを含む、請求項３３６から３３８まで、３４１から３４３まで、３４５から３５１まで、３５３、又は３５５から３６０までのいずれか一項に記載の機器。
【請求項３８９】
前記セクタが、前記複数のウエルの２つ以上５％未満のウエルを含む、請求項３３６から３３８まで、３４１から３４３まで、３４５から３５１まで、３５３、又は３５５から３６０までのいずれか一項に記載の機器。
【請求項３９０】
前記セクタが、４×４アレイの前記ウエルを含む、請求項３３６から３３８まで、３４１から３４３まで、３４５から３４９まで、又は３５５から３６０までのいずれか一項に記載の機器。
【請求項３９１】
前記マルチウエルプレートが、２×３アレイのセクタを含む、請求項３３６から３３８まで、３４１から３４３まで、３４５から３５１まで、又は３５５から３６０までのいずれか一項に記載の機器。
【請求項３９２】
前記セクタが、１つ又は複数の行又は１つ又は複数の列の前記ウエルを含む、請求項３３６から３３８まで、３４１から３４３まで、３４５から３４６まで、又は３５５から３６０までのいずれか一項に記載の機器。
【請求項３９３】
前記マルチウエルプレートが、互いに重なり合うセクタのアレイを有し、各セクタが、行及び／又は列の前記複数のウエルの交互のメンバを含む、請求項３３５から３４６まで又は３５５から３６０までのいずれか一項に記載の機器。
【請求項３９４】
前記マルチウエルプレートが、セグメント化した行及び／又はセグメント化した列を有し、前記セグメント化した行又はセグメント化した列が、交互のウエルを含み、前記マルチウエルプレート上で少なくとも２つのセクタが重なり合う、請求項３３５から３４６まで又は３５５から３６０までのいずれか一項に記載の機器。
【請求項３９５】
前記複数のウエルから発光を測定するように位置決めされた光検出器をさらに備える、請求項３３６又は３３７のいずれか一項に記載の機器。
【請求項３９６】
前記セクタから発光を測定するように位置決めされた光検出器をさらに備える、請求項３３６又は３３７のいずれか一項に記載の機器。
【請求項３９７】
単一の明るいウエルが、隣接する複数のウエルの平均発光測定値を、前記明るいウエルの値の０．０００１倍以下に構成される、請求項３３５から３６０までのいずれか一項に記載の機器。
【請求項３９８】
９６ウエルプレートの任意のウエルからの発光放出値の５／１０００以下の値が、隣接するウエルの発光測定値に現れないように構成される、請求項３５４から３６０までのいずれか一項に記載の機器。
【請求項３９９】
指定した発光放出を選択するように適合された光学フィルターをさらに備える、請求項３３５から３６０までのいずれか一項に記載の機器。
【請求項４００】
前記電気エネルギー源が電圧走査を提供するように適合される、請求項３３５から３３８まで、３４２から３４６まで又は３５４から３５９までのいずれか一項に記載の機器。
【請求項４０１】
前記プレート上の複数のセクタへの接触を行い、前記各セクタに電気エネルギーを順に選択的に印加するように適合される、請求項３３６から３３８まで、３４１から３４３まで、３４５から３５１まで、３５３、又は３５５から３６０までのいずれか一項に記載の機器。
【請求項４０２】
前記プレート底部上に押し付けることによって、前記電気接続部が前記マルチウエルプレートへの接触を行う、請求項３３５から３３８まで、３４４又は３４６のいずれか一項に記載の機器。
【請求項４０３】
前記支持部が、前記複数のウエルに電気エネルギーを供給するように適合された１つ又は複数の電気接続部を備える、請求項３３７、３３８、３４４、３４５又は３４６のいずれか一項に記載の機器。
【請求項４０４】
電極誘起発光を誘起しかつ／又は測定する検出位置に前記マルチウエルプレートを搬送するように適合されたコンベアをさらに備える、請求項３３５から３６０までのいずれか一項に記載の機器。
【請求項４０５】
前記マルチウエルプレートの動作、又は前記支持部の動作、又は前記カメラの動作、又は前記電気接続部の動作を制御するように適合された動作制御コンピュータをさらに備える、請求項３３５から３６０までのいずれか一項に記載の機器。
【請求項４０６】
温度センサをさらに備える、請求項３３５から３６０までのいずれか一項に記載の機器。
【請求項４０７】
前記プレートへの接触を行うように適合された温度センサをさらに備える、請求項３３５から３６０までのいずれか一項に記載の機器。
【請求項４０８】
非接触式センサをさらに備える、請求項３３５から３６０までのいずれか一項に記載の機器。
【請求項４０９】
赤外線検出器を有する非接触式センサをさらに備える、前記請求項３３５から４０８までのいずれかに記載の機器。
【請求項４１０】
温度変動について前記マルチウエルプレートを走査するように適合された温度コントローラをさらに備え、温度の影響を補正するように適合される、請求項３３５から３６０までのいずれか一項に記載の機器。
【請求項４１１】
前記マルチウエルプレートのウエル内で蛍光を誘起するように適合された光源をさらに備える、請求項３３５から３６０までのいずれか一項に記載の機器。
【請求項４１２】
前記ウエル中に開始剤及び／又は試薬を計量分配するための計量分配装置をさらに備える、請求項３３５から３６０までのいずれか一項に記載の機器。
【請求項４１３】
前記画像システムがカメラを備える、請求項３４０から３４６までのいずれか一項に記載の機器。
【請求項４１４】
前記カメラが光検出器アレイである、請求項４１３に記載の機器。
【請求項４１５】
前記カメラがＣＣＤアレイである、請求項４１３に記載の機器。
【請求項４１６】
前記カメラがＣＭＯＳ検出器アレイである、請求項４１３に記載の機器。
【請求項４１７】
前記画像システムが、各ウエル内の複数の結合ドメインのそれぞれから発光を測定し解像するように適合される、請求項３４０から３４６までのいずれか一項に記載の機器。
【請求項４１８】
前記画像システムが、画像を形成する検出表面を有し、前記画像の幅が、前記セクタの幅の５０〜２００％である、請求項３４０から３４６までのいずれか一項に記載の機器。
【請求項４１９】
前記画像システムがレンズを備える、請求項３４０から３４６までのいずれか一項に記載の機器。
【請求項４２０】
前記レンズの直径が３．０〜５．０インチである、請求項４１９に記載の機器。
【請求項４２１】
前記レンズの倍率が約０．６２５±０．０１０である、請求項４１９に記載の機器。
【請求項４２２】
前記画像システムが、Ｆナンバーの小さいテレセントリックレンズを備える、請求項３４０から３４６までのいずれか一項に記載の機器。
【請求項４２３】
前記支持部と前記光検出器の間にテーパ付きファイバ束をさらに備える、請求項３３８に記載の機器。
【請求項４２４】
前記支持部と前記光検出器の間にＭＣＰ（インテンシファイア）をさらに備える、請求項３３８に記載の機器。
【請求項４２５】
コンピュータ画像分析装置をさらに備える、請求項３３５から３６０までのいずれか一項に記載の機器。
【請求項４２６】
前記コンピュータ画像分析装置が、カメラの不良画素の補正を行うことができる、請求項４２５に記載の機器。
【請求項４２７】
前記ウエルの位置決定を行い、バックグラウンド光を減算し、かつ／又は宇宙線により誘起された偽信号を除去するソフトウエアを有するコンピュータをさらに備える、請求項３３５から３６０までのいずれか一項に記載の機器。
【請求項４２８】
入力ポート及び出力ポートを備える、請求項３３５から３６０までのいずれか一項に記載の機器。
【請求項４２９】
明確にサンプルの識別を行うための一体型バーコードリーダをさらに備える、請求項３３５から３６０までのいずれか一項に記載の機器。
【請求項４３０】
プレートコンベア上に前記マルチウエルプレートを載せ、前記プレートコンベアから前記マルチウエルプレートを取り出すロボットアームをさらに備える、請求項３３５から３６０までのいずれか一項に記載の機器。
【請求項４３１】
マルチウエルプレートスタッカをさらに備える、請求項３３５から３６０までのいずれか一項に記載の機器。
【請求項４３２】
前記光検出器が、１つ又は複数のフォトダイオードを含む、請求項３３５、３３８、３３９又は３４７から３５３までに記載の機器。
【請求項４３３】
前記光検出器が、測定中に１つの検出器が１つのウエルに位置合わせされるように構成された検出器アレイを含む、請求項３３５、３３８、３３９又は３４７から３５３までに記載の機器。
【請求項４３４】
前記光検出器アレイが、行又は列のウエルから光を同時に測定するように構成される、請求項４３３に記載の機器。
【請求項４３５】
前記光検出器アレイがリニアアレイ光検出器である、請求項４３３に記載の機器。
【請求項４３６】
リニアアレイ電気接続部をさらに備える、請求項３３５から３６０までのいずれか一項に記載の機器。
【請求項４３７】
４つの動作電気接続部及び３つの対向電気接続部をさらに備える、請求項３３５から３６０までのいずれか一項に記載の機器。
【請求項４３８】
前記発光の前記測定が、測定中の各ウエルに位置合わせされた少なくとも１つの光検出器を使用して各ウエルから発光を測定することを含む、請求項３６１から３６７まで又は３６９から３７９までのいずれか一項に記載の方法。
【請求項４３９】
クロストーク発光量が、発光の２％未満である、請求項３６１から３７９までのいずれか一項に記載の方法。
【請求項４４０】
クロストーク発光量が、発光の１％未満である、請求項３６１から３７９までのいずれか一項に記載の方法。
【請求項４４１】
クロストーク発光量が、発光の０．５％未満である、請求項３６１から３７９までのいずれか一項に記載の方法。
【請求項４４２】
クロストーク発光量が、発光の０．１％未満である、請求項３６１から３７９までのいずれか一項に記載の方法。
【請求項４４３】
指定したスペクトルの発光放出を選択することをさらに含む、請求項３６１から３７９までのいずれか一項に記載の方法。
【請求項４４４】
バックグラウンド光を減算すること、及び／又は宇宙線により誘起された偽信号を除去することをさらに含む、請求項３６１から３７９までのいずれか一項に記載の方法。
【請求項４４５】
前記複数のウエルから発光を誘起する前にバックグラウンド発光を測定することと、その後、誘起された発光を測定することとを含む、請求項３６１から３７９までのいずれか一項に記載の方法。
【請求項４４６】
１つ又は複数の動作電気接続部及び１つ又は複数の対向電気接続部に、前記マルチウエルプレートを接触させることをさらに含む、請求項３６１から３７９までのいずれか一項に記載の方法。
【請求項４４７】
光源を使用して１つ又は複数のウエル内で光ルミネッセンスを誘起することと、前記ウエルから前記光ルミネッセンスを測定することとをさらに含む、請求項３６１から３７９までのいずれか一項に記載の方法。
【請求項４４８】
１つ又は複数のウエルに開始剤を添加することと、放出された化学発光を測定することとをさらに含む、請求項３６１から３７９までのいずれか一項に記載の方法。
【請求項４４９】
前記マルチウエルプレートを画像化するためにカメラを位置決めすることを含む、請求項３６１から３６８まで、３７３又は３７４のいずれかに記載の方法。
【請求項４５０】
カメラによって画像化されるように前記マルチウエルプレートを位置決めすることをさらに含む、請求項３６１から３６８まで、３７３又は３７４のいずれかに記載の方法。
【請求項４５１】
前記画像システムによって第１セクタを画像化することができるように前記マルチウエルプレートを位置決めすることと、前記画像システムによって第２セクタを画像化することができるように前記マルチウエルプレートを位置決めすることとをさらに含む、請求項３６９に記載の方法。
【請求項４５２】
前記マルチウエルプレートを画像化して正しい検出位置決めを確認することと、その後、発光を誘起することと、放出された発光を測定することとを含む、請求項３６１から３７９までのいずれか一項に記載の方法。
【請求項４５３】
コンピュータを使用して前記ウエルの位置決定を行うことを含む、請求項３６１から３７９までのいずれか一項に記載の方法。
【請求項４５４】
前記マルチウエルプレートを直線的に走査することによって前記測定を実施する、請求項３６１から３７１まで又は３７３から３７９までのいずれか一項に記載の方法。
【請求項４５５】
フィルムを使用して前記測定を実施する、請求項３６１から３７９までのいずれか一項に記載の方法。
【請求項４５６】
１つ又は複数のフォトダイオードを使用して前記測定を実施する、請求項３６１から３７９までのいずれか一項に記載の方法。
【請求項４５７】
フォトダイオードアレイを使用して前記測定を実施する、請求項３６１から３６７まで、３７２又は３７５から３７９までのいずれか一項に記載の方法。
【請求項４５８】
前記マルチウエルプレートから光を測定するために、１つ又は複数のフォトダイオードを位置決めすることを含む、請求項３６１から３６７まで、３７２又は３７５から３７９までのいずれか一項に記載の方法。
【請求項４５９】
放出された発光を光検出器によって測定することができるように、前記マルチウエルプレートを位置決めすることをさらに含む、請求項３６１、３６２、３６３、３６４又は３６５のいずれか一項に記載の方法。
【請求項４６０】
前記光検出器によって第１の行又は列のウエルから放出された発光を測定することができるように、前記マルチウエルプレートを位置決めすることと、さらに、前記光検出器によって第２の行又は列のウエルを測定することができるように、前記マルチウエルプレートをさらに位置決めすることとをさらに含む、請求項３７５から３７９までのいずれか一項に記載の方法。
【請求項４６１】
前記ウエルが別々にアドレス可能であり、各光検出器が、２つ以上の前記別々にアドレス可能なウエルから発光を測定する、請求項３７５から３７９までのいずれか一項に記載の方法。
【請求項４６２】
機器の開口部を通って検出位置に前記マルチウエルプレートを搬送することと、前記開口部を閉じることによって遮光容器を形成することと、放出された発光を測定することと、前記開口部を開くことと、その後、前記マルチウエルプレートを取り出すこととを含む、請求項３６１から３７９までのいずれか一項に記載の方法。
【請求項４６３】
前記遮光容器内に後退して戻る引き出し上に前記マルチウエルプレートを載せることを含む、請求項４６２に記載の方法。
【請求項４６４】
動作制御コンピュータを使用して、前記マルチウエルプレートを搬送すること、及び／又は、光検出器を位置決めすることをさらに含む、請求項３６１から３６５までのいずれか一項に記載の方法。
【請求項４６５】
マルチウエルスタックから前記マルチウエルプレートを取り出すことと、検出位置に前記マルチウエルプレートを搬送することと、前記測定後、前記マルチウエルプレートをスタックに戻すこととをさらに含む、請求項３６１から３７９までのいずれか一項に記載の方法。
【請求項４６６】
１つ又は複数の前記ウエルに１つ又は複数の発光試薬を添加することをさらに含む、請求項３６１から３７９までのいずれかに記載の方法。
【請求項４６７】
前記１つ又は複数の発光試薬を、（ａ）少なくとも１つの発光標識と、（ｂ）少なくとも１つの電気化学発光共同反応物と、（ｃ）１つ又は複数の結合試薬と、（ｄ）ｐＨ緩衝液と、（ｅ）酵素の群から選択する、請求項４６６に記載の方法。
【請求項４６８】
前記１つ又は複数の発光試薬を、（ａ）少なくとも１つの発光標識と、（ｂ）少なくとも１つの電気化学発光共同反応物の群から選択する、請求項４６６に記載の方法。
【請求項４６９】
特定の結合の速度を速くするために、前記マルチウエルプレートを振とうすることをさらに含む、請求項３６１から３７９までのいずれか一項に記載の方法。
【請求項４７０】
アッセイの洗浄ステップをさらに含む、請求項３６１から３７９までのいずれか一項に記載の方法。
【請求項４７１】
少なくとも２０枚のマルチウエルプレートから発光を順に自動的に測定する、請求項３６１から３７９までのいずれか一項に記載の方法。
【請求項４７２】
（ａ）プレートを前記機器に入れ、その中で移動させ、前記機器から出すことと、（ｂ）適当な環境にプレートを格納することと、（ｃ）液体又は試薬のハンドリング装置と、（ｄ）アッセイプレート振とう機と、（ｅ）プレートの吸引を行うことのうち、１つ又は複数の機能を実施することができる１つ又は複数のロボット装置及び／又はコンピュータシステムをさらに備える、請求項３３５から３６０までのいずれか一項に記載の機器。
【請求項４７３】
複数の機械読込み可能なしるしを柔軟に識別する方法であって、少なくとも１つの前記複数の機械読込み可能なしるしから、しるし情報を読み込むことと、前記しるし情報をしるし識別装置に送ることと、前記しるし情報用の適切なしるしインタプリタを識別することと、前記適切なしるしインタプリタで前記しるし情報を処理することとを含む方法。
【請求項４７４】
複数の機械読込み可能なしるしを柔軟に識別する方法であって、
（ａ）前記複数の機械読込み可能なしるしから、しるし情報の固有のインスタンスを読み込むステップと、
（ｂ）ステップ（ａ）で読み込んだしるし情報を、複数のしるしインタプリタに送るステップと、
（ｃ）ステップ（ｂ）で送出したしるし情報用の適切なしるしインタプリタを識別するステップと、
（ｄ）ステップ（ｃ）で識別した適切なしるしインタプリタで、ステップ（ｂ）で送出したしるし情報を解釈するステップと、
（ｅ）各しるし情報の固有のインスタンスごとに、ステップ（ａ）〜（ｄ）を繰り返すステップとを含む方法。
【発明の詳細な説明】
【技術分野】
【０００１】
本出願は、ここに参照により組み込む２００１年６月２９日出願の米国仮出願番号６０／３０１，９３２の優先権を主張する。
【０００２】
本出願は、化学的、生化学的及び／又は生物学的アッセイを行うプレート、プレートコンポーネント、キット、機器及び方法に関する。
【背景技術】
【０００３】
２．１  化学的、生化学的及び生物学的アッセイ
化学的、生化学的及び／又は生物学的アッセイを行うための多数の方法及びシステムが開発されてきた。これらの方法及びシステムは、医学診断、飲食料品試験、環境モニタリング、製造品質管理、創薬及び基礎科学研究を含めて、様々な応用例で不可欠なものである。応用例に応じて、アッセイの方法及びシステムは、ｉ）ハイスループット、ｉｉ）高感度、ｉｉｉ）広いダイナミックレンジ、ｉｖ）高精度及び／又は高確度、ｖ）低コスト、ｖｉ）試薬の消費量が少ない、ｖｉｉ）サンプルの取扱いおよび処理について既存の装置と互換性がある、ｖｉｉｉ）短時間で結果が出る、ｉｘ）干渉物及び複雑なサンプル基材に対して不感受性である、ｘ）フォーマットが複雑でない、という特性を１つ又は複数個有することが望ましい。これらの特性その他の性能パラメータ上の改善を組み込んだ新しいアッセイ法及びシステムには大きな価値がある。
【０００４】
分析測定にＥＣＬ（電気化学発光）を利用する市販の装置が、現時点で複数存在する。ＥＣＬの放出を誘起することができる化学種（ＥＣＬ活性種）が、ＥＣＬタグとして使用されてきた。ＥＣＬタグの例には、ｉ）ＲｕＢｐｙ（トリスビピリジルルテニウム）部分などのルテニウム含有有機金属化合物及びオスミウム含有有機金属化合物を含めて、例えばＶＩＩＩ族貴金属からの金属の有機金属化合物、ｉｉ）ルミノール及びその関連の化合物が含まれる。本明細書では、ＥＣＬタグとともにＥＣＬプロセスにあずかる化学種をＥＣＬ共同反応物と称する。一般に使用する共同反応物には、第３級アミン（例えば、参照により本明細書に組み込む米国特許第５，８４６，４８５号参照）、オキサレート、並びにＲｕＢｐｙによるＥＣＬ用の過硫酸塩及びルミノールによるＥＣＬ用の過酸化水素（例えば、参照により本明細書に組み込む米国特許第５，２４０，８６３号参照）が含まれる。ＥＣＬタグによって生成される光は、診断手順におけるレポータ信号として用いることができる（参照により本明細書に組み込むＢａｒｄ他の米国特許第５，２３８，８０８号）。例えば、ＥＣＬタグは、抗体や核酸プローブなどの結合作用物質に共有結合することができる。結合相互作用における結合試薬の関与は、ＥＣＬタグから放出されるＥＣＬを測定することによってモニタすることができる。あるいは、ＥＣＬ活性化合物からのＥＣＬ信号も、化学的な環境を示すことができる（例えば、ＥＣＬ共同反応物の形成又は分解をモニタするＥＣＬアッセイを記載している米国特許第５，６４１，６２３号を参照されたい。これを参照により本明細書に組み込む）。ＥＣＬ、ＥＣＬタグ、ＥＣＬアッセイ及びＥＣＬアッセイを行う装置に関するより多くの背景については、米国特許第５，０９３，２６８号、第５，１４７，８０６号、第５，３２４，４５７号、第５，５９１，５８１号、第５，５９７，９１０号、第５，６４１，６２３号、第５，６４３，７１３号、第５，６７９，５１９号、第５，７０５，４０２号、第５，８４６，４８５号、第５，８６６，４３４号、第５，７８６，１４１号、第５，７３１，１４７号、第６，０６６，４４８号、第６，１３６，２６８号、第５，７７６，６７２号、第５，３０８，７５４号、第５，２４０，８６３号、第６，２０７，３６９号及び第５，５８９，１３６号、並びに公開ＰＣＴ  ＷＯ９９／６３３４７号、ＷＯ００／０３２３３号、ＷＯ９９／５８９６２号、ＷＯ９９／３２６６２号、ＷＯ９９／１４５９９号、ＷＯ９８／１２５３９号、ＷＯ９７／３６９３１号及びＷＯ９８／５７１５４号を参照されたい。これらをそれぞれ参照により本明細書に組み込む。
【０００５】
市販のＥＣＬ装置は、並はずれた性能を発揮してきた。それらは、感度、ダイナミックレンジ、精度に優れ、複雑なサンプル基材を許容することを含めて、複数の理由から広く使用されてきた。これら市販の装置は、再利用可能な恒久的フローセルを用いるフローセルベースの設計を利用している。恒久的フローセルを使用すると、多くの利点が得られるが、アッセイのスループットなど、いくつかの制限もある。例えば、潜在的な治療薬用化学ライブラリのスクリーニングなど、いくつかの応用例では、アッセイ装置は、微量サンプルに対する複数の分析を極めて高速に行うべきである。アッセイのスループットを上げるために様々な技術が開発されてきた。マルチウエルアッセイプレートを使用すると、プレートの複数のウエルに分配された複数のサンプルを並列に処理し分析することができる。一般に、サンプル及び試薬は、（マイクロプレート又はマイクロタイタープレートとしても知られる）マルチウエルアッセイプレート中に供給し、処理し、かつ／又は分析する。マルチウエルアッセイプレートは、様々な形態、サイズ及び形状をとり得る。便宜上、ハイスループットアッセイ用のサンプルを処理するのに使用する一部の装置用にいくつかの標準が現れた。一般に、マルチウエルアッセイプレートは、標準サイズ及び形状で作製されており、標準配置のウエルを有する。いくつかの十分に定着したウエル配置は、９６ウエルプレート（１２×８アレイのウエル）、３８４ウエルプレート（２４×１６アレイのウエル）及び１５３６ウエルプレート（４８×３２アレイのウエル）に見られるものである。生体分子スクリーニング学会（Ｓｏｃｉｅｔｙ  ｆｏｒ  Ｂｉｏｍｏｌｅｃｕｌａｒ  Ｓｃｒｅｅｎｉｎｇ）から、様々なプレートフォーマット用のマイクロプレート推奨仕様が公開されている（ｈｔｔｐ：／／ｗｗｗ．ｓｂｓｏｎｌｉｎｅ．ｏｒｇ参照）。この推奨仕様をここに参照により組み込む。
【０００６】
標準化されたプレートフォーマットで行うアッセイでは、これらのプレートを格納し移動させる機器が容易に入手可能であるだけでなく、プレートに液体を迅速に計量分配して出し入れする機器も容易に入手可能であるという利点が得られる。プレートのウエル中で、あるいはプレートのウエルから、放射能、蛍光、化学発光及び吸光度を迅速に測定するための様々な装置が市販されているが、マルチウエルアッセイプレートのウエルから放出されるＥＣＬを測定するための市販装置はない。
【０００７】
２．２  アッセイプレート
図１に、標準の９６ウエルアッセイプレート１００を示す。アッセイプレート１００は、スカート１１２、周辺壁１１４、上部表面１１６、並びにスペーサ１２０及び空のベース領域１２８で分離した８×１２アレイのウエル１１８を備える。スカート１１２は、プレート１００のベースを取り囲み、一般に、幅３．３６５インチ、長さ５．０３０インチである。方向づけを容易にするために、スカート１１２及び周辺壁１１４は、陥凹部１３０を含む。上部表面１１６は、周辺壁１１４から最外ウエル１１８のそれぞれの中線まで、プレート１００の周囲を延びる。ウエル１１８はそれぞれ、内面１２４を有するセル壁１２２及びセルフロア１２６を備え、合わせて円筒形領域が画定される。スカート１１２、周辺壁１１４、上部表面１１６、ウエル１１８、スペーサ１２０、セルフロア１２６及びベース領域１２８は、プレート１００の一体成型された形状である。あるいは、プレート１００では、セルフロア１２６を割愛することもできる。
【０００８】
標準の９６ウエルアッセイプレートは、電気化学発光試験の測定に特に適したものではない。このようなプレートのウエルサイズが、それぞれ約０．０５３平方インチと小さいので、電極の導入及び／又はこれらの電極表面から放出される光の効率的な収集に大きな支障をきたす。この寸法の問題は、ウエル密度がさらに高いプレート、例えば、３８４ウエルプレート及び１５３６ウエルプレートを考慮する際、さらに難しくなる。
【発明の開示】
【発明が解決しようとする課題】
【０００９】
本発明は、アッセイ測定を行うためのアッセイモジュール（好ましくはアッセイプレート、より好ましくはマルチウエルアッセイプレート）、方法及び機器に関する。本発明のアッセイモジュールは、１つ又は複数のアッセイ測定を行うために、１つ又は複数の、好ましくは複数のウエル、チャンバ及び／又はアッセイ領域を含み得る。これらのウエル、チャンバ及び／又はアッセイ領域は、ウエル、チャンバ及び／又はアッセイ領域中の材料から発光を誘起する１つ又は複数の電極を備えることが好ましい。さらに、このアッセイモジュールは、アッセイモジュールのウエル、チャンバ又はアッセイ領域中に、（液体又は乾燥体の形態の）アッセイ試薬を含み得ることが好ましい。このようなアッセイ試薬は、（例えば、電極表面を取り囲む適切に設計された誘電体表面を利用することによって）モジュールの電極上に固定するか、あるいは、モジュールの電極上に閉じ込めることができる。このモジュールは、アッセイモジュールの複数部分（すべてではなく、好ましくは、一度に２つ以上のアッセイ領域、ウエル又はチャンバ）単位で、発光を測定することができるように構成することが好ましい。本発明の一態様は、アッセイモジュール中の電極及び電極接点用の新規な構成及び材料に関する。また、本発明は、アッセイモジュールを使用して測定を行うための機器、方法、システム及びキットに関する。さらに、本発明は、本発明のアッセイモジュール及びプレートを製造する方法に関する。
【課題を解決するための手段】
【００１０】
このマルチウエルアッセイプレートは、いくつかの要素、例えば、プレート上部、プレート底部、ウエル、動作電極、対電極、参照電極、誘電体材料、電気接続部及びアッセイ試薬を含み得る。このプレートのウエルは、プレート上部のホール／開口部で画定することができる。プレート底部は、（直接又は他のコンポーネントとの組合せによって）プレート上部に取り付けることができ、ウエル底部として機能することができる。あるいは、このプレートのウエルは、プレート表面上のへこみ又はくぼみとして画定することもできる。このマルチウエルアッセイプレートは、任意の数、任意のサイズ又は形状のウエルを任意のパターン又は構成で配置して備えることができ、また、様々な異種材料から構成することができる。本発明の好ましい実施形態では、プレート及びウエルの数、サイズ、形状及び構成に関して業界標準フォーマットを用いる。標準フォーマットの例には、２次元アレイでウエルを構成した９６、３８４、１５３６及び９６００ウエルプレートが含まれる。他のフォーマットには、（好ましくは、複数のアッセイドメインを有する）シングルウエルプレート、２ウエルプレート、６ウエルプレート、２４ウエルプレート及び６１４４ウエルプレートを含めることができる。
【００１１】
本発明によれば、ウエル中に、動作電極、対電極、任意選択で参照電極を組み込むことができる。本発明では、マルチウエルアッセイプレート中の電極に用いるいくつかの新規な構成及び材料を説明する。本発明のマルチウエルアッセイプレートは、使い捨てにすることもできるし、複数回使用することもでき、プレートを使い捨てる応用例によく適している。さらに、アッセイプレート、好ましくは１つ又は複数のウエル又はアッセイドメインに、アッセイ試薬、好ましくは乾式試薬及び／又は湿式試薬を組み込むことができる。いくつかの実施形態では、マルチウエルプレートのウエルは、複数のアッセイドメインを含み得る。
【００１２】
本発明は、電極の使用及び光の生成を伴うプロセス、並びにこうしたプロセスに適合した方法、機器及びアッセイモジュールに関する。さらに、本発明は、こうしたプロセスから生じる光の測定、例えば、アッセイの実施における光の測定に関する。こうしたプロセスの例には、電気化学的に生成された化学種によって誘発される（電気的に生成される化学発光とも称する）電気化学発光、エレクトロルミネッセンス及び化学発光が含まれる。本出願のため、かつ便宜上、これら３種類のプロセスを「電極誘起発光」と称することとする。電気化学発光は、電気的に生成される化学種及び光の放出を伴う。例えば、電気化学発光は、１種又は複数種の反応物が電気化学的に生成され、それらが１つ又は複数の化学反応を経て、好ましくは繰り返し光を放出する化学種を生成するプロセスによって生成される発光を伴い得る。また、本発明は、電極の使用を必要としないプロセス、例えば、化学発光、蛍光、生物発光、リン光、吸光度及びシンチラントからの光の放出を伴うプロセスに関する。また、本発明は、（例えば、電流又は電圧の測定又は生成を伴う）電気化学的プロセス、あるいは（例えば、抵抗又はインピーダンスの測定を伴う）電気的プロセスなど発光を伴わないプロセスに関する。
【００１３】
さらに、本発明は、アッセイモジュール、好ましくはマルチウエルアッセイプレート中またはその上で行われるアッセイにおける発光、好ましくは電極誘起発光、より好ましくは電気化学発光を誘起し測定するのに使用することができる機器に関する。さらに、本発明は、蛍光アッセイ、化学発光アッセイ、生物発光アッセイ及びリン光アッセイなど電極誘起発光を利用しない、ある種の光ベースのアッセイ法によってアッセイを行うのに使用することができる機器に関する。また、本発明は、例えば電極のところで、電流及び／又は電圧を誘導かつ／又は測定するのに使用することができる機器に関する。電流及び／又は電圧の測定は、（例えば、分光電気化学測定又は光電化学測定の場合と同様に）照明及び／又は発光測定とは独立にあるいは同時に行うことができる。
【００１４】
この機器には、例えば、１つ又は複数の光検出器、遮光容器、機器に出入りして（特に、遮光容器に出入りして）アッセイプレートを搬送する機構、１つ（または複数）の光検出器及び／又は電気接点にアッセイプレートを位置合わせし方向づけする機構、プレートを追跡し識別する機構（例えば、バーコードリーダ）、プレートへの電気的な接続を行う機構、発光を誘起する１つ又は複数の電気エネルギー源、並びに適切なデバイス、電子回路及び／又はソフトウエアを組み込むことができる。この機器は、１つ又は複数のマルチウエルアッセイプレートを格納し、積み重ね、移動させ、かつ／又は分配する機構（例えば、プレートスタッカ及び／又はプレートコンベヤ）も含み得る。この機器は、プレートの複数のセクタから光を順に測定し、かつ／又はプレート全体から光をほぼ同時又は同時に測定することによって、マルチウエルアッセイプレートから光を測定するように構成することができる。この機器には、装置内である種の機能を制御し、データの記憶、分析及び表示を支援するマイクロプロセッサ及びコンピュータを組み込むこともできる。
【００１５】
本発明の別の態様は、アッセイプレートからの発光の測定を含むアッセイを実施する方法に関する。本発明によれば、セクタ内のアッセイプレートから発光を有利に測定する。別の実施形態は、複数のウエルを有するマルチウエルプレート中で電極誘起発光（好ましくは電気化学発光）アッセイを実施する方法に関する。
【００１６】
本発明の別の態様は、様々なアッセイに使用するアッセイプレート及びプレートコンポーネント（例えば、プレート底部、プレート上部及びマルチウエルプレート）に関する。したがって、一実施形態は、プレート上部に取り付けて、アッセイに適したマルチウエルプレートを形成することができる（例えば、プレート上部をもたない）プレート底部に関する。例えば、プレート底部は、上部表面上に配置し得る複数のパターン化した電極を有する。これらの電極は、このような底部をマルチウエルプレートの上部に取り付けるとき、各ウエルが、１つ又は複数、好ましくは２つ以上の導電性電極表面を有するように配置される。
【００１７】
別の実施形態は、プレート底部上に取り付けられるか、あるいは載せられたときに、１つ又は複数のアッセイウエルを形成するように構成された、１つ又は複数の開口部を有する改善されたプレート上部に関する。このプレート上部は、改善されたアッセイを行うための性質及び特性（例えば、光の反射、表面張力など）を備えたウエル表面を有するウエルを形成することが好ましい。例えば、プレート上部は、発光収集効率が改善されたウエル表面を形成するように設計される。
【００１８】
本発明の別の態様は、本発明のマルチウエルプレートと組み合わせた本発明の機器を備えるシステムに関する。このシステムは、光検出器、電気エネルギー源、及び上に載せたマルチウエルプレートを伴うプレート支持部を含めて、ハイスループットアッセイなどのアッセイを実施するのに必要なすべてのコンポーネントを含むことが好ましい。
【００１９】
本発明の別の態様は、本発明のアッセイプレート、機器及び方法に使用するキットに関する。このキットは、１つ又は複数の容器中に、マルチウエルプレート及び１種又は複数種のアッセイ試薬を含むことが好ましい。
【発明を実施するための最良の形態】
【００２０】
本発明は、異なるタイプの様々な測定を行う装置及び方法を含む。本明細書で用いる「測定」という用語及び「測定する」という動詞形は、定量的かつ定性的に決定することを含む。
【００２１】
本発明は、発光ベースのアッセイを実施するためのアッセイモジュール（例えば、プレート、ディップスティック、測定用セル、カセット、カートリッジ、素子又はデバイス）、プレート又はモジュールコンポーネント、機器及び方法を含む。本発明では、アッセイモジュール、特にマルチウエルアッセイプレート中の電極用のいくつかの新規な構成及び／又は材料を説明する。一実施形態は、複数のアッセイドメイン又はアッセイ領域と、好ましくは１つ又は複数のウエル又はチャンバとを有するアッセイモジュールに関する。本発明のアッセイモジュールは、使い捨てにすることもできるし、複数回使用することもできる。好ましい実施形態では、これらのモジュール（例えばプレート）は使い捨てである。
【００２２】
この明細書では、アッセイプレート（例えば、好ましい電極構成、電極材料、積層構造、プレート底部から電極への電気的接触を行う手段、電極誘起発光（好ましくは電気化学発光）を測定するための機器及び方法）の状況で本発明の概念を開示するが、この概念は、他のタイプのアッセイモジュールに関する実施形態にも応用可能である。本発明の好ましい実施形態は、複数のアッセイウエルを有するアッセイモジュール、好ましくは、アッセイプレート（例えば、「マルチウエルプレート」）に関する。本発明の好ましい機器は、マルチウエルアッセイモジュールとともに動作するように設計され、この機器には、一般に、電極誘起発光を誘起し測定するための機能が組み込まれる。本発明のマルチウエルアッセイモジュール及び機器により、発光、特に電極誘起発光、より具体的には電気化学発光測定のスピード、効率、質、容易さ及びコストがとりわけ大きく改善される。
【００２３】
本発明のマルチウエルアッセイモジュール（例えばプレート）により、マルチウエルアッセイモジュールの１つ又は複数のウエル又はチャンバ（例えば、マルチウエルアッセイプレートのウエル）内で、電極誘起発光ベースのアッセイを実施することができる。マルチウエルアッセイプレートは、例えば、プレート上部、プレート底部、ウエル、動作電極、対電極、参照電極、誘電体材料、電気接続部用の接点表面、電極と接点表面を電気的に接続する導電スルーホール、粘着剤、アッセイ試薬、及び識別マーク又は標識を含めて、いくつかの要素を含み得る。このプレートのウエルは、プレート上部中のホールによって画定することができる。プレート上部中のホールの内壁は、ウエルの壁を画定し得る。プレート底部は、（直接又は他のコンポーネントとの組合せによって）プレート上部に取り付けることができ、ウエルの底部として機能することができる。
【００２４】
このマルチウエルアッセイモジュール（例えばプレート）は、任意の数、任意のサイズ又は形状のウエル及び／又はチャンバを任意のパターン又は構成で配置して備えることができ、また、様々な異種材料から構成することができる。本発明の好ましい実施形態は、プレート及びウエルの数、サイズ、形状及び構成に関して業界標準のマルチウエルプレートフォーマットを用いるマルチウエルアッセイプレートである。標準フォーマットの例には、２次元アレイにウエルを構成した９６、３８４、１５３６及び９６００ウエルプレートが含まれる。他のフォーマットには、シングルウエル、２ウエル、６ウエル及び２４ウエル並びに６１４４ウエルプレートが含まれる。好ましくは、これらのウエル及び／又はチャンバは、その中に組み込まれた少なくとも１つの第１電極を有し、より好ましくは、少なくとも１つの第２電極も含む。好ましい実施形態によれば、これらのウエル及び／又はチャンバは、その中に組み込まれた少なくとも１つの動作電極を有し、より好ましくは、少なくとも１つの対電極も含む。特に好ましい実施形態によれば、動作電極、対電極及び任意選択で参照電極は、これらのウエル及び／又はチャンバに組み込まれる。アッセイプレートは平坦であることが好ましいが、（平坦でなく）湾曲させることもできる。
【００２５】
さらに、アッセイモジュールのウエル、チャンバ及び／又はアッセイドメイン（例えば、マルチウエルアッセイプレートのウエル）中に、１種又は複数種のアッセイ試薬を含めることができる。これらのアッセイ試薬は、１つ又は複数のウエル及び／又はチャンバの表面上（好ましくは、電極表面上、最も好ましくは、動作電極上）に固定又は配置することができ、また、１つ又は複数の別個のアッセイドメイン中に（例えば、ウエル及び／又はチャンバの１つ又は複数の表面上、好ましくは動作電極及び／又は対電極上、最も好ましくは動作電極上に固定したパターン化アレイの試薬の形態で）固定又は配置することができる。これらのアッセイ試薬は、形状によって、ウエル及び／又はチャンバ内に含めるか、あるいは、局在化させることもできる。例えば、パターン化した誘電体材料により、流体を閉じこめるか、あるいは局在化させることができる。
【００２６】
本発明の好ましい機器を使用して、アッセイモジュール、好ましくは、マルチウエルアッセイプレート中で行うアッセイにおいて発光を誘起し測定することができる。この機器には、例えば、１つ又は複数の光検出器、遮光容器、アッセイモジュールへの接触を行う電気コネクタ、機器に出入りして（特に、遮光容器に出入りして）マルチウエルアッセイモジュールを搬送する機構、１つ（または複数）の光検出器及び電気接点にマルチウエルアッセイモジュールを位置合わせし方向づける機構、モジュールを追跡し識別する機構（例えば、１つ又は複数のバーコードリーダ（例えば、プレート又はモジュールの一方の面を読み取る１つのバーコードリーダ及びプレート又はモジュールの他方の面を読み取る別のバーコードリーダ））、１つ（または複数）の方向決めセンサ、モジュールへの電気的な接続を行う機構、モジュール中で発光を誘起する１つ又は複数の電気エネルギー源、並びに適切な電子回路及びソフトウエアを組み込むことができる。
【００２７】
この機器は、１つ又は複数のアッセイモジュールを格納し、積み重ね、移動させ、かつ／又は分配する機構（例えば、マルチウエルプレートスタッカ）も含み得る。この機器は、光検出器アレイ（例えば、フォトダイオードアレイ）又は画像形成光検出器（例えば、ＣＣＤカメラ）を有利に使用して光の測定を行う。これらの検出器により、この機器は複数のウエル（及び／又はチャンバ）から同時に光を測定し、かつ／又は、個々のウエル（及び／又はチャンバ）から放出される光の強度及び空間分布を画像化することができる。
【００２８】
この機器は、アッセイモジュール、好ましくは、マルチウエルアッセイプレートの１つ又は複数のセクタから光を測定できることが好ましい。いくつかの実施形態では、セクタは、一群のウエル（及び／又はチャンバ）を含む。それらのウエルの数は、１つ以上であり、アッセイモジュール中のウエル（及び／又はチャンバ）の総数よりも少ない（例えば、マルチウエルプレート中の１行のウエル、１列のウエル、あるいは２次元サブアレイのウエル）。好ましい実施形態では、セクタは、マルチウエルプレートの４％〜５０％のウエルを含む。特に好ましい実施形態では、マルチウエルアッセイプレートは、（各セクタが、１行又は１列のウエルを有する）列状のセクタ又は正方形セクタに分割される（例えば、標準サイズのマルチウエルプレートは、等しいサイズの６つの正方形セクタに分割することができる）。いくつかの実施形態では、セクタは、ウエル内に２つ以上の流体封じ込め領域をもつ１つ又は複数のウエルを含み得る。この機器は、所与のモジュール、好ましくはプレート中のセクタ内で順にＥＣＬを誘起し、かつ／又はそのセクタから順にＥＣＬを測定するように適合されることが好ましい。
【００２９】
この機器には、装置内である種の機能を制御し、データの記憶、分析及び表示を支援するマイクロプロセッサ及びコンピュータも組み込むことができる。これらのマイクロプロセッサ及びコンピュータは、機器内に置くこともできるし、（例えば、ネットワーク接続によって）機器と連繋する離れた場所に置くこともできる。
【００３０】
好ましい測定動作の概略説明では、電極誘起発光（好ましくは、電気化学発光）アッセイ用のサンプル、反応物及び試薬をアッセイモジュール（好ましくは、マルチウエルアッセイプレートの１つ又は複数のウエル）に導入する。このモジュール（例えば、プレート及びそのウエルの内容物）を、一度に１個ずつ、あるいは（例えば、プレートスタッカを使用することによって）複数個単位で測定機器に導入する。モジュールは、機器の囲まれた領域、特に遮光容器中に搬送することが好ましい。この機器は、１つ又は複数（好ましくは１つ）のセクタが１つ（または複数）の光検出器及び／又は電気コネクタ機構に位置合わせされるように、このモジュールを位置決めする。あるセクタに電気的接触を行った後で、この機器は、電圧及び／又は電流波形を印加し、このセクタ内の標識から発光を誘起する。この機器は、１つ（または複数）の光検出器で、放出された光を測定し、その結果を記憶する。次いで、この機器は、他のセクタ（好ましくは、一度に１つのセクタ）に対して測定を順次繰り返すことができる。セクタの順次測定では、複数のセクタへの電気的な接触を行い、次いで、適切なセクタに電気エネルギーを順次印加する必要があり、かつ／又は、電気を印加する前に、モジュール、１つ（または複数）の光検出器及び／又は電気接点を相互に移動させて、光検出器及び／又は電気接点を適切なセクタに位置合わせすることが必要となり得る。代替実施形態では、この機器は、一度にモジュール全体を測定するように適合させることができる。すべての測定が完了した後で、このモジュールを遮光容器から出して搬送することが好ましい。
【００３１】
特に好ましい実施形態では、本発明によるアッセイモジュール（特に、マルチウエルアッセイプレート）及び機器は、発光測定を行うスピード及び効率を大きく向上させることができる。マルチウエルアッセイプレートのウエル中で電極誘起発光を直接誘起する能力を組み込むことによって、本発明は、従来技術の重大な制限を克服する。すなわち、（電極誘起発光試験に必要な機能を欠く）標準マルチウエルプレート中のウエルの内容物を、電極誘起発光ベースの測定を行うことができる別の機器に移す必要性がなくなる。本発明の好ましい実施形態では、同じプレートの異なるウエル内で、同時に複数の電極誘起発光（好ましくは、電気化学発光）試験測定を行うことができる。こうした同時操作により、サンプルを処理する速度が劇的に増加し、サンプルの相互汚染がなくなり、全体的な試験効率が大きく向上し、複数の検体を同時に測定することができる。本発明の好ましい実施形態では、マルチウエルアッセイプレートの各ウエル中に電極を組み込むので、機器内で再利用可能な持続性測定セルの必要がなくなり、それによって、機器のコスト及び複雑さが大きく減少する。マルチウエルアッセイプレート中のセクタから発光を測定することによって、この機器では、測定時間が短くかつ光の収集効率が高いという所望の特性の釣合いがとれる。
【００３２】
本発明によるマルチウエルアッセイプレートの重要な利点は、業界標準のマルチウエルプレートを取り扱うようにすでに適合された他の機器との互換性が得られることである。既存のプレートハンドリング機器との互換性により、アッセイプレートの迅速で効率的かつ経済的なローディング、処理、格納及び廃棄が容易になる。標準のプレートハンドリング機器を使用して、１つの機器から別の機器に、あるいは、格納場所に出入りさせてアッセイプレートを搬送することができる。自動ピペット機器、プレート洗浄機及び混合ステーションなど既存の流体移送機器を使用して、サンプル、反応物、溶液その他の試薬を、マルチウエルアッセイプレートの個々のウエルにいれ、あるいはそれらから取り出して移送することができる。アッセイプレートの形状及びサイズが、前処理反応、振とう又は混合操作あるいは貯蔵を行う標準機器と互換性があると有利である。既存の機器及びサンプルハンドリングプロセスとの互換性により、本発明のマルチウエルアッセイプレート及び機器を、プレートを取り扱い処理する既存の実験室機器に即座に統合することができる（こうした装置は、その全体又は一部をこの機器の中に組み込み、かつ／又は、この機器に機能的に結合又は接続することができる）。こうした互換性は、ハイスループットスクリーニング操作では特に有利であり得る。
【００３３】
５．１  マルチウエルアッセイプレート
本発明の一態様は、アッセイ、好ましくは発光アッセイ、より好ましくは電極誘起発光アッセイ、さらに好ましくは電気化学発光アッセイで使用するように適合され、改善されたアッセイモジュール（例えば、プレート）に関する。本発明のアッセイモジュールは、ＥＣＬアッセイに適しているだけでなく、蛍光アッセイ、化学発光アッセイ、生物発光アッセイ、リン光アッセイ、光透過率アッセイ（例えば、吸光度又は光散乱測定）及び（例えば、測定が電流又は電圧を測定することを伴う）電気化学アッセイにも適していることが好ましい。
【００３４】
本発明の好ましい一実施形態によれば、アッセイモジュール又はプレートは、１つまたは複数（好ましくは、２個以上、６個以上、２４個以上、９６個以上、３８４個以上、１５３６個以上、あるいは９６００個以上）のアッセイウエル、アッセイチャンバ及び／又はアッセイドメイン（例えば、アッセイ反応が行われ、かつ／又は、アッセイ信号が放出されるモジュール表面上の離散的な場所であり、一般には、電極表面、好ましくは、動作電極表面）を備える。特に好ましい実施形態によれば、このアッセイプレートは、標準ウエル構成（例えば、６ウエル、２４ウエル、９６ウエル、３８４ウエル、１５３６ウエル、６１４４ウエル又は９６００ウエル）を有するマルチウエルアッセイプレートである。
【００３５】
電極誘起発光ウエル（好ましくは、電気化学発光ウエル（すなわち、電気化学発光に適合したウエル））又は電極誘起発光ドメイン（好ましくは、電気化学発光ドメイン（すなわち、電気化学発光アッセイに適合したアッセイドメイン））は、第１電極表面（例えば、動作電極表面）を含み、好ましくは、第２電極表面（例えば、対電極表面）も含む。
【００３６】
また、本発明は、１つ又は複数のアッセイを行うためのマルチウエルモジュール、好ましくはアッセイプレートに関する。このモジュールは、複数のウエル（及び／又はチャンバ）を有し、２つ以上のこれら複数のウエル（及び／又はチャンバ）が、少なくとも１つの第１電極表面と、好ましくは、少なくとも１つの対電極表面とを備える。好ましい実施形態によれば、２つ以上のこれら複数のウエル（及び／又はチャンバ）は、ウエル中で発光を誘起するように適合された動作電極表面と、好ましくは、対電極表面とを備える。また、本発明は、１つ又は複数のアッセイを行うためのマルチウエルモジュール、好ましくはプレートに関する。このモジュールは複数のウエルを有し、１つ又は複数のこれら複数のウエルが、ウエル中で発光を誘起するように適合された動作電極表面及び対電極表面を備える。すべてあるいはほぼすべてのウエルが、電極表面を備えることが好ましい。
【００３７】
別の実施形態は、電極誘起発光（好ましくは、電気化学発光）アッセイを行うためのマルチウエルアッセイモジュール、好ましくはアッセイプレートに関する。このモジュール、好ましくはプレートは、複数のウエルを有し、これら複数のウエルはそれぞれ、少なくとも１つの第１電極表面（例えば、動作電極）と、好ましくは、少なくとも１つの第２電極表面（例えば、対電極）とを備える。
【００３８】
別の実施形態は、１つ又は複数の電極誘起発光（好ましくは、電気化学発光）アッセイを行うためのアッセイプレートに関する。このプレートは、電極表面を備える複数のウエル又はアッセイ領域を有し、これらの電極表面は、本質的に、少なくとも１つの動作電極表面及び少なくとも１つ対電極表面からなる。
【００３９】
これらのアッセイ領域又はアッセイウエルには参照電極がなく、それによって、アッセイドメインの密度がより高くなり、発光を誘起し測定するための装置を簡略化できることが好ましい。
【００４０】
動作電極は、対電極に隣接しているが、物理的に接触していないことが好ましい。動作電極表面及び対電極表面は、ウエル内でほぼ同じ高さであるか、同じ高さであることが好ましい。
【００４１】
別の実施形態によれば、動作電極と対電極の間隔は小さいことが好ましく、より好ましくは０．５インチ未満、さらに好ましくは０．２インチ未満、さらに好ましくは０．１インチ未満、さらに好ましくは０．０５インチ未満、さらに好ましくは０．０１インチ未満、最も好ましくは０．００５インチ未満である。これらの電極は、アッセイモジュール、好ましくはアッセイプレートに一体化されるのが好ましく、それによって、外部電極プローブを使用することなく、発光、好ましくは電極誘起発光、より好ましくは電気化学発光を誘起することができる。アッセイ試薬は、動作電極上に固定化されることが好ましい（以下でさらに論じる）。別の好ましい実施形態では、アッセイ試薬は、動作電極上に固定化されない（以下でさらに論じる）。別の好ましい実施形態では、１つ又は複数のアッセイ試薬が、動作電極上に固定化される（以下でさらに論じる）。別の好ましい実施形態では、２つ以上のアッセイ試薬が、動作電極上に固定化される（以下でさらに論じる）。
【００４２】
発光収集効率を高め、かつ／又は、画像形成を行う表面のサイズ及び／又は光検出器の数を減少させるために、このモジュールは、セクタ内で電気的にアドレス可能であることが好ましい。すなわち、一度に１つのウエル、チャンバ又はアッセイドメインから光を測定するか（これは時間的に非効率である）、あるいは、モジュール全体から光を測定する（これは、光の収集効率を下げ、複数の光検出器を必要とするか、あるいは、より大型の光検出器の使用を必要とする）のではなく、このモジュール及び機器は、アッセイモジュールの複数部分（すべてではなく、好ましくは、一度に２つ以上のアッセイドメイン、ウエル又はチャンバ）単位で、発光を測定することができるように構成される。アッセイモジュールのこのような複数の部分は、複数のセクタであることが好ましい。本明細書では、プレート又はモジュールの状況で用いるときの「セクタ」又は「複数のセクタ」という用語は、１つ又は複数（好ましくは、２つ以上）の一緒にアドレス可能なアッセイウエル、アッセイチャンバ又はアッセイドメインからなる独立にアドレス可能な群を指すように用いる。これらのセクタは、１つ又は複数の電極、より好ましくは、２つ以上の一緒にアドレス可能な（例えば、電気的に接続された）動作電極を含むことが好ましい。
【００４３】
一実施形態は、パターン化した複数の電極を有する基板表面を備えた、発光アッセイ（好ましくは電極誘起発光アッセイ、より好ましくは電気化学発光アッセイ）を行うためのアッセイモジュール（好ましくはアッセイプレート、より好ましくはマルチウエルプレート）に関する。これら複数の電極は、一緒にアドレス可能な電極を備えた独立にアドレス可能なセクタを形成するようにパターン化する。
【００４４】
別の実施形態によれば、このアッセイモジュール（好ましくはマルチウエルプレート）は複数のウエルを有し、各ウエルは、（好ましくは、電極誘起発光アッセイで動作電極として使用するのに適した）第１電極表面を備え、また、（好ましくは、電極誘起発光アッセイで対電極として使用するのに適した）第２電極表面を備えることが好ましい。図２を参照すると、本発明の特に好ましい実施形態によるマルチウエルアッセイプレート１５０のウエル１５８はそれぞれ、動作電極１６８及び対電極１６６を備える。
【００４５】
動作電極表面積は、対電極表面積よりも小さく、又は同じに、あるいは大きくすることができる。いくつかの実施形態では、動作電極表面は、対電極表面よりもはるかに大きいことが好ましい。例えば、図２Ａ、２Ｂ及び２Ｄを参照されたい。これらの構成により、アッセイ試薬を上に固定化する動作電極表面をより大きくすることができる。好ましくは、動作電極表面と対電極表面の表面の比は、少なくとも２：１、より好ましくは少なくとも５：１、さらに好ましくは少なくとも１０：１、さらに好ましくは少なくとも５０：１、さらに好ましくは少なくとも１００：１、最も好ましくは少なくとも５００：１である。意外にも、本発明のアッセイモジュールにより、極めて小型の対電極表面で、電気化学発光アッセイを行うことができる。電極から放出され、ウエルの上に配置した光検出器が捕捉することができるＥＣＬの割合を最大限に大きくするように、動作電極はウエル中でほぼ中央に位置することが好ましい。
【００４６】
別の実施形態によれば、第１電極表面（例えば、動作電極表面）は、各ウエルの底部の中央にあり、第２電極表面（例えば、対電極表面）は、各ウエルの底部の周辺に隣接する。いくつかの実施形態では、動作電極表面は、各ウエルの底部の中央にあり、対電極表面によって完全に取り囲まれる。図２Ｄを参照すると、動作電極２７０は、対電極２６６によって完全に取り囲まれる。この対電極表面は、動作電極に隣接するが接触しない（ギャップ及び／又は絶縁材料２６８で分離される）ことが好ましい。
【００４７】
本発明の別の実施形態は、複数のウエルを有するマルチウエルアッセイモジュールに関する。各ウエルは、第１電極表面、第２電極表面及び誘電体表面を備えるウエル底部を有し（この誘電体表面は、第１電極表面と第２電極表面の間のウエル底部の表面であることが好ましい）、第１電極表面と誘電体表面の比は、少なくとも５：１、好ましくは１０：１、より好ましくは３０：１である。
【００４８】
別の実施形態によれば、このウエル底部は、３０〜９９．１％の動作電極表面、０．１〜５０％の対電極表面、及び０．０１〜７０％の誘電体表面を含む。好ましくは、このウエル底部は、３０〜９９．１％の動作電極表面、０．１〜３０％の対電極表面、及び０．０１〜７０％の誘電体表面を含む。より好ましくは、このウエル底部は、５０〜９９．１％の動作電極表面、０．１〜２０％の対電極表面、及び０．０１〜７０％の誘電体表面、さらに好ましくは、７５〜９９．１％の動作電極表面、０．１〜１０％の対電極表面、及び０．０１〜７０％の誘電体表面、さらに好ましくは、８０〜９９．１％の動作電極表面、０．１〜５％の対電極表面、及び０．０１〜７０％の誘電体表面、最も好ましくは、８５〜９９．１％の動作電極表面、０．１〜１％の対電極表面、及び０．０１〜７０％の誘電体表面を含む。
【００４９】
あるいは、いくつかの応用例では、動作電極表面は、例えば、ウエル又はウエル底部の表面積に対して相対的に小さいことが望ましい。いくつかの応用例では、この構成により、非特異的な信号を減少させることができる。本発明の一実施形態によれば、このマルチウエルアッセイモジュールは複数のウエルを有する。各ウエルは、第１電極表面、第２電極表面及び誘電体表面を備えるウエル底部を有し（この誘電体表面は、第１電極表面と第２電極表面の間のウエル底部の表面であることが好ましい）、第１電極表面と誘電体表面（あるいは、ウエル底部の表面）の比は、１：５未満、好ましくは１：１０、より好ましくは１：３０である。
【００５０】
本発明の好ましい一実施形態によれば、このアッセイモジュールは、誘電体表面と境界を接する第１電極表面（好ましくは、動作電極表面）を備える。この誘電体表面は、電極表面よりも高いか、あるいは低く（好ましくは、高く）、かつ／又は、電極表面とは異なる疎水性（好ましくは、より疎水性）のものである。この誘電体の境界は、好ましくは０．５〜１００ミクロン、より好ましくは２〜３０ミクロン、最も好ましくは８〜１２ミクロンだけ電極表面に対して相対的に高いことが好ましい。この誘電体の境界は、縁部が鋭角に画定される（すなわち、境界壁が急峻になり、かつ／又は電極と誘電体境界の間の界面で鋭角をもたらす）ことがさらに好ましい。好ましくは、第１電極表面は、誘電体表面よりも水に対する接触角が１０度小さい、好ましくは１５度小さい、より好ましくは２０度小さい、より好ましくは３０度小さい、さらに好ましくは４０度小さい、最も好ましくは５０度小さい。誘電体表面が電極表面よりも高くかつ／又は疎水性であることの１つの利点は、試薬の堆積プロセスにおいて有利であることであり、この誘電体境界を利用して、電極表面の境界内に試薬を閉じ込めることができる。特に、境界壁が急峻になり、かつ／又は電極と誘電体境界の間の界面で鋭角が得られる状態で縁部が鋭角に画定されると、溶液の液滴を「固定」し、それらを電極表面に閉じ込めるのに特に有益である。
【００５１】
別の実施形態によれば、アッセイモジュールは、１つ又は複数（好ましくは、２つ以上）のウエルを備え、各ウエルは、１つ又は複数の第１電極表面（好ましくは、１つ又は複数の動作電極表面）と、その中に固定化された複数のアッセイドメインとを有する。少なくとも２つのこれら複数のアッセイドメインが、異なる結合試薬を含むことが好ましい。好ましくは、各ウエルは、少なくとも４個のアッセイドメイン、より好ましくは少なくとも７個、さらに好ましくは少なくとも１０個、最も好ましくは少なくとも１５個のアッセイドメインを含む。好ましい一実施形態は、各ウエルが、１つのウエル当たり少なくとも１６個のアッセイドメイン、好ましくは少なくとも２５個、より好ましくは少なくとも６４個、さらに好ましくは少なくとも１００個、最も好ましくは１つのウエル当たり少なくとも２５０個のアッセイドメインを含む２４ウエルプレートである。
【００５２】
本発明の別の実施形態は、複数のウエルを有するマルチウエルモジュール（好ましくはマルチウエルプレート）に関する。これらのウエルは、上に固定化したアッセイドメインを有する複数の動作電極表面を備える。これらのアッセイドメインは、独立にアドレス可能であることが好ましい。例えば、ウエルは、複数のアッセイドメインを含むことができ、各アッセイドメインは、そのウエル内の他のアッセイドメインとは独立にアドレス可能な電極を備える。他の例では、一群のウエルはそれぞれ、複数のアッセイドメインを含むことができ、各アッセイドメインは、そのウエル内の他のアッセイドメインとは独立にアドレス可能な電極を備えるが、この電極は、他の各ウエル中のアッセイドメインと一緒にアドレス可能である。
【００５３】
上記で論じ、以下でより詳細に説明するように、本発明の一態様は、画像システムを使用して、放出された発光を検出することを伴い得る。好ましい実施形態によれば、この機器は、アッセイモジュール（例えば、マルチウエルプレート）を画像化するカメラを使用することができる。カメラ又は画像形成を行う表面と発光源（例えば、動作電極表面）の間の距離が、画質に影響を及ぼすことがあるので、この距離を制御することが好ましい。例えば、動作電極表面（例えば、発光が誘起又は生成され得る表面）をウエル底部上に形成し、２つ以上のウエルを同時に画像化する場合、動作電極表面の高さ（及びそれに対応するカメラまでの距離）は、それぞれほぼ同じであることが好ましい。好ましくは、この変動は、０．０１インチ未満、より好ましくは０．００５インチ未満、最も好ましくは０．００１インチ未満である。したがって、このような変動を引き起こし得るパラメータ（例えば、電極の厚さ及び高さ、アッセイモジュールの撓み又はそりなど）を制御することが好ましい。
【００５４】
このため、アッセイプレートのプレート底部は、平坦であることが好ましい。例えば、マルチウエルアッセイプレートを平坦な表面上に置くとき、複数のウエルのそれぞれにおいて、この平坦な表面から電極表面までの高さの変動測定値は、好ましくは０．０１インチ未満、より好ましくは０．００５インチ未満、最も好ましくは０．００１インチ未満である。すなわち、図２Ｈ、２Ｉ及び２Ｊ並びに図８Ｃ、９Ｂ、１０Ｂ及び１４Ｂの断面図を参照すると、各ウエル内で、各動作電極表面の垂直高さがほぼ同じ（すなわち、ウエル又はアッセイ領域を通じて同じ垂直高さ）であることが好ましい。少なくとも各セクタ内の複数のウエル内で、垂直高さが同じ（すなわち、そのセクタを通じて垂直高さが同じ）であることが好ましい。あるプレートの各セクタ内で、垂直高さがほぼ同じ（すなわち、そのプレートを通じて垂直高さが同じ）であることがさらに好ましい。そうでない場合には、（以下のセクション５．８でさらに論じる）測定を最適化するために、各セクタごとに、光検出器又は画像システムを再焦準する必要がある。
【００５５】
したがって、別の実施形態は、
（ａ）ウエル底部を有する複数のウエルと、
（ｂ）プレート基板とを備えるマルチウエルプレートに関する。このマルチウエルプレートを平坦な表面上に置くとき、ウエル底部はこの平坦な表面から、０．０５０インチ〜０．１５０インチ、好ましくは０．１０３インチ〜０．１０７インチ、より好ましくは０．１０４インチ〜０．１０６インチ、最も好ましくは約０．１０５インチ持ち上げられる。
【００５６】
ウエル底部をより均一にばらつきのないように持ち上げると、異なるプレートフォーマットに対してさえ、電極表面の高さ変動を制御することができる。プレートのウエルの数は、１００個よりも多いか、あるいは、９０個よりも少ないことが好ましい。こうすると、このプレートが、９６ウエルプレート、６ウエルプレート、３８４ウエルプレート、あるいは他の場合でも、この高さを維持することができる。こうすると、画像が歪むことなく、あるいは、画像システムを再焦準する必要なく、異なるプレート構成を使用することができる。すなわち、各プレート間でカメラと動作電極表面の間の距離が維持される場合、画像システムを再焦準することなく、様々な異なるプレートフォーマットを用いることができる。例えば、異なるプレートフォーマットを有する複数のプレートを含むプレートスタックを使用する場合、これは特に有利である。
【００５７】
好ましくは、プレート底部の厚さは、１０ｃｍ未満、好ましくは５ｃｍ未満、より好ましくは１ｃｍ未満、さらに好ましくは５ｍｍ未満、さらに好ましくは１ｍｍ未満、さらに好ましくは０．１ｍｍ、さらに好ましくは０．０１ｍｍ、最も好ましくは０．００１ｍｍである。
【００５８】
一実施形態によれば、「脚部」又はスカートを利用してプレート底部を持ち上げて、プレートをそれが置かれる任意の表面から持ち上げる。図１にスカート１１２を示し、図８Ｃにスカート８３６を示す。これらはともに、プレートを持ち上げるように構成され得る本発明による「スカート」の実施形態である。プレートは、動作電極表面と、画像形成を行う表面又はカメラとの間の距離を維持するように持ち上げられることが好ましい。すなわち、３８４ウエルプレートのウエル深さは、９６ウエルプレートのものとは異なることがあるが、９６ウエルプレートの脚部は、その動作電極表面が３８４ウエルプレートのものと同等になるように調整して構成されるはずである。また、スタック中の１つのプレートのウエルの上部縁部又はリップと、そのスタック中のすぐ上のプレートの底部表面との接触を妨げるように、スカート及び／又はプレート底部の持上げを構成すると有利である。このような接触を防ぐと、プレートが互いにくっつくことがなくなり、プレートの底部上に生じる結露が少なくなる。あるいは、（例えば、ウエル内容物の汚染及び／又は蒸発を少なくし、かつ／又は妨げるために）、プレートを積み重ねるときに、これらのプレートがシールを形成するように適合させることができる。
【００５９】
一実施形態によれば、粘着層９４４を用いて、プレート上部をプレート底部に取り付け、かつウエル間のシールをも設けることができる。（例えば、図８Ａの粘着層８０６、図８Ｂの粘着層８４４、図１０Ａの粘着層１０３０、図１５の粘着層１５３０及び図１６Ａの粘着層１６０４も参照されたい。）好ましくは、この粘着層の厚さは、０．０００２インチ〜０．０１インチ、より好ましくは０．０００５インチ〜０．００８インチ、さらに好ましくは０．００２インチ〜０．００６インチ、最も好ましくは約０．００５インチである。このような実施形態では、信頼性が高く漏れのないシールを可能にするために、好ましくは、ウエル壁は、少なくとも０．０３インチ、より好ましくは少なくとも０．０５インチの厚さとする。好ましい一実施形態によれば、この粘着層は、好ましくは、少なくとも０．０８ｍｍ（２ミル）の粘着剤（好ましくは、アクリルベースの粘着剤）で両面が被覆された少なくとも０．０２ｍｍ（０．５ミル）のキャリアフィルム（例えば、ポリエステル）を含む二重被覆フィルムである。このキャリアにより寸法安定性が得られ、２ミルの粘着性被覆により漏れが妨げられる。好ましくは、この粘着層は、Ｋｅｙｓｔｏｎｅ  Ｔａｐｅｓ社のＷ−５４６、３Ｍ社の４７６８又はそれらの組合せ、より好ましくは３Ｍ社の４７６８である。他の適当な粘着剤又は粘着層には、Ｉｄｅａｌ社（８８７）、３Ｍ社（４４４、４４２、４１５）、Ｍｏｒｇａｎ社のＩＢ−２１００、Ｎａｓｈｕａ社の９４３、Ｐｅｒｍａｃｅｌ社のＰ−９４１、Ｔｅｓａ社の４９７２、Ａｖｅｒｙ  Ｄｅｎｎｉｓｏｎ社の粘着剤（例えば、ＵＶＡテープ）、及びＡｄｈｅｓｉｖｅｓ  Ｒｅｓｅａｒｃｈ社の粘着剤が含まれる。
【００６０】
ウエルは、０．０３インチ〜０．３インチ、（９６ウエルプレートでは）好ましくは約０．０９インチ〜０．１１インチ、最も好ましくは約０．１０４インチだけ隣接する各ウエルから分離することが好ましい。ウエルの壁の厚さ及びウエルの間隔の最適化により、１つのウエルから別のウエルへのサンプルの漏れが低減すると有利であり、妨げられるのが好ましい。例えば、この機器の電気接点がウエル底部上を押し上げて撓みが生じる場合、これは問題になり得る。
【００６１】
ウエルの漏れの問題を軽減する別の方法では、ウエル間のシールを改善することが必要である。図９Ｂを参照すると、動作電極表面９５８及び誘電体層９５０がウエル９４２の先まで延びるのが好ましい。したがって、本発明の一実施形態は、誘電体表面及び動作電極層を備えるマルチウエルプレートに関する。この誘電体表面は、動作電極層の一部上に形成された誘電体層からなり、この動作電極層及び誘電体層はウエル壁の先まで延びる。別の実施形態によれば、この動作電極層及び誘電体層は、プレート底部又は基板上に被着され、ウエルの先まで延び、ウエルを密封する助けとなる。動作電極表面、対電極表面及び／又は誘電体層の少なくとも一部がウエル壁の先まで延びることが好ましい。
【００６２】
本発明の別の態様によれば、プレート底部又はアッセイモジュール基板に、１つ又は複数の電極を一体化する。本発明の一実施形態では、アッセイモジュールは、このようなプレート底部又はアッセイモジュール基板を、適当なアッセイモジュール上部と組み合わせることによって形成する。この上部は、ホール、ウエル、チャネル、チューブ、アッセイモジュール内でウエル、チャンバ、チャネル、チューブ及び／又はマイクロフルイディクスを画定するコンパートメントなどを備え得る。したがって、本発明は、様々な電極、電気接点及び導電性スルーホールの組合せを有するプレート底部又はアッセイモジュール基板にも関する。適当なプレート上部をプレート底部に取り付けることによって形成したマルチウエルプレート並びにこのようなプレートを使用してアッセイを実施するように適合された機器及び方法も本発明の範囲に含まれる。
【００６３】
したがって、本発明の別の態様は、アッセイモジュール基板、好ましくは、（例えば、プレート上部をもたない）マルチウエルプレート底部に関する。例えば、このようなプレート底部をプレート上部に取り付けて、アッセイを行う際に使用するマルチウエルプレートを形成することができる。
【００６４】
図２に、本発明の好ましい実施形態によるマルチウエルアッセイプレート１５０を示す。９６ウエルアッセイプレート１５０は、外部リップ１５２、内部リップ１５４、上部表面１５６、及びスペーサ１６０で分離した９６個の個々のウエル１５８を備える。ウエル間領域１７０がウエル１５８とスペーサ１６０の間に画定される。
【００６５】
プレート１５０の大部分（例えば、ウエル１５８の底部表面を除くすべて）は、ポリスチレン、ポリエチレン又はポリプロピレンなど熱可塑性の剛性材料でできた一体成型構造であることが好ましい（あるいは、ウエル１５８の底部表面を含めて、プレート全体を一体構造にすることもできる）。好ましい一実施形態によれば、この材料は、材料の脆性を低減させるために、ＨＩＰＳ（耐衝撃性ポリスチレン）を混合したポリスチレンを含む。好ましくは４〜１６重量％のＨＩＰＳ、より好ましくは約８〜１２重量％のＨＩＰＳをポリスチレンと混合する。ＥＣＬ測定で一般に使用する試薬をほぼ通さず、生体分子を結合させにくく、適度のレベルの熱及び光に耐性のある安価な材料で、プレート１５０の一体構造を形成すると最適である。（ウエルを密封するのに使用する粘着剤を含めて）このプレート材料が、ハイスループットスクリーニング用の化学ライブラリを溶解させるのに一般に使用する有機溶剤を通さないと有利である（このプレートが、ＤＭＳＯ又はメタノールの１０％水溶液、より好ましくはＤＭＳＯ又はメタノールの２０％水溶液、最も好ましくはＤＭＳＯ又はメタノールの１００％水溶液に影響を受けないことが好ましい）。プレートを作製するのに使用するコンポーネントには、シリコーン含有材料の使用を避けることが好ましい。というのは、シリコーンは、プレート表面を汚染し、表面の濡れ特性、結合特性及び／又は電極特性に影響を及ぼす恐れがあるからである（プレート又はプレートの所与のコンポーネントは、１重量％未満のシリコーン、より好ましくは０．１重量％未満のシリコーン、最も好ましくは０．０１％未満のシリコーンしか含まないことが好ましい）。
【００６６】
プレート１５０に異なる色の材料を用いて、ある種のＥＣＬ測定プロセスの結果を改善することができる。ウエル間のクロストークを防止するために、光を透過させない材料を用いることが好ましい。高反射性金属被覆又はその構成材料により、各ウエル１５８ごとに、特に高反射性の内面が得られ、それによって、光検出器に送ることができる光の効率が高くなる。光散乱粒子（例えば、酸化鉛、アルミナ、シリカ、好ましくは酸化チタンの粒子）を充填したプラスチックなどの不透明な白色プラスチック材料により、光を強く散乱させ、したがって、光の収集効率が向上する内面が、各ウエル１５８ごとに得られる。あるいは、プレート１５０の不透明な黒色材料により、ＥＣＬにより生成された光がウエル１５８内で異なる場所から反射又は散乱するのが妨げられ、それによって、ＥＣＬ試験測定中の反射性の干渉が妨げられると有利である。一般に、ウエルから放出される光の画像形成を行うとき（例えば、カメラを使用して、ウエルから放出される光の画像を生成するとき）、ウエル１５８の内面が、吸収性（例えば、黒色の）非散乱性材料を含むと有利である。というのは、散乱光を検出すると、画像の忠実性を低減させることになるからである。一般に、画像を形成しないモードで光を検出するとき（例えば、単一の光検出器を使用して、ウエルから放出されるすべての光を検出するとき）、検出器での光の収集が最大限に大きくなるように、ウエル１５８の内面が反射性又は高散乱性の材料を含むと有利である。
【００６７】
プレート１５０は、互いに結合したいくつかの部分からなり得る。プレート１５０及びそのエレメントの多くの実施形態では、外部リップ１５２、内部リップ１５４、上部表面１５６、スペーサ１６０、ウエル間領域１７０、コーナ陥凹部又は面取り１７２、及び（内面１６４を有する）壁１６２がプレート上部を構成する。プレート１５０のプレート上部はホールを有し、その側面は壁１６２の内面１６４で画定される。次いで、このプレート上部を、プレート上部とともにウエル１５８を画定するプレート底部と組み合わせることができる。このプレート底部は、動作電極１６８を備えると有利であり、さらに対電極１６６を備え得る。任意選択で、このプレート底部は、（図示しない）１つ又は複数の独立した参照電極を備えることができる。参照電極は含めないことが好ましい。このプレート底部は、隣接したエレメントとすることもできるし、互いに結合しているか、あるいは完全に別個の多くのエレメントからなることもできる。１つ（又は複数）の動作電極１６８が、プレート底部の主要構造を構成することもできるし、あるいは、適切な構造上の特性を提供する別のエレメント上で、動作電極１６８を支持することもできる。様々な手段、例えば、粘着剤その他の結合剤、導電性又は誘電体フィルムなどを使用することによって、又は、構成部品を結合、融着又は溶接することによって、あるいは、クランプ、ねじ、タブ及びスロットなどの機械式ファスナによって、もしくは、他の構造又は当技術分野で周知の手段によって、このプレート底部をプレート上部に取り付けることができる。
【００６８】
あるいは、プレート１５０は、適切な形状に形成することができる任意の材料から形成することもできる。プラスチック、エラストマー、セラミック、複合材、ガラス、金属、炭素材料などの材料を使用することができる。プレート１５０の大部分を単一の一体構造とすることが好ましいが、脱着可能、あるいはその他の方法で隣接して配置可能なコンポーネント、特にウエル１５８を伴うプレート１５０を提供することも本発明の範囲に含まれる。プレート１５０は、導電性又は非導電性とすることができる。プレート１５０が導電性である応用例では、プレート１５０を接地するか、あるいは、それ自体が対電極又は動作電極として機能し得る。
【００６９】
外部リップ１５２は、下向きかつ内向きに延びて、プレート１５０の周辺部全体の周りを延びる剛体リップを提供する。外部リップ１５２は、プレート１５０を位置合わせし方向づける際の助けとなるように機能するか、あるいは、ロボットシステムがプレートをハンドリングすることができるように機能し得る。図に示すように、外部リップ１５２は、プレート１５０の識別用の物理的なしるしを提供する陥凹した２つのコーナ陥凹部１７２を含むことが好ましい。特に、コーナ陥凹部１７２により、プレート１５０の位置合わせ及びハンドリングが容易になり、プレート１５０を、それぞれの周辺部に沿って異なる構成の陥凹領域を有する他のプレートと区別する際の助けとなる。外部リップ１５２の寸法及び構造は、同様なタイプのアッセイプレートの占有面積の業界標準に従うことが好ましく、あるいは、少なくとも互換性があると有利である。
【００７０】
内部リップ１５４は、外部リップ１５２の上部表面から上部表面１５６よりわずかに上の高さまで上向きに延びる。このため、上部表面１５６は、内部リップ１５４内で陥凹する。その他のところでは矩形形状の内部リップ１５４は、コーナ陥凹部１７２の一部を画定する形状のコーナ部切欠きによって、２つのコーナのところで遮断される。
【００７１】
上部表面１５６は、内部リップ１５４の境界内でプレート１５０の周辺部の周りを延びる。上部表面１５６は、各最外ウエル１５８の中点まで内向きに延びることが好ましい。あるいは、上部表面１５６は、ウエル１５８間に画定される区域を通じて延びる連続した表面である。スペーサ１６０により、ウエル１５８が構造的に互いに連結し、ウエル１５８の外面とあいまって、ウエル間領域１７０が画定されることが好ましい。
【００７２】
各ウエル１５８は、壁１６２、内面１６４、対電極１６６及び動作電極１６８を備えることが好ましい。図に示すように、壁１６２は、上部表面１５６の上を延び、かつ少なくとも対電極１６６又は動作電極１６８まで下向きに延びる円筒形の体積を画定し得る。あるいは、壁１６２は、電極１６６又は１６８まで延びず、また、上部表面１５６と同じ高さとすることもできる。図には示さない別の実施形態では、壁１６２は、４辺形の断面をもつ直線構成であり、好ましくは正方形又は長方形である。
【００７３】
壁１６２は、好ましくは円筒形状の内面１６４を有し、ウエル１５８の体積を画定する。内面１６４が、ウエル１５８の深さまで延びることが好ましい。ウエル１５８の底部又は底部付近の位置で、対電極１６６及び／又は動作電極１６８は、ウエル１５８の底部表面を構成する。この底部表面は、それが異なる材料から形成されるという点で、プレート１５０又はウエル１５８と一体でないことが好ましい。対電極１６６及び動作電極１６８は、ウエル１５８内で同じ平面とすることもできるし、あるいは異なる深さのところにあるものとすることもできる。内面１６４、対電極１６６及び動作電極１６８があいまって、液体及び固体、ゲル並びに類似の状態の物質を保持するのに適した容器を形成することが好ましい。
【００７４】
ウエル間領域１７０は、プレート１５０を貫通して延びる開いた通路とするか、好ましくは、プレート１５０と一体のベース構造を含む。このようなベース構造は、ウエル１５８を個々に識別するしるしを担持し得る。コーナ陥凹部１７２に加えて、プレート１５０は、別の識別用のしるしを担持し得る。例えば、プレート１５０は、上部表面１５６、内部リップ１５４の外側、外部リップ１５２の外面、プレート１５０の下面、あるいは、プレート１５０上の他のところにバーコード識別用ストライプパターンを含むことができる。
【００７５】
好ましい代替実施形態では、プレート１５０は、任意の数のウエルを有するマルチウエルアッセイプレートとして構成することができる。例えば、１ウエル、６ウエル、２４ウエル、９６ウエル、３８４ウエル、１５３６ウエル、６１４４ウエル及び９６００ウエルプレートを、ここで説明する本発明に従って構築することができる。本発明のマルチウエルアッセイプレートは、１〜２個、２〜６個、６〜２４個、２４〜９６個、９６〜３８４個、３８４〜１５３６個、１５３６〜９６００個、６１４４〜１００，０００個の範囲の値をとるか、あるいは１００，０００個よりも大きい値をとる複数のウエルを有し得る。好ましい実施形態では、１０ｎＬ〜１００ｎＬ、１００ｎＬ〜１μＬ、１μＬ〜１００μＬ、１００μＬ〜１ｍＬ及び５００μＬ〜１０ｍＬの範囲の値をとる容積のウエルを有する。プレート１５０のウエル１５８は、多くの異なる形状及びサイズ、例えば、矩形断面をもつウエル、極めて浅いウエル、又はへこみ（くぼみ）などで構成し、それによって、特定の反応の基準や既存の機器に対応し、また、本発明による一体型ＥＣＬ電極技術を実施することができる。
【００７６】
アッセイ試薬（例えば、結合試薬、共同反応物、ＥＣＬタグ）は、ウエル１５８の底部表面上に固定化することができる。これらの試薬は、底部表面上に共有結合的又は非共有結合的に固定化することができる。動作電極１６８上に試薬を固定化すると有利である。好ましい実施形態では、動作電極１６８上のアッセイドメイン中にアッセイ試薬を固定化する。これらのアッセイドメインは、別個にすることもできるし、隣接させることもできる。いくつかの実施形態では、アッセイ試薬を含む複数の別個のアッセイドメインが、動作電極１６８上に存在する。
【００７７】
一実施形態によれば、このプレートは、ウエルを覆い、それによって、蒸発を少なくするか、あるいは防ぎ、かつ／又は汚染を防止するように適合されカバー又は蓋あるいはプレートシール（「カバー」）をさらに備える。このカバーは、例えば、硬質プラスチックカバー又は粘着性の可撓性テープとすることができる。このカバーは、使い捨て、かつ／又は再利用可能とすることができる。
【００７８】
一実施形態によれば、このカバーは、プレート内の感光性コンポーネントを保護するために不透明である。この実施形態では、発光測定の前にこのカバーを取り外す。別の実施形態によれば、このカバーは、透明、好ましくは、それを通した発光測定を可能とするのに十分に透明である。蓋の有害な曇りを防ぐために、このカバーの少なくとも底部表面を（例えば、親水性又は疎水性の被覆で）処理することが好ましい。一実施形態によれば、底部表面は、結露を少なくし、それによって、曇りを少なくするために疎水性である。代替実施形態によれば、底部表面は、均一な濡れを促し、それによって、曇りも少なくするために親水性である。
【００７９】
５．１．１  マルチウエルアッセイプレートのウエルの実施形態
図２Ａ〜Ｄ、図３Ａ〜Ｃ、図４Ａ〜Ｅに、ウエル１５８の複数の代替構成を示す。これらの図には、第１電極（好ましくは動作電極）と、第２電極（好ましくは対電極）と、いくつかの場合には、境界とを有するウエルを示す。これらの図には、各コンポーネントの露出表面を示す。本発明のいくつかの実施形態では、これらのコンポーネントの一部は、他のコンポーネントの下に埋め込まれた追加の表面を有し得る。第１及び第２電極は、電気的に接触していない（例えば、垂直及び／又は水平次元で、これらの電極間に少なくとも狭いギャップ又はなんらかの介在材料がある）ことが好ましい。図では、動作電極表面と対電極表面の分離を示す線は、こうしたギャップ又は介在材料を表す。動作電極は、ウエル底部の中央又はほぼ中央に配置し、それによって、動作電極で生成される発光がウエル壁で遮られるのを最小限に抑えることが好ましい。対電極は、ウエルの縁部又はほぼ縁部のところに配置することが好ましい。図２Ａに、内面１６４を有する壁１６２、対電極１６６及び動作電極１６８を備えるウエル２００を示す。ウエル２００は、任意選択で、（図示しない）参照電極を備えることができる。図に示すように、壁１６２の内面１６４により円筒形の体積が画定される。この円筒形体積の底部又は底部付近で、対電極１６６が、内面１６４と円形動作電極１６８の間の環状区域内を延びる。壁１６２は、プレート１５０について前に述べた材料からなることが好ましい。ただし、壁１６２は、他の材料からなることもでき、かつ／又は、その表面１６４上に被覆を有することもできる。対電極１６６は、動作電極１６８の表面と同じ平面とすることもできるし、異なる深さのところに設けることもできる。対電極１６６は、内面１６４に付着させた材料又は被覆とすることもできる。対電極１６６自体が、動作電極１６８の上で円筒形体積を画定することが好ましい。好ましくは、対電極１６６の内径は、内面１６４の半径の少なくとも２０％、より好ましくは、内面１６４の半径の少なくとも５０％、最も好ましくは、内面１６４の半径の少なくとも８０％である。対電極１６６は、動作電極１６８に電気的に直接接触せず、電極１６６と１６８の間にギャップ又は（図示しない）絶縁層が介在することが好ましい。
【００８０】
図２Ｂに、ウエル１５８の別の実施形態であるウエル２２０を示す。ウエル２２０は、内面２２４を有する壁２２２、対電極２２６Ａ及び２２６Ｂ並びに動作電極２３０を備える。対電極２２６Ａ及び２２６Ｂは、内面２２４の対向する面に接する対称な電極区域であることが好ましい。対電極２２６Ａ及び２２６Ｂは、電極間に介在するギャップ又は絶縁層によって、動作電極２３０から電気的に絶縁されることが好ましい。好ましくは、対電極２２６Ａ及び２２６Ｂはそれぞれ、内面２２４で画定される断面積の４０％未満、より好ましくは、この面積の２０％未満、最も好ましくは、この面積の１０％未満である。ウエル２２０は、任意選択で、（図示しない）参照電極を備えることができる。
【００８１】
図２Ｃに、ウエル１５８の別の実施形態であるウエル２４０を示す。ウエル２４０は、内面２４４を有する壁２４２、対電極２４６Ａ及び２４６Ｂ並びに動作電極２５０を備える。好ましい対電極２４６Ａ及び２４６Ｂは、内面２４４の対向する面に接する。対電極２４６Ａ及び２４６Ｂは、電極間に介在するギャップ（又は絶縁層）２４８Ａ及び２４８Ｂによって、動作電極２５０から電気的に絶縁されることが好ましい。好ましくは、対電極２４６Ａ及び２４６Ｂはそれぞれ、内面２４４で画定される断面積の４０％未満、より好ましくは、この面積の２０％未満、最も好ましくは、この面積の１０％未満である。ウエル２４０は、任意選択で、（図示しない）参照電極を備えることができる。
【００８２】
図２Ｄに、ウエル１５８の別の実施形態であるウエル２６０を示す。ウエル２６０は、内面２６４を有する壁２６２、対電極２６６及び動作電極２７０を備える。好ましい対電極２６６は、内面２６４に接する。対電極２６６は、電極間に介在するギャップ（又は絶縁層）２６８によって、動作電極２７０から電気的に絶縁されることが好ましい。好ましくは、対電極２６６は、内面２６４で画定される断面積の４０％未満、より好ましくは、この面積の２０％未満、さらに好ましくは、この面積の１０％未満、さらに好ましくは、この面積の５％未満、最も好ましくは、この面積の１％未満である。ウエル２６０は、任意選択で、（図示しない）参照電極を備えることができる。
【００８３】
図３Ａに、ウエル１５８の別の実施形態であるウエル３００を示す。ウエル３００は、内面３０４を有する壁３０２、対電極３０６Ａ及び３０６Ｂ並びに動作電極３１０を備える。ウエル３００は、任意選択で、（図示しない）参照電極を備えることができる。対電極３０６Ａ及び３０６Ｂは、内面３０４に接することが好ましい。対電極３０６Ａ及び３０６Ｂは、電極間に介在するギャップ（又は絶縁層）３０８Ａ及び３０８Ｂによって、動作電極３１０から電気的に絶縁されることが好ましい。動作電極３１０は、内面３０４に接触してよいが、必要条件ではない。動作電極３１０は、１つ又は複数のアッセイドメイン３１２を有する。アッセイドメイン３１２は、アッセイ試薬を含み得る。アッセイドメイン３１２は、（結合ドメインを形成するための）アッセイ結合試薬、反応基質（例えば、酵素活性の基質）又は較正試薬を含むことが好ましい。アッセイドメイン３１２は、乾燥体、液体、ゲル又は固体の形態のアッセイ試薬を含み得る。これらの試薬を、動作電極３１０上に固定化することができる。アッセイドメイン３１２は、サンプル中の１つ又は複数の検体用の結合試薬を含むことができ、アッセイドメインはそれぞれ、同じ又は異なるアッセイ試薬を含み得る。アッセイドメイン３１２は、動作電極３１０の表面上の指定した位置に試薬を被着させることによって（例えば、試薬を被着させるための周知の様々な方法で）形成するか、あるいは、動作電極３１０に（例えば、動作電極３１０を構成する材料に混入する試薬として）組み込むことができる。別の実施形態では、アッセイドメイン３１０は、互いにかつ／又は動作電極３１０の表面の他の領域と異なる物理的、化学的又は組成上の特性をもつ動作電極３１０の領域として画定される。例えば、アッセイドメインは、特に、親水性又は疎水性の領域、表面積が大きい又は小さい領域、へこみ又は突起、物理的な障壁に囲まれた領域及び／又は導電率が高い又は低い領域を表し得る。また、アッセイドメインは、電極表面上に被着させた１種又は複数種の材料（例えば、ゲル）を備えた領域を含み得る。図３Ｂ及び３Ｃにそれぞれ、追加の実施形態を示すウエル３３０及び３６０を示す。ウエル３３０は、アッセイドメイン３１２とは異なるパターンで配置されたアッセイドメイン３３６を有する。ウエル３６０は、アッセイドメイン３６６用に異なる形状を示すアッセイドメイン３６６を有する。本明細書で説明するように、アッセイドメインの形状、数、分配パターン及び特性には多くの変形があり得、それらすべてが本発明に包含されることを理解されたい。好ましくは、各ウエルは、１個又は複数個のドメイン、好ましくは少なくとも２個、より好ましくは少なくとも４個、さらに好ましくは少なくとも７個、さらに好ましくは少なくとも１５個、最も好ましくは少なくとも２０個のアッセイドメインを含む。別の好ましい実施形態は、各ウエルが、ウエル当たり少なくとも５０個、より好ましくは少なくとも７５個、さらに好ましくは少なくとも１００個のアッセイドメインを備えるプレートを含む。
【００８４】
図４Ａ〜４Ｅに、ウエル１５８の実施形態を示す。これらの実施形態は、動作電極上で１つ又は複数の別個の露出領域及び／又はアッセイドメインを画定するために境界を使用しているところを示す。各図は、露出領域又はアッセイドメインの特定の数、形状及び配置を示しているが、本発明は、これらのパラメータが変化するウエルを包含することを理解されたい。図４Ａに、ウエル１５８の別の実施形態であるウエル４００を示す。図４Ａには、電極上で別個の領域（特に、上記で説明したアッセイドメイン）を形成するために境界を使用しているところを示す。ウエル４００は、内面４０４を有する壁４０２、対電極４０６Ａ及び４０６Ｂ並びに動作電極４１０を備える。ウエル４００は、任意選択で、（図示しない）参照電極を備えることができる。対電極４０６Ａ及び４０６Ｂは、内面４０４に接することが好ましい。対電極４０６Ａ及び４０６Ｂは、電極間に介在するギャップ（又は絶縁層）４０８Ａ及び４０８Ｂによって、動作電極４１０から電気的に絶縁される。動作電極４１０は、内面４０４に接触してよいが、必要条件ではない。動作電極４１０は、それぞれ境界４１６で画定された内部領域４１８を有する複数の領域４２０を含む（代替実施形態では、ウエル４００は１つの領域４２０しかもたない）。境界４１６は、動作電極４１０上に被着させた材料、あるいは、動作電極４１０と同じ材料からなり得る。境界４１６は、動作電極４１０から材料が取り除かれた領域とすることができる。境界４１６は、物理的、化学的又は組成的に異なる特性をもつ動作電極４１０の領域を含むこともできる。例えば、境界４１６は、内部領域４１６に対して相対的に、親水性又は疎水性とすることもできるし、表面積を大きく又は小さくし、異なる高さを有し、かつ／又は、導電率を高く又は低くすることもできる。境界４１６は、動作電極４１０の表面上に被着させた非導電性材料又は誘電体材料からなることが好ましい。境界４１６は、動作電極４１０と同じ平面とすることもできるし、動作電極４１０の表面から外に延びるか、あるいは中に延びることもできる。内部領域４１８は、上記で説明したアッセイドメインを含み得る。好ましい実施形態では、境界４１６により、動作電極４１０上に材料（例えば、液体、アッセイ試薬など）が閉じ込められる。境界４１６を用いて、例えば、内部領域４１８に沈着させる液体が、動作電極４１０の周囲の領域又は対電極４０６Ａ及び４０６Ｂに広がるのを妨げることによって、（例えば、動作電極４１０上に画定されたアッセイドメイン上に試薬を制御して固定化することができるように）領域４２０への材料の被着の助けとなるか、あるいは、被着を誘導することができる。一実施形態では、境界４１６内に閉じ込められた流体その他の材料の凹凸は、レンズとして機能し得る。境界４１６は、本発明の機器を使用した測定中のしるしとして機能することもでき、それによって、例えば、アッセイドメインの位置決め又は識別を行うことができる。図４Ｂに、ウエル１５８の別の実施形態であるウエル４３０を示す。ウエル４３０は、内面４３２を有する壁４３１、対電極４３４Ａ及び４３４Ｂ並びに動作電極４４４を備える。ウエル４３０は、任意選択で、（図示しない）参照電極を備えることができる。動作電極４４４の露出領域は、内部境界及び外部境界を有する境界４４０によって画定される（あるいは、境界４４０中の複数の穴が、動作電極４４４の複数の露出領域を画定し得る）。境界４４０は、対電極４３４Ａ及び４３４Ｂに接することができ、また、内面４３２に接することができる。あるいは、境界４４０は、対電極４３４Ａ及び４３４Ｂの下を延びることもできるし、あるいは、対電極４３４Ａ及び４３４Ｂの上を少なくとも部分的に延びることもできる。いくつかの実施形態では、境界４４０は、対電極４３４Ａ及び４３４Ｂの下を延び、それらを動作電極４４４から電気的に絶縁する。境界４４０は、動作電極４４４上に被着させた材料からなることができる。また、境界４４０は、動作電極４４４と同じ材料からなることもできるし、同じ材料としないこともできる。境界４４０は、動作電極４４４から材料が取り除かれた領域とすることができる。境界４４０は、物理的、化学的又は組成的に異なる特性をもつ動作電極４４４の領域を含むこともできる。境界４４０は、動作電極４４４の表面上に被着させた誘電体材料からなることが好ましい。境界４４０は、動作電極４４４と同じ平面とすることもできるし、動作電極４４４の表面から外に延びるか、あるいは中に延びることもできる。動作電極４４４は、上記で説明したように、アッセイドメインを有し得る。好ましい実施形態では、境界４４０により、（例えば、動作電極４４４上に試薬を制御して固定化することができるように）動作電極４４４上に材料（例えば、液体、アッセイ試薬など）が閉じ込められる。境界４４０を用いて、例えば、液体が、動作電極４４４の周囲の領域又は対電極４３４Ａ及び４３４Ｂに広がるのを妨げることによって、動作電極４４４への材料の被着の助けとなるか、あるいは、被着を誘導することができる。境界４４０は、本発明の機器を使用した測定中のしるしとして機能することもできる。好ましい実施形態では、動作電極４４４は、導電材料であり、自立型であるか、あるいは、他の材料上で支持される。境界４４０は、動作電極４４４上に被着させた、境界４４０の内部境界で画定された領域を除いて動作電極４４４を覆う非導電性材料である。境界４４０上に対電極４３４Ａ及び４３４Ｂを被着させ、境界４４０によって動作電極４４４から電気的に絶縁する。内面４３２を伴う壁４３１は、対電極４３４Ａ及び４３４Ｂの外部境界を画定し、かつウエル４３０の内壁を画定するように働く。別の実施形態では、境界４４０は、対電極４３４Ａ及び４３４Ｂの下を延びない。
【００８５】
図４Ｃに、ウエル１５８の別の実施形態であるウエル４６０を示す。ウエル４６０は、内面４６２を有する壁４６１、対電極４６４Ａ及び４６４Ｂ並びに動作電極４７４を備える。ウエル４６０は、任意選択で、（図示しない）参照電極を備えることができる。動作電極４７４の露出領域は、境界４７０によって画定される。境界４７０は、対電極４６４Ａ及び４６４Ｂに接することができ、また、内面４６２に接することができる。あるいは、境界４７０は、対電極４６４Ａ及び４６４Ｂの下又は上を延びることができる。いくつかの実施形態では、境界４７０は、対電極４６４Ａ及び４６４Ｂの下を延び、それらを動作電極４７４から電気的に絶縁する。境界４７０は、動作電極４７４上に被着させた材料からなることができる。また、境界４７０は、動作電極４７４と同じ材料からなることもできるし、同じ材料としないこともできる。境界４７０は、動作電極４７４から材料が取り除かれた領域とすることができる。境界４７０は、物理的、化学的又は組成的に異なる特性をもつ動作電極４７４の領域を含むこともできる。境界４７０は、動作電極４７４の表面上に被着させた誘電体材料からなることが好ましい。境界４７０は、動作電極４７４と同じ平面とすることもできるし、動作電極４７４の表面から外に延びるか、あるいは中に延びることもできる。動作電極４７４は、上記で説明したように、アッセイドメインを有し得る。好ましい実施形態では、境界４７０により、動作電極４７４上に材料（例えば、液体、アッセイ試薬など）が閉じ込められる。また、境界４７０を用いて、例えば、液体が、動作電極４７０の周囲の領域又は対電極４６４Ａ及び４６４Ｂに広がるのを妨げることによって、動作電極４７４への材料の被着の助けとなるか、あるいは、被着を誘導することができる。境界４７０は、本発明の機器を使用した測定中のしるしとして機能することもできる。好ましい実施形態では、動作電極４７４は、導電材料であり、自立型であるか、あるいは、他の材料上で支持される。境界４７０は、動作電極４７４上に被着させた、動作電極４７４を覆う非導電性材料である。境界４７０上に対電極４６４Ａ及び４６４Ｂを被着させ、境界４７０によって動作電極４７４から電気的に絶縁する。内面４６２を伴う壁４６１は、対電極４６４Ａ及び４６４Ｂの外部境界を画定し、かつウエル４６０の内壁を画定するように働く。別の実施形態では、境界４７０が対電極４６４Ａ及び４６４Ｂの上又は下を延びないように、動作電極４７４上に境界４７０を被着させる。ウエル４６０は、ウエル３００、３３０及び３６０について上記で説明したように、アッセイドメイン４７６を伴う動作電極４７４を有する。別の実施形態では、動作電極４７４上のアッセイドメイン４７６は、ウエル４００について上記で説明したように、追加の境界によって画定される。
【００８６】
図４Ｄに、ウエル１５８の別の実施形態であるウエル４８０を示す。ウエル４８０は、内面４８４を伴う壁４８２、対電極４８８Ａ及び４８８Ｂ、境界４９２並びに動作電極４９４を備える。ウエル４８０は、任意選択で、（図示しない）参照電極を備えることができる。動作電極４９４の領域４９９Ａ及び４９９Ｂは、境界４９８Ａ及び４９８Ｂによって画定される。境界４９８Ａ及び４９８Ｂは、動作電極４９４上に被着させた材料からなることもできるし、動作電極４９４と同じ材料からなることもできる。境界４９８Ａ及び４９８Ｂは、動作電極４９４から材料が取り除かれた領域とすることができる。境界４９８Ａ及び４９８Ｂは、物理的、化学的又は組成的に異なる特性をもつ動作電極４９４の領域を含むこともできる。例えば、境界４９８Ａ及び４９８Ｂは、親水性又は疎水性とすることもできるし、表面積を大きく又は小さく、かつ／又は、導電率を高く又は低くすることもできる。境界４９８Ａ及び４９８Ｂは、動作電極４９４の表面上に被着させた非導電性材料又は誘電体材料からなり、物理的な境界を提供できることが好ましい。境界４９８Ａ及び４９８Ｂは、動作電極４９４と同じ平面とすることもできるし、動作電極４９４の表面から外に延びるか、あるいは中に延びることもできる。露出した動作電極領域４９９Ａ及び４９９Ｂは、上記で説明したように、アッセイドメインを含み得る。好ましい実施形態では、境界４９８Ａ及び４９８Ｂにより、動作電極４９４上に材料（例えば、液体、アッセイ試薬など）が閉じ込められる。また、境界４９８Ａ及び４９８Ｂを用いて、例えば、沈着させた液体が、動作電極４９４の周囲の領域又は対電極４８８Ａ及び４８８Ｂに広がるのを妨げることによって、内部領域４９９Ａ及び４９９Ｂへの材料の被着の助けとなるか、あるいは、被着を誘導することができる。境界４９８Ａ及び４９８Ｂは、本発明の機器を使用した測定中のしるしとして機能することもできる。
【００８７】
図４Ｅに、ウエル１５８の別の実施形態であるウエル４９００を示す。ウエル４９００は、内面４９０３を伴う壁４９０２、対電極４９０４Ａ及び４９０４Ｂ、ギャップ４９０６Ａ及び４９０６Ｂ（これらのギャップは、対電極４９０４Ａ及び４９０４Ｂから動作電極４９１０を分離する誘電体表面であることが好ましい）、及び動作電極４９１０を露出させる複数の穴４９１２を備えた障壁４９０８を備える。ウエル４９００は、任意選択で、（図示しない）参照電極を備えることができる。好ましい実施形態では、境界４９０８は、（例えば、動作電極４９１０上に画定されたアッセイドメイン上に試薬を制御して固定化することができるように）微量の液体を閉じ込めることができる境界を電極の露出領域に提供する誘電体材料とすることができる。動作電極４９１０は、境界４９０８中の複数の穴４９１２が動作電極４９１０を露出させる領域内で、その表面上に固定化したアッセイ試薬を有し得る。また、境界４９０８を用いて、穴４９１２が動作電極４９１０を露出させるところで、動作電極４９１０への材料の被着の助けとなるか、あるいは、被着を誘導することができる。
【００８８】
５．１．２  電極
本発明の一態様は、改善された電極組成及び表面、並びにこれらの電極組成及び表面を含むアッセイモジュールに関する。本発明における電極は、導電材料からなることが好ましい。この電極は、金、銀、白金、ニッケル、鋼、イリジウム、銅、アルミニウム、導電性合金などの金属を含み得る。この電極は、酸化物で被覆した金属（例えば、酸化アルミニウムで被覆したアルミニウム）も含み得る。一実施形態によれば、動作及び対電極は、同じ材料ではない（例えば、金属の対電極及びカーボンの動作電極）。これらの電極は、カーボン、カーボンブラック、グラファイトカーボン、カーボンナノチューブ、カーボンフィブリル、グラファイト、カーボンファイバ及びそれらの混合物などカーボンベースの材料からなることが好ましい。これらの電極は、元素カーボン（例えば、グラファイト、カーボンブラック、カーボンナノチューブなど）を含むことが好ましい。これらの電極は、導電性カーボンポリマー複合材、基材中に分散させた導電性粒子（例えば、カーボンインク、カーボンペースト、金属粉インク）及び／又は導電性ポリマーからなり得ると有利である。本発明の好ましい一実施形態は、アッセイモジュール、好ましくはマルチウエルプレートである。このマルチウエルプレートは、カーボン、好ましくはカーボン層、より好ましくはスクリーン印刷されたカーボンインク層を含む電極（例えば、動作電極及び／又は対電極）を有する。いくつかの有用なカーボンインクには、Ａｃｈｅｓｏｎ  Ｃｏｌｌｏｉｄｓ社（例えば、Ａｃｈｅｓｏｎ  ４４０Ｂ、４２３ｓｓ、ＰＦ４０７Ａ、ＰＦ４０７Ｃ、ＰＭ−００３Ａ、３０Ｄ０７１、４３５Ａ、Ｅｌｅｃｔｒｏｄａｇ  ５０５ＳＳ及びＡｑｕａｄａｇ（商標））、Ｅ．Ｉ．Ｄｕ  Ｐｏｎｔ  ｄｅ  Ｎｅｍｏｕｒｓ社（例えば、Ｄｕｐｏｎｔ  ７１０５、７１０１、７１０２、７１０３、７１４４、７０８２、７８６１Ｄ及びＣＢ０５０）、Ｃｏｎｄｕｃｔｉｖｅ  Ｃｏｍｐｏｕｎｄｓ社（例えば、Ｃ−１００）及びＥｒｃｏｎ社（例えば、Ｇ−４５１）により生産される材料が含まれる。
【００８９】
電極は、半導体材料（例えば、シリコン、ゲルマニウム）又はＩＴＯ（インジウムスズ酸化物）、ＡＴＯ（アンチモンスズ酸化物）などの半導体フィルムからなることもできる。電極は、導電性複合材、インク、ペースト、ポリマー混合物、金属／非金属複合材などを含む材料の混合物からなることもできる。このような混合物には、非導電性材料と混合した導電材料又は半導体材料が含まれ得る。電極材料は、シリコーンベースの材料を実質的に含まないことが好ましい。電極は、成型加工（すなわち、電極の製作中に）、パターン被着、パターン印刷、選択エッチング、打抜き又はレーザ穿孔などの切断加工、及び／又は電子回路微細加工技術の分野で周知の技術（例えば、化学エッチング、レジスト材料の光学的パターン形成、マイクロリソグラフィ技術など）によってパターンに形成することができる。
【００９０】
「カーボンフィブリル」、「カーボンナノチューブ」、ＳＷＮＴ（単層ナノチューブ）、ＭＷＮＴ（多層ナノチューブ）、「グラファイトナノチューブ」、「グラファイトフィブリル」、「カーボン細管」、「フィブリル」及び「バッキーチューブ」という用語はすべて、広範なクラスのカーボン材料を記載するために用いることができる。（Ｄｒｅｓｓｅｌｈａｕｓ，Ｍ．Ｓ．、Ｄｒｅｓｓｅｌｈａｕｓ，Ｇ．、Ｅｋｌｕｎｄ，Ｐ．Ｃ．の「フラーレン及びカーボンナノチューブの科学（Ｓｃｉｅｎｃｅ  ｏｆ  Ｆｕｌｌｅｒｅｎｅｓ  ａｎｄ  Ｃａｒｂｏｎ  Ｎａｎｏｔｕｂｅｓ）」Ａｃａｄｅｍｉｃ  Ｐｒｅｓｓ、米国カリフォルニア州サンディエゴ、１９９６年を参照されたい。）この出願を通じて、この広範なクラスのカーボンベースの材料を含むように、「フィブリル」及び「カーボンフィブリル」という用語を用いる。
【００９１】
米国特許第４，６６３，２３０号、第５，１６５，９０９号、第５，１７１，５６０号に開示されている個々のカーボンフィブリルは、特に有利である。これらは、直径が約３．５ｎｍ〜７０ｎｍの範囲の値をとり、長さが直径の１０２倍よりも長く、配列された炭素原子からなる本質的に連続した多層の外部領域及び別個の内部コア領域を有する。単なる例として、カーボンフィブリルの典型的な直径は、約７〜２５ｎｍであり、一般に、長さは、１０００ｎｍ〜１０，０００ｎｍの範囲の値をとり得る。また、カーボンフィブリルは単層の炭素原子を有することもでき、その直径は１ｎｍ〜２ｎｍの範囲である。
【００９２】
カーボン材料は、凝集体を形成するように作製することができる。例えば、米国特許第５，１１０，６９３号及びその中で引用されている参照文献に開示されているように、２つ以上の個々のカーボンフィブリルにより、からみあったフィブリルからなる微視的な凝集体を形成することができる。これらの凝集体の寸法は、５ｎｍ〜数ｃｍの範囲の値をとり得る。単なる例として、１つのタイプの微視的な凝集体（「綿菓子すなわちＣＣ」）は、からみあったファイバのスピンドル又はロッドに類似しており、直径５ｎｍ〜２０，０００ｎｍ、長さ１００ｎｍ〜１ｍｍの範囲の値をとり得る。再度、例として、別のタイプのフィブリルの微視的な凝集体（「鳥の巣すなわちＢＮ」）はほぼ球形であり、その直径は０．１μｍ〜１，０００μｍの範囲の値をとり得る。それぞれのタイプ（ＣＣ及び／又はＢＮ）又はそれぞれの混合物のより大きな凝集体を形成することができる（下記参照）。
【００９３】
本発明で使用することができるフィブリルには、個々のフィブリル、１つ又は複数のフィブリルの凝集体、１つ又は複数のフィブリルの懸濁液、フィブリルの分散体、フィブリルと他の材料（例えば、オイル、パラフィン、ワックス、ポリマー、ゲル、プラスチック、粘着剤、エポキシ、テフロン（登録商標）、金属、有機液体、有機固体、無機固体、酸、塩基、セラミック、ガラス、ゴム、エラストマー、生体分子及び培地など）の混合物及びそれらの組合せが含まれるが、これらに限定されるものではない。本発明の好ましい一実施形態は、カーボンナノチューブ含有複合材を含む基板を備えるマルチウエルプレートに関する。その基板の表面をエッチングしてカーボンナノチューブを露出させ、それによって、１つ又は複数の動作電極を形成する。
【００９４】
電極は、自立型とすることもできるし、他の材料、例えば、フィルム、プラスチックシート、粘着フィルム、紙、裏地、メッシュ、フェルト、繊維材料、ゲル、固体（例えば、金属、セラミック、ガラス）、エラストマー、液体、テープ、粘着剤、他の電極、誘電体材料などの上で支持することもできる。この支持体は、剛体状又は可撓性のもの、平坦又は変形したもの、透明、半透明、不透明又は反射性のものとすることができる。この支持体は、アセテート、ポリカーボネート、ポリプロピレン、ポリエステル（例えば、マイラー（Ｍｙｌａｒ））、ポリイミド（例えば、カプトン（Ｋａｐｔｏｎ））又はポリスチレンなどのプラスチックの平坦なシートを含むことが好ましい。一実施形態によれば、この材料は、材料の脆性を低減させるために、ＨＩＰＳ（耐衝撃性ポリスチレン）を混合したポリスチレンを含む。好ましくは４〜１６重量％のＨＩＰＳ、より好ましくは約８〜１２重量％のＨＩＰＳをポリスチレンと混合する。塗り、吹付け被覆、スクリーン印刷、インクジェット印刷、レーザプリンティング、スピンコーティング、蒸着被覆、化学気相成長、積層化など当技術分野で周知の様々な被覆及び被着プロセスによって、支持体に電極材料を付着させることができる。支持された電極は、（例えば、電子回路の微細加工において確立した技術である）フォトリソグラフィ技術を使用して、選択エッチングによって、かつ／又は選択成長（例えば、マスクによって行われる蒸着又はＣＶＤプロセス）によって、パターン化することができる。好ましい実施形態では、電極は、導電性カーボン／ポリマー複合材の押出しフィルムからなる。別の好ましい実施形態では、電極は、基板上に被着させスクリーン印刷した導電インクからなる。別の実施形態は、化学的にエッチングした金属（例えば、鋼）又は打抜きアルミニウム蒸着フィルムを含む対電極と、スクリーン印刷した動作電極の組合せを含む。
【００９５】
電極は、別の導電材料で支持することができる。導電性カーボン電極を導電性金属ペーストに接触させることができると有利である。例えば、電極上に結合試薬などのアッセイ試薬が固定化されるように、電極を被覆化又は改変する（又はできるようにする）ことが好ましい。例えば、抗体、抗体の断片、タンパク質、酵素、酵素基質、阻害剤、補因子、抗原、ハプテン、リポタンパク質、リポサッカライド、細菌、細胞、細胞内成分、細胞受容体、ウイルス、核酸、抗原、脂質、糖タンパク質、炭水化物、ペプチド、アミノ酸、ホルモン、タンパク質結合性リガンド、薬剤、及び／又はそれらの組合せを付着させることができる。非生物体を付着させることも望ましい。こうした非生物体は、ポリマー、エラストマー、ゲル、被覆、ＥＣＬタグ、酸化還元活性種（例えば、トリプロピルアミン、オキサレート）、無機材料、化学官能基、キレート剤、リンカーなどであるが、これらに限定されるものではない。試薬は、受動結合、特異結合を含めて、様々な方法によって、かつ／又は電極表面上に存在する官能基と共有結合を形成することによって、電極上に固定化することができる。
【００９６】
電極を化学的又は機械的な処理によって改変して、試薬の固定化を改善することができる。表面を処理して試薬固定化用の官能基を導入することもできるし、結合特性を増強することもできる。また、表面処理を利用して、電極表面の特性、例えば、表面上での水の広がり、あるいは、電極表面における電気化学プロセスの反応速度に影響を及ぼすことができる。ここで利用することができる技術には、電磁放射、電離放射、プラズマ、あるいは、酸化剤、求電子体、求核性物質、還元剤、強酸、強塩基、及び／又はそれらの組合せなどの化学試薬への暴露が含まれる。１つ又は複数の電極コンポーネントをエッチングする処理は、電極の粗さ、したがって、電極の表面積を増加させることによって、特に有益となり得る。ポリマー基質又は結合剤中に導電性粒子又はファイバ（例えば、カーボン粒子又はフィブリル）を有する複合材電極の場合、ポリマーの選択エッチングを利用して、導電性粒子又はファイバを露出させることができる。
【００９７】
１つの特に有用な実施形態は、電極の改変であり、よりおおまかには、プラズマ、具体的には、グロー放電とも称する低温プラズマで処理することによって本発明に組み込まれる材料である。電極の表面特性を変えるためにこの処理を行って、処理中に電極をプラズマと接触させる。プラズマ処理により、例えば、電極の物理的特性、化学的組成又は表面の化学的特性を変えることができる。これらの変化により、例えば、試薬の固定化の助けとなり、汚染物質が減り、他の材料への粘着性が向上し、表面の濡れ性が変化し、材料の被着が容易になり、パターンが生成され、かつ／又は均一性が向上し得る。有用なプラズマの例には、酸素、窒素、アルゴン、アンモニア、水素、過フッ化炭化水素、水及びそれらの組合せが含まれる。酸素プラズマは、カーボンポリマー複合材料中のカーボン粒子を露出させるのに特に好ましい。また、酸素プラズマを用いて、カルボン酸その他の酸化炭素官能基をカーボン又は有機材料中に導入することができ（これらは、例えば、活性エステル又は塩化アシルとして活性化することができる）、それによって、試薬を結合することができる。同様に、アンモニア含有プラズマを用いて、アッセイ試薬に結合するのに使用するアミノ基を導入することができる。
【００９８】
電極表面の処理は、試薬の固定化を改善するか、あるいは容易にし、電極の濡れ特性を変え、表面積を増加させ、試薬を固定化するか、あるいは検体を結合する結合能力を増加させ、かつ／又は、電極における電気化学反応速度を変化させるのに有利であり得る。しかし、いくつかの応用例では、未処理の電極を使用すると好ましいことがある。例えば、本発明者らは、電極の面積当たりのダイナミックレンジを広く、したがって、結合能力を高くすることが必要な応用例のとき、結合試薬（例えば、アビジン、ストレプトアビジン又は抗体）を結合させる前にカーボンインク電極をエッチングすると有利であることを見いだした。本発明者らは、（例えば、酸素プラズマによる）酸化エッチングには、ＴＰＡ（トリプロピルアミン）を酸化するための電位及び水に対する接触角がともに、エッチングしていないインクに対して小さくなるという点で、追加の利点があることを見いだした。水に対する接触角が小さいと、微量の水性緩衝液中の試薬を付着させることによって電極上に試薬を結合させることができ、電極表面の上でその微小量を均一に広げることができる。意外にも、本発明者らは、インク中にポリマー結合剤が存在するにも関わらず、エッチングしていないカーボンインク電極上で、優れたアッセイを行うこともできることを見いだした。実際、高感度又は非特異性結合が低いことが必要ないくつかの応用例では、エッチングしていないカーボンインク電極を使用して、露出カーボンの表面積を最小限に抑え、したがって、試薬が露出カーボンに非特異的に結合することから生じるバックグラウンド信号及び試薬の損失を最小限に抑えることが好ましい。使用するインク及びインクを塗布するのに使用するプロセスに応じて、水溶液で電極表面を容易に濡らすことができないことがある。本発明者らは、試薬溶液に低濃度の非イオン性界面活性剤を添加して、電極表面の上で溶液が広がるのを容易にすることによって、試薬結合時の電極の低い濡れ性を補償できることを見いだした。微量溶液から試薬を局所的に固定化する際、均一に広がることが特に重要である。例えば、本発明者らは、０．００５〜０．０４％のＴｒｉｔｏｎ  Ｘ−１００（登録商標）を添加すると、電極へのタンパク質の結合に影響を及ぼすことなく、かつ、電極表面に液体を閉じ込めるために電極上又は電極に隣接して付着させた誘電体フィルム（好ましくは、厚さ０．５〜１００ミクロン、より好ましくは２〜３０ミクロン、最も好ましくは８〜１２ミクロンの、鋭角に画定された縁部を有する印刷された誘電体フィルム）の能力を阻害することなく、エッチングしていないカーボンインク表面の上でタンパク質溶液を広げることができることを見いだした。好ましくは、Ｔｒｉｔｏｎ  Ｘ−１００などの非イオン性界面活性剤を使用して、エッチングしていないスクリーン印刷した電極上に捕捉試薬を広げるのを容易にすると（すなわち、捕捉試薬を固定化することができるように）、電極表面上で捕捉試薬を含む溶液を乾燥させることができる。この乾燥ステップにより、固定化プロセスの効率及び再現性が大きく向上することがわかった。
【００９９】
電極に他の材料を付着させるのに使用することができる化学反応基で電極を被覆することができる。材料を、これらの反応基に共有結合的に付着させるか、あるいは、被覆電極又は非被覆電極に非共有結合的に結合させることができる。
【０１００】
電極は、その表面に共有結合的に付着させた化学反応基によって調製することができる。これらの化学反応基には、ＣＯＯＨ、ＯＨ、ＮＨ２、活性化カルボキシル基（例えば、ＮＨＳ（ヒドロキシサクシンイミド）エステル）、ポリ（エチレングリコール）、チオール、アルキル（（ＣＨ２）ｎ）基及び／又はそれらの組合せが含まれるが、これらに限定されるものではない。ある種の化学反応基（例えば、ＣＯＯＨ、ＯＨ、ＮＨ２、ＳＨ、活性化カルボキシル基）を用いて、電極に試薬を結合させることができる。さらに、有用な固定化及びバイオコンジュゲーション技術を参照するには、Ｇ．Ｈｅｒｍａｎｓｏｎ、Ａ．Ｍａｌｌｉａ、Ｐ．Ｓｍｉｔｈの「固定化親和性リガンド技術（Ｉｍｍｏｂｉｌｉｚｅｄ  Ａｆｆｉｎｉｔｙ  Ｌｉｇａｎｄ  Ｔｅｃｈｎｉｑｕｅｓ）」、Ａｃａｄｅｍｉｃ  Ｐｒｅｓｓ、米国カリフォルニア州サンディエゴ、１９９２年及びＧ．Ｈｅｒｍａｎｓｏｎの「バイオコンジュゲート技術（Ｂｉｏｃｏｎｊｕｇａｔｅ  Ｔｅｃｈｎｉｑｕｅｓ）」、Ａｃａｄｅｍｉｃ  Ｐｒｅｓｓ、米国カリフォルニア州サンディエゴ、１９９６年を参照されたい。
【０１０１】
好ましい実施形態では、ＮＨＳエステル基を用いて、求核性化学官能基（例えば、アミン）を担持する他の分子又は材料を付着させる。好ましい実施形態では、求核性化学官能基は、自然に、かつ／又は、化学的な被覆によって、生体分子上及び／又は生体分子中に存在する。適切な生体分子の例には、アミノ酸、タンパク質及びその機能性断片、抗体、抗体の結合断片、酵素、核酸及びそれらの組合せが含まれるが、これらに限定されるものではない。これは、多くのこのような可能な技術の１つであり、一般に、ここで挙げた例及び他の多くの類似の材料及び／又は生体分子に適用可能である。好ましい実施形態では、ＮＨＳエステル基によって、ＥＣＬに使用することができる試薬を電極に付着させることができる。
【０１０２】
ＥＣＬアッセイで使用することができる試薬は、共有結合（例えば、ＮＨＳエステルとの反応）によって、適切なリンカーとの反応によって（上記参照）、非特異的結合によって、かつ／又はそれらの組合せによって、電極に付着させることができる。
【０１０３】
材料が電極に非特異的に結合する度合いを制御することが望ましいことがある。単なる非限定的な例として、タンパク質、抗体、抗体の断片、細胞、細胞内粒子、ウイルス、血清及び／又は１つ又は複数のその成分、ＥＣＬタグ（例えば、ＲｕＩＩ（ｂｐｙ）３及びＲｕＩＩＩ（ｂｐｙ）３の誘導体）、オキサレート、トリアルキルアミン、抗原、検体及び／又はそれらの組合せの非特異的結合を少なくするか、あるいは妨げることが望ましいことがある。別の例では、生体分子の結合を増強させることが望ましいことがある。
【０１０４】
非特異的結合を少なくするか、あるいは妨げる（ブロック基としても知られる）１つ又は複数の化学的部分を、電極中、又は電極上、あるいは電極の近傍に存在させることができる。このような部分、例えば、ＰＥＧ部分及び／又は荷電残基（例えば、リン酸、アンモニアイオン）を、電極上に付着又は被覆させることができる。有用な遮断試薬の例には、タンパク質（例えば、血清アルブミン及び免疫グロビン）、核酸、酸化ポリエチレン、酸化ポリプロピレン、酸化ポリエチレン及び酸化ポリプロピレンのブロック共重合体、ポリエチレンイミン及び洗剤又は界面活性剤（例えば、Ｂｒｉｊ、Ｔｒｉｔｏｎ、Ｔｗｅｅｎ、Ｔｈｅｓｉｔ、Ｌｕｂｒｏｌ、Ｇｅｎａｐｏｌ、Ｐｌｕｒｏｎｉｃ、Ｔｅｔｒｏｎｉｃ及びＳｐａｎの商標名で知られる非イオン性洗剤／界面活性剤のクラス）が含まれる。
【０１０５】
電極に使用する材料は、非特異的結合を少なくするために界面活性剤で処理することができる。例えば、当業者には周知の界面活性剤及び／又は洗剤（例えば、Ｔｗｅｅｎシリーズ、Ｔｒｉｔｏｎ、Ｓｐａｎ、Ｂｒｉｊ）で電極を処理することができる。ＰＥＧの溶液及び／又はＰＥＧと同様に振る舞う分子（例えば、オリゴ又はポリサッカライド、その他の親水性オリゴマー又はポリマー）（Ｈａｒｒｉｓ，Ｊ．Ｍ．（監修）の「ポリエチレングリコールの化学：バイオ技術及び生物医学的応用（Ｐｏｌｙｅｔｈｙｌｅｎｅ  ｇｌｙｃｏｌ  ｃｈｅｍｉｓｔｒｙ：Ｂｉｏｔｅｃｈｎｉｃａｌ  ａｎｄ  Ｂｉｏｍｅｄｉｃａｌ  Ａｐｐｌｉｃａｔｉｏｎｓ）」、Ｐｌｅｎｕｍ  Ｐｒｅｓｓ、１９９２年）を、界面活性剤及び／又は洗剤の代わりに、かつ／又はそれらとあいまって用いることができる。遮断剤の競合的な非特異的結合によって、例えば、ＢＳＡ（ウシ血清アルブミン）又はＩｇＧ（免疫グロブリンＧ）などのタンパク質によって、上記に挙げたある種の実体の望ましくない非特異的結合を阻止することができる。電極上にアッセイ試薬を結合又は共有結合的に付着させ、その後、表面上の残りのあいている部位を遮断するために遮断剤で電極を処理することができる。
【０１０６】
好ましい実施形態では、（共有結合的又は非共有結合的な手段で）生体分子その他の培地を、カーボン含有材料、例えば、カーボンブラック、フィブリル及び／又は別の材料中に分散させたカーボンに固定化することが望ましいことがある。抗体、抗体の断片、タンパク質、酵素、酵素基質、阻害剤、補因子、抗原、ハプテン、リポタンパク質、リポサッカライド、細胞、細胞内成分（例えば、細胞小器官又は膜の断片）、細胞受容体、ウイルス、核酸、抗原、脂質、糖タンパク質、炭水化物、ペプチド、アミノ酸、ホルモン、タンパク質結合性リガンド、薬剤、及び／又はそれらの組合せを付着させることができる。非生物体を付着させることが望ましいこともある。こうした非生物体は、ポリマー、エラストマー、ゲル、被覆、ＥＣＬタグ、酸化還元活性種（例えば、トリプロピルアミン、オキサレート）、無機材料、キレート剤、リンカーなどであるが、これらに限定されるものではない。複数の化学種を同時に結合させて、電極表面上に混合層を形成することができる。
【０１０７】
一般に、本発明のマルチウエルアッセイプレートで使用する電極は非多孔質であるが、いくつかの応用例では、多孔質電極（例えば、カーボンファイバ又はフィブリルのマット、焼結金属、及び、濾過膜、紙その他の多孔質基板上に被着させた金属フィルム）を使用すると有利である。こうした応用例には、ｉ）（例えば、溶液中の分子を電極表面上の分子に結合させる速度を増加させるために）電極表面への質量移動を増加させ、ｉｉ）電極表面上の粒子を捕捉し、かつ／又は、ｉｉｉ）ウエルから液体を除去するために、電極を通して溶液の濾過を行うものが含まれる。
【０１０８】
本発明のアッセイモジュールで使用する電極は、有利に発光種から発光を誘起することができる。電極は、生物培地と適合し、発光測定で一般に用いる試薬を通さず、堅固な材料からなることが好ましい。
【０１０９】
動作電極は、電極について上記で概略の説明をした１つ又は複数の特性を有し得る。動作電極用の材料は、（トリプロピルアミンなどの）第３級アルキルアミンの存在下で、ルテニウムトリスビピリジンから電気化学発光を誘起することができる材料であることが好ましい。このような好ましい材料の例には、白金、金、ＩＴＯ、カーボン、カーボンポリマー複合材、導電性ポリマーが含まれる。一実施形態では、動作電極は、１種又は複数種の導電材料からなる連続した導電シート又はフィルム製である。こうしたシート又はフィルムは、押出し、プレス又は成型加工することができ、また、自立型とすることができる。好ましい実施形態では、動作電極は、カーボンポリマー複合材でできている。このような複合材は、基質（例えば、ＥＶＡ、ポリスチレン、ポリエチレン、ＡＢＳなどのポリマー）中に分散させた導電性カーボン粒子（例えば、カーボンフィブリル、カーボンブラック、グラファイトカーボン）からなり得る。動作電極は、他の導電材料をさらに含むこともでき、例えば、導電複合材上に導電性金属粉インクを印刷することができる。
【０１１０】
別の実施形態では、動作電極は、（例えば、印刷、塗り、被覆、スピンコーティング、蒸着、化学気相成長、電着、無電解メッキ、フォトリソグラフィその他の電子回路微細加工技術などによって）基板上に被着させ、かつ／又はパターン化した導電材料でできている。好ましい実施形態では、動作電極は、（例えば、インクジェット印刷、レーザプリンティング、最も好ましくはスクリーン印刷によって）ポリマー支持体上に印刷した導電性カーボンインクを含む。動作電極は、連続フィルムとすることができる。動作電極は、１つ又は複数の離散領域（例えば、パターン）とするか、あるいは、複数の連結領域とすることができる。動作電極は、他の導電材料をさらに含むこともでき、例えば、カーボンインクの上層を、導電性金属粉インク（例えば、銀インク）の下層の上に被着させることができる。この下層は、このフィルムの導電率を高くするために使用する。この下層が確実に完全に覆われるように多層状に上層の印刷又は被着を行い、それによって、下層が後続の加工ステップ又はＥＣＬ測定と干渉しないようにすると有益であり得る（例えば、好ましい電極材料は、銀インクの層の上に、２層、好ましくは３層のカーボンインクを含む。これらの層を、最も好ましくは、スクリーン印刷によって被着させる）。あるいは、１層又は２層のカーボンを使用することができる。印刷した銀インク層の上に１つ又は複数の印刷したカーボンインク層を含む電極では、この銀の層の厚さは、好ましくは２．５ミクロン〜２５ミクロン、より好ましくは４〜７ミクロン（あるいは、好ましくは２オーム／平方未満、より好ましくは０．０５〜０．２オーム／平方の抵抗が生じる厚さ）であり、組み合わせたカーボン層の厚さは、好ましくは２．５〜７５ミクロン、より好ましくは６〜２５ミクロン（あるいは、好ましくは１００オーム／平方未満、より好ましくは３０オーム／平方未満、最も好ましくは２０〜３０オーム／平方の抵抗が生じる厚さ）である。
【０１１１】
対電極は、上記で、電極について概略説明し、かつ動作電極について説明した１つ又は複数の特性を有し得る。一実施形態では、対電極は、１種又は複数種の導電材料からなる連続した導電シート又はフィルム製である。こうしたシート又はフィルムは、押出し、プレス又は成型加工することができ、また、自立型とすることができる。好ましい実施形態では、対電極は、カーボンポリマー複合材でできている。このような複合材は、基質（例えば、ＥＶＡ、ポリスチレン、ポリエチレン、ＡＢＳなどのポリマー）中に分散させた導電性カーボン粒子（例えば、カーボンフィブリル、カーボンブラック、グラファイトカーボン）からなり得る。対電極は、他の導電材料をさらに含むこともでき、例えば、導電複合材上に導電性金属粉インクを印刷することができる。
【０１１２】
別の実施形態では、対電極は、金属被覆フィルム又はフォイルからなる。本発明の好ましい一実施形態は、カーボン（好ましくは、カーボンインク又は基材中に分散させたカーボン粒子、例えば、カーボンナノチューブ）を含む動作電極と、（好ましくは、アルミニウム、ステンレス鋼、ニッケル又は銀を含む）金属被覆フィルム又はシートあるいはフォイルを含む対電極とを（好ましくは、プレートの２つ以上のウエルに）含むウエルを有するマルチウエルプレートである。フォイル対電極は、自立型とすることもできるし、他の材料上で支持することもできる。対電極は、粘着材料、非導電層及び／又は支持材料さらに含むこともできる。このフォイルが、業界標準のマルチウエルアッセイプレートのウエルパターンに対応するパターンで、穴を有することができると有利である。打抜き、穿孔、焼き加工、レーザ穿孔、機械加工、エッチング、あるいはその他の方法で連続フィルムから材料を除去することによって穴を導入するか、あるいは、穴が組み込まれるようにフィルムを生成する（例えば、成型する）ことができる。好ましい実施形態では、対電極は、アルミニウムフィルム又はフォイルで一方の面が被覆され、好ましくは、脱着可能な裏当てストリップを有する粘着層で反対側の面が被覆されたプラスチックシート又は支持部から形成される。
【０１１３】
別の実施形態では、対電極は、（動作電極について上記で説明したように）基板上に被着させ、かつ／又はパターン化した導電材料でできている。好ましい実施形態では、対電極は、ポリマー支持体上に印刷した導電性カーボンインクを含む。対電極は、連続フィルムとすることができる。対電極は、１つ又は複数の離散領域（例えば、パターン）とするか、あるいは、複数の連結領域とすることができる。対電極は、他の導電材料をさらに含むこともでき、例えば、基板上に導電インク（例えば、銀インク）を印刷することができ、対電極の導電インクと接触させることができる。
【０１１４】
本発明の装置の予想しなかった特徴は、独立した参照電極及びポテンシオスタットを使用することなく（すなわち、動作、対向及び参照の３電極構成を用いることなく）、精確かつ正確で再現性のよい電極誘起発光アッセイ、特に電気化学発光アッセイを行うことができることである。（動作及び対電極の）２電極システムでは、動作及び対電極の両端に印加する電位は、２つの電極／溶液界面全体で少なくとも部分的に分配される。対電極表面における電位の特質が規定されないと、動作電極における電位がそのまま不確定になる。この問題は、溶液中の酸化還元対、好ましくは、対電極表面に閉じ込めた酸化還元対によって規定される安定な界面電位を有する対電極を使用することによって解決することができる（このような対電極を「対／参照電極」と称することがある）。有用な「対／参照電極」材料のいくつかの例には、銀／塩化銀などの金属／ハロゲン化金属対、銀／酸化銀、ニッケル／酸化ニッケル及び亜鉛／酸化亜鉛などの金属／酸化金属対及び酸化マンガンなどの多重金属酸化状態が可能な酸化金属が含まれる。性能を最適化するために、このような「対／参照電極」は、十分に高濃度の利用可能な酸化還元種を有し、それによって、ＥＣＬ測定中の電極の分極を防止するべきである。
【０１１５】
意外にも、本発明者らは、２電極構成及び一般には有用な「対／参照電極」とみなされない対電極、例えば、（おそらくは元々の酸化層がある状態の）アルミニウム及び（カーボンブラック、グラファイト及び／又はカーボンフィブリルを含有する複合材を含めて）様々な形態のカーボンを用いたＥＣＬ測定で、優れた性能及び精度（例えば、変動係数が１０％未満、より好ましくは５％未満、さらに好ましくは２％、最も好ましくは１％未満）を観測した。理論に拘泥するのではなく、この予想しなかった性能は、ｉ）ＥＣＬ用マルチウエルアッセイプレートを製造するための安定した再現性のよいプロセスを維持し、ｉｉ）ＥＣＬの誘起中に比較的安定した化学的環境を維持し、かつ／又は、ｉｉｉ）適切な電圧又は電流波形を選択したことによって得られたと考えられる。一般に、ＥＣＬを生成するのに典型的に用いる高電流条件下では、対電極における界面電位は、その電極における水に対する還元電位で決まる。電極表面及び化学的環境が比較的安定したままである限り、界面電位は、極めて再現性がよくなり得る。好ましくは、ＥＣＬを誘起するのに用いる電圧／電流波形では、ｉ）ＥＣＬを誘起するのに十分な電圧又は電流を印加すること、及び、ｉｉ）（おそらくは、ＥＣＬ共同反応物の消費又は電極表面上のアッセイ成分の分解のために）ＥＣＬ強度が減衰するまでＥＣＬを維持することが必要である。こうした条件下で、ＥＣＬと時間の関係をグラフにすると、最大値をもつ形になる。このような波形により、動作電極及び対電極電位、溶液抵抗などのある種のばらつきが許容される。これらの変動は、ＥＣＬ最大値の開始及び終了をシフトする傾向があるが、これらの変動が、最大値以下の光信号を積分した合計に及ぼす影響ははるかに小さい。特に好ましい電圧／電流波形は、電圧が、ＥＣＬを誘起するのに必要なものよりも低い電圧から立ち上がり、ＥＣＬ信号をその最大強度の１０％よりも小さくなるまで減衰させるのに十分に高い電位で終了する。
【０１１６】
意外にも、本発明者らは、動作電極の幾何学的露出表面積以下の幾何学的露出表面積をもつ対電極を使用するにも関わらず、２電極システムを用いたＥＣＬ測定で、優れた性能及び精度（例えば、変動係数が１０％未満、より好ましくは５％未満、さらに好ましくは２％、最も好ましくは１％未満）が得られることを見いだした。上記で説明した従来とは異なる対電極材料を用いるときでさえ、このような優れた性能が得られる。対照的に、標準の電気化学アッセイでは、対電極における化学的プロセス又は質量移動プロセスによって電流が制限されることのないように、動作電極よりも対電極が大型であることが極めて有利であると考えられる。対電極の表面積を小さくすると、ＥＣＬアッセイ用のマルチウエルアッセイプレートの設計上、ある利点が得られる。対電極面積を小さくすることによって、活動動作電極面積が大きくすることが可能になり、それによって、電極表面で生じる反応速度、動作電極上に固定化した結合試薬を使用するアッセイの結合能力及び／又は所与の動作電極上にパターン化し得るアッセイドメインの数を増加させることが可能になる。本発明のマルチウエルプレートの好ましい実施形態では、動作及び対電極の幾何学的表面積の比は、１、２、５、１０、５０のそれぞれよりも大きいか、最も好ましくは１００よりも大きい。
【０１１７】
多くの応用例では、（上記で説明した理由から）電極表面積がアッセイ領域の大きな部分を占めると有利であるが、他の応用例では、動作電極の露出表面が小さい（好ましくは４ｍｍ２未満、より好ましくは１ｍｍ２未満、さらに好ましくは０．１ｍｍ２未満、最も好ましくは０．０１ｍｍ２未満）と有利なことがある。例えば、いくつかの場合には、動作電極表面を小さくすると、感度が高くなり、非特異的信号が小さくなることがある。例えば、動作電極上に固定化した結合試薬を使用して行う結合アッセイでは、結合試薬の標識された結合相手からの信号は、（電極の結合能力が、標識されたすべての結合相手を結合するのに十分であり、結合反応が完了するように進行することができると仮定して）電極面積にほぼ無関係であるはずである。例えば、非特異的結合による非特異的信号は、電極面積に対してほぼ一次従属であるべきである。このような条件下では、電極面積を小さくすると、特異的信号と非特異的信号の比が向上させることができる。本発明のマルチウエルアッセイプレートの一実施形態によれば、ウエル底部は動作電極を備え、動作電極表面とウエル底部の表面積（あるいは、ウエル底部上の誘電体表面）の比は、１〜５未満、好ましくは１〜１０、より好ましくは１〜３０である。
【０１１８】
本発明者らが２電極システムで観測した優れた性能にも関わらず、いくつかの特殊な応用例では、ポテンシオスタットによって動作電極電位を制御することができるように、独立した参照電極を有するマルチウエルアッセイプレートが必要なことがある。参照電極は、動作及び対電極について上記で説明した材料及び方法を用いて作製することができる。参照電極は、電極表面に閉じ込めた酸化還元対で規定される安定な界面電位を有することが好ましい。このような特性を有する材料の例には、銀／塩化銀などの金属／ハロゲン化金属対、銀／酸化銀、ニッケル／酸化ニッケル及び亜鉛／酸化亜鉛などの金属／酸化金属対及び酸化マンガンなどの多重金属酸化状態が可能な酸化金属が含まれる。多くの参照電極材料は、それらの化学的環境（例えば、ｐＨ又はハロゲンイオン濃度）で決まる表面電位を有する。必要なら、電極表面上で直接、明確な化学的環境をもたらす（例えば、水素イオン又はハロゲンイオン濃度を制御する）だけでなく、フィルムに出入りするイオンの通過を可能にするフィルム（例えば、親水性ポリマーフィルム）で電極を被覆することによって、化学的環境の変動から参照電極を保護することができる。イオン不透過性フィルムでポリマーフィルムのかなりの部分を覆い、それによって、ポリマーフィルムに出入りするイオン流の要件と、フィルム中の化学的環境が、サンプル又は試薬溶液との接触の影響をほぼ受けないままになる要件とを均衡させると有利なことがある（例えば、米国特許第５，３８４，０３１号及び第４，９３３，０４８号を参照されたい）。
【０１１９】
本発明の電極及び電源は、直接接続してもよいし、好ましくは、金属などの導電基材、導電性カーボン含有材料又は複合材、導電性ポリマーあるいは電解質溶液で形成した導電性のリード線又は経路を介して接続してもよい。本発明の一実施形態は、電解質溶液を介して電源に接続した電極（例えば、いわゆる「浮遊電極」）を備えるアッセイモジュールに関する。このような電極は、電極誘起発光（最も好ましくは、電気化学発光）を誘起するように適合されることが好ましい。例として、図４Ｅに示すマルチウエルアッセイプレートのウエルの一実施形態では、対電極４９０４Ａ及び４９０４Ｂは、電気エネルギー源の２つの極に独立に接続されるように適合させることができる。この実施形態の使用法では、電極４９０４Ａ及び４９０４Ｂの両端に電位を印加して電極４９１０中に電位を誘起し、それによって、電極４９１０における発光標識から発光（最も好ましくは、電気化学発光）を誘起することが好ましい。
【０１２０】
５．１．３  誘電体
本発明のアッセイモジュールでは、誘電体インク、フィルムその他の電気的絶縁材料（以下では、誘電体と称する）を用いることができる。本発明では、誘電体を用いて、電極間の電気的接続性を妨げ、パターン化領域を画定し、材料を互いに粘着させ（すなわち、粘着剤として）、材料を支持し、マスクとして、しるしとしてアッセイドメインを画定し、かつ／又は、アッセイ試薬その他の流体を保持することができる。誘電体は、非導電性であり、有利には非多孔質であり（すなわち、材料を透過させず）、電極誘起発光測定で用いる培地の存在下で溶解又は劣化しにくい。本発明では、これらの誘電体は、液体、ゲル、固体、又は基材中に分散させた材料とすることができる。それらを非硬化の形態で被着させ、硬化させて固体にすることができる。それらは、インク、固体フィルム、テープ又はシートであり得る。誘電体に用いる材料には、ポリマー、フォトレジスト、ハンダマスク、プラスチック、粘着剤、ゲル、ガラス、非導電性インク、非導電性ペースト、セラミック、紙、エラストマー、シリコーン、熱可塑性樹脂が含まれる。本発明の誘電体材料は、シリコーンを実質的に含まないことが好ましい。非導電性インクに例には、ＵＶ硬化性誘電体、例えば、Ａｃｈｅｓｏｎ  Ｃｏｌｌｏｉｄｓ社（例えば、Ａｃｈｅｓｏｎ  ４５１ＳＳ、４５２ＳＳ、ＰＦ−０２１、ＰＤ−０３９、ＭＬ２５２５１、ＭＬ２５２４０、ＭＬ２５２６５及びＥｌｅｃｔｒｏｄａｇ  ３８ＤＪＢ１６クリアタイプ）、Ｎａｚｄａｒ社（ＳＰＬ  ４０００シリーズのハーフトーンインク）、及びＥ．Ｉ．ｄｕ  Ｐｏｎｔ  ｄｅ  Ｎｅｍｏｕｒｓ社（例えば、Ｄｕｐｏｎｔ  ５０１８、３５７１及び５０１７）により生産される材料が含まれる。
【０１２１】
本発明の誘電体は、例えば、印刷、吹付け、積層などの様々な手段で付着させるか、あるいは、粘着剤、接着剤、溶剤、あるいは、機械式ファスナを使用して取り付けることができる。誘電体層中のパターン及び／又は穴は、成型加工（すなわち、層の製作中に）、選択エッチング、かつ／又は、打抜き又はレーザ穿孔などの切断加工によって形成することができる。誘電体は、確立されたフォトリソグラフィ技術（例えば、半導体エレクトロニクス業界で使用する技術）の使用、及び／又は、（例えば、マスクによる被着による）蒸着又はＣＶＤプロセスを用いたパターン被着によってパターンで被着させ、かつ／又はエッチングすることができる。好ましい実施形態では、印刷（例えば、インクジェット印刷、レーザプリンティング、より好ましくはスクリーン印刷）によって基板上に誘電体インクを被着させ、任意選択で、ＵＶ硬化させる。スクリーン印刷した誘電体は、溶剤ベースの誘電体よりも縁部の画定を改善することができるＵＶ硬化性であることが好ましい。別の実施形態では、粘着剤を用いて支持部に非導電性ポリマーフィルムを付着させる。
【０１２２】
電極上又はそれに隣接して印刷した誘電体インクを使用して、電極表面の領域に流体を閉じ込めるとき、誘電体フィルムは、０．５〜１００ミクロン、より好ましくは２〜３０ミクロン、最も好ましくは８〜１２ミクロンの厚さを有し、急峻な壁を伴う鋭角に画定された縁部を有することが好ましい。
【０１２３】
５．１．４  プレート上部
本発明は、プレート上部及び組立プレートを含む。この組立プレートは、プレート上部と、好ましくは、ウエル底部を画定するプレート底部とを備える。このウエル底部は、１つ又は複数の電極表面を有し、最も好ましくは、１つ又は複数の動作電極と、任意選択で、１つ又は複数の対電極表面とを有する。好ましくは、このプレート上部はホールを備えた構造であり、この構造をプレート底部と組み合わせてマルチウエルプレートを形成することができる。プレートのウエルの壁は、プレート上部を貫通するホールの内面によって少なくとも部分的に画定される。プレート上部を貫通するホールは、様々な形状（例えば、円、楕円、正方形、長方形、三角形、星形など）とすることができる。これらのホールは、様々なサイズのものとすることができる。これらは、ホール内で不規則な寸法をとることもできる（例えば、ホールは、様々な深さのところで狭めたり、広げたりできる）。例えば、ホールを、底部でより狭くなる円錐状の形状にして、ウエル底部から放出される光の収集を最適化することができる。プレート上部は、プレート上部を識別し、プレート上部を他のプレート上部構成と区別し、あるいは、プレート上部を位置合わせしハンドリングする際の助けとなる構造又はしるしをプレート上部上に有することもできる。プレート上部の寸法及び構造が、好ましくはアッセイプレートの占有面積及び形状の業界標準に従っているか、あるいは、少なくとも互換性があると有利である。
【０１２４】
このプレート上部は、導電性又は非導電性材料製とすることができる。このプレート上部の大部分は、ポリエチレン、アセテート、ポリカーボネート、ポリプロピレン、ポリエステル（例えば、マイラー（Ｍｙｌａｒ））、ポリイミド（例えば、カプトン（Ｋａｐｔｏｎ））又はポリスチレンなど熱可塑性の剛体材料でできた一体成型構造であることが好ましい。この支持体は、平坦なプラスチックシートを含むことが好ましい。一実施形態によれば、この材料は、材料の脆性を低減させるために、ＨＩＰＳ（耐衝撃性ポリスチレン）を混合したポリスチレンを含む。好ましくは４〜１６重量％のＨＩＰＳ、より好ましくは約８〜１２重量％のＨＩＰＳをポリスチレンと混合する。この一体構造を、反応物を実質的に通さず、適度のレベルの熱及び光に耐性があり、好ましくは、生体分子を結合させにくい安価な材料で形成する（あるいは、それらで被覆する）と最適である。このプレート上部は、シリコーンを実質的に含まないことが好ましい。プレート上部は、透明又は半透明とすることができる。異なる色の材料を用いて、ある種のＥＣＬ測定プロセスの結果を改善することができる。
【０１２５】
ウエル間のクロストークを防止するために、このプレート上部は、光を透過させない材料を含むことが好ましい。高反射性金属被覆又はその構成材料により、各ウエルごとに、特に高反射性の内面が得られ、それによって、光検出器に送ることができる光の効率が高くなる。光散乱粒子（例えば、酸化鉛、アルミナ、シリカ、好ましくは酸化チタン粒子）を充填したプラスチックなどの不透明な白色プラスチック材料より、光を強く散乱させ、したがって、光の収集効率が向上するウエル用の内面が得られる。一実施形態では、好ましいプレート上部は、４〜２０重量％、好ましくは６〜２０％、より好ましくは６〜１５％、さらに好ましくは６〜１２％、最も好ましくは約９％又は１０％の濃度でこのような光散乱粒子を含むプラスチックを含む（例えば、ウエル壁）。好ましい代替実施形態では、このプレート上部は、不透明な、好ましくは、非反射性の黒色材料を含み、それによって、ＥＣＬにより生成された光がウエル内の異なる場所から反射又は散乱するのが妨げられ、ＥＣＬ試験測定中の反射性の干渉が妨げられる。一般に、ウエルから放出される光の画像形成を行うとき（例えば、カメラを使用して、ウエルから放出される光の画像を生成するとき）、（例えば、プレート上部で画定された）ウエルの内面が、吸収性（例えば、黒色）の、好ましくは非散乱性材料を含むと有利である。というのは、散乱光を検出すると、画像の忠実性を低減させることになるからである。一般に、画像を形成しないモードで光を検出するとき（例えば、単一の光検出器を使用して、ウエルから放出されるすべての光を検出するとき）、ウエル壁における光の結合による光の損失を妨げ、かつ検出器での光の収集が最大限に大きくなるように、ウエルの内面が反射性又は高散乱の材料を含むと有利である。
【０１２６】
本発明の別の態様は、本発明のアッセイモジュール（例えば、プレート上部、カセット部など）、特に、発光アッセイで使用するアッセイモジュールに用いる改善された材料に関する。より具体的には、本発明者らは、プレート上部などのアッセイモジュールコンポーネントを形成するのに用いる改善された材料を見いだした。この材料により、バックグラウンド発光が少なくなる。
【０１２７】
上記で説明したように、プレート上部にＴｉＯ２を添加すると、ウエルからの光の収集効率を高め、ウエル間のクロストークを防止する高光散乱性表面が得られる。ＴｉＯ２プレートを使用することの１つの欠点は、装置に挿入する前にプレートがＵＶ又は蛍光に曝されると、比較的長寿命（数分程度）で発光することである。この光強度は、指数関数的に減衰し、このため、望ましくない時間依存性のバックグラウンド強度信号が生じる。酸化チタンがこの光の発光源と考えられる。（推測ではあるが）この光の放出の原因についての１つの説明は、バンドギャップ光による励起の後で、ＴｉＯ２中で光により生成される正孔が生じることである。この正孔が水と反応して、ヒドロキシルラジカルが生成される。このヒドロキシルラジカルが、ＴｉＯ２の伝導帯電子と反応すると、光が発生する。
【０１２８】
この問題を克服するために、プレート読取りサイクル中に「読取り前の待機」時間を設け、かつ／又は、光学フィルターを用いてこの影響を少なくすることが好ましい。しかし、さらなる調査の後で、本出願人らは、適切なＴｉＯ２（より具体的には、ある種の方法で作製したＴｉＯ２）を選択すると、バックグラウンド発光が大きく減少し、装置内の光学フィルターの必要がなくなることを見いだした。より具体的には、発光を減少させる被覆を有するＴｉＯ２を用いると、光学フィルターを使用することなく、測定前の待機時間を２分未満、好ましくは１分未満、より好ましくは５０秒未満、さらに好ましくは４０秒未満、さらに好ましくは３０秒未満、最も好ましくは約１０秒未満に短くすることができる。この待機時間は、データ処理アルゴリズム及び所与のアッセイの信号レベル特性によって決まることに留意されたい。より高度なアルゴリズムを利用して、ＴｉＯ２の減衰発光のために必要となるこの待機時間をさらに短くすることができる（例えば、バックグラウンド信号の２次フィッティング又は指数適合）。
【０１２９】
酸化チタンは、（最も一般的な）ルチル、（存在可能であるが、あまり一般的でない）アナターゼ、（まれな）ブルカイトという３つの異なる結晶形態で存在する。さらに、最も多く市販されているＴｉＯ２は、製造時に表面処理を受ける。表面処理には、有機的及び無機的の２つのタイプがある。このＴｉＯ２は、製造時にいずれか又は両方のプロセスを受けることがある。有機処理は、ＴｉＯ２粒子の表面エネルギーを下げるのに用い、それによって、ＴｉＯ２粒子がポリマー中によく分散するようになる。有機処理を行わないと、親水性のＴｉＯ２は分散せず、凝集したままになる。ＴｉＯ２に対する一般の有機表面処理は、多価アルコール（低分子量のポリエチレングリコール）、シリコーン及びポリジメチルシロキサンによる処理である。無機表面処理を行うと、ＵＶ光によるフリーラジカルの破壊が妨げられるので、白色顔料に耐久性がもたらされる。一般の無機処理には、リン酸、アルミナ、ジルコニア及びシリカが含まれる。フリーラジカルによる損傷から保護するには、アルミナ及びジルコニアが好ましい有機処理である。
【０１３０】
本出願人らは、プレート上部などのアッセイモジュールコンポーネントへの添加剤として無機表面処理したＴｉＯ２を使用すると、バックグラウンド発光が減少することを見いだした。したがって、本発明の一実施形態は、無機処理にかけられたＴｉＯ２を含むアッセイモジュールコンポーネントに関する。好ましくは、この無機処理は、リン酸、アルミナ、ジルコニア及びシリカ、より好ましくはアルミナ及び／又はジルコニア、最も好ましくはアルミナから選択する。したがって、好ましい一実施形態によれば、このＴｉＯ２は、無機被覆、好ましくはアルミナ被覆を含む。意図しない発光は、フィルター、比較的短い波形及び／又はより高度なデータ処理アルゴリズムを用いることによっても少なくすることができる。例えば、所望のＥＣＬ信号の波長（好ましくは５００〜８００ｎｍ、より好ましくは５５０〜６５０ｎｍ）を透過させ、プレート上部からの発光（好ましくは、５００ｎｍ未満の波長の光）を吸収する光学フィルターを選択することができる。あるいは、短いが強いＥＣＬバーストを生成する電圧波形（例えば、傾斜が１Ｖ／ｓよりも急なランプ波形）を使用してＥＣＬを誘起し、それによって、ＥＣＬ測定中のバックグラウンド発光の積分値を最小限に抑える。あるいは、データ処理アルゴリズムを用いて、バックグラウンド発光を減算する。例えば、ＥＣＬ測定前にバックグラウンド発光を測定する。ＥＣＬを測定し、バックグラウンド発光を減算する。バックグラウンド発光の減衰特性が既知であるか、あるいは測定されている場合、（例えば、バックグラウンド発光がある時定数で指数関数的に減衰するとモデル化するか、あるいは、指数関数的な減衰の線形近似を用いることによって）、バックグラウンド発光測定とＥＣＬ測定の間の時間に合わせて補正に用いるバックグラウンド発光値を調整することができる。
【０１３１】
図２Ｅに、本発明の好ましい実施形態によるプレート上部２８０を示す。プレート上部２８０は、プレート上部本体２８１、上部表面２８２、ウエル壁２８５及びウエル内面２８６を備える。プレート上部２８０は、上部表面２８２及び内面２８６で画定された１つ又は複数のホール２８４を有する。プレート上部２８０は、上記で説明した光吸収／反射／散乱特性を有することが好ましい。ホール２８４は、上記で説明したように構成されることが好ましい。プレート上部２８０は、プレート上部２８０の識別用の物理的なしるしを提供する１つ又は複数のコーナ陥凹部２８７も有する。特に、コーナ陥凹部２８７により、プレート上部２８０の位置合わせ及びハンドリングが容易になり、プレート上部２８０を、それぞれの周辺部に沿って異なる構成の陥凹区域を有する他のプレートと区別する際の助けとなる。プレート上部本体２８１の寸法及び構造は、同様なタイプのアッセイプレートの占有面積及び形状の業界標準に従うことが好ましく、あるいは、少なくとも互換性があると有利である。また、プレート上部２８０は、個々のホール２８４を識別するのに用いることができる印字２８３を備えることが好ましい。
【０１３２】
図２Ｆに、プレート上部２８０の別の実施形態を示す。プレート上部２９０には、複数のホール２９１を備えたプレート上部を示す。好ましい実施形態では、プレート上部２９０中のホール２９１は、正方形の断面形状を有する。代替実施形態では、ホール２９１は、円形の断面形状を有し、プレートの上部から離れるにつれてその直径が小さくなる。図２Ｆで、プレート上部２８０は、２次元アレイの行及び列で配置された３８４個のホール２９１を有する。図２Ｇに、プレート上部２８０の別の実施形態を示す。プレート上部２９５には、ホール２９７のアレイを備えたプレート上部を示す。好ましい実施形態では、プレート上部２９５中のホール２９７は、円形の断面形状を有する。代替実施形態では、ホール２９７は、正方形の断面形状を有する。図２Ｇでは、プレート上部２９５は１５３６個のホールを有する。
【０１３３】
また、本発明は、アッセイモジュール上部と、アッセイモジュール上部及びプレート底部又はアッセイモジュール基板を備える組立アッセイモジュールとを含む。このアッセイモジュール上部は、（上記で説明した）プレート上部とすることができる。このアッセイモジュール上部は、例えば、ホール、チャネル及び／又はウエルを有し得る。これらにより、アッセイモジュール上部をプレート底部又はアッセイモジュール基板と合わせたときに、ウエル及び／又はチャンバが画定される。このようなウエル及び／又はチャンバは、プレート底部又はアッセイモジュール基板によって設けられる１つ又は複数の電極（及び／又はアッセイドメイン）を備えることが好ましい。このアッセイモジュール上部は、アッセイモジュールのウエル、フローセル及びチャンバに出入りして、かつ／又はそれらの間でサンプルが流れることができるように、追加のチャネル、チューブその他のマイクロフルイディクスを有する。
【０１３４】
５．１．５  電極／接点構成
本発明の別の態様は、新規な電極及び／又は接点構成に関する。本発明によれば、電極及び接点の形状、組成、配置／位置、構成、パターン、厚さ、表面特性及び他の多くの特性を最適化し、それによって、改善された方法及びシステムが得られる。
【０１３５】
電極の構成を最適化すると、（ｉ）アッセイアレイの密度をより高くすることができ、（ｉｉ）複数のウエル及び／又はアッセイドメイン全体にわたって電圧変動を減少させることができ、（ｉｉｉ）アッセイモジュールを独立にアドレス可能な部分に分割することができ（例えば、マルチウエルアッセイプレート上で一緒にアドレス可能なウエルからなる独立にアドレス可能なセクタが可能になり）、かつ／又は、（ｉｖ）製造が容易になり得る。
【０１３６】
接点（例えば、アッセイモジュール基板及び／又はアッセイプレート底部の底面上の電気接点）の構成を最適化すると、（ｉ）必要な電気コネクタの数を減らすことができ、（ｉｉ）複数のウエル及び／又はアッセイドメイン全体にわたって電圧変動を減少させることができ、（ｉｉｉ）接触中に、ウエル底部の撓み又は曲げを制御することができ、（ｉｖ）アッセイモジュールを独立にアドレス可能な部分に分割することができ（例えば、マルチウエルアッセイプレート上で一緒にアドレス可能なウエルからなる独立にアドレス可能なセクタが可能になり）、かつ／又は、（ｉｖ）製造が容易になり得る。
【０１３７】
本発明の一実施形態は、複数行の開口部を有するプレート上部と、パターン化された第１電極ストリップ（好ましくは、動作電極ストリップ）及び第２電極ストリップ（好ましくは、対電極ストリップ）を有するプレート底部とを備えるマルチウエルプレートに関する。このプレート上部が基板上に取り付けられ、それによって、これらの開口部から複数行のウエルが形成される。各ウエルの底部は、少なくとも１つの第１電極ストリップの露出部分と、第２電極ストリップの２つの露出縁部とを備える。より具体的には、図１０Ａを参照すると、プレート上部にプレート底部を取り付けるときに、動作電極ストリップが各ウエル内で中央に位置し、２つの隣接した対電極の一部が両側にくるように、動作電極ストリップ１０５２及び対電極ストリップ１０５４をプレート底部上に配置する。
【０１３８】
本発明の別の実施形態は、複数行の開口部を有するプレート上部及び基板を備えるマルチウエルプレートに関する。このプレート上部を基板上に載せ、それによって、複数の開口部及びウエル底部から複数のウエルの行が形成される。ウエルの底部は、動作電極ストリップの中央部分と、この動作電極ストリップ部分の両側に２つの対電極ストリップからの一部とを備える。これらのウエルの行は、動作電極ストリップ及び対電極ストリップに整列することが好ましい。これら複数のウエルの行はそれぞれ、（ｉ）（好ましくは、ウエル内で中央に位置した）第１動作電極ストリップの露出部分と、第１対電極ストリップの露出部分を含む第１縁部と、第２対電極ストリップの露出部分を含む第２縁部とを含む第１ウエル底部を備える第１ウエルと、（ｉｉ）（好ましくは、中央に位置した）第１動作電極ストリップの露出部分と、第１対電極ストリップの露出部分を含む第１縁部と、第２対電極ストリップの露出部分を含む第２縁部とを含む第２ウエル底部を備える、少なくとも第２ウエルとを有する。図１０Ａ及び１６Ａを参照されたい。
【０１３９】
本発明の別の態様は、好ましくは、ウエル及び／又はチャンバを有するアッセイモジュール、最も好ましくは、第１面及び第２面を有し、第１面上に、複数の第１電極表面（好ましくは、動作電極表面）、及び好ましくは、複数の第２電極表面（好ましくは、対電極表面）と、第２面上に１つ又は複数の導電接点とを含む基板を備えるマルチウエルプレートに関する。２つ以上、好ましくは、すべて又はほぼすべてのこれら複数のウエル及び／又はチャンバがそれぞれ、１つ又は複数の動作電極表面及び１つ又は複数の対電極表面を備える。
【０１４０】
本発明の一実施形態は、マルチウエルプレートに関する。このプレート基板は、（ａ）好ましくは、電圧変動が、０．５ボルト未満、より好ましくは０．１ボルト未満、さらに好ましくは０．０１ボルト未満になるように、複数のウエル全体にわたって均一に、導電接点に印加された電圧を分配し、（ｂ）複数のウエルについて、接点から対電極までの実効抵抗の変動と接点から動作電極までの実効抵抗の変動の合計が、１０オーム未満、好ましくは５オーム未満、より好ましくは１オーム未満、最も好ましくは一定になるように、複数のウエル全体にわたって均一に電圧を分配し、かつ／又は、（ｃ）複数のウエルについて、ＶＣ−ＶＷの変動が、０．５ボルト未満、好ましくは０．１ボルト未満、最も好ましくは５０ミリボルト未満になるように、複数のウエル全体にわたって均一に電圧を分配するように適合された１つ又は複数の導電接点を含む。ただし、ＶＣ及びＶＷはそれぞれ、対電極における電圧及び動作電極における電圧と定義する。
【０１４１】
このプレートは、ウエルに電流及び／又は電圧を均一に分配するように適合されたプレート接点備えることが好ましい。一実施形態によれば、このプレート基板は、一緒にアドレス可能なウエルからなる複数の独立にアドレス可能なセクタのそれぞれに電気的に接続された少なくとも１つの独立した電気接点表面を含む底部表面をさらに備える。このプレート又はプレート基板は、プレートの表面上、好ましくはプレート基板の底面上に配置された１つ又は複数の（２つ以上のセクタに）共通の電気接点表面をさらに備える（例えば、プレート全体に共通の対電極表面に接続された１つ又は複数の共通の電気接点表面があり得る）。これらの電気接点位置は、この機器の接点がウエル間でプレートに接触するように、複数のウエル間の底部表面上に配置されると有利である。一実施形態によれば、この底部表面は、１つのセクタ当たり２〜１０個の電気接点表面を備え、さらに好ましくは、この底部表面は、１つのセクタ当たり２個、６個又は７個の接点表面を備える。
【０１４２】
一実施形態によれば、このプレート底部又は基板は、複数の電気接点又は接点位置、好ましくは、２×３アレイで配置された電気接点位置アレイを含む底部表面を備える。
【０１４３】
本明細書で用いる「接点位置」という用語は、この機器からの電気コネクタがプレートに接触する、アッセイプレートの実際の位置を指す。「接点」又は「接点表面」という用語は、電気接続部又は電気コネクタによって接触が行われるプレート底部上の導電性表面を指すものとする。「接点位置」は、「接点表面」内に配置する。「接点表面」の面積は、「接点位置」の面積よりもかなり大きくすることができる。例えば、図１０Ａを参照すると、（導電スルーホール１０６２を介して動作電極１０５２に電気的に接続する）動作接点１０７２と、（導電スルーホール１０６４を介して対電極１０５４に電気的に接続する）対向接点１０７４とを示すプレート底部が示されている。この図に、細長い対向接点表面１０７４が比較的大きく、この機器の対向電気コネクタによって接触が行われる位置（例えば、図３４Ｂに示す好ましい対電極用接点位置３４７０）を取り囲む実施形態を示す。
【０１４４】
各電気接点位置は、隣接する各電気接点位置から０．１インチ〜１インチ、より好ましくは０．２インチ〜０．８インチ、さらに好ましくは０．３インチ〜０．４インチ離れて位置することが好ましい。
【０１４５】
プレート底部上の接点表面は、電気コネクタで接点位置に接触を行うことによりウエルの底部表面が変形しないように、プレートのウエル間に配置された接点位置を含むことが好ましい。図３４Ａに、（標準の９６ウエルプレート構成で配置したウエル３４０５を有する完全に組み立てられた、図のマルチウエルプレート３４００に関して）プレート３４００のプレート底部上の好ましい接点位置を示す。プレート３４００は、正方形セクタ、すなわち領域３４１０のアレイ、好ましくは、２×３のアレイを有し（セクタへの分割を点線で表す）、各セクタは、プレート底部の底面上に１つ又は複数の電気接点位置３４２０（Ｘで表示）及び３４３０（＊で表示）を含む。これらの接点位置は、プレート３４００上のウエル間に配置する。各セクタ上の接点位置は、２×３のアレイで配置するのが好ましい。電気接点位置３４２０は動作電極に接続するのが好ましく、電気接点位置３４３０は対電極に接続するのが好ましい。これらの電気接点位置を、以下の位置のうち、少なくとも１つ、好ましくは少なくとも２つ、より好ましくは少なくとも４つ、最も好ましくはすべての位置に配置する。これらの位置は、それぞれプレートの左縁部及び上縁部から（インチで）測った座標（Ｘ，Ｙ）（±０．２５０”、好ましくは、±０．１２５”）で定義する（プレートは上から見る。すなわち、図１を参照すると、ウエルＡ１は、左上コーナに最も近接している）。
（ｉ）１つ又は複数（好ましくは２つ以上、より好ましくは３つ以上、最も好ましくはすべて）の第１セクタ位置が、（１．８９（０．７４３）、１．５７（０．６２０））、（２．７９（１．０９７）、１．５７（０．６２０））、（３．６９（１．４５１）、１．５７（０．６２０））、（１．８９（０．７４３）、３．３８（１．３２９））、（２．７９（１．０９７）、３．３８（１．３２９））、（３．６９（１．４５１）、３．３８（１．３２９））であり、最も好ましくは、１つ又は複数の動作電極接点位置を、（１．８９（０．７４３）、１．５７（０．６２０））、（３．６９（１．４５１）、１．５７（０．６２０））、（１．８９（０．７４３）、３．３８（１．３２９））及び（３．６９（１．４５１）、３．３８（１．３２９））から選択し、かつ／又は、１つ又は複数の対電極用接点位置を、（２．７９（１．０９７）、１．５７（０．６２０））及び（２．７９（１．０９７）、３．３８（１．３２９））から選択する。
（ｉｉ）１つ又は複数（好ましくは２つ以上、より好ましくは３つ以上、最も好ましくはすべて）の第２セクタ位置が、（５．４９（２．１６１）、１．５７（０．６２０））、（６．３９（２．５１５）、１．５７（０．６２０））、（７．２９（２．８６９）、１．５７（０．６２０））、（５．４９（２．１６１）、３．３８（１．３２９））、（６．３９（２．５１５）、３．３８（１．３２９））、（７．２９（２．８６９）、３．３８（１．３２９））であり、最も好ましくは、１つ又は複数の動作電極接点位置を、（５．４９（２．１６１）、１．５７（０．６２０））、（７．２９（２．８６９）、１．５７（０．６２０））、（５．４９（２．１６１）、３．３８（１．３２９））及び（７．２９（２．８６９）、３．３８（１．３２９））から選択し、かつ／又は、１つ又は複数の対電極用接点位置を、（６．３９（２．５１５）、１．５７（０．６２０））及び（６．３９（２．５１５）、３．３８（１．３２９））から選択する。
（ｉｉｉ）１つ又は複数（好ましくは２つ以上、より好ましくは３つ以上、最も好ましくはすべて）の第３セクタ位置が、（９．０９（３．５７９）、１．５７（０．６２０））、（９．９９（３．９３３）、１．５７（０．６２０））、（１０．８９（４．２８７）、１．５７（０．６２０））、（９．０９（３．５７９）、３．３８（１．３２９））、（９．９９（３．９３３）、３．３８（１．３２９））、（１０．８９（４．２８７）、３．３８（１．３２９））であり、最も好ましくは、１つ又は複数の動作電極接点位置を、（９．０９（３．５７９）、１．５７（０．６２０））、（１０．８９（４．２８７）、１．５７（０．６２０））、（９．０９（３．５７９）、３．３８（１．３２９））及び（１０．８９（４．２８７）、３．３８（１．３２９））から選択し、かつ／又は、１つ又は複数の対電極用接点位置を、（９．９９（３．９３３）、１．５７（０．６２０））及び（９．９９（３．９３３）、３．３８（１．３２９））から選択する。
（ｉｖ）１つ又は複数（好ましくは２つ以上、より好ましくは３つ以上、最も好ましくはすべて）の第４セクタ位置が、（１．８９（０．７４３）、５．１８（２．０３８））、（２．７９（１．０９７）、５．１８（２．０３８））、（３．６９（１．４５１）、５．１８（２．０３８））、（１．８９（０．７４３）、６．９８（２．７４７））、（２．７９（１．０９７）、６．９８（２．７４７））、（３．６９（１．４５１）、６．９８（２．７４７））であり、最も好ましくは、１つ又は複数の動作電極接点位置を、（１．８９（０．７４３）、５．１８（２．０３８））、（３．６９（１．４５１）、５．１８（２．０３８））、（１．８９（０．７４３）、６．９８（２．７４７））及び（３．６９（１．４５１）、６．９８（２．７４７））から選択し、かつ／又は、１つ又は複数の対電極用接点位置を、（２．７９（１．０９７）、５．１８（２．０３８））及び（２．７９（１．０９７）、６．９８（２．７４７））から選択する。
（ｖ）１つ又は複数（好ましくは２つ以上、より好ましくは３つ以上、最も好ましくはすべて）の第５セクタ位置が、（５．４９（２．１６１）、５．１８（２．０３８））、（６．３９（２．５１５）、５．１８（２．０３８））、（７．２９（２．８６９）、５．１８（２．０３８））、（５．４９（２．１６１）、６．９８（２．７４７））、（６．３９（２．５１５）、６．９８（２．７４７））、（７．２９（２．８６９）、６．９８（２．７４７））であり、最も好ましくは、１つ又は複数の動作電極接点位置を、（５．４９（２．１６１）、５．１８（２．０３８））、（７．２９（２．８６９）、５．１８（２．０３８））、（５．４９（２．１６１）、６．９８（２．７４７））及び（７．２９（２．８６９）、６．９８（２．７４７））から選択し、かつ／又は、１つ又は複数の対電極用接点位置を、（６．３９（２．５１５）、５．１８（２．０３８））及び（６．３９（２．５１５）、６．９８（２．７４７））から選択する。
（ｖｉ）１つ又は複数（好ましくは２つ以上、より好ましくは３つ以上、最も好ましくはすべて）の第６セクタ位置が、（９．０９（３．５７９）、５．１８（２．０３８））、（９．９９（３．９３３）、５．１８（２．０３８））、（１０．８９（４．２８７）、５．１８（２．０３８））、（９．０９（３．５７９）、６．９８（２．７４７））、（９．９９（３．９３３）、６．９８（２．７４７））、（１０．８９（４．２８７）、６．９８（２．７４７））であり、最も好ましくは、１つ又は複数の動作電極接点位置を、（９．０９（３．５７９）、５．１８（２．０３８））、（１０．８９（４．２８７）、５．１８（２．０３８））、（９．０９（３．５７９）、６．９８（２．７４７））及び（１０．８９（４．２８７）、６．９８（２．７４７））から選択し、かつ／又は、１つ又は複数の対電極用接点位置を、（９．９９（３．９３３）、５．１８（２．０３８））及び（９．９９（３．９３３）、６．９８（２．７４７））から選択する。
【０１４６】
上記で説明した接点位置パターンを、９６ウエルプレートに関して図３４Ａ示すが、このパターンは、９６ウエルプレートとともに使用することに限定されるものではなく、１、２、６、２４、３８４、１５３６、６１４４及び９６００ウエルプレートを含めて、多くのプレートフォーマットのプレート又はプレート底部に適用することができる。これらの接点位置は、完全に組み立てられたプレートのウエル間の領域に配置することが好ましい。
【０１４７】
接点位置の好ましい位置は、完全に組み立てられたプレートのウエル位置に関して指定することもできる。好ましい実施形態は、電極及び電気接点表面を有する９６ウエルプレートに関する。図１を参照すると、この９６ウエルプレートは、（文字Ａ〜Ｈで示す）行及び（数字１〜１２で示す）列のウエルを備える。好ましくは、このプレートは、（図３４Ａに示す）以下のセクタ、すなわち、
Ａ１〜Ａ４、Ｂ１〜Ｂ４、Ｃ１〜Ｃ４及びＤ１〜Ｄ４のウエルを含む第１セクタと、
Ａ５〜Ａ８、Ｂ５〜Ｂ８、Ｃ５〜Ｃ８及びＤ５〜Ｄ８のウエルを含む第２セクタと、
Ａ９〜Ａ１２、Ｂ９〜Ｂ１２、Ｃ９〜Ｃ１２及びＤ９〜Ｄ１２のウエルを含む第３セクタと、
Ｅ１〜Ｅ４、Ｆ１〜Ｆ４、Ｇ１〜Ｇ４及びＨ１〜Ｈ４のウエルを含む第４セクタと、
Ｅ５〜Ｅ８、Ｆ５〜Ｆ８、Ｇ５〜Ｇ８及びＨ５〜Ｈ８のウエルを含む第５セクタと、
Ｅ９〜Ｅ１２、Ｆ９〜Ｆ１、Ｇ９〜Ｇ１２及びＨ９〜Ｈ１２のウエルを含む第６セクタのうち、１つ又は複数、好ましくは２つ以上、より好ましくはすべてのセクタを備える。
【０１４８】
それぞれの呼称は、行及び列で定義するプレートの領域を指す。例えば、Ａ１は行Ａと列１にあるウエルを指す。本明細書では、「ウエル１−ウエル２」の表記法を用いてウエル間の領域を指す。例えば、本明細書で用いる「Ａ１−Ｂ２」という用語は、ウエルＡ１（行Ａ、列１）とウエルＢ２（行Ｂ、列２）の間の領域を指す。「Ａ１〜Ａ４」という用語を用いて、ウエル間のスペースを含めて、ウエルＡ１、Ａ２，Ａ３及びＡ４を含む領域を指す。
【０１４９】
本発明の好ましい一実施形態によれば、（図１及び３４Ａを参照して）、セクタは、以下のセクタ位置のうち、１つ又は複数、好ましくは２つ以上、より好ましくは４つ以上、最も好ましくは６つの位置で、プレート底部上に１つ又は複数の電気接点位置又は接点表面を含む。
（ｉ）１つ又は複数、より好ましくは２つ以上、最も好ましくは６つの第１セクタ位置が、Ａ１−Ｂ２、Ａ２−Ｂ３、Ａ３−Ｂ４、Ｃ１−Ｄ２、Ｃ２−Ｄ３、Ｃ３−Ｄ４であり、最も好ましくは、１つ又は複数の動作電極接点位置を、Ａ１−Ｂ２、Ａ３−Ｂ４、Ｃ１−Ｄ２及びＣ３−Ｄ４から選択し、かつ／又は、１つ又は複数の対電極用接点位置が、Ａ２−Ｂ３及びＣ２−Ｄ３から選択する。
（ｉｉ）１つ又は複数、より好ましくは２つ以上、最も好ましくは６つの第２セクタ位置が、Ａ５−Ｂ６、Ａ６−Ｂ７、Ａ７−Ｂ８、Ｃ５−Ｄ６、Ｃ６−Ｄ７、Ｃ７−Ｄ８であり、最も好ましくは、１つ又は複数の動作電極接点位置を、Ａ５−Ｂ６、Ａ７−Ｂ８、Ｃ５−Ｄ６及びＣ７−Ｄ８から選択し、かつ／又は、１つ又は複数の対電極用接点位置を、Ａ６−Ｂ７及びＣ６−Ｄ７から選択する。
（ｉｉｉ）１つ又は複数、より好ましくは２つ以上、最も好ましくは６つの第３セクタ位置が、Ａ９−Ｂ１０、Ａ１０−Ｂ１１、Ａ１１−Ｂ１２、Ｃ９−Ｄ１０、Ｃ１０−Ｄ１１、Ｃ１１−Ｄ１２であり、最も好ましくは、１つ又は複数の動作電極接点位置を、Ａ９−Ｂ１０、Ａ１１−Ｂ１２、Ｃ９−Ｄ１０及びＣ１１−Ｄ１２から選択し、かつ／又は、１つ又は複数の対電極用接点位置を、Ａ１０−Ｂ１１及びＣ１０−Ｄ１１から選択する。
（ｉｖ）１つ又は複数、より好ましくは２つ以上、最も好ましくは６つの第４セクタ位置が、Ｅ１−Ｆ２、Ｅ２−Ｆ３、Ｅ３−Ｆ４、Ｇ１−Ｈ２、Ｇ２−Ｈ３、Ｇ３−Ｈ４であり、最も好ましくは、１つ又は複数の動作電極接点位置を、Ｅ１−Ｆ２、Ｅ３−Ｆ４、Ｇ１−Ｈ２及びＧ３−Ｈ４から選択し、かつ／又は、１つ又は複数の対電極用接点位置を、Ｅ２−Ｆ３及びＧ２−Ｈ３から選択する。
（ｖ）１つ又は複数、より好ましくは２つ以上、最も好ましくは６つの第５セクタ位置が、Ｅ５−Ｆ６、Ｅ６−Ｆ７、Ｅ７−Ｆ８、Ｇ５−Ｈ６、Ｇ６−Ｈ７、Ｇ７−Ｈ８であり、最も好ましくは、１つ又は複数の動作電極接点位置を、Ｅ５−Ｆ６、Ｅ７−Ｆ８、Ｇ５−Ｈ６及びＧ７−Ｈ８から選択し、かつ／又は、１つ又は複数の対電極用接点位置を、Ｅ６−Ｆ７及びＧ６−Ｈ７から選択する。
（ｖｉ）１つ又は複数、より好ましくは２つ以上、最も好ましくは６つの第６セクタ位置が、Ｅ９−Ｆ１０、Ｅ１０−Ｆ１１、Ｅ１１−Ｆ１２、Ｇ９−Ｈ１０、Ｇ１０−Ｈ１１、Ｇ１１−Ｈ１２であり、最も好ましくは、１つ又は複数の動作電極接点位置を、Ｅ９−Ｆ１０、Ｅ１１−Ｆ１２、Ｇ９−Ｈ１０及びＧ１１−Ｈ１２から選択し、かつ／又は、１つ又は複数の対電極用接点位置を、Ｅ１０−Ｆ１１及びＧ１０−Ｈ１１から選択する。
【０１５０】
類推から、３８４ウエルプレート又は３８４ウエルプレートとともに使用するプレート底部上の１つ（又は複数）の好ましい接点位置は、行Ａ〜Ｐ及び列１〜２４の標準構成のウエルを有する３８４ウエルプレートのウエルに関連して定義することができる。一実施形態では、好ましくは、このプレートは、
Ａ１〜Ａ８、Ｂ１〜Ｂ８、Ｃ１〜Ｃ８、Ｄ１〜Ｄ８、Ｅ１〜Ｅ８、Ｆ１〜Ｆ８、Ｇ１〜Ｇ８及びＨ１〜Ｈ８のウエルを含む第１セクタと、
Ａ９〜Ａ１６、Ｂ９〜Ｂ１６、Ｃ９〜Ｃ１６、Ｄ９〜Ｄ１６、Ｅ９〜Ｅ１６、Ｆ９〜Ｆ１６、Ｇ９〜Ｇ１６及びＨ９〜Ｈ１６のウエルを含む第２セクタと、
Ａ１７〜Ａ２４、Ｂ１７〜Ｂ２４、Ｃ１７〜Ｃ２４、Ｄ１７〜Ｄ２４、Ｅ１７〜Ｅ２４、Ｆ１７〜Ｆ２４、Ｇ１７〜Ｇ２４及びＨ１７〜Ｈ２４のウエルを含む第３セクタと、
Ｉ１〜Ｉ８、Ｊ１〜Ｊ８、Ｋ１〜Ｋ８、Ｌ１〜Ｌ８、Ｍ１〜Ｍ８、Ｎ１〜Ｎ８、Ｏ１〜Ｏ８及びＰ１〜Ｐ８のウエルを含む第４セクタと、
Ｉ９〜Ｉ１６、Ｊ９〜Ｊ１６、Ｋ９〜Ｋ１６、Ｌ９〜Ｌ１６、Ｍ９〜Ｍ１６、Ｎ９〜Ｎ１６、Ｏ９〜Ｏ１６及びＰ９〜Ｐ１６のウエルを含む第５セクタと、
Ｉ１７〜Ｉ２４、Ｊ１７〜Ｊ２４、Ｋ１７〜Ｋ２４、Ｌ１７〜Ｌ２４、Ｍ１７〜Ｍ２４、Ｎ１７〜Ｎ２４、Ｏ１７〜Ｏ２４及びＰ１７〜Ｐ２４のウエルを含む第６セクタのうち、１つ又は複数、好ましくは２つ以上、より好ましくはすべてのセクタを備える。
【０１５１】
プレートのセクタはそれぞれ、以下の位置のうち、１つ又は複数、好ましくは２つ以上、より好ましくは４つ以上、最も好ましくは６つの位置で、１つ又は複数の電気接点位置を含む。
（ｉ）１つ又は複数、好ましくは２つ以上、より好ましくは４つ以上、最も好ましくはすべての第１セクタ位置が、Ｂ２−Ｃ３、Ｂ４−Ｃ５、Ｂ６−Ｃ７、Ｆ２−Ｇ３、Ｆ４−Ｇ５、Ｆ６−Ｇ７であり、最も好ましくは、１つ又は複数の動作電極接点位置を、Ｂ２−Ｃ３、Ｂ６−Ｃ７、Ｆ２−Ｇ３及びＦ６−Ｇ７から選択し、かつ／又は、１つ又は複数の対電極用接点位置を、Ｂ４−Ｃ５及びＦ４−Ｇ５から選択する。
（ｉｉ）１つ又は複数、好ましくは２つ以上、より好ましくは４つ以上、最も好ましくはすべての第２セクタ位置が、Ｂ１０−Ｃ１１、Ｂ１２−Ｃ１３、Ｂ１４−Ｃ１５、Ｆ１０−Ｇ１１、Ｆ１２−Ｇ１３、Ｆ１４−Ｇ１５であり、最も好ましくは、１つ又は複数の動作電極接点位置を、Ｂ１０−Ｃ１１、Ｂ１４−Ｃ１５、Ｆ１０−Ｇ１１及びＦ１４−Ｇ１５から選択し、かつ／又は、１つ又は複数の対電極用接点位置を、Ｂ１２−Ｃ１３及びＦ１０−Ｇ１１から選択する。
（ｉｉｉ）１つ又は複数、好ましくは２つ以上、より好ましくは４つ以上、最も好ましくはすべての第３セクタ位置が、Ｂ１８−Ｃ１９、Ｂ２０−Ｃ２１、Ｂ２２−Ｃ２３、Ｆ１８−Ｇ１９、Ｆ２０−Ｇ２１、Ｆ２２−Ｇ２３であり、最も好ましくは、１つ又は複数の動作電極接点位置を、Ｂ１８−Ｃ１９、Ｂ２２−Ｃ２３、Ｆ１８−Ｇ１９及びＦ２２−Ｇ２３から選択し、かつ／又は、１つ又は複数の対電極用接点位置を、Ｂ２０−Ｃ２１及びＦ２０−Ｇ２１から選択する。
（ｉｖ）１つ又は複数、好ましくは２つ以上、より好ましくは４つ以上、最も好ましくはすべての第４セクタ位置が、Ｊ２−Ｋ３、Ｊ４−Ｋ５、Ｊ６−Ｋ７、Ｎ２−Ｏ３、Ｎ４−Ｏ５、Ｎ６−Ｏ７であり、最も好ましくは、１つ又は複数の動作電極接点位置を、Ｊ２−Ｋ３、Ｊ６−Ｋ７、Ｎ２−Ｏ３及びＮ６−Ｏ７から選択し、かつ／又は、１つ又は複数の対電極用接点位置を、Ｊ４−Ｋ５及びＮ４−Ｏ５から選択する。
（ｖ）１つ又は複数、好ましくは２つ以上、より好ましくは４つ以上、最も好ましくはすべての第５セクタ位置が、Ｊ１０−Ｋ１１、Ｊ１２−Ｋ１３、Ｊ１４−Ｋ１５、Ｎ１０−Ｏ１１、Ｎ１２−Ｏ１３、Ｎ１４−Ｏ１５であり、最も好ましくは、１つ又は複数の動作電極接点位置を、Ｊ１０−Ｋ１１、Ｊ１４−Ｋ１５、Ｎ１０−Ｏ１１及びＮ１４−Ｏ１５から選択し、かつ／又は、１つ又は複数の対電極用接点位置を、Ｊ１２−Ｋ１３及びＪ１４−Ｋ１５から選択する。
（ｖｉ）１つ又は複数、好ましくは２つ以上、より好ましくは４つ以上、最も好ましくはすべての第６セクタ位置が、Ｊ１８−Ｋ１９、Ｊ２０−Ｋ２１、Ｊ２２−Ｋ２３、Ｎ１８−Ｏ１９、Ｎ２０−Ｏ２１、Ｎ２２−Ｏ２３であり、最も好ましくは、１つ又は複数の動作電極接点位置を、Ｊ１８−Ｋ１９、Ｊ２２−Ｋ２３、Ｎ１８−Ｏ１９及びＮ２２−Ｏ２３から選択し、かつ／又は、１つ又は複数の対電極用接点位置を、Ｊ２０−Ｋ２１及びＮ２０−Ｏ２１から選択する。
【０１５２】
本発明の別の実施形態である図３４Ｂに、（標準の９６ウエルプレート構成で配置したウエル３４５５を有する完全に組み立てられた、図のマルチウエルプレート３４５０に関して）プレート３４５０のプレート底部上の好ましい接点位置を示す。このプレートは、プレート３４００とは異なる配置のセクタを有する。プレート３４５０は、列状セクタすなわち領域３４６０のアレイ、好ましくは１×１２のアレイを有し（セクタへの分割を点線で表す）、各セクタは、プレート底部の底面上に１つ又は複数の電気接点位置３４８０（Ｘで表示）及び３４７０（＊で表示）を含む。これらの接点位置は、プレート３４５０上のウエル間に配置する。各セクタ上の接点位置は、７×１のアレイで配置するのが好ましい。電気接点位置３４８０は動作電極に接続するのが好ましく、電気接点位置３４７０は対電極に接続するのが好ましい。これらの電気接点を、以下の位置のうち、少なくとも１つ、好ましくは少なくとも２つ、より好ましくは少なくとも４つ、最も好ましくはすべての位置に配置する。これらの位置は、それぞれプレートの左縁部及び上縁部から（インチで）測った座標（Ｘ，Ｙ）（±０．２５０”、好ましくは、±０．１２５”）で定義する（プレートは上から見る。すなわち、図１を参照すると、ウエルＡ１は、左上コーナに最も近接している）。
（ｉ）１つ又は複数（好ましくは２つ以上、より好ましくは３つ以上、最も好ましくはすべて）の第１セクタ位置が、（１．４４（０．５６６）、１．５７（０．６２０））、（１．４４（０．５６６）、２．４８（０．９７５））、（１．４４（０．５６６）、３．３８（１．３２９））、（１．４４（０．５６６）、４．２８（１．６８４））、（１．４４（０．５６６）、５．１８（２．０３８））、（１．４４（０．５６６）、６．０８（２．３９３））、（１．４４（０．５６６）、６．９８（２．７４７））であり、最も好ましくは、１つ又は複数の動作電極接点位置を、（１．４４（０．５６６）、１．５７（０．６２０））、（１．４４（０．５６６）、３．３８（１．３２９））、（１．４４（０．５６６）、５．１８（２．０３８））及び（１．４４（０．５６６）、６．９８（２．７４７））から選択し、かつ／又は、１つ又は複数の対電極用接点位置を、（１．４４（０．５６６）、２．４８（０．９７５））、（１．４４（０．５６６）、４．２８（１．６８４））及び（１．４４（０．５６６）、６．０８（２．３９３））から選択する。
（ｉｉ）１つ又は複数（好ましくは２つ以上、より好ましくは３つ以上、最も好ましくはすべて）の第２セクタ位置が、（２．３４（０．９２０）、１．５７（０．６２０））、（２．３４（０．９２０）、２．４８（０．９７５））、（２．３４（０．９２０）、３．３８（１．３２９））、（２．３４（０．９２０）、４．２８（１．６８４））、（２．３４（０．９２０）、５．１８（２．０３８））、（２．３４（０．９２０）、６．０８（２．３９３））、（２．３４（０．９２０）、６．９８（２．７４７））であり、最も好ましくは、１つ又は複数の動作電極接点位置を、（２．３４（０．９２０）、１．５７（０．６２０））、（２．３４（０．９２０）、３．３８（１．３２９））、（２．３４（０．９２０）、５．１８（２．０３８））及び（２．３４（０．９２０）、６．９８（２．７４７））から選択し、かつ／又は、１つ又は複数の対電極用接点位置を、（２．３４（０．９２０）、２．４８（０．９７５））、（２．３４（０．９２０）、４．２８（１．６８４））及び（２．３４（０．９２０）、６．０８（２．３９３））から選択する。
（ｉｉｉ）１つ又は複数（好ましくは２つ以上、より好ましくは３つ以上、最も好ましくはすべて）の第３セクタ位置が、（３．２４（１．２７５）、１．５７（０．６２０））、（３．２４（１．２７５）、２．４８（０．９７５））、（３．２４（１．２７５）、３．３８（１．３２９））、（３．２４（１．２７５）、４．２８（１．６８４））、（３．２４（１．２７５）、５．１８（２．０３８））、（３．２４（１．２７５）、６．０８（２．３９３））、（３．２４（１．２７５）、６．９８（２．７４７））であり、最も好ましくは、１つ又は複数の動作電極接点位置を、（３．２４（１．２７５）、１．５７（０．６２０））、（３．２４（１．２７５）、３．３８（１．３２９））、（３．２４（１．２７５）、５．１８（２．０３８））及び（３．２４（１．２７５）、６．９８（２．７４７））から選択し、かつ／又は、１つ又は複数の対電極用接点位置を、（３．２４（１．２７５）、２．４８（０．９７５））、（３．２４（１．２７５）、４．２８（１．６８４））及び（３．２４（１．２７５）、６．０８（２．３９３））から選択する。
（ｉｖ）１つ又は複数（好ましくは２つ以上、より好ましくは３つ以上、最も好ましくはすべて）の第４セクタ位置が、（４．１４（１．６２９）、１．５７（０．６２０））、（４．１４（１．６２９）、２．４８（０．９７５））、（４．１４（１．６２９）、３．３８（１．３２９））、（４．１４（１．６２９）、４．２８（１．６８４））、（４．１４（１．６２９）、５．１８（２．０３８））、（４．１４（１．６２９）、６．０８（２．３９３））、（４．１４（１．６２９）、６．９８（２．７４７））であり、最も好ましくは、１つ又は複数の動作電極接点位置を、（４．１４（１．６２９）、１．５７（０．６２０））、（４．１４（１．６２９）、３．３８（１．３２９））、（４．１４（１．６２９）、５．１８（２．０３８））及び（４．１４（１．６２９）、６．９８（２．７４７））から選択し、かつ／又は、１つ又は複数の対電極用接点位置を、（４．１４（１．６２９）、２．４８（０．９７５））、（４．１４（１．６２９）、４．２８（１．６８４））及び（４．１４（１．６２９）、６．０８（２．３９３））から選択する。
（ｖ）１つ又は複数（好ましくは２つ以上、より好ましくは３つ以上、最も好ましくはすべて）の第５セクタ位置が、（５．０４（１．９８３）、１．５７（０．６２０））、（５．０４（１．９８３）、２．４８（０．９７５））、（５．０４（１．９８３）、３．３８（１．３２９））、（５．０４（１．９８３）、４．２８（１．６８４））、（５．０４（１．９８３）、５．１８（２．０３８））、（５．０４（１．９８３）、６．０８（２．３９３））、（５．０４（１．９８３）、６．９８（２．７４７））であり、最も好ましくは、１つ又は複数の動作電極接点位置を、（５．０４（１．９８３）、１．５７（０．６２０））、（５．０４（１．９８３）、３．３８（１．３２９））、（５．０４（１．９８３）、５．１８（２．０３８））及び（５．０４（１．９８３）、６．９８（２．７４７））から選択し、かつ／又は、１つ又は複数の対電極用接点位置を、（５．０４（１．９８３）、２．４８（０．９７５））、（５．０４（１．９８３）、４．２８（１．６８４））及び（５．０４（１．９８３）、６．０８（２．３９３））から選択する。
（ｖｉ）１つ又は複数（好ましくは２つ以上、より好ましくは３つ以上、最も好ましくはすべて）の第６セクタ位置が、（５．９４（２．３３８）、１．５７（０．６２０））、（５．９４（２．３３８）、２．４８（０．９７５））、（５．９４（２．３３８）、３．３８（１．３２９））、（５．９４（２．３３８）、４．２８（１．６８４））、（５．９４（２．３３８）、５．１８（２．０３８））、（５．９４（２．３３８）、６．０８（２．３９３））、（５．９４（２．３３８）、６．９８（２．７４７））であり、最も好ましくは、１つ又は複数の動作電極接点位置を、（５．９４（２．３３８）、１．５７（０．６２０））、（５．９４（２．３３８）、３．３８（１．３２９））、（５．９４（２．３３８）、５．１８（２．０３８））及び（５．９４（２．３３８）、６．９８（２．７４７））から選択し、かつ／又は、１つ又は複数の対電極用接点位置を、（５．９４（２．３３８）、２．４８（０．９７５））、（５．９４（２．３３８）、４．２８（１．６８４））及び（５．９４（２．３３８）、６．０８（２．３９３））から選択する。
（ｖｉｉ）１つ又は複数（好ましくは２つ以上、より好ましくは３つ以上、最も好ましくはすべて）の第７セクタ位置が、（６．８４（２．６９２）、１．５７（０．６２０））、（６．８４（２．６９２）、２．４８（０．９７５））、（６．８４（２．６９２）、３．３８（１．３２９））、（６．８４（２．６９２）、４．２８（１．６８４））、（６．８４（２．６９２）、５．１８（２．０３８））、（６．８４（２．６９２）、６．０８（２．３９３））、（６．８４（２．６９２）、６．９８（２．７４７））であり、最も好ましくは、１つ又は複数の動作電極接点位置を、（６．８４（２．６９２）、１．５７（０．６２０））、（６．８４（２．６９２）、３．３８（１．３２９））、（６．８４（２．６９２）、５．１８（２．０３８））及び（６．８４（２．６９２）、６．９８（２．７４７））から選択し、かつ／又は、１つ又は複数の対電極用接点位置を、（６．８４（２．６９２）、２．４８（０．９７５））、（６．８４（２．６９２）、４．２８（１．６８４））及び（６．８４（２．６９２）、６．０８（２．３９３））から選択する。
（ｖｉｉｉ）１つ又は複数（好ましくは２つ以上、より好ましくは３つ以上、最も好ましくはすべて）の第８セクタ位置が、（７．７４（３．０４６）、１．５７（０．６２０））、（７．７４（３．０４６）、２．４８（０．９７５））、（７．７４（３．０４６）、３．３８（１．３２９））、（７．７４（３．０４６）、４．２８（１．６８４））、（７．７４（３．０４６）、５．１８（２．０３８））、（７．７４（３．０４６）、６．０８（２．３９３））、（７．７４（３．０４６）、６．９８（２．７４７））であり、最も好ましくは、１つ又は複数の動作電極接点位置を、（７．７４（３．０４６）、１．５７（０．６２０））、（７．７４（３．０４６）、３．３８（１．３２９））、（７．７４（３．０４６）、５．１８（２．０３８））及び（７．７４（３．０４６）、６．９８（２．７４７））から選択し、かつ／又は、１つ又は複数の対電極用接点位置を、（７．７４（３．０４６）、２．４８（０．９７５））、（７．７４（３．０４６）、４．２８（１．６８４））及び（７．７４（３．０４６）、６．０８（２．３９３））から選択する。
（ｉｘ）１つ又は複数（好ましくは２つ以上、より好ましくは３つ以上、最も好ましくはすべて）の第９セクタ位置が、（８．６４（３．４００）、１．５７（０．６２０））、（（８．６４（３．４００）、２．４８（０．９７５））、（（８．６４（３．４００）、３．３８（１．３２９））、（（８．６４（３．４００）、４．２８（１．６８４））、（（８．６４（３．４００）、５．１８（２．０３８））、（（８．６４（３．４００）、６．０８（２．３９３））、（（８．６４（３．４００）、６．９８（２．７４７））であり、最も好ましくは、１つ又は複数の動作電極接点位置を、（８．６４（３．４００）、１．５７（０．６２０））、（（８．６４（３．４００）、３．３８（１．３２９））、（（８．６４（３．４００）、５．１８（２．０３８））及び（（８．６４（３．４００）、６．９８（２．７４７））から選択し、かつ／又は、１つ又は複数の対電極用接点位置を、（（８．６４（３．４００）、２．４８（０．９７５））、（（８．６４（３．４００）、４．２８（１．６８４））及び（（８．６４（３．４００）、６．０８（２．３９３））から選択する。
（ｘ）１つ又は複数（好ましくは２つ以上、より好ましくは３つ以上、最も好ましくはすべて）の第１０セクタ位置が、（９．５４（３．７５５）、１．５７（０．６２０））、（９．５４（３．７５５）、２．４８（０．９７５））、（９．５４（３．７５５）、３．３８（１．３２９））、（９．５４（３．７５５）、４．２８（１．６８４））、（９．５４（３．７５５）、５．１８（２．０３８））、（９．５４（３．７５５）、６．０８（２．３９３））、（９．５４（３．７５５）、６．９８（２．７４７））であり、最も好ましくは、１つ又は複数の動作電極接点位置を、（９．５４（３．７５５）、１．５７（０．６２０））、（９．５４（３．７５５）、３．３８（１．３２９））、（９．５４（３．７５５）、５．１８（２．０３８））及び（９．５４（３．７５５）、６．９８（２．７４７））から選択し、かつ／又は、１つ又は複数の対電極用接点位置を、（９．５４（３．７５５）、２．４８（０．９７５））、（９．５４（３．７５５）、４．２８（１．６８４））及び（９．５４（３．７５５）、６．０８（２．３９３））から選択する。
（ｘｉ）１つ又は複数（好ましくは２つ以上、より好ましくは３つ以上、最も好ましくはすべて）の第１１セクタ位置が、（１０．４４（４．１０９）、１．５７（０．６２０））、（１０．４４（４．１０９）、２．４８（０．９７５））、（１０．４４（４．１０９）、３．３８（１．３２９））、（１０．４４（４．１０９）、４．２８（１．６８４））、（１０．４４（４．１０９）、５．１８（２．０３８））、（１０．４４（４．１０９）、６．０８（２．３９３））、（１０．４４（４．１０９）、６．９８（２．７４７））であり、最も好ましくは、１つ又は複数の動作電極接点位置を、（１０．４４（４．１０９）、１．５７（０．６２０））、（１０．４４（４．１０９）、３．３８（１．３２９））、（１０．４４（４．１０９）、５．１８（２．０３８））及び（１０．４４（４．１０９）、６．９８（２．７４７））から選択し、かつ／又は、１つ又は複数の対電極用接点位置を、（１０．４４（４．１０９）、２．４８（０．９７５））、（１０．４４（４．１０９）、４．２８（１．６８４））及び（１０．４４（４．１０９）、６．０８（２．３９３））から選択する。
（ｘｉｉ）１つ又は複数（好ましくは２つ以上、より好ましくは３つ以上、最も好ましくはすべて）の第１２セクタ位置が、（１１．３４（４．４６３）、１．５７（０．６２０））、（１１．３４（４．４６３）、２．４８（０．９７５））、（１１．３４（４．４６３）、３．３８（１．３２９））、（１１．３４（４．４６３）、４．２８（１．６８４））、（１１．３４（４．４６３）、５．１８（２．０３８））、（１１．３４（４．４６３）、６．０８（２．３９３））、（１１．３４（４．４６３）、６．９８（２．７４７））であり、最も好ましくは、１つ又は複数の動作電極接点位置を、（１１．３４（４．４６３）、１．５７（０．６２０））、（１１．３４（４．４６３）、３．３８（１．３２９））、（１１．３４（４．４６３）、５．１８（２．０３８））及び（１１．３４（４．４６３）、６．９８（２．７４７））から選択し、かつ／又は、１つ又は複数の対電極用接点位置を、（１１．３４（４．４６３）、２．４８（０．９７５））、（１１．３４（４．４６３）、４．２８（１．６８４））及び（１１．３４（４．４６３）、６．０８（２．３９３））から選択する。
【０１５３】
１×１２アレイのセクタを有する９６ウエルプレート又はプレート底部の接点位置は、完全に組み立てられたプレートのウエル位置に関して定義することもできる。少なくとも１つ、最も好ましくはすべてのセクタは、１つ又は複数（好ましくは２つ以上、より好ましく３つ以上、最も好ましくはすべて）の、Ａｎ−Ｂｎ、Ｂｎ−Ｃｎ、Ｃｎ−Ｄｎ、Ｄｎ−Ｅｎ、Ｅｎ−Ｆｎ、Ｆｎ−Ｇｎ及びＧｎ−Ｈｎから選択した接点位置を有することが好ましい。ただし、ｎは、（図１を参照して）セクタを定義するプレートの列を示す数である。セクタは、最も好ましくは、Ａｎ−Ｂｎ、Ｃｎ−Ｄｎ、Ｅｎ−Ｆｎ及びＧｎ−Ｈｎから選択した少なくとも１つの動作接点位置と、Ｂｎ−Ｃｎ、Ｄｎ−Ｅｎ及びＦｎ−Ｇｎから選択した少なくとも１つの対向接点位置を有する。
【０１５４】
本発明の好ましい実施形態によれば、２×３又は１×１２アレイのセクタ及び前記セクタ上で定義した接点位置を有する上記で特定したプレート底部は、電極に整列した複数のウエルを形成する複数の開口部を有するプレート上部をさらに含む。
【０１５５】
また、本発明は、上記で特定した接点構成を有するマルチウエルプレートからの発光を測定するように構成された機器に関する。より具体的には、この機器は、上記で特定した接点位置で、プレート底部への接触を行う電気コネクタを備える。また、本発明は、上記で特定した接点位置で、アッセイプレートへの接触を行うステップを含むアッセイを実施する方法に関する。
【０１５６】
一実施形態によれば、この機器は複数の電気コネクタを備える。これら複数の電気コネクタは、好ましくはウエル間で底部表面への接触を行うように構成される。これら複数の電気コネクタは、１つ又は複数の動作コネクタ（すなわち、プレートへの接触を行って電気エネルギー源を動作電極に電気的に接続する電気コネクタ）と、１つ又は複数の対向コネクタ（すなわち、プレートへの接触を行って電気エネルギー源を対電極に電気的に接続する電気コネクタ）とを備えることが好ましい。
【０１５７】
これら複数の電気コネクタによって、各セクタは、６つの位置、より好ましくは、上記で定義した２×３アレイの位置で接触が行われることが好ましい。
【０１５８】
本発明の別の好ましい実施形態は、これら複数のウエルから放出される発光を測定するように適合された光検出器及び複数の電気コネクタを備える機器に関する。これら複数の電気コネクタは、上記で説明した接点位置で、マルチウエルプレート、好ましくは、３８４ウエルプレートの底部表面への接触を行うように構成される。
【０１５９】
本発明の別の態様は、第１表面上の複数の電極及び第２表面上の複数の「接点セクタ」を有するプレート底部（及びそれに対応するマルチウエルプレート）に関する。本明細書で用いる「接点セクタ」という用語は、複数の接点からなる独立にアドレス可能な領域すなわちセクタを指す。図１１Ａに、動作接点表面１１７２及び対電極表面１１７４を備える接点セクタ１１７０の例を示す。
【０１６０】
したがって、本発明の別の実施形態は、
（ａ）上部表面及び底部表面を有する基板と、
（ｂ）上部表面上の複数のパターン化した動作電極と、
（ｃ）それぞれが対応するパターン化した動作電極に付随する、上部表面上の複数のパターン化した対電極と、
（ｄ）底部表面上の２つ以上の独立にアドレス可能な接点セクタであって、それぞれが、上部表面上の１つ又は複数の前記複数のパターン化した動作電極及び１つ又は複数の前記複数のパターン化した対電極を備える電極セクタに対応し、かつ複数の導電接点表面を含む接点セクタとを備えるマルチウエルプレート底部及び／又はマルチウエルプレートに関する。
【０１６１】
好ましくは、これら複数の導電接点表面は、
（ｉ）上部表面上の１つ又は複数の対応するパターン化した動作電極に電気的に接続された第１接点領域内に配置された第１導電接点表面と、
（ｉｉ）上部表面上の１つ又は複数の対応するパターン化した対電極に電気的に接続された第２接点領域内に配置された第２導電接点表面とを含み、第１導電接点表面と第２導電接点表面は、互いに電気的に絶縁される。
【０１６２】
これら２つ以上のセクタが、少なくとも６つのセクタ、より好ましくは、等しいサイズのセクタからなる２×３アレイの６つのセクタを含むことが好ましい。
【０１６３】
好ましい実施形態によれば、この基板は、（ｉ）底部表面上の第１導電接点表面を、上部表面上の１つ又は複数の対応するパターン化した動作電極に電気的に接続する第１導電スルーホールと、（ｉｉ）第２導電接点表面を、上部表面上の１つ又は複数の対応するパターン化した対電極に電気的に接続する第２導電スルーホールとをさらに備える。
【０１６４】
第１接点領域はＵ形構成であり、第２接点領域はＴ形構成であり、セクタ内で、このＵ形構成がＴ形構成に対合することが好ましい。図１１Ａ及び図１２Ａを参照されたい。表Ｉ（下記）に、（標準構成の行Ａ〜Ｈ及び列１〜１２を有する）完全に組み立てられた９６ウエルプレート及び（標準構成の行Ａ〜Ｐ及び列１〜２４を有する）完全に組み立てられた３８４ウエルプレート中のウエル位置に関して定義した、前記Ｕ形第１接点領域及び前記Ｔ形第２接点領域の好ましい位置を示す。この表では、接点領域を、線にほぼ整列したセグメントに分割することによって記載する。これらの線の端点はプレート上のウエルに関連して定義する。
【０１６５】
図１１Ａ及び１２Ａを参照すると、好ましい実施形態は、標準構成のウエルを有する９６ウエルプレート又は３８４ウエルプレート（あるいは、前記９６ウエルプレート又は３８４ウエルプレートのプレート底部）を含む。これらのマルチウエルプレート（又はプレート底部）は、
上部表面及び底部表面を有する基板と、
上部表面上の複数のパターン化した動作電極と、
それぞれが対応するパターン化した動作電極に付随する、上部表面上の複数のパターン化した対電極と、底部表面上の、１つ又は複数、好ましくは６つの独立にアドレス可能な接点セクタ（例えば、表Ｉに挙げた、１つ又は複数、好ましくはすべての接点セクタ）であって、それぞれが、上部表面上の１つ又は複数の前記複数のパターン化した動作電極及び上部表面上の１つ又は複数の前記複数のパターン化した対電極を備える電極セクタに対応し、かつ複数の導電接点表面を含む接点セクタとを備え、好ましくは、所与の接点セクタの前記複数の導電接点表面が、
（ｉ）Ｕ形構成を有し、表Ｉで定義するように整列したセグメントを含む第１接点領域内に配置された第１導電接点表面であって、（好ましくは、前記第１接点領域で定義した区域内に配置された、前記基板を貫通する１つの、より好ましくは複数の導電スルーホールを介して）上部表面上の１つ又は複数の対応するパターン化した動作電極に電気的に接続された表面と、
（ｉｉ）Ｔ形構成を有し、表Ｉで定義したセグメントを含む第２接点領域内に配置された第２導電接点表面であって、（好ましくは、前記第２接点領域で定義した区域内に配置された、前記基板を貫通する１つの、より好ましくは複数の導電スルーホールを介して）上部表面上の１つ又は複数の対応するパターン化した対電極に電気的に接続された表面とを含み、第１導電接点表面と第２導電接点表面が、互いに電気的に絶縁される。
【０１６６】
本発明の別の実施形態は、任意の１つ又は複数の上記セクタ内で、上記で特定したＵ形構成及び／又はＴ形構成のいずれか１つを回転することを含む。例えば、Ｕ及び／又はＴのいずれかを９０度、１８０度などの角度で回転する。
【０１６７】
【表１】
2004534226.tif 000003
表Ｉ．プレート底部の底面上の接点領域の好ましい位置の表。接点領域は、プレート底部上の線にほぼ整列したセグメントを含むとして記載され、これらの線の端点は、プレートのウエル位置に関連して定義する。表記法Ａ１は、ウエルＡ１を指す。表記法Ａ１−Ｂ２は、ウエルＡ１とＢ２の間の中間領域を指す。したがって、表記法Ａ２−Ａ３〜Ｃ２−Ｄ３は、ウエルＡ２とＡ３の中間を始点とし、ウエルＣ２とＤ３の中間を終点とする線を指す。
【０１６８】
再度、図１１Ａ及び１２Ａを参照すると、本発明の別の実施形態は、マルチウエルプレート底部又はアッセイ基板、及び／又は、前記プレート底部又はアッセイ基板を含むアッセイモジュール（好ましくは、マルチウエルプレート底部及び／又は前記プレート底部を含むマルチウエルプレート）に関する。前記プレート底部又はアッセイ基板は、
（ａ）上部表面及び底部表面を有し、２×３アレイのセクタに分割された基板であって、各セクタが、行及び列で定義されるアッセイ領域アレイを有する基板と、
（ｂ）前記アレイの列に整列した細長い動作電極を備える各セクタ内の上部表面上の１つ又は複数のパターン化した動作電極と、
（ｃ）前記アレイの列に整列し、細長い動作電極から電気的に絶縁され、細長い動作電極の間に配置される細長い対電極を備える各セクタ内の上部表面上の１つ又は複数のパターン化した対電極と、
（ｄ）各セクタの底部表面上の１つ又は複数の接点とを備える。
【０１６９】
各アッセイ領域は、完全に組み立てられたアッセイモジュール内でウエル又はチャンバの表面を画定することが好ましい。最も好ましくは、アッセイ領域アレイが、標準の９６ウエルプレート又は標準の３８４ウエルプレートのウエル構成に対応し、細長い対電極が、これらアッセイ領域に隣接しかつそれらの間で、広がった電極領域を備え（狭い領域は、動作電極区域の抵抗に整合し、広がった領域により、プレートのウエル中で対電極表面が確実に露出する）、かつ／又は、セクタ内で、これら細長い対電極が、それらのそれぞれの一方の端部に直交しかつ隣接した細長い接続部に電気的に接続される。各アッセイ領域が、少なくとも２つの細長い対電極の一部及び１つの細長い動作電極の一部に重なることが好ましい。
【０１７０】
本発明の一実施形態は、
（ａ）上部表面及び底部表面を有する基板と、
（ｂ）上部表面上の複数の（好ましくは、パターン化した）動作電極と、
（ｃ）それぞれが対応する動作電極に付随する、上部表面上の複数の（好ましくは、パターン化した）対電極と、
（ｄ）それぞれ底部表面上に２つ以上の独立にアドレス可能な接点を有する２つ以上の独立にアドレス可能なセクタとを備え、各接点が、それらのセクタの１つの中のアッセイ領域又はウエル領域（例えば、プレート上部を取り付けた後で、ウエル底部の一部を形成する基板の表面）内で１つ又は複数の電極に対応する、アッセイモジュール又はアッセイモジュールエレメント（好ましくは、マルチウエルプレート又はマルチウエルプレート底部）に関する。
【０１７１】
これらのセクタは、少なくとも６個、好ましくは少なくとも１２個の直線セクタを含むことが好ましい。各セクタは、１行又は１列のウエルを備えることが好ましい。好ましい実施形態によれば、これらのセクタは、等しいサイズの直線セクタからなる１×１２のアレイを含み、各セクタは１行のウエルに相当する。
【０１７２】
好ましくは、この基板は、さらに、（ｉ）底部表面上の動作接点表面を、上部表面上の１つ又は複数の対応するパターン化した動作電極に電気的に接続する第１導電スルーホールと、（ｉｉ）対向接点表面を、上部表面上の１つ又は複数の対応するパターン化した対電極に電気的に接続する第２導電スルーホールとを備える。これら１つ又は複数の動作接点表面は、１つ又は複数の円形構成を備え、１つ又は複数の対向接点表面は、細長い構成を有することが好ましく、前記対向接点表面は、２つ以上のセクタ、より好ましくはすべてのセクタに共通であることが好ましい。
【０１７３】
図１０Ａに示す本発明の別の実施形態は、
（ａ）上部表面及び底部表面を有する基板であって、プレート底部が標準の９６ウエルプレート構成に対応する領域アレイを有し、このアレイが、行Ａ、Ｂ、Ｃ、Ｄ、Ｅ、Ｆ、Ｇ及びＨと、列１、２、３、４、５、６、７、８、９、１０、１１及び１２を含む基板と、
（ｂ）上部表面上の複数の（好ましくは、パターン化した）動作電極と、
（ｃ）それぞれが対応する動作電極に付随する、上部表面上の複数の（好ましくは、パターン化した）対電極と、
（ｄ）それぞれ底部表面上に２つ以上の独立にアドレス可能な接点を有する２つ以上の独立にアドレス可能なセクタとを備え、各接点が、それらのセクタの１つの中のアッセイ領域内で１つ又は複数の電極に対応し、各接点が、
（ｉ）Ａ１−Ｂ１、Ｃ１−Ｄ１、Ｅ１−Ｆ１及びＧ１−Ｈ１のところで、１つ又は複数の動作接点領域内に配置された１つ又は複数の動作接点であって、上部表面上の１つ又は複数の、好ましくはパターン化した対応する対電極に電気的に接続された接点と、
（ｉｉ）Ｂ１−Ｃ１、Ｄ１−Ｅ１及びＦ１−Ｇ１のところで、１つ又は複数の対向接点領域内に配置された１つ又は複数の対向接点であって、上部表面上の１つ又は複数の、好ましくはパターン化した対応する対電極に電気的に接続された接点とを備える第１セクタ接点を含み、これら１つ又は複数の動作接点及び１つ又は複数の対向接点が、互いに電気的に絶縁される、マルチウエルプレート又はマルチウエルプレート底部に関する。
【０１７４】
電極表面は、プレート底部又は基板の上部表面上にあり、接点は、底部表面上にあることが好ましい。この場合、プレート基板が、上面上の１つ又は複数の動作電極表面及び１つ又は複数の対電極表面を、底面上の導電接点に電気的に接続する１つ又は複数の導電スルーホール（例えば、導電材料を充填又は被覆したホール）をさらに備えると有利である。好ましくは、このプレート基板は、２つ以上の導電スルーホール、より好ましくは６つ以上、さらに好ましくは１２個以上、最も好ましくは２４個以上の導電スルーホールを備える。
【０１７５】
したがって、本発明の別の実施形態は、複数の電極を備える上部表面及び１つ又は複数の電気接点を備える底部表面を有する基板を備え、複数のウエルを有するマルチウエルプレートに関する。この基板は、１つ又は複数の電気接点を電極に電気的に接続する１つ又は複数の導電スルーホールをさらに含む。これら１つ又は複数の導電スルーホールは、ウエルの直下ではなく、ウエル間かつ／又はウエルに隣接して配置し、それによって、有害な漏れの可能性を低くすることが好ましい。
【０１７６】
この基板は、動作電極表面及び対電極表面のそれぞれに電気的に接続された１つ又は複数の冗長導電スルーホールを含むことが好ましい。すなわち、動作電極及び／又は対電極は、１つの電極当たり２つ以上のスルーホールを介してプレート接点に電気的に接続される。単一スルーホールが電極を電気接点に電気的に接続するのに十分であるとしても、冗長スルーホールを設けると、電圧又は電流をより均一に分配することができる。
【０１７７】
本発明の別の実施形態は、標準の９６ウエルプレート構成を有するマルチウエルプレートに関する。このアレイは、
Ａ１〜Ａ４、Ｂ１〜Ｂ４、Ｃ１〜Ｃ４及びＤ１〜Ｄ４のウエルを含む第１セクタと、
Ａ５〜Ａ８、Ｂ５〜Ｂ８、Ｃ５〜Ｃ８及びＤ５〜Ｄ８のウエルを含む第２セクタと、
Ａ９〜Ａ１２、Ｂ９〜Ｂ１２、Ｃ９〜Ｃ１２及びＤ９〜Ｄ１２のウエルを含む第３セクタと、
Ｅ１〜Ｅ４、Ｆ１〜Ｆ４、Ｇ１〜Ｇ４及びＨ１〜Ｈ４のウエルを含む第４セクタと、
Ｅ５〜Ｅ８、Ｆ５〜Ｆ８、Ｇ５〜Ｇ８及びＨ５〜Ｈ８のウエルを含む第５セクタと、
Ｅ９〜Ｅ１２、Ｆ９〜Ｆ１、Ｇ９〜Ｇ１２及びＨ９〜Ｈ１２のウエルを含む第６セクタのうち、１つ又は複数、好ましくは２つ以上、より好ましくはすべてのセクタを備える。
このマルチウエルプレートは、複数の電極を備える上部表面を有し、各セクタは１つ又は複数のセクタ電極を備える。
このマルチウエルプレートは、１つ又は複数の独立にアドレス可能な接点セクタを上に備える底部表面を有し、これらの接点セクタはそれぞれ、プレートのセクタ内のセクタ電極に対応する。これらのセクタはそれぞれ、１つ又は複数の接点セクタを、対応するセクタ電極に電気的に接続する１つ又は複数の導電スルーホールをさらに含み、これら１つ又は複数の導電スルーホールはそれぞれ、ウエル間かつ／又はウエルに隣接して配置される。
【０１７８】
好ましくは、各セクタは、２つ、より好ましくは３つ、さらに好ましくは４つ、最も好ましくは少なくとも８つのスルーホールを備える。各セクタは、２×４のアレイで、８つのスルーホールを備えることが好ましい。好ましい一実施形態によれば、これらのスルーホールは、スルーホール対を含む。
【０１７９】
好ましい一実施形態によれば、これらのスルーホールは、
（ｉ）Ａ１−Ａ４に隣接するセクタ縁部に沿った４つのスルーホールと、Ｃ１−Ｄ１、Ｃ２−Ｄ２、Ｃ３−Ｄ３及びＣ４−Ｄ４のところの４つのスルーホールとを含む第１セクタスルーホールのうち、２つ以上、好ましくは３つ以上、より好ましくはすべてのスルーホールと、
（ｉｉ）Ａ５−Ａ８に隣接するセクタ縁部に沿った４つのスルーホールと、Ｃ５−Ｄ５、Ｃ６−Ｄ６、Ｃ７−Ｄ７及びＣ８−Ｄ８のところの４つのスルーホールとを含む第２セクタスルーホールのうち、２つ以上、好ましくは３つ以上、より好ましくはすべてのスルーホールと、
（ｉｉｉ）Ａ９−Ａ１２に隣接するセクタ縁部に沿った４つのスルーホールと、Ｃ９−Ｄ９、Ｃ１０−Ｄ１０、Ｃ１１−Ｄ１１及びＣ１２−Ｄ１２のところの４つのスルーホールとを含む第３セクタスルーホールのうち、２つ以上、好ましくは３つ以上、より好ましくはすべてのスルーホールと、
（ｉｖ）Ｈ１−Ｈ４に隣接するセクタ縁部に沿った４つのスルーホールと、Ｅ１−Ｆ１、Ｅ２−Ｆ２、Ｅ３−Ｆ３及びＥ４−Ｆ４のところの４つのスルーホールとを含む第４セクタスルーホールのうち、２つ以上、好ましくは３つ以上、より好ましくはすべてのスルーホールと、
（ｖ）Ｈ５−Ｈ８に隣接するセクタ縁部に沿った４つのスルーホールと、Ｅ５−Ｆ５、Ｅ６−Ｆ６、Ｅ７−Ｆ７及びＥ８−Ｆ８のところの４つのスルーホールとを含む第５セクタスルーホールのうち、２つ以上、好ましくは３つ以上、より好ましくはすべてのスルーホールと、
（ｖｉ）Ｈ９−Ｈ１２に隣接するセクタ縁部に沿った４つのスルーホールと、Ｅ９−Ｆ９、Ｅ１０−Ｆ１０、Ｅ１１−Ｆ１１及びＥ１２−Ｆ１２のところの４つのスルーホールとを含む第６セクタスルーホールのうち、２つ以上、好ましくは３つ以上、より好ましくはすべてのスルーホールとを含む。
【０１８０】
第１導電領域のセクタ内に配置されたセクタスルーホールはそれぞれ、底部表面上の１つ又は複数の接点を、上部表面上の１つ又は複数の動作電極に電気的に接続し、かつ／又は、第２導電領域のセクタ内に配置されたセクタスルーホールはそれぞれ、底部表面上の１つ又は複数の接点を、上部表面上の１つ又は複数の対電極に電気的に接続することが好ましい。
【０１８１】
本発明の別の実施形態は、標準の３８４ウエルプレート構成を有するマルチウエルプレートに関する。このアレイは、行Ａ〜Ｐ及び列１〜２４を備える。このアレイは、
Ａ１〜Ａ８、Ｂ１〜Ｂ８、Ｃ１〜Ｃ８、Ｄ１〜Ｄ８、Ｅ１〜Ｅ８、Ｆ１〜Ｆ８、Ｇ１〜Ｇ８及びＨ１〜Ｈ８のウエルを含む第１セクタと、
Ａ９〜Ａ１６、Ｂ９〜Ｂ１６、Ｃ９〜Ｃ１６、Ｄ９〜Ｄ１６、Ｅ９〜Ｅ１６、Ｆ９〜Ｆ１６、Ｇ９〜Ｇ１６及びＨ９〜Ｈ１６のウエルを含む第２セクタと、
Ａ１７〜Ａ２４、Ｂ１７〜Ｂ２４、Ｃ１７〜Ｃ２４、Ｄ１７〜Ｄ２４、Ｅ１７〜Ｅ２４、Ｆ１７〜Ｆ２４、Ｇ１７〜Ｇ２４及びＨ１７〜Ｈ２４のウエルを含む第３セクタと、
Ｉ１〜Ｉ８、Ｊ１〜Ｊ８、Ｋ１〜Ｋ８、Ｌ１〜Ｌ８、Ｍ１〜Ｍ８、Ｎ１〜Ｎ８、Ｏ１〜Ｏ８及びＰ１〜Ｐ８のウエルを含む第４セクタと、
Ｉ９〜Ｉ１６、Ｊ９〜Ｊ１６、Ｋ９〜Ｋ１６、Ｌ９〜Ｌ１６、Ｍ９〜Ｍ１６、Ｎ９〜Ｎ１６、Ｏ９〜Ｏ１６及びＰ９〜Ｐ１６のウエルを含む第５セクタと、
Ｉ１７〜Ｉ２４、Ｊ１７〜Ｊ２４、Ｋ１７〜Ｋ２４、Ｌ１７〜Ｌ２４、Ｍ１７〜Ｍ２４、Ｎ１７〜Ｎ２４、Ｏ１７〜Ｏ２４及びＰ１７〜Ｐ２４のウエルを含む第６セクタのうち、１つ又は複数、好ましくは２つ以上、より好ましくは４つ以上、最も好ましくは６つのセクタを備える。
このマルチウエルプレートは、複数の電極を備える上部表面を有し、各セクタは１つ又は複数のセクタ電極を備える。
このマルチウエルプレートは、１つ又は複数の独立にアドレス可能な接点セクタを上に備える底部表面を有し、これらの接点セクタはそれぞれ、セクタ電極に対応する。これらのセクタはそれぞれ、１つ又は複数の接点セクタを、対応するセクタ電極に電気的に接続する１つ又は複数の導電スルーホールをさらに含み、これら１つ又は複数の導電スルーホールは、ウエル間かつ／又はウエルに隣接して配置される。
【０１８２】
好ましくは、各セクタは、少なくとも２個、好ましくは少なくとも３個、より好ましくは少なくとも４個、さらに好ましくは少なくとも８個のスルーホールを備える。好ましい実施形態によれば、各セクタは、好ましくは２×８のアレイで配置された１６個のスルーホールを備える。これらのスルーホールは、スルーホール対を含むことが好ましい。
【０１８３】
別の好ましい実施形態によれば、これらのスルーホールは、
（ｉ）Ａ１−Ａ８に隣接するセクタ縁部に沿った４個のスルーホールと、Ｇ１−Ｈ１〜Ｇ８−Ｈ８に沿った４個のスルーホールとを含む第１セクタスルーホールのうち、２個以上、好ましくは３個以上、より好ましくはすべてのスルーホールと、
（ｉｉ）Ａ９−Ａ１６に隣接するセクタ縁部に沿った４個のスルーホールと、Ｇ９−Ｈ９〜Ｇ１６−Ｈ１６に沿った４個のスルーホールとを含む第２セクタスルーホールのうち、２個以上、好ましくは３個以上、より好ましくはすべてのスルーホールと、
（ｉｉｉ）Ａ１７−Ａ２４に隣接するセクタ縁部に沿った４個のスルーホールと、Ｇ１７−Ｈ１７〜Ｇ２４−Ｈ２４に沿った４個のスルーホールとを含む第３セクタスルーホールのうち、２個以上、好ましくは３個以上、より好ましくはすべてのスルーホールと、
（ｉｖ）Ｐ１−Ｐ８に隣接しするセクタ縁部に沿った４個のスルーホールと、Ｉ１−Ｊ１〜Ｉ８−Ｊ８に沿った４個のスルーホールとを含む第４セクタスルーホールのうち、２個以上、好ましくは３個以上、より好ましくはすべてのスルーホールと、
（ｖ）Ｐ９−Ｐ１６に隣接するセクタ縁部に沿った４個のスルーホールと、Ｉ９−Ｊ９〜Ｉ１６−Ｊ１６に沿った４個のスルーホールとを含む第５セクタスルーホールのうち、２個以上、好ましくは３個以上、より好ましくはすべてのスルーホールと、
（ｖｉ）Ｐ−１７〜Ｐ−２４に隣接するセクタ縁部に沿った４個のスルーホールと、Ｉ１７−Ｊ１７〜Ｉ２４−Ｊ２４に沿った４個のスルーホールとを含む第６セクタスルーホールのうち、２個以上、好ましくは３個以上、より好ましくはすべてのスルーホールとを含む。
【０１８４】
５．２  本発明のマルチウエルアッセイプレートの実施形態
以下のセクションでは、本発明のアッセイモジュール、特にマルチウエルアッセイプレートの様々な実施形態を説明する。図には、特定の数及び配置のウエルを有するプレートを示す。一般に、図には、１２×８アレイのウエルを有する９６ウエルプレートを示す。しかし、プレートの構造及びエレメントの説明は、これらを、任意の数のウエルを任意の配置で有するプレート（例えば、ハイスループットスクリーニングで用いる任意の標準プレートフォーマット）を含めて、様々なアッセイモジュールに適用することができ、また、容易に適合させることができるという意味で一般的であることを理解される。
【０１８５】
５．２．１  多層電極プレート
図５に、本発明のマルチウエルアッセイプレートの例を示す。マルチウエルアッセイプレート５００は、第１導電層５０８、誘電体層５０６、第２導電層５０４及びプレート上部５０２を順に備える積層構造を有する。プレート上部５０２を貫通するホール５０３、第２導電層５０４を貫通するホール５０５及び誘電体層５０６を貫通するホール５０７（それぞれ内面５０９、５１０及び５１２を有するホール）は、第１導電層５０８で画定されるウエル底部と、内面５０９、５１０及び５１２で画定されるウエル壁とを有する複数のウエルを形成するように整列される。これらのホールの積層構造面内断面形状は、円形、矩形その他任意の形状とすることができる。これらホールの内壁は、円筒形ウエルを提供するように積層構造面に直交することもできるし、例えば、円錐形又は半球形ウエルが得られるような形状とすることもできる。本発明の一実施形態では、ホール５０３、５０５及び５０７の直径は同じである。この実施形態では、第２導電層５０４の内面５１０だけが、このプレートのウエルの体積に曝される。あるいは、ホール５０３の直径をホール５０５及び５０７の直径よりも大きくして、導電層５０４の上部表面の一部をこのプレートのウエルの体積に曝すことができる。
【０１８６】
第１導電層５０８は、ＥＣＬアッセイの対電極、好ましくは、動作電極として使用するのに適した材料である（上記のＥＣＬ電極の説明を参照されたい）。一実施形態では、導電層５０８は、金属シート又はフォイル（例えば、白金又は金フォイル）あるいは導電性プラスチックシートなどの材料の導電シートである。導電層５０８は、ポリマー基材中に分散させたカーボン粒子（例えば、カーボンフィブリル）を含む導電性プラスチック複合材のシートであることが好ましい。代替実施形態では、導電層５０８は、基板上で支持された導電材料のフィルムである。適切なフィルムには、基材中に分散させた導電粒子を含む導電インク（例えば、カーボン又は金属ベースの導電インク）などの被覆、あるいは、金属又はカーボンフィルム（例えば、蒸着又はＣＶＤプロセスあるいは積層によって基板上に被着させた金属又はカーボンフィルム）が含まれる。適切な基板には、プラスチックシート、ガラス及びセラミックが含まれる。第１導電層５０８への電気的接触は、任意の露出した導電表面、好ましくは底部表面への接触を行うことによってなされる。第１導電層５０８の上部への電気的接触は、この層の幅及び／又は長さを他の層の幅及び／又は長さの先まで延ばすことによって容易になり得る。第１導電層５０８が非導電性基板上に導電性被覆を含む実施形態では、この非導電性基板を貫通するスルーホールを組み込むことによって、プレート底部に対する電気的な接続を行うことができる。このようなスルーホールは、金属導線などの導電材料を挿入するか、あるいは、金属充填インクなどの導電材料を充填することによって導電性にし、それによって、導電性被覆からプレート底部への高導電性経路を設けることが好ましい。別の実施形態によれば、これらのホールにカーボン充填インクを充填することができる。一般に、導電層５０８は、流体を透過させない障壁を提供し、ウエル内に保持される流体を閉じ込めるように働く。しかし、任意選択で、多孔質の導電層５０８を用いて、ドットブロットアッセイ、及びプレート底部及び／又は動作電極を通してサンプル又は試薬を濾過することから利益が得られる他のアッセイを行うこともできる。
【０１８７】
誘電体層５０６は、電気的な絶縁材料であり、導電層５０４と５０８の電気的な接触を妨げる。適当な材料には、非導電性プラスチック、ガラス又はセラミックのシートが含まれ、それらのシートは、導電層５０４及び／又は５０８に粘着結合するように、片面又は両面に粘着性被覆を含むことが好ましい（例えば、片面又は両面粘着テープ）。このような誘電体層では、成型プロセス（すなわち、層の製作中に）、選択エッチング、好ましくは、プレートの最終組立ての前に行う切断プロセス、例えば、打抜き又はレーザ穿孔によってホール５０７を形成することができる。あるいは、誘電体層５０６は、誘電体インク、ポリマーフィルム、フォトレジストフィルム、及び／又は、セラミック又はガラスフィルム（例えば、蒸着又はＣＶＤプロセスによって被着させたセラミック又はガラスフィルム）などの電気的な絶縁被覆である。このような層中のホール５０７は、切断、被覆の選択エッチング（例えば、フォトリソグラフィ又は物理的なマスクの存在下でのエッチング）、あるいは、スクリーン印刷、レーザプリンティング又はインクジェット印刷などのプロセスあるいはマスクによる被着による被覆のパターン被着によって形成することができる。
【０１８８】
第２導電層５０４は、ＥＣＬアッセイの動作電極、好ましくは、対電極として使用するのに適した材料である（上記のＥＣＬ電極の説明を参照されたい）。任意選択で、（例えば、プレート上部５０２が電極材料を含むとき、あるいは、プレートを分析するのに使用する機器が（例えば、１つ又は複数の導電プローブの形態で）電極を供給することができるとき）第２導電層５０４は割愛することができる。一実施形態では、導電層５０４は、金属シート又はフォイル（例えば、アルミニウム、白金又は金フォイル）あるいは導電性プラスチックシート（例えば、ポリマー基材中に分散させたカーボン粒子を含む導電プラスチック複合材のシート）などの材料の導電シートである。このような導電層では、成型プロセス（すなわち、層の製作中に）、選択エッチング、好ましくは、プレートの最終組立ての前に行う切断プロセス、例えば、打抜き又はレーザ穿孔によってホール５０５を形成することができる。別の実施形態では、導電層５０４は、基板上で支持された導電材料のフィルムである。適切なフィルムには、基材中に分散させた導電粒子を含む導電インク（例えば、カーボン又は金属ベースの導電インク）などの被覆、あるいは、金属フィルム（例えば、蒸着又はＣＶＤプロセスによって基板上に被着させたアルミニウム、金及び白金などの金属フィルム）が含まれる。適切な基板には、プラスチックシート、ガラス及びセラミックが含まれる。このような層中のホール５０５は、切断、被覆の選択エッチング（例えば、フォトリソグラフィ又は物理的なマスクの存在下でのエッチング）、あるいは、スクリーン印刷、レーザプリンティング又はインクジェット印刷などのプロセスあるいはマスクによる被着による被覆のパターン被着によって形成することができる。本発明の好ましい実施形態では、誘電体層５０６及び第２導電層５０４はともに、金属被覆粘着テープの層（すなわち、金属フィルム（好ましくは、アルミニウムの蒸着フィルム）を被覆した非導電性プラスチックシートの反対側に粘着剤の層を含む積層構造）によって提供される。ホール５０５及び５０７は、プレートを組み立てる前に、打抜き又はレーザ穿孔などの切断プロセスによって、このようなテープに同時に形成することが好ましい。第２導電層５０４への電気的接触は、任意の露出した導電表面への接触を行うことによってなされる。第２導電層５０４の上部又は底部への電気的接触は、この層の幅及び／又は長さをプレート上部の幅及び／又は長さの先まで延ばすことによって容易になり得る。あるいは、他の層を貫通する開口部を組み込むことによって、第２導電層５０４の追加の露出表面を提供することができる。このような開口部は、金属導線などの導電材料を挿入するか、あるいは、金属充填インクなどの導電材料を充填することによって導電性にしたスルーホールとすることができ、それによって、第２導電層５０４からプレート底部又は上部への高導電性経路を設けることができる。任意選択で、マルチウエルアッセイプレート５００は、参照電極として使用するのに適した材料を含む（図示しない）追加の導電層を備える。この参照電極層は、必要に応じて、例えば、追加の誘電体層を用いることによって、他の導電層から電気的に絶縁するべきである。
【０１８９】
プレート上部５０２は、本出願で前に説明したプレート上部である。プレート上部５０２は、マイクロプレートを格納し、移動させ、処理する市販の機器と互換性があるように、マイクロプレートの寸法及びウエルの数についての業界標準に適合することが好ましい。一般に、プレート上部５０２は、非導電性のプラスチック製である。プレート上部５０２は、導電材料製とすることもできるし、（ＥＣＬアッセイにおいて、動作電極、好ましくは、対電極として機能するのに適した）導電材料を被覆することもできる。この場合には、第２導電層５０４を割愛してよい。プレート上部５０２の底部表面は、第２導電層５０４に粘着結合させるための粘着性被覆を含むことが好ましい。いくつかの代替実施形態では、プレート上部５０２は割愛される。
【０１９０】
使用に当たっては、プレート５００のコンポーネント５０２、５０４、５０６及び５０８を隣接する層に対して密封し、それによって、プレート５００のウエル内に含まれる流体の漏れを防止するべきである。ファスナ及び／又はクランプの使用による圧力下で、これらのコンポーネントを合わせて物理的に保持することによって密封が得られる。このようなファスナ及び／又はクランプは、プレート５００に一体化し、かつ／又は、外部フィクスチャに含めることができる。あるいは、これらのコンポーネントの表面上に粘着性被覆を施すことによっても密封が得られる。いくつかの場合、これらのコンポーネントは、本来、粘着特性をもち得る。例えば、蒸着フィルム、ＣＶＤフィルム、成型ポリマーフィルム、印刷されたインクなどは、それらが被着される基板に粘着するように設計することができる。これらのシールの一部は、超音波溶接又は溶剤溶接などの溶接プロセスによって（すなわち、互いに密封する表面の一方又は両方を軟化又は部分的に溶解させる溶剤を塗布することによって）行うこともできる。導電層５０８の露出区域がウエルの中心に位置し、導電層５０４の露出区域で取り囲まれるように、プレートの各層を整列させることが好ましい。
【０１９１】
動作においては、プレート５００のウエル中にテストサンプルを導入する。電気エネルギー源を、第１導電層５０８及び第２導電層５０４の両端に接続する。これらの接続部の両端に電気エネルギーを印加すると、導電層５０８及び５０４の露出表面を介してテストサンプル全体にわたって電気化学的な電位が印加される。ＥＣＬアッセイの場合には、導電層５０８の表面又はその近傍でＥＣＬが生成される（すなわち、導電層５０８が動作電極を提供し、導電層５０４が対電極を提供する）ように電気エネルギーを印加し、それによって、ウエル中央付近で光が生成されることが好ましい。
【０１９２】
いくつかの好ましい実施形態では、このプレートを、一緒にアドレス可能なウエルからなる個々にアドレス可能なセクタに分割する。このようなセクタ化は、導電層５０４及び／又は５０８を個々にアドレス可能な複数のセクションに分割することによって行うことができる。図６Ａに、層が、互いに電気的に絶縁した６つの正方形セクション（６０２Ａ〜Ｆ）に分割されている点を除き、上記で説明した第２導電層５０４に類似の第２導電層６００を示す。例えば、セクション６０２Ａに電位を印加すると、セクション６０２Ａに接触するウエルで画定されたプレートセクタ中の流体に選択的に印加される電位が生じる。このようなセクタ化により、プレート中の各セクタからのＥＣＬの誘起及び測定を順に行うことができる。いくつかの代替セクション化方式を、（導電層６２０を列状セクタ６２２Ａ〜６２２Ｌに分割する）図６Ｂ及び（導電層６４０を個々のウエルセクタ６４４に分割する）図６Ｃに示す。図７Ａに、層が、互いに電気的に絶縁した６つの正方形セクション（７０２Ａ〜Ｆ）に分割されている点を除き、上記で説明した第１導電層５０８に類似の第１導電層７００を示す。例えば、セクション７０２Ａに電位を印加すると、セクション７０２Ａに接触するウエルで画定されたプレートセクタ中の流体に選択的に印加される電位が生じる。いくつかの代替セクション化方式を、（プレートの幅に沿って導電層７２０を列状セクタ７２２に分割する）図７Ｂ、（プレートの長さに沿って導電層７４０を列状セクタ７４２に分割する）図７Ｃ、及び（導電層７６０を個々のウエルセクタ７６６に分割する）図７Ｄに示す。一般に、プレート５００を個々にアドレス可能なセクタに分割するには、プレート５００の導電層５０４及び５０８の一方を分割するだけでよい。というのは、電気化学的な回路を完成するために、特定のウエルに接触する両方の導電層に対して電気的な接続を行わなければならないからである。いくつかの実施形態では、導電層５０４及び５０８をともに分割して、電極の数を最小限に抑えながら、個々にアドレス可能なセクタの数を最大限に大きくする。例えば、（図６Ｂに示す）第２導電層６２０とともに（図７Ｃに示す）第１導電層７４０を用いて形成したプレートにより、９６個のウエルを個々にアドレスすることができるが、必要な電気接点は２０個だけである。打抜き又は穿孔などの切断プロセス、フォトリソグラフィ、又はマスクによるエッチング、あるいは選択被着などによる選択エッチングを含めて、様々な方法でプレート５００の導電層５０４及び／又は５０８の分割を行うことができる。
【０１９３】
５．２．２  単一電極層プレート
導電層の分割は、所与のウエル内で複数の独立した電極を設けるのに用いることができる。図１６Ａに、本発明のマルチウエルアッセイプレートの別の例を示す。マルチウエルアッセイプレート１６００は、支持部上に単一の導電層を有する点を除き、図５からのマルチウエルアッセイプレート５００に構造上類似している。この導電層は、所与のウエル内に２つ以上の独立した電極（例えば、対向及び動作電極）が得られるように分割する。マルチウエルアッセイプレート１６００は、プレート上部１６０２、粘着層１６０４、誘電体層１６０６、導電層１６０８及び基板１６１０を順に備える積層構造である。プレート上部１６０２及び粘着層１６０４をそれぞれ貫通するホール１６０３及び１６０５により、誘電体層１６０６、導電層１６０８及び／又は基板１６１０で画定されるウエル底部を有する複数のウエルが形成される。導電層１６０８は、２つの電気的に絶縁したセクション、動作電極セクション１６２０及び対電極セクション１６２２に分割する。この分割は、所与のウエル内の流体が、両方のセクションの表面に曝されるように設計される。エレメント１６１２には、一体化された電極を伴うプレート底部が形成されるように、上から下に１６０６（上）、１６０８、１６１０（下）の順で整列し積み重ねた層１６０６、１６０８及び１６１０を示す。
【０１９４】
プレート上部１６０２は、本出願で前に説明したプレート上部である。プレート上部１６０２は、マイクロプレートを格納し、移動させ、処理する市販の機器と互換性があるように、マイクロプレートの寸法及びウエルの数についての業界標準に適合することが好ましい。一般に、プレート上部１６０２は、非導電性のプラスチック製である。好ましくは、粘着層１６０４は、プレート上部１６０２をエレメント１６１２に密封するのに適した粘着性被覆又は粘着テープであり、液密高抵抗シールを形成することが好ましい。粘着層１６０４は、両面粘着テープであることが好ましい。任意選択で、粘着層１６０４を割愛することができる。このような場合、プレート上部１６０２は、プレート上部１６０２上の粘着性被覆によって、あるいは、ヒートシール、溶剤溶接、音波溶接又はクランプすることによって圧力をかけるなど他の密封技術によってエレメント１６１２に密封することができる。いくつかの代替実施形態では、プレート上部１６０２は割愛される。
【０１９５】
誘電体層１６０６は、電気的な絶縁材料であり、ウエル中の流体に接触する導電層１６０８の領域を画定する働きをする。図１６Ａでは、誘電体１６０６は、誘電体層１６０６中のホール１６０７で画定される領域を除き、所与のウエルの体積に曝されるすべての動作電極セクション１６２０を覆う。ホール１６０７で形成される境界により、露出電極には接触するがウエル中の他の露出表面には接触しない微量な流体を閉じ込めるのに使用することができる、動作電極１６２０の上の流体封じ込め領域が画定される。このような流体封じ込め領域を用いて、ウエル内の動作電極の活動区域上に選択的に試薬を固定化することができると有利である。あるいは、誘電体層１６０６を割愛することができる。誘電体層１６０６は、誘電体インク、ポリマーフィルム、フォトレジストフィルム、及び／又は、セラミック又はガラスフィルム（例えば、蒸着又はＣＶＤプロセスによって被着させたセラミック又はガラスフィルム）などの電気的な絶縁被覆であることが好ましい。このような層中のホール１６０７は、被覆の選択エッチング（例えば、フォトリソグラフィ又は物理的なマスクの存在下でのエッチング）、あるいは、スクリーン印刷、レーザプリンティング又はインクジェット印刷などのプロセスあるいはマスクによる被着による被覆のパターン被着によって形成することができる。あるいは、誘電体１６０６は、非導電性プラスチック、ガラス又はセラミックのシートとすることができ、これらのシートは、隣接する層に粘着結合するように、片面又は両面に粘着性被覆を含むことが好ましい。このような誘電体層では、成型プロセス（すなわち、層の製作中に）、選択エッチング、好ましくは、プレートの最終組立ての前に行う切断プロセス、例えば、打抜き又はレーザ穿孔によってホール１６０７を形成することができる。
【０１９６】
導電層１６０８は、ＥＣＬアッセイの対電極又は動作電極として使用するのに適した材料を含む（上記のＥＣＬ電極の説明を参照されたい）。動作電極セクション１６２０及び対電極セクション１６２２は、（それぞれを機能上最適化するために）異なる材料を含むこともできるし、（例えば、１回のスクリーン印刷ステップで両方のセクションを印刷することによって、それらの形成を簡略化するために）同じ材料を含むこともできる。導電層１６０８は、基板１６１０上で支持される導電材料の被覆であることが好ましい。適切なフィルムには、基材中に分散させた導電粒子を含む導電インク（例えば、カーボン又は金属ベースの導電インク）などの被覆、あるいは、金属フィルム（例えば、蒸着又はＣＶＤプロセスによって基板上に被着させた金属フィルム）が含まれる。このようなパターン化セクションの形成は、フィルムの選択的パターン被着（例えば、スクリーン印刷、レーザプリンティング、インクジェット印刷、マスクによる蒸着など）及び／又は隣接したフィルムの選択的パターンエッチング（例えば、半導体業界で用いるフォトリソグラフィ及び化学エッチング手順）によって行うことができる。あるいは、セクション１６２０及び１６２２は、金属シート又はフォイル（例えば、白金、金、鋼又はアルミニウムフォイル）などの材料の導電シート、あるいは、ポリマー基材中に分散させたカーボン粒子（例えば、カーボンフィブリル）を含む導電性プラスチック複合材のシートなどの導電性プラスチックシートから、例えば、打抜きによって切断される。任意選択で、導電層１６０８は、参照電極として使用するのに適した材料を含む（図示しない）追加のセクションを備える。
【０１９７】
基板１６１０は、プラスチックシート、ガラス又はセラミックなどの非導電性材料である。電極セクション１６２０及び１６２２への電気的接触は、任意の露出した表面に対して行われる。電極セクションの上部への電気的接触は、これらのセクション（及び基板１６１０）の幅及び／又は長さをプレート上部１６０２の幅及び／又は長さの先まで延ばすことによって容易になり得る。あるいは、基板１６１０を貫通するスルーホールを組み込むことによって、プレート底部に対する電気的な接続を行うことができる。このようなスルーホールは、金属導線などの導電材料を挿入するか、あるいは、金属充填インクなどの導電材料を充填することによって導電性にし、それによって、電極セクションからプレート底部への高導電性経路を設けることが好ましい。
【０１９８】
使用に当たっては、プレート１６００のコンポーネント１６０２、１６０６及び１６０８を隣接する層に対して密封し、それによって、プレート１６００のウエル内に含まれる流体の漏れを防止するべきである。ファスナ及び／又はクランプの使用による圧力下で、これらのコンポーネントを合わせて物理的に保持することによって密封が得られる。このようなファスナ及び／又はクランプは、プレート１６００に一体化し、かつ／又は、外部フィクスチャ内に含めることができる。あるいは、これらのコンポーネントの表面上に粘着性被覆を施すことによっても密封が得られる（上記セクション５．１の考察を参照されたい）。適切な粘着剤には、アクリル粘着剤（３Ｍ  ２００ＭＰ）が含まれる。
【０１９９】
一実施形態によれば、ポリプロピレンのプレート上部を使用する。プレート上部を底部に取り付けるために、ＬＳＥ（低表面エネルギー）粘着剤を用いることが好ましい。ＬＳＥ粘着剤と非ＬＳＥ粘着剤の差異は、流動性又は「浸潤性」だけである。３Ｍ  ２００ＭＰなどの非ＬＳＥ粘着剤は、ポリプロピレンなどの低表面エネルギーを有すると特徴づけられる表面にもくっつかない。ポリプロピレンとともに用いるのに適した１つの粘着剤は、３Ｍ  ３００ＬＳＥなどの改質アクリルであり、これは、低表面エネルギープラスチック用に特に設計されたものである。
【０２００】
いくつかの場合、これらのコンポーネントは、本来、粘着特性をもち得る。例えば、蒸着フィルム、ＣＶＤフィルム、成型ポリマーフィルム、印刷されたインクなどは、それらが被着される基板に粘着するように設計することができる。これらのシールの一部は、超音波溶接又は溶剤溶接などの溶接プロセスによって（すなわち、互いに密封する表面の一方又は両方を軟化又は部分的に溶解させる溶剤を塗布し、これら２つの表面を接触させ、次いで、この表面を再度硬化させて結合を形成することによって）行うこともできる。セクション１６２０の露出区域がウエルの中心に位置し、両側がセクション１６２２の露出区域で取り囲まれるように、プレートの各層を整列させることが好ましい。
【０２０１】
動作においては、プレート１６００のウエル中にテストサンプルを導入する。電気エネルギー源を、動作電極セクション１６２０及び対電極セクション１６２２の両端に接続する。これらの接続部の両端に電気エネルギーを印加すると、動作電極セクション１６２０及び対電極セクション１６２２の露出表面を介してテストサンプル全体にわたって電気化学的な電位が印加される。
【０２０２】
いくつかの好ましい実施形態では、このプレートを、一緒にアドレス可能なウエルからなる個々にアドレス可能なセクタに分割する。このようなセクタ化は、動作電極セクション１６２０及び／又は対電極セクション１６２２を個々にアドレス可能な複数のセクションにさらに分割することによって行うことができる。図１６Ｂに、動作電極セクション１６４２及び対電極セクション１６４４を有する導電層１６４０を示す。導電層１６４０は、動作電極セクション１６４２が、互いに電気的に絶縁した１２個のサブセクション（１６４２Ａ〜Ｌ）にさらに分割されている点を除き、上記で説明した導電層１６０８に類似している。例えば、サブセクション１６４２Ａに電位を印加すると、サブセクション１６４２Ａに接触するウエルで画定されたプレートセクタ中の流体に選択的に印加される電位が生じる。代替セクション化方式を、（導電層１６６０の動作電極セクション１６６２及び対電極セクション１６６４を６つの正方形セクタに分割する）図１６Ｃに示す。一般に、プレート１６００を個々にアドレス可能なセクタに分割するには、動作電極セクション１６２０及び対電極セクション１６２２の一方をさらに分割するだけでよい。というのは、電気化学的な回路を完成するために、特定のウエルに接触する両方の導電層に対して電気的な接続を行わなければならないからである。いくつかの実施形態では、動作電極セクション１６２０及び対電極セクション１６２２をともにサブセクション化することによって、セクションのパターン化を簡略化する。
【０２０３】
５．２．３  多層電極プレートの特定の実施形態
本発明の別の態様は、アッセイプレート、好ましくは、マルチウエルプレートに関する。１つ又は複数の電極表面は、導電性フォイル又は導電性フィルムあるいはアッセイプレートを形成するように取り付けられた層を用いて形成する。
【０２０４】
本発明の一実施形態は、
（ａ）好ましくは、２つ以上の電気的に絶縁したセクタに分割された第１導電層と、
（ｂ）複数の絶縁層開口部を有する絶縁層と、
（ｃ）好ましくは、２つ以上の電気的に絶縁したセクタに分割され、複数の第２導電層開口部を有する、絶縁層上の第２導電層と、
（ｄ）複数のプレート上部開口部を有するプレート上部とを備え、絶縁層が、第１導電層とプレート上部の間にあり、絶縁層開口部、第２導電層開口部及びプレート上部開口部を整列させ、それによって、複数のウエルが形成される、アッセイを行うためのマルチウエルアッセイプレートに関する。
【０２０５】
別の実施形態によれば、この第１導電層は、分割された導電表面を有する基板を含む。この層は、プレートセクタに対応又は整列するように「分割される」ことが好ましい。
【０２０６】
別の実施形態によれば、第１導電層は、導電表面を有する基板を含み、第２層は、絶縁層上に、複数の導電性フィルム開口部を有する分割された導電性フィルムを含む。
【０２０７】
第１導電層はフィブリル複合材を含み、底部を、導電金属、好ましくは銀で被覆するか、あるいは塗りを施すことが好ましい。
【０２０８】
別の実施形態は、
（ａ）導電層と、
（ｂ）複数の絶縁層開口部を有する絶縁層と、
（ｃ）２つ以上の電気的に絶縁したセクタに分割され、複数の導電性フィルム開口部を有する、絶縁層上の導電性フィルムと、
（ｄ）複数のプレート上部開口部を有するプレート上部とを備え、絶縁層が、導電層とプレート上部の間にあり、絶縁層開口部及びプレート上部開口部を整列させ、それによって、アッセイを行うウエルが形成される、アッセイ（好ましくは電極誘起発光アッセイ、より好ましくは電気化学発光アッセイ）を行うためのマルチウエルプレートに関する。
【０２０９】
別の態様は、
（ａ）２つ以上の電気的に絶縁したセクタに分割された導電層と、
（ｂ）複数の絶縁層開口部を有する絶縁層と、
（ｃ）２つ以上の電気的に絶縁したセクタに分割され、複数の導電性フィルム開口部を有する、絶縁層上の導電性フィルムと、
（ｄ）複数のプレート上部開口部を有するプレート上部とを備え、絶縁層が、導電層とプレート上部の間にあり、絶縁層開口部及びプレート上部開口部を整列させ、それによって、アッセイを行うウエルが形成される、アッセイ（好ましくは電極誘起発光アッセイ、より好ましくは電気化学発光アッセイ）を行うマルチウエルプレートに関する。
【０２１０】
図８Ｂに、プレートの導電層に好都合に電気的接続を行うことができるように追加の適合を施した、（図５に示す）プレート５００の実施形態であるマルチウエルアッセイプレート８３０の分解図を示す。図８Ｃに、プレート８３０の２つのウエル８４２Ａ及び８４２Ｂの模式化した断面図を示す。プレート８３０は、プレート上部８３２、粘着層８４４、導電テープ層８５２Ｂ、導電層８５８及び導電テープ層８５２Ａを順に備える積層構造を有する。導電テープ層８５２Ａ及び８５２Ｂは、折り目８５４のところで導電層８５８に導電テープ８４８を巻きつけることによって設けられる。プレート上部８３２、粘着層８４４及び導電テープ層８５２Ｂを貫通するホール８３４、８４６及び８５６はそれぞれ、導電層８５８で画定されるウエル底部を有する複数のウエルを形成するように整列させる。導電テープ層８５２Ａを貫通する複数のホール８５０により、プレート８３０の底部から導電層８５８への電気的な接触を行うことができる。導電テープ８４８を折り曲げた後で、ホール８５０を、プレート８３０のウエル間の領域に整列させることが好ましい。例えば、図８Ｃに、プレート８３０の２つのウエル（８４２Ａ及び８４２Ｂ）の断面図を示す。導電テープ層８５２Ａを貫通するホール８５３により、導電層８５８の底部表面が露出して、電気接点８７２が設けられる。接点８７２は、ウエル８４２Ａと８４２Ｂの間の導電層８５８の領域上に配置する。この配置により、ウエル８４２Ａ又は８４２Ｂに露出した導電層８５８の表面の変形又は乱れが生じることなく、接点８７２への電気的な接触を行うことができる。
【０２１１】
プレート上部８３０は、図５のプレート上部５０２に類似のプレート上部である。粘着層８４４は、プレート上部５０２と導電テープ層８５２Ｂの間で液密シールを形成するのに適した粘着剤である。粘着層８４４は、例えば、吹付け被覆によってプレート上部５０２又は導電テープ層８５２Ｂ上に付着させた粘着性被覆とすることができる。好ましい実施形態では、粘着層８４４は、両面粘着テープ（すなわち、粘着剤を両面に被覆したプラスチックフィルム）である。ホール８４６は、レーザ穿孔又は打抜きなどの切断プロセスで形成するのが好ましい。導電テープ８４８は、導電性フィルム８６４、誘電体フィルム８６６及び粘着フィルム８６８を備える積層構造であることが好ましい。導電性フィルム８６４は、ＥＣＬアッセイの動作電極、好ましくは、対電極として使用するのに適した材料である（例えば、図５の類似の第２導電層５０４の説明を参照されたい）。任意選択で、（例えば、プレート上部８３２が電極材料を含むとき、あるいは、プレートを分析するのに使用する機器が（例えば、１つ又は複数の導電プローブの形態で）電極を供給することができるとき）導電性フィルム８６４は割愛することができる。導電性フィルム８６４は、アッセイ中にプレートを使用している間、導電テープ層８５２Ａ中の導電性フィルム８６４に印加する電位が、導電テープ層８５２Ｂ中の導電性フィルム８６４の表面全体にわたって均一に分配されるのに十分な導電率をもつものであることが好ましい。誘電体フィルム８６６は、導電性フィルム８６４と導電層８５８の間の電気的な接触を妨げるのに適した電気絶縁性フィルムである。粘着フィルム８６８は、誘電体フィルム８６６と導電層８５８の間で液密シールを形成するのに適した粘着剤である。任意選択で、粘着フィルム８６８は、導電性フィルム８６４と導電層８５８の電気的な絶縁をもたらす。その場合、誘電体フィルム８６６は割愛することができる。一実施形態では、導電テープ８４８は、一方の面に粘着性被覆を被覆し、他方の面に、好ましくはアルミニウムからなる蒸着金属フィルムなどの導電性被覆を被覆した電気絶縁性プラスチックフィルムである。ホール８５０及び８５６は、レーザ穿孔又は打抜きなどの切断プロセスで形成するのが好ましい。
【０２１２】
導電層８５８は、電極誘起発光アッセイの対電極、好ましくは、動作電極として使用するのに適した材料である（例えば、類似の図５の第１導電層５０８及び図７の７００、７２０、７４０及び７６０の説明を参照されたい）。好ましくは、導電層８５８は、カーボン粒子、最も好ましくはポリマー基質中に分布させたカーボンフィブリルを含む複合材である。導電層８５８は、プレート８３０の１列のウエルに対応する１２個の電気的に絶縁した列状のセクションに分割するのが好ましい。導電テープ層８５２Ａ中のホール８５０により、導電層８５８の底部表面が露出する。導電層８５８の底部に印加する電位により、プレート８３０中のウエルの底部を形成する導電層８５８の上部表面の領域全体にわたって電位が均一に分配されることが望ましい。このような均一な電位の分配は、導電層８５８への電気的接触が行われる複数の均一に分布した部位を設けることによって実現することができる。例えば、プレート８３０の列状のウエルの第１と第２ウエル、第３と第４ウエル、第５と第６ウエル及び第７と第８ウエルの間の中央に位置する領域で導電層８５８の底部を露出させるように、４×１２のアレイでホール８５０を配置する。導電層８５８の導電率も、均一な電位の分配の助けになる。適度な導電率しかもたない材料、例えば、基質中に分布させたカーボン粒子の複合材を使用するとき、導電層８５８の表面全体にわたって電位をより良好に分配されるように、導電層８５８がこの層の底部上に高導電性被覆を含むと有利である。好ましい高導電性被覆には、金属フィルム（例えば、蒸着、電着又は無電解メッキフィルム）及び金属含有塗料（例えば、銀塗料）が含まれる。適切な銀塗料には、Ｅ．Ｉ．ｄｕ  Ｐｏｎｔ  ｄｅ  Ｎｅｍｏｕｒｓ社（例えば、Ｄｕｐｏｎｔ  ５０００、５００７、５００８、５０２１、５０２５、５０２８及び５０８９）、Ａｃｈｅｓｏｎ  Ｃｏｌｌｏｉｄｓ社（例えば、Ａｃｈｅｓｏｎ  ＰＤ−０２０、４７９ＳＳ、４７８ＳＳ、７２５Ａ、ＰＦ−００７、ＥＬ−０１０、８２０Ｃ及びＥｌｅｃｔｒｏｄａｇ  ５０６ＳＳ）及びＣｏｎｄｕｃｔｉｖｅ  Ｃｏｍｐｏｕｎｄｓ社（例えば、ＡＧ−４１０及びＡＧ−５００）から入手可能な材料が含まれる。
【０２１３】
動作においては、プレート８３０のウエル中にテストサンプルを導入する。電気エネルギー源を、導電性フィルム８６４及び導電層８５８の１つ又は複数のセクションに接続する。導電性フィルム８６４への接続は、プレート底部上の導電テープ層８５２Ａへの接触を行うことによってなされるのが好ましい。導電層８５８の１つ又は複数のセクションへの接続は、導電テープ層８５２Ａ中のホール８５０を介して導電層８５８の底部への接触を行うことによってなされるのが好ましい。これらの接続部の両端に電気エネルギーを印加すると、導電性フィルム８６４及び導電層８５８の露出表面を介してテストサンプル全体にわたって電気化学的な電位が印加される（この電気化学的な電位の印加は、導電層８５８の１つ又は複数のセクションに接触するウエルに複数のセクタで閉じ込められる）。ＥＣＬアッセイの場合には、導電層８５８の表面又はその近傍でＥＣＬが生成される（すなわち、導電層８５８が動作電極を提供する）ように電気エネルギーを印加し、それによって、ウエル中央付近で光が生成されることが好ましい。
【０２１４】
図８Ｂに、導電層８５８のセクション化によって列状のセクタに分割された８×１２アレイのウエルを備えたマルチウエルアッセイプレートを示す。この設計が、異なる数のウエル、異なる配置のウエル、又は異なる配置のセクタを有するプレートに容易に適合可能であることが容易に明らかとなるはずである（例えば、以下のプレート１５３６の考察を参照されたい）。図８Ａに、代替セクタ化方式を示す。マルチウエルアッセイプレート８００は、プレート上部８０４、粘着層８０６、導電テープ層８１４Ｂを提供する導電テープ８１０及び導電層８２０を順に備える積層構造を有する。導電テープ８１０は、折り目８１８のところで折り曲げられて、導電層８２０に隣接する（かつ導電テープ層８１４Ｂとは反対側の導電層８２０上に）導電テープ層８１４Ａを提供する。プレート８００のこれらのコンポーネントは、ｉ）導電層８２０が、（９６ウエルプレートにおいて、それぞれ４×４アレイのウエルを有する６つのセクタに対応する）６つの正方形セクションに分割され、ｉｉ）導電テープ層８１４Ａを貫通するホール８１２の配置が、この配置のセクタに対して最適化される点を除き、プレート８３０について説明したものと同様である。ホール８１２は、各ホールが、複数のウエルからなる４×４セクタのそれぞれで規定される各主要対角線上の第１ウエルと第２ウエルの間及び第３ウエルと第４ウエルの間の中央に位置する状態で、４×６のアレイで配置される。プレート８００に類似しているが、ウエルの数が異なるプレート、例えば、３８４、１５３６又は９６００ウエルのプレートは、プレート上部８０２、粘着層８０６及び導電プレート層８１４Ｂにおいて、好ましくは業界標準を用いて、所望の配置のホールで置き換えることによって作製することができる。
【０２１５】
本発明の別の実施形態は、対電極（例えば、図８Ａの対電極用導電テープ８１０を参照）が、１つ（又は複数）の動作電極（例えば、図８Ａの動作電極用導電層８２０を参照）の周りを包み、動作電極接点用のアクセスホールによって、対電極ラップを通し、動作電極（又は動作電極用の接点）との接触を行う１５３６ウエルプレートに関する。４つの動作電極接点が、（対電極ラップ中のホールを通して）プレート底部に接触し、動作電極区域全体にわたって電流を均一に分配するように正方形で配置されることが好ましい（例えば、図８Ａのセクタ化された動作電極表面８２０を参照されたい）。２つの対電極用接点が対電極シートに接触し、それによって、冗長性をもたらし、かつ単一の汚染接点領域又はコネクタからの保護を提供することが好ましい。
【０２１６】
別の実施形態は、導電層及び誘電体層を積み重ね、次いで、この多層複合材を貫通してホールを穿孔し、それによって、ウエル、好ましくは、対電極表面及び／又は動作電極表面を備える壁を有するウエルを形成することによって形成されたマルチウエルプレートに関する。例えば、図５を参照すると、第１導電層５０８、誘電体層５０６、第２導電層５０４及びプレート上部５０２を使用して、１つ又は複数の層がホール（例えば、ホール５０２、５０５及び／又は５０７）をもたないマルチウエルプレート（好ましくは、１５３６穴以上のウエルプレート）を形成する。これらの層を互いに接合した後で、レーザなどでそれぞれの層を貫通してホールを穿孔することによって、ホール５０２、５０５及び／又は５０７を形成し、それによって、各ウエルが動作電極表面（例えば、ウエル底部を形成する露出した第１導電層５０８）及び対電極表面（例えば、ウエル壁の一部を形成する露出した第２導電層）を備えるマルチウエルプレートを形成することができる。
【０２１７】
５．２．４  導電プレート上部を有するプレートの特定の実施形態
本発明の別の態様は、導電表面を被覆したプレート上部（例えば、塗りが施されたプレート上部）を有するマルチウエルプレートに関する。次いで、この塗りが施されたプレート上部を、動作電極表面を有する基板に取り付けることができ、このプレート上部の導電表面が対電極表面を提供することができると有利である。
【０２１８】
一実施形態は、
（ａ）導電層と、
（ｂ）複数の絶縁層開口部を有する絶縁層と、
（ｃ）導電表面を備え、複数のプレート上部開口部を有するプレート上部とを備え、絶縁層が、導電層とプレート上部の間にあり、絶縁層開口部及びプレート上部開口部を整列させ、それによって、アッセイを行うためのウエルが形成されるマルチウエルプレートに関する。
【０２１９】
別の実施形態は、
（ａ）複数の電極を上にパターン化した基板表面と、
（ｂ）複数の絶縁層開口部を有する絶縁層と、
（ｃ）導電表面を備え、複数のプレート上部開口部を有するプレート上部とを備え、絶縁層が、基板表面とプレート上部の間にあり、絶縁層開口部及びプレート上部開口部を整列させて、１つ又は複数の前記複数の電極の上でプレート開口部を形成し、それによって、ウエルが形成されるマルチウエルプレートに関する。
【０２２０】
別の実施形態は、
（ａ）２つ以上の電気的に絶縁したセクタに分割された導電層と、
（ｂ）複数の絶縁層開口部を有する絶縁層と、
（ｃ）導電表面を備え、複数のプレート上部開口部を有するプレート上部とを備え、絶縁層が、導電層とプレート上部の間にあり、絶縁層開口部及びプレート上部開口部を整列させ、それによって、ウエルが形成されるマルチウエルプレートに関する。
【０２２１】
別の実施形態は、
（ａ）導電層と、
（ｂ）複数の絶縁層開口部を有する絶縁層と、
（ｃ）２つ以上の電気的に絶縁したセクタに分割された導電表面を備え、複数のプレート上部開口部を有するプレート上部とを備え、絶縁層が、導電層とプレート上部の間にあり、絶縁層開口部及びプレート上部開口部を整列させ、それによって、ウエルが形成されるマルチウエルプレートに関する。
【０２２２】
プレート８００（又は８３０）（図８Ａ及び８Ｂ）のある種の実施形態では、導電テープ８１０（又は８４８）を割愛することができる。これらの実施形態では、プレート上部８０２（又は８３２）は、ＥＣＬアッセイの動作電極、好ましくは、対電極として使用するのに適した導電材料を含む。プレート上部８０２（又は８４８）は、金属又はカーボン含有プラスチック複合材などの導電材料製とすることができる。あるいは、導電性は、金属フィルム（例えば、蒸着、電着又は無電解メッキさせた金属フィルム）などの導電性被覆、あるいは銀塗料などの金属含有塗料によって得られる。一緒にアドレス可能なウエルからなる個々にアドレス可能なセクタにプレートをセクタ化することは、導電層８２０（又は８５８）及び／又はプレート上部８０２（又は８３２）を電気的に絶縁したセクションに分割することによって実現することができる。プレート上部は、個々の断片に分けるか、あるいは、連続片上で導電性被覆をパターン化することによって分割することができる。
【０２２３】
動作においては、プレート８００（又は８３０）のウエル中にテストサンプルを導入する。電気エネルギー源を、プレート上部８０２（又は８３２）及び導電層８２０（又は８５８）の１つ又は複数のセクションに接続する。プレート上部８０２（又は８３２）への接続は、プレートの側面への接触を行うことによってなされるのが好ましい。導電層８２０（又は８５８）の１つ又は複数のセクションへの接続は、プレート底部への接触を行うことによってなされるのが好ましい。これらの接続部の両端に電気エネルギーを印加すると、プレート上部８０２（又は８３２）及び導電層８２０（又は８５８）の露出表面を介してテストサンプル全体にわたって電気化学的な電位が印加される（この電気化学的な電位の印加は、導電層８２０又は８５８の１つ又は複数のセクションに接触するウエルに複数のセクタで閉じ込められる）。ＥＣＬアッセイの場合には、導電層８２０又は８５８の表面又はその近傍でＥＣＬが生成される（すなわち、導電層８２０又は８５８が動作電極を提供する）ように電気エネルギーを印加し、それによって、ウエル中央付近で光が生成されることが好ましい。
【０２２４】
５．２．５  導電スルーホールを有する多層電極プレート
図９Ａに、プレートの導電層に好都合に電気的接続を行うことができるように追加の適合を施した、図５からのマルチウエルアッセイプレート５００の実施形態であるマルチウエルアッセイプレート９３０の分解図を示す。図９Ｂに、同じプレートの３つのウエル９４２Ａ、９４２Ｂ及び９４２Ｃの模式化した断面図を示す。プレート９３０は、プレート上部９３２、粘着層９４４、第２導電層９４８、誘電体層９５０、第１導電層９５８、基板９５９及び接点層９６０を順に備える積層構造を有する。プレート上部９３２、粘着層９４４、第２導電層９４８及び誘電体層９５０を貫通するホール９３４、９４６、９４９及び９５６はそれぞれ、第１導電層９５８で画定されるウエル底部を有する複数のウエルを形成するように整列される。基板９５９を貫通する導電スルーホール９６２により、第１導電層９５８と、接点層９６０の電気接点９６３を画定する部分の間で導電経路が得られる（９６３Ａは、好ましくは動作接点であり、９６３Ｂは、好ましくは対向接点である）。基板９５９及び誘電体層９５０を貫通する導電スルーホール９６４及び９６６によりそれぞれ、第２導電層９４８と、接点層９６０の電気接点９６５を画定する部分の間で導電経路が得られる。したがって、導電層９４８及び９５８への電気的接続は、プレート底部から電気接点９６５及び９６３への接触を行うことによって行うことができる。エレメント９７０（図９Ａ）には、一体化された電極を伴うプレート底部が形成されるように、上から下に９４８（上）、９５０、９５８、９５９、９６０（下）の順で整列し積み重ねた層９６０、９５９、９５８、９５０及び９４８を示す。
【０２２５】
プレート上部９３２は、図５のプレート上部５０２に類似のプレート上部である。粘着層９４４は、プレート上部９３２と第２導電層９４８の間で液密シールを形成するのに適した粘着剤である。粘着層９４４は、例えば、吹付け被覆によってプレート上部９３２又は第２導電層９４８上に付着させた粘着性被覆とすることができる。好ましい実施形態では、粘着層９４４は、両面粘着テープ（すなわち、粘着剤を両面に被覆したプラスチックフィルム）である。ホール９４６は、レーザ穿孔又は打抜きなどの切断プロセスで形成するのが好ましい。任意選択で、（第２導電層９４８又はプレート上部９３２が粘着特性を有するとき、あるいは、粘着剤を使用せずに、例えば、クランプ、ヒートシール、音波溶接、溶剤溶接などによって密封が実現されるとき）粘着層９４４は割愛することができる。あるいは、プレート上部９３２及び粘着層９４４をともに割愛することもできる。第２導電層９４８は、ＥＣＬアッセイの動作電極、好ましくは、対電極として使用するのに適した材料である（例えば、図５の類似の第２導電層５０４の説明を参照されたい）。好ましくは、導電層９４８は、カーボンインクなどの導電性被覆であり、インクジェット印刷、レーザプリンティング、最も好ましくはスクリーン印刷などの印刷プロセスによって形成することができる。第２導電層９４８は、アッセイ中にプレートを使用している間、第２導電層９４８に印加する電位が、その表面全体にわたって均一に分配されるのに十分な導電率をもつものであることが好ましい。カーボンインクなど適度な導電率の電極材料によって適切な高導電率を得るには、第２導電層９４８が、ｉ）銀塗料などの高導電性の下層、ｉｉ）カーボンインクなどの電極材料の上層の２つの層を備えると有利であり得る。このような層を、例えば、２つの印刷プロセスのステップで形成する際、下層材料がウエル９３２中のサンプルに曝されないことを確実にするために、上層が十分に厚く、適切な寸法をもつものであると有益である。誘電体層９５６は、導電層９４８と９５８の間で電気的接触を妨げるのに適した電気絶縁フィルムである。誘電体層９５６は、誘電体インクを含み、スクリーン印刷などの印刷プロセス、及び任意選択のＵＶ硬化によって形成することが好ましい。
【０２２６】
第１導電層９５８は、ＥＣＬアッセイの対電極、好ましくは、動作電極として使用するのに適した材料である（例えば、類似の図５の第１導電層５０８及び図７の７００、７２０、７４０及び７６０の説明を参照されたい）。第１導電層９５８は、アッセイの過程でこの層全体にわたって電位がよりよく分配されるように、カーボンインクなどの導電性被覆を含み、任意選択で、銀インクなどの高導電性の下層を備えることが好ましい。このような１つ又は２つの層による被覆は、スクリーン印刷などの印刷プロセスによって形成することができ、ウエル９３２中のサンプルが下層材料に接触しないように設計されるのが好ましい。第１導電層９５８は、プレート９３０の１列のウエルに対応する１２個の電気的に絶縁した列状のセクションに分割する。このような分割は、パターン印刷、例えば、スクリーン印刷によって行うことができる。基板９５９は、非導電性プラスチックシートなどの非導電性材料である。基板９５９中のスルーホール９６２及び９６４は、打抜き又はレーザ穿孔などの切断プロセスによって作製することが好ましい。スルーホール９６２に導電材料を充填して、電気接点９６３と第１導電層９５８の間に電気的接続部を設ける。スルーホール９６４及び９６６に導電材料を充填して、接点９６５と第２導電層９４８の間に電気的接続部を設ける（ホール９６４及び９６６は、それらが確実に第１導電層９５８から電気的に絶縁されるように、第１導電層９５８のセクション間の領域に配置する）。好ましくは、導電層９６０、９５８及び／又は９４８の形成時に、スルーホール９６２、９６４及び９６６に導電材料を充填する。例えば、基板上への導電インクのスクリーン印刷時に、基板のホールに過剰なインクを強制的に入れて、その導電インクでホールを充填する。接点層９６５は、導電インクなどの導電材料である。接点層９６５は、銀の腐食を防止するためのスクリーン印刷したカーボンインクの上層を伴うスクリーン印刷した銀塗料であることが好ましい。本発明者らは、露出した銀が存在すると、（プレートの反対側でさえ）表面のプラズマ処理に悪影響を及ぼすようであることを見いだした。したがって、プラズマ処理を用いてアッセイプレートの表面を改変する際には、露出した銀がないと特に有利である。
【０２２７】
動作においては、プレート９３０のウエル中にテストサンプルを導入する。電気エネルギー源を、（それぞれ電気接点９６５及び１つ又は複数の電気接点９６３を介して）第２導電層９４８及び導電層９５８の１つ又は複数のセクションに接続する。これらの接続部の両端に電気エネルギーを印加すると、導電層９４８及び９５８の露出表面を介してテストサンプル全体にわたって電気化学的な電位が印加される（この電気化学的な電位の印加は、導電層９５８の１つ又は複数のセクションに接触するウエルに複数のセクタで閉じ込められる）。ＥＣＬアッセイの場合には、導電層９５８の表面又はその近傍でＥＣＬが生成される（すなわち、導電層９５８が動作電極を提供する）ように電気エネルギーを印加し、それによって、ウエル中央付近で光が生成されることが好ましい。
【０２２８】
５．２．６  導電スルーホールを有する単層電極プレート
本発明の別の態様は、１つ又は複数の印刷された電極を有するマルチウエルプレートに関する。したがって、本発明の一実施形態は、
（ａ）基板表面と、
（ｂ）基板表面上の１つ又は複数の動作電極と、
（ｃ）基板表面上の１つ又は複数の対電極と、
（ｄ）プレート上部開口部を有するプレート上部とを備え、少なくとも１つの動作電極及び少なくとも１つの対電極を有する複数のウエルを形成するように、プレート上部開口部を基板表面上に配置するマルチウエルプレートに関する。
【０２２９】
これらの電極は、基板上に、印刷、最も好ましくは、スクリーン印刷されることが好ましい。これらの電極は、カーボンインクを含むことが好ましい。
【０２３０】
別の実施形態は、カーボンを含む２つ以上の導電層を付着させることによって形成した第１電極表面を備えた複数のウエルを有するマルチウエルプレートに関する。
【０２３１】
３つ以上のカーボン層を形成することが好ましい。一方のカーボン層の面積が他方のカーボン層の面積よりも大きい第１カーボン層及び第２カーボン層を付着させることによって、パターン化した動作電極表面を形成することが好ましい。
【０２３２】
ウエルは、銀を含む導電層上に、１つ又は複数のカーボン層を付着させることによって形成した動作電極表面を含むことが好ましい。この１つ又は複数のカーボン層が、導電層を完全に覆うことが好ましい。
【０２３３】
図１０Ａ及び１０Ｂに、本発明のマルチウエルアッセイプレートの別の実施形態を示す。マルチウエルアッセイプレート１０００は、図１６Ａからのマルチウエルアッセイプレート１６００に類似しているが、プレートの導電層に好都合に電気的接続を行うことができるように追加の適合を施したものである。マルチウエルアッセイプレート１０００は、プレート上部１０２０、粘着層１０３０、誘電体層１０４０、導電層１０５０、基板層１０６０及び接点層１０７０を順に備える積層構造である。プレート上部１０２０及び粘着層１０３０を貫通するホール１０２２及び１０３２はそれぞれ、誘電体層１０４０、導電層１０５０及び／又は基板層１０６０で画定されるウエル底部と、ホール１０２２及び１０３２の内面で画定されるウエル壁とを有する複数のウエル１００２を形成するように整列される。基板層１０６０を貫通するスルーホール１０６２及び１０６４により、導電層１０５０のエレメントと接点層１０７０のエレメントの間で電気経路が得られる。エレメント１０８０には、一体化された電極を伴うプレート底部が形成されるように、上から下に１０４０（上）、１０５０、１０６０、１０７０（下）の順で整列し積み重ねた層１０７０、１０６０、１０５０及び１０４０を示す。
【０２３４】
プレート上部１０２０は、図５のプレート上部５０２に類似のプレート上部である。粘着層１０３０は、プレート上部１０２０と、誘電体層１０４０、導電層１０５０及び／又は基板層１０６０との間で液密シールを形成するのに適した粘着剤である。粘着層１０３０は、例えば、吹付け被覆によってプレート上部１０２０上に付着させた粘着性被覆とすることができる。好ましい実施形態では、粘着層１０３０は、両面粘着テープ（すなわち、粘着剤を両面に被覆したプラスチックフィルム）である。ホール１０３２は、レーザ穿孔又は打抜きなどの切断プロセスで形成するのが好ましい。任意選択で、（例えば、隣接する層が粘着特性を有するとき、あるいは、粘着剤を使用せずに、例えば、クランプ、ヒートシール、音波溶接、溶剤溶接などによって密封が実現されるとき）粘着層１０３０は割愛することができる。あるいは、プレート上部１０２０及び粘着層１０３０をともに割愛することもできる。
【０２３５】
導電層１０５０は、ＥＣＬアッセイの動作電極及び／又は対電極として使用するのに適した材料を含み、プラスチックシート又はフィルムなどの非導電性基板である基板１０６０上で支持される。好ましくは、導電層１０５０は、カーボンインクなどの導電性被覆であり、スクリーン印刷などの印刷プロセスで形成することができる。導電層１０５０は、例えばスクリーン印刷によって、ある規定したパターンで、１２個の電気的に絶縁した動作電極セクション１０５２及び１３個の電気的に接続された対電極セクション１０５４に分割する。図に示すように、この分割は、所与のウエル中の流体が、少なくとも１つの動作電極セクション及び少なくとも１つの対電極セクションに接触することになるように設計される。動作電極セクションは、電極の性能を最適化するために、対電極セクションと異なる組成とすることもできるし、あるいは、製造上の複雑さを最小限に抑えるために、例えば、印刷ステップ数を少なくするために、同じ材料を含むこともできる。これらのセクションはともに、銀インクの下層の上にカーボンインクの上層を備えることが好ましい。カーボンインクが活動電極表面を提供し、銀インクが、アッセイ中にプレートを使用している間、電位が個々のセクション全体にわたって均一に分配されるのに十分な導電率をもたらす。これらの層を、例えば、２つのステップの印刷プロセスで形成する際、下層材料がウエル１００２中のサンプルに曝されないことを確実にするために、上層が下層よりもわずかに大き寸法のものであり、かつ適切な厚さのものであると有益である。下層が確実に完全に覆われるように多層状に上層の印刷又は被着を行い、それによって、下層が後続の加工ステップ又はＥＣＬ測定と干渉しないようにすると有益であり得る（例えば、好ましい電極材料は、銀インクの層の上に３層のカーボンインクを含む。これらの層を、最も好ましくは、スクリーン印刷によって被着させる）。誘電体層１０４０は、電気絶縁フィルムであり、好ましくは、スクリーン印刷などの印刷プロセスによって、誘電体インクから形成する。誘電体層１０４０は、ウエル１００２中の流体に接触する導電層１０５０の表面（すなわち、覆われていない表面）を画定するようにパターン化する。誘電体層１０４０中のホール１０４２は、導電層１０５０の動作電極セクション１０５２上で流体封じ込め領域を画定する。このような流体封じ込め領域内で、この誘電体層は、動作電極の上で微量の流体を閉じ込めるのに使用することができる障壁として働く。任意選択で、誘電体層１０４０は割愛することができる。
【０２３６】
接点層１０７０は、マルチウエルアッセイプレートを外部電気エネルギー源に電気的に接続することができる導電層である。電極１０５２及び１０５４の特定のセクションに独立に接続することができるように、この接点層を、一連の動作電極接点１０７２及び対電極用接点１０７４に分割する。これらの接点層は、（導電率を高くするための）銀インクの下層を印刷、最も好ましくはスクリーン印刷し、その後、（銀インクの腐食を妨げ、露出した銀が後続のプラズマ処理ステップに悪影響を及ぼすのを妨げるための）カーボンインクの上層を印刷することによって形成することが好ましい。基板１０６０中のホール１０６２及び１０６４は、打抜き又はレーザ穿孔などの切断プロセスで作製するのが好ましい。ホール１０６２に導電材料を充填して、動作電極接点１０７２と動作電極セクション１０５２の間に電気的接続部を設ける。ホール１０６４に導電材料を充填して、対電極用接点１０７４と対電極セクション１０５４の間に電気的接続部を設ける。好ましくは、導電層１０５０又は接点層１０７０の形成時に、ホール１０６２及び１０６４に導電材料を充填する。例えば、基板上への導電インクの印刷時に、基板のホールに過剰なインクを強制的に入れて、その導電インクでホールを充填する。
【０２３７】
動作においては、プレート１０００のウエル中にテストサンプルを導入する。電気エネルギー源を、（それぞれ１つ又は複数の動作電極接点１０７２及び１つ又は複数の対電極用接点１０７４を介して）１つ又は複数の動作電極セクション１０５２と１つ又は複数の対電極セクション１０５４の両端に接続する。これらの接続部の両端に電気エネルギーを印加すると、電極セクション１０５２及び１０５４の露出表面を介してテストサンプル全体にわたって電気化学的な電位が印加される（この電気化学的な電位の印加は、電気エネルギー源に電気的に接続された動作電極セクション及び対電極セクションに接触するウエルに複数のセクタで閉じ込められる）。
【０２３８】
図１０Ａ及び１０Ｂに示すプレート１０００は、８個のウエルからなる１２個の独立にアドレス可能なセクタ（すなわち、８個のウエルからなる１２列）に分割された９６ウエルプレートである。図１０Ａ及び１０Ｂに示す構造は、異なる数のウエル、異なる配置のウエル、及び／又は異なる配置の独立にアドレス可能なセクタを有するプレートに適合可能となるように容易に改変される。
【０２３９】
図１１Ａ及び１２Ａに、２つの代替実施形態を示す。図１１Ａに、プレートが、それぞれ４×４アレイのウエルを有する６つの独立にアドレス可能な正方形セクタに分割されるように各コンポーネントが構成される点を除き、プレート１０００に構造及び機能が類似したマルチウエルアッセイプレート１１００を示す。エレメント１１８０には、上から下に１１４０（上）、１１５０、１１６０、１１７０（下）の順で整列し積み重ねた層１１４０、１１５０、１１６０及び１１７０を示す。図１２Ａに、２４×１６アレイで３８４個のウエルを提供するように各コンポーネントが構成される点を除き、プレート１１００に構造及び機能が類似したマルチウエルアッセイプレート１２００を示す。エレメント１２８０には、上から下に１２４０（上）、１２５０、１２６０、１２７０（下）の順で整列し積み重ねた層１２４０、１２５０、１２６０及び１２７０を示す。
【０２４０】
図１１Ａ及び１２Ａの細部Ｃに示す電極パターン（すなわち、それぞれ導電層１１５０及び１２５０に使用するパターン）は、適切な電極パターンの設計上のいくつかの有用な概念を示している。一般に、電極材料は、電極表面に沿った電位降下を、対向する電極間の電位降下に対して相対的に小さくするのに十分な導電率のものとするべきである。必要条件ではないが、適切な電極設計によって、電極表面に沿ったこれらの微量な電位降下をさらに補償することが可能である。図１２Ａに、ｉ）好ましくは、プレートのウエル内で対電極表面を提供する電極１２５４と、ｉｉ）好ましくは、プレートのウエル内で動作電極を提供する電極１２５２に導電層１２５０を分割するところを示す。これらの電極は、所与のプレートセクタの長さだけ延びる電極ストリップに分割される。電極１２５２の全幅ストリップはそれぞれ、電極１２５４の２つの半幅ストリップに一致し、それによって、セクタの長さに沿った全体的な電気抵抗が、対向する電極間で均一に整合する。対向する電極はセクタの両端のところで接触し、そのため、個々のウエルへのリード線の全体的な抵抗は一定値になるはずある。したがって、この抵抗のために生じる電位降下は一定になるはずであり、ウエル間で変動が生じないはずである。同様に、図１１Ａに示す電極１１５２及び１１５４の抵抗は、セクタの長さに沿って整合される。この場合には、抵抗の整合は、電極の長さに沿って、（ウエル内の電極表面積を最大限に大きくするための）広い領域と、（電極１１５４の長さに沿った全体的な抵抗を電極１１５２の抵抗に整合させる助けとなる）狭い領域が交互に並ぶように、電極１１５４をパターン化することによって実現される。
【０２４１】
５．２．７  複数のアッセイドメインに分割されたウエルを有するプレートの特定の実施形態
本発明のいくつかの実施形態では、マルチウエルアッセイプレートのウエル中の動作電極の活動区域は、複数のアッセイドメインに分割される。例えば、ＥＣＬ結合アッセイで使用する動作電極には、その表面の別個の領域上に複数の異なる結合試薬を固定化してあり、それによって、対象とする検体に対する親和力が異なる複数の別個の結合ドメインが形成される。このような電極を有するウエルにより、同じウエル中の同じサンプル中で複数の異なる検体を（例えば、ウエルから放出される光を画像化し、対象とする各検体の量と、その検体に固有のアッセイドメインから放出される光の相関をとることによって）同時に測定することができる。パターン化した誘電体を用いて、ウエル中の動作電極区域を１つ又は複数のアッセイドメインに分離することが容易になり得る。これらのアッセイドメインは、動作電極を覆う誘電体層中の１つ又は複数のホールによって画定される。この誘電体層は、（本明細書では、流体封じ込め領域とも称する）露出した動作電極の領域で形成されたアッセイドメインに、微量の流体を閉じ込めることができる障壁を提供する。このようなアッセイドメインを形成するために誘電体層を使用することが、図４の記載中でより詳細に説明されている。選択した流体封じ込め領域上に流体を微量分配することにより、特定の流体封じ込め領域に試薬を選択的に固定化することができ、また、特定の流体封じ込め領域にアッセイのある種のステップを限定することができる。
【０２４２】
図１３、１４及び１５に、各ウエル中に複数の流体封じ込め領域を有する本発明のマルチウエルアッセイプレートの例を示す。図１３Ａに、誘電体層１３０６を貫通するホール１３１２のパターンが、動作電極表面（すなわち、第１導電層１３０８）の上で複数の流体封じ込め領域を画定するように改変されている点を除き、（図５に示す）マルチウエルアッセイプレート５００に類似のプレートであるマルチウエルアッセイプレート１３００を示す。図１３Ｂに、第２導電層１３５４中のホール１３６０のパターン及び誘電体層１３５６中のホール１３６２のパターンが、動作電極表面（すなわち、第１導電層１３５８）の上で複数の流体封じ込め領域を画定するように改変されている点を除き、（図５に示す）マルチウエルアッセイプレート５００に類似のプレートであるマルチウエルアッセイプレート１３５０を示す。類推から、図１３Ａ及び１３Ｂの改変は、図８、９、１０、１１及び１２で説明した本発明の特定の実施形態にも導入することができる。図１４に、誘電体層１４０６を貫通するホールのパターンが、動作電極表面（すなわち、動作電極セクション１４２２）の上で複数の流体封じ込め領域１４０７を画定するように改変されている点を除き、（図１６に示す）マルチウエルアッセイプレート１６００に類似のプレートであるマルチウエルアッセイプレート１４００を示す。エレメント１４１２には、上から下に１４０６（上）、１４０８、１４１０（下）の順で整列し積み重ねた層１４０６、１４０８及び１４１０を示す。類推から、図１４の改変は、図１０〜１２で説明した本発明の特定の実施形態にも導入することができる。図１４にはセクタ化又は導電接点を示さないが、上記で説明したように、例えば、図１０及び／又は１１との類推から、このようなセクタ化及び／又は導電接点を導入することができる。図１５に、ゲノム又はプロテオミクス分析に特によく適した本発明の実施形態であるマルチウエルアッセイプレート１５００を示す。マルチウエルアッセイプレート１５００は、６つの独立にアドレス可能な正方形ウエルだけをもつように、プレート１３００を適合させたものである。ウエルのサイズは、（以下で説明する）画像装置によって、ウエルから生成される発光を画像化する効率が最適化されるように選択する。マルチウエルアッセイプレート１５００は、プレート上部１５２０、粘着層１５３０、導電テープ層１５１４Ｂ、誘電体層１５４０、導電層１５５２、基板１５６０、接点層１５７２及び導電テープ層１５１４Ａを順に備える積層構造である。エレメント１５８０には、上から下に１５４０（上）、１５５２、１５６０、１５７２（下）の順で整列し積み重ねた層１５７２、１５６０、１５５２及び１５４０を示す。導電テープ層１５１４Ａ及び１５１４Ｂは、（図８Ａからの類推で）折り目１５１６のところでエレメント１５８０に導電テープ１５１０を巻きつけることによって設けられる。ホール１５２２、１５３２及び１５１８は、エレメント１５８０で画定されるウエル底部を有する複数のウエルを形成するように整列される。基板１５６０を貫通するスルーホール１５６２により、導電層１５５２と接点層１５７２の間で電気経路が得られる。導電テープ層１５１４Ａを貫通するスルーホール１５１２により、接点層１５７２へのアクセス（したがって、導電層１５５２への接触を行うための通路）が得られる。プレート上部１５２０は、特定の配置のウエルを除き、図１０からのプレート上部１０２０に類似している。粘着層１５３０は、図１０の粘着層１０３０に類似の粘着剤であり、割愛することができる。導電テープ１５１０は、図８Ａで説明した導電テープ８１０に類似している。基板１５６０、導電層１５５２、誘電体層１５４０及び接点層１５７２は、図１０で説明した基板１０６０、導電層１０５０、誘電体層１０４０及び接点層１０７２に組成並びに準備の点で類似している。導電層１５５２は、（それぞれ１つのウエルを有する）６つの独立にアドレス可能なセクタにプレート１５００が分割されるように、６つの正方形セクションに分割する。誘電体層１５４０を貫通するホール１５４２は、各ウエル内に多数（好ましくは１０〜５０，０００個、より好ましくは１００〜１０，０００個）の流体封じ込め領域を画定する（図には、２５６個を示す）。特定の流体封じ込め領域に結合試薬を選択的に微量分配することによって、特定の流体封じ込め領域に、特定の核酸配列又は特定のタンパク質などの結合試薬を選択的に導入又は固定化することができる。
【０２４３】
本発明のプレートの実施形態を示す図により、ウエル、セクタ及び流体封じ込め領域／アッセイドメインの数、形状及び分配の特定のパターンを示してきたが、これらの設計が、これらのパラメータを広範囲に変更することができるように適用可能であることが明らかである。
【０２４４】
５．３  マルチウエルアッセイプレートの読み取るための機器
本発明の別の態様は、複数のウエルを有するマルチウエルアッセイプレート又は単一ウエル内に複数のアッセイドメインを有する単一ウエルプレートからの発光、好ましくは電極誘起発光、より好ましくは電気化学発光を測定するための機器に関する。この機器は、電極誘起発光用に構成されているが、このような機器を、さらに、化学発光アッセイ及び／又は蛍光アッセイなどの他の発光アッセイ用に構成することもできる。
【０２４５】
この機器は、複数のウエルの少なくとも一部分からの光を測定するように適合されることが好ましい。好ましくは、この部分は、プレートの複数のウエルのうち、１つ又は複数、より好ましくは２つ以上、さらに好ましくは４つ以上、最も好ましくは８つ以上のウエル、また、好ましくは全ウエル数未満のウエルを含む。
【０２４６】
この機器は、複数のウエルの少なくとも一部内で発光を生成するための電気エネルギー源を備えることができる。この電気エネルギー源は、複数のウエルの前記部分に電圧又は電流として印加されることが好ましい。好ましくは、この部分は、プレートの複数のウエルのうち、１つ又は複数、より好ましくは２つ以上、さらに好ましくは４つ以上、最も好ましくは８つ以上のウエル、また、好ましくは全ウエル数未満のウエルを含む。この電気エネルギー源は、電力ケーブル、電源、発電機、電池その他のエネルギー貯蔵媒体などを含み得る。好ましくは、この電気エネルギー源は、１つ又は複数の前記複数のウエルに電流及び／又は電圧を供給することができる電気的なサブシステム（例えば、電流源、電圧源又は電流及び／又は電圧波形生成器）を含む。「電気エネルギー源」という用語は、このようなエネルギー源を外部電源（例えば、コンセント）に接続することが必要な装置及び機器を含むことを理解されたい。好ましい一実施形態によれば、この電気エネルギー源は、対電極に対して相対的に０〜＋８ボルトの直流電位を動作電極に送出することができる。好ましくは、この電気エネルギー源は、５０ｍＶ、好ましくは２０ｍＶ、さらに好ましくは１０ｍＶ、最も好ましくは５ｍＶ以下の電圧分解能を有する。別の好ましい実施形態によれば、この電気エネルギー源は、（ｄＶ／ｄｔが一定の）複数のランプからなる電圧波形を生成することができる。
【０２４７】
この機器は、マルチウエルアッセイプレートを保持するように適合された支持部又はプレートホルダも含み得る。この支持部は、この機器内に、かつ／又はこの機器を通って、好ましくは、この機器内の遮光容器内に、かつ／又はこの遮光容器を通ってプレートを搬送するように適合されたキャリア（例えば、引き出し）を備えることが好ましい。
【０２４８】
別の実施形態によれば、この機器は、プレートをこの機器に出入りして移動させ、プレートをこの機器内の光検出器及び／又は電気接点に位置合わせするための、（好ましくは、１つ又は複数のコンピュータ、１軸、２軸、３軸又はそれ以上の多軸動作を行うリニアアクチュエータ又は並進移動テーブル、及び／又はこれらの動作を駆動するモータを備える）動作制御サブシステムをさらに備える。この動作制御サブシステムにより、少なくとも４つのステップモータの独立した制御が行えることが好ましい。この動作制御サブシステムは、プレートキャリアの最大速度を独立に制御できることが好ましい。さらに、この動作制御サブシステムにより、各動作軸の加速度を制御することができ、かつ／又は、各動作軸のプレート位置エンコーダを統合することができ、かつ／又は、このサブシステムが、位置エンコーダを使用して各軸のプレート位置を確認することができるように適合されることが好ましい。好ましくは、この動作制御サブシステムにより、位置エンコーダを使用して失速検出を行うことができる。好ましくは、このプレート動作制御サブシステムは、（ｉ）０．０１インチ以下、好ましくは０．００５インチ以下、さらに好ましくは０．００１インチ以下の移動分解能を有し、（ｉｉ）少なくとも毎秒１インチ、好ましくは少なくとも毎秒５インチで連続動作を行うことができ、かつ／又は、（ｉｉｉ）０．０１インチ以内、より好ましくは０．００５インチ以内、さらに好ましくは０．００１インチ以内の円形許容差ゾーン内でプレートを載せることができる。
【０２４９】
本発明の一実施形態では、この機器は、ウエル及び／又はプレート支持部に電気エネルギー源を接続するように適合された、（任意選択で、プレート接点サブシステムの一部として含まれる）１個又は複数個の電気コネクタを含む。これらのコネクタは、マルチウエルプレート底部への接触を行うように適合されることが好ましい。好ましくは、この機器は、２個以上の電気コネクタ、より好ましくは３〜２０個の電気コネクタ、さらに好ましくは６個の電気コネクタを備える。これらの電気コネクタは、プレートホルダ内にプレートを載せることによってプレートへの電気的接続が行われるようにプレートホルダ内に組み込むか、あるいは、別々のコンポーネントとすることができる。あるいは、いくつかの電気コネクタは、プレートホルダ内に組み込み、いくつかは別のコンポーネントに含めることができる。
【０２５０】
好ましい一実施形態によれば、この機器は、２×３アレイの電気コネクタを備え、好ましくは、この２×３アレイの電気コネクタは、４個の動作電気コネクタ及び２個の対向電気コネクタを備える。別の好ましい実施形態によれば、この機器は、７個の電気コネクタ、好ましくはリニアアレイの７個の電気コネクタ、最も好ましくはリニアアレイの４個の動作電気コネクタ及び３個の対向電気コネクタを備える。別の実施形態では、プレートホルダ内にプレートを載せることによってプレートへの電気的接続が行われるように、１個又は複数個（好ましくは２個以上、より好ましくは３〜２０個）の電気コネクタをプレートホルダ内に組み込む。
【０２５１】
これらの電気コネクタ及び／又はプレート接点サブシステムは、アッセイプレート底部に接触を行うように適合されることが好ましい。任意選択で、プレートの上部又は側面への少なくとも１つの電気接点が設けられる。電気接点及び／又はプレート接点サブシステムによる力のために生じるプレートの上方向移動は、０．０１０インチ未満であることが好ましい。別の実施形態によれば、このプレート接点サブシステムの最小ステップ分解能は、少なくとも０．００４インチである。
【０２５２】
放出される発光を測定して、例えば、１つ又は複数のサンプル中の対象とする検体の有無又はその量を判定することが好ましい。この機器は、複数のウエルの少なくとも一部内で発光を測定するための光検出器を備え得る。あるいは、この機器は、フィルムなどの適当な光検出器を挿入するか、あるいは取り付けるための構造（例えば、スロットなど）を備え得る。このような機器は、システムの他のすべてのコンポーネントを含むが、光検出器は、使用者により付加されることがある。このような機器は、１つ又は複数の光検出器を適切に接続するように適合されることが好ましいであろう。
【０２５３】
本発明の好ましい一実施形態では、複数のウエルの少なくとも一部から放出される発光を測定するための光検出器を組み込む。この機器は、発光、より好ましくは電気化学発光を複数のウエル内で生成させるために光検出器及び電気エネルギー源を含み、また、放出された発光を測定するために光検出器を含むことが好ましい。このような機器は、電気エネルギー源をウエルに接続するように適合された電気コネクタも含むと有利である。
【０２５４】
本発明の一態様は、複数のセクタで、発光を測定し、かつ／又は発光を生成することができる機器に関する。例えば、この機器は、プレート全域よりも狭いところで、かつ／又はプレート上の全ウエル数未満のウエルで、発光を誘起し、かつ／又は放出された発光を測定することができる。本明細書で用いる「セクタ」という用語は、一緒にアドレス可能なウエルからなる独立にアドレス可能なセクタと定義する。好ましくは、「セクタ」は、１つ又は複数のウエル、２つ以上のウエル、全ウエル数未満のウエル、及び／又は全ウエル数の５０％未満のウエルを含む。
【０２５５】
したがって、本発明の一態様は、一緒にアドレス可能なウエルからなる複数の独立にアドレス可能なセクタを有するマルチウエルアッセイプレートからの発光を測定するための機器に関する。
【０２５６】
一実施形態によれば、この機器は、独立にアドレス可能なセクタに電気エネルギー源を接続するように適合された１個又は複数個の電気コネクタを含む。この機器は、プレート及び電気コネクタを保持するプレートホルダも含み、このプレートホルダは、複数のセクタに順に接触を行うことができるように、相互に移動するように適合されることが好ましい。代替実施形態では、プレートホルダにプレートを載せることによって、プレートの１つ又は複数のセクタへの電気的接続が行われるように、プレートホルダ内に１個又は複数個（好ましくは、３〜２０個）の電気コネクタを組み込む。
【０２５７】
一実施形態によれば、この機器は、検出ステップ中に、プレートを測定プラットホーム又は検出位置（例えば、発光を誘起し、かつ／又は検出するところ）上に保持するように適合されたプレートホルダ及びプレートへの接触を行うように適合された複数の電気コネクタを備え、それによって、電気エネルギーをウエルに供給する。これらの電気コネクタは、プレートの底部表面への接触を行うことが好ましい。この接触は、ウエル間で、好ましくはウエル壁、すなわちプレートが最も堅固なところに押し付けることによって行うと有利である。
【０２５８】
この機器は、測定中に、プレートを測定プラットホーム上に保持するように適合されたプレートホルダを含み得る。これは、電気コネクタがプレート底部への接触を行うときに有利である。というのは、このホルダは、プレートを下に押し付けて保持し、かつ／又は、接点がプレートを持ち上げるのを妨げるように構成することができるからである。例えば、画像システムを使用してウエルからの発光を画層化するときに、これは重要である。これらのコネクタがプレートを持ち上げるか、あるいは動かし得る場合、画像は歪むことがある。
【０２５９】
別の実施形態によれば、この機器は、光検出器と、マルチウエルアッセイプレートを保持するように適合された支持部とを備える。この光検出器及び支持部は、相互に移動して複数のセクタを順に測定することができるように適合される。
【０２６０】
本発明の別の態様は、画像システムを使用して放出された発光を画像化することを伴う。この機器は、コンピュータ画像分析装置をさらに備えることが好ましい。好ましい一実施形態によれば、このコンピュータは、バックグラウンド光を減算し、かつ／又は宇宙線により誘起された偽信号、及び／又は光検出器の欠陥を取り除くソフトウエアを含む。
【０２６１】
本発明の一実施形態は、
（ａ）カメラを備え、複数のウエルの少なくとも一部を画像化し、それによって、発光を測定するように適合された画像システムと、
（ｂ）複数のウエルの少なくとも一部で発光を生成させるために、複数のウエルの前記部分に電圧又は電流として印加される電気エネルギー源とを備える、複数のウエルを有するマルチウエルアッセイプレートから発光を測定するための機器に関する。
【０２６２】
別の実施形態は、
（ａ）カメラを備え、複数のウエルの少なくとも一部を画像化し、それによって、発光を測定するように適合された画像システムと、
（ｂ）複数のセクタで複数のウエルに電気エネルギーを供給するように適合された電気エネルギー源とを備える、複数のウエルを有するマルチウエルアッセイプレートから発光を測定するための機器に関する。
【０２６３】
本発明の別の実施形態は、
（ａ）カメラを備え、複数のセクタで複数のウエルを画像化し、それによって、複数のセクタで発光を測定するように適合された画像システムと、
（ｂ）複数のウエルの前記部分に電圧又は電流として印加される電気エネルギー源とを備える、複数のウエルを有するマルチウエルアッセイプレートから発光を測定するための機器に関する。
【０２６４】
したがって、本発明は、カメラを有し、マルチウエルアッセイプレートの複数のウエルの少なくとも一部を画像化するように適合された画像システムを備える、複数のウエルを有するマルチウエルアッセイプレートから発光を測定するための機器を含む。この機器は、カメラが前記部分を画像化することができる検出位置でマルチウエルアッセイプレートを保持するように適合された支持部をさらに備えることが好ましい。このカメラ及び／又は支持部が、複数のセクタで複数のウエルを画像化し、それによって、発光が測定されるように適合されると有利である。この機器は、カメラ及び／又はそれに関連する光学系（例えば、レンズ）を位置決めするためのカメラ装着システムをさらに備えることが好ましい。このカメラ装着システムは、画像システムのカメラの画像形成表面及び／又はそれに関連する光学系を、±５°以内、より好ましくは±３°以内、さらに好ましくは±２°以内、最も好ましくは±１°以内で、マルチウエルプレートに直交して維持することが好ましい。
【０２６５】
複数のセクタで発光を測定することができる機器、方法及びプレートを提供すると、光の収集効率を高めることができる。したがって、本発明の好ましい一実施形態は、少なくとも２つの前記複数のウエルから放出される発光を同時に画像化するように適合された画像システムを備える機器に関する。この画像化では、円錐全角が少なくとも１０°、好ましくは少なくとも１５°、より好ましくは少なくとも２０°、さらに好ましくは少なくとも２５°、最も好ましくは少なくとも３０°の円錐状の発光を収集する。
【０２６６】
別の実施形態によれば、この機器は、検出位置でマルチウエルアッセイプレートを保持するように適合された支持部及び／又はマルチウエルアッセイプレートをエネルギー源に接続するように適合された電気コネクタをさらに備える。この機器は、順次、複数のセクタに電気コネクタを接続し、かつ／又は複数のセクタを画像化するように適合されることが好ましい。
【０２６７】
本発明の別の態様は、光検出器アレイ、好ましくはフォトダイオードアレイなどの離散した光検出器のアレイを使用する機器又は方法に関する。
【０２６８】
したがって、本発明の一実施形態は、
（ａ）マルチウエルアッセイプレートの少なくとも一部からの光を、好ましくは複数のセクタで検出するように適合された光検出器アレイ及び／又は、
（ｂ）マルチウエルプレートに電気エネルギーを、好ましくは複数のセクタで供給する電気エネルギー源とを備え、好ましくは、複数のセクタで発光を誘起し、かつ／又は測定する、複数のウエルを有するマルチウエルアッセイプレートから発光を測定するための機器に関する。
【０２６９】
別の実施形態は、
（ａ）検出位置でマルチウエルアッセイプレートを保持するように適合された支持部及び／又は、
（ｂ）マルチウエルプレートのセクタをエネルギー源に接続するように適合された電気コネクタとをさらに備え、好ましくは、順次、複数のセクタに電気コネクタを接続し、かつ／又は複数のセクタから発光を検出するように適合される機器に関する。
【０２７０】
この機器は、光検出器アレイが支持部に対して相対的に移動することができ、それによって、検出器アレイに各セクタを位置合わせすることができるように適合されることが好ましい。
【０２７１】
好ましい実施形態によれば、この機器は、１つのセクタの１つのウエル当たり１つの検出器を備える。この光検出器アレイは、ウエルアレイに位置合わせされるように適合されることが好ましい。例えば、図１を参照すると、８個の適切に寸法設定されたフォトダイオードからなるリニアアレイを１行のウエルに位置合わせすることができるはずである。この光検出器アレイは、リニアアレイであり、プレート全体にわたって直線的に走査することができることが好ましい。
【０２７２】
好ましい実施形態によれば、この機器は、モジュール上の動作電極及び／又は対電極の代わりに、この機器が提供する１つ又は複数のプローブ、好ましくは、ウエル中に挿入してウエルに電気エネルギーを供給する動作電極プローブ及び／又は対電極プローブアレイを利用するモジュール（好ましくは、プレート）を使用するように適合される。一度にマルチウエルプレートの１つのウエルに電気エネルギーを供給するように、単一プローブを位置合わせし配置するか、あるいは、プローブアレイを用いて複数のウエルに電気エネルギーを供給することができるはずである（例えば、このアレイを使用して一群のウエルに電気エネルギーを供給し、次いで、移動して異なる群のウエルに電気エネルギーを供給することができるはずである）。好ましくは、これらのプローブは、電極（好ましくは、対電極）、並びにウエル中で生成される光を機器内の１つ又は複数の光検出器に伝達する導管として機能するように、電極材料を被覆した１つ又は複数の光ファイバプローブを備える。
【０２７３】
好ましい一実施形態によれば、この機器は、（ｉ）アッセイモジュールを移動させ、（ｉｉ）アッセイモジュール（及びその中のアッセイ内容物）を振とうさせ、（ｉｉｉ）（例えば、冷蔵ユニットに）プレートを格納し、（ｉｖ）液体又は試薬を取り扱い（例えば、試薬を混合し）、（ｖ）試薬を送達する（例えば、ウエル中に試薬を計量分配するなど）という機能のうち１つ又は複数を実施するように適合された１つ又は複数のロボットシステム及び／又はコンピュータシステムをさらに備える。
【０２７４】
図１７に、本発明の機器の実施形態を示す。リーダ１７００は、カバー（又はケース）１７０２、１つ又は複数のドア及び／又は開口部１７１４を備えた遮光容器１７０４、光検出器１７０６、光学系１７０８、マルチウエルアッセイプレート１７１０、プレート位置合わせ機構１７１２、プレート搬送機構１７１６、バーコードリーダ１７１８、電子回路１７２０、電流／電圧源１７２２、プレート用電気コネクタ１７２４、コンピュータ１７２６、電源１７２８、データ及びネットワーク接続部１７３０、表示部１７３２、試薬ハンドラ１７３４、１つ又は複数のプレートスタッカ１７３６、ロボット部１７３８及びプレートキャリア１７４０を備える。カバー１７０２の大部分は、ポリウレタン、構造発泡材、ＡＢＳ、ポリスチレン、ポリプロピレン、ポリカーボネートなどの剛体プラスチック材料製の成型構造であることが好ましい。カバー１７０２には、金属（例えば、アルミニウム、しんちゅう、鋼）、複合材（例えば、カーボンファイバ複合材、ポリマー複合材）及び／又はカーボンベースの材料も組み込むことができる。カバー１７０２には、塗りを施すこともできる。導電塗料（例えば、金属フレークを含む塗料）を用いて、電磁干渉（すなわち、ＥＭＩ遮蔽として）を低減することができる。このカバーは、リーダのある種のエレメントを収容し、支持し、保護するように機能することが好ましい。このカバーには、通気孔その他の開口部を組み込むことができ、機器を冷却し、かつ／又は機器を通して空気循環を維持するための１つ又は複数のファンを含むこともできる。好ましい実施形態では、このカバーは、光検出器１７０６を冷却するための別の吸気及び排気開口部を提供する。
【０２７５】
遮光容器１７０４は、光の出入りを妨げるように設計された密封コンパートメントである。遮光容器１７０４の大部分は、鋼又はアルミニウムなどの剛体材料からなる。好ましい実施形態では、遮光容器１７０４は、アルミニウムシートメタルからなることが好ましい。遮光容器１７０４には、非剛体又はコンプライアントな材料も組み込むことができる。好ましい実施形態では、遮光容器１７０４は、光の通過を妨げるシールとして働くコンプライアントな独立気泡発泡剤ガスケットを含む。遮光容器１７０４は、１つ又は複数のドア及び／又は開口部１７１４を有し、それを通して、リーダの動作中に、本発明のマルチウエルアッセイプレートを通過させることができる。開口部１７１４にはドアを組み込み、そのドアを開いてマルチウエルアッセイプレートをリーダに出入りして搬送することができる。このドアは、ドアと開口部１７１４の接合部のところの溝形構成に沿ってスライド式に開閉する。この溝形構成により、光の透過を減らす蛇行経路が得られる。ドア又は開口部１７１４の動作は、コンピュータ１７２６及び電子回路１７２０で制御されるリニアアクチュエータによって機械的に駆動される。遮光容器１７０４には、光学系１７０８が取り付けられるか、あるいは、光学系１７０８が割愛される場合には、光検出器１７０６が取り付けられる。容器１７０４は、光学系１７０８（又は、光検出器１７０６）との間でコンプライアントな結合を提供し、それによって、遮光容器に乱れが生じることなく、放出された光を光検出器上に合焦させることができる。このコンプライアントなカップリングは、１つ又は複数の遮光板、遮光シール又は遮光用可撓性ハウジングを含み得る。好ましい実施形態では、この可撓性カップリングは、シリコーンガスケット又はシリコーン層からなるすべり遮光シールである。別の好ましい実施形態によれば、このカップリングは、レンズと遮光容器の境界面のところに可撓性（好ましくは、ネオプレン製）遮光ベローズを含む。このベローズにより、依然として遮光シールが設けられながら、比較的容易に焦点合わせ及びレンズの移動を行うことができる。遮光容器１７０４は、光学系１７０８及び／又は光検出器１７０６に乱れが生じることなく取り外すことができる。遮光容器の壁は黒色として、光の反射を減らすことが好ましい。この遮光容器は、５００ルクスから０（ゼロ）ルクスまでの周辺光のレベルの変化により、バックグラウンド信号の変動の見掛けの係数が２０％よりも大きく増加しない、より好ましくは１５％よりも大きく、さらに好ましくは１０％よりも大きく、最も好ましくは５％よりも大きく増加しない程度に少なくとも外部光を排除するように適合されることが好ましい。
【０２７６】
光検出器１７０６は、リーダ１７００中で電気化学発光アッセイを行う間、主に、マルチウエルアッセイプレートから放出される光を測定する。光検出器１７０６は、光の強度を測定する１つ又は複数の光検出器、あるいは、放出された光を画像化する１つ又は複数の光検出器であることが好ましい。光検出器の例には、カメラ、フォトダイオード、アバランシェフォトダイオード、ＣＣＤチップ、ＣＣＤカメラ、光電子増倍管、ＣＭＯＳ検出器、フィルム、リン光材料及びインテンシファイヤが含まれる。光検出器は、冷却してバックグラウンド信号を減らすことができる。好ましい実施形態では、光検出器１７０６は、フォトダイオードアレイである。別の好ましい実施形態では、光検出器１７０６は、ＣＣＤ（電荷結合素子）カメラである。光検出器１７０６は、コンピュータ１７２６及び電子回路１７２０に接続される。光検出器１７０６は、光学系１７０８及び／又は遮光容器１７０４に取り付けることができる。光検出器１７０６には、画像を効率的に電子回路１７２０及びコンピュータ１７２６に送るための制御用電子回路、コネクタ及び高速ケーブルを組み込むこともできる。光検出器１７０６の活動表面（又は、光検出器１７０６がＣＭＯＳ又はＣＣＤチップなどの画像検出器であるときは、画像形成表面）を、画像化する対象物（例えば、個々のウエル、マルチウエルアッセイプレートセクタ又はマルチウエルアッセイプレート）のサイズに整合させて、記録画像の光収集効率及び空間分解能についての要件と、検出器（及び関連する光学系）のコスト及びサイズとの釣合いをとることが好ましい。光検出器の活動表面又は画像形成表面の面積は、検出又は画像化する面積の２５％〜２００％、より好ましくは５０％〜１００％であることが好ましい。６つの正方形セクタで、標準マルチウエルアッセイプレートを画像化するように適合された画像検出器の好ましい実施形態では、光検出器（例えば、ＣＣＤ又はＣＭＯＳチップ）の面積は、０．９５平方インチ〜２．０平方インチ、より好ましくは０．９５平方インチ〜１．２平方インチである。代替実施形態では、光学系１７０８中にテーパ付き光ファイバ束を含めることによって、光の収集効率又は分解能を大きく損なうことなく、より小さい画像検出器を使用することができる。例えば、光学系１７０８は、画像化する面積の好ましくは２５％〜１００％（より好ましくは、５０％〜１００％）の面積を有する画像を投影するレンズ、好ましくはテレセントリックレンズとテーパ付き光ファイバ束の組合せを含み、それによって、この画像を画像検出器のサイズに縮小することができる。
【０２７７】
一般に、光学系１７０８は、マルチウエルアッセイプレート１７１０から放出される光を収集し、その光を光検出器１７０６上に合焦させる。光学系１７０８は、例えば、光の透過、散乱、遮光、濾波、改変、回折、屈折及び／又は反射を行う素子を含み得る。光学系１７０８は、構造的な支持を提供するか、あるいは、光学素子をリーダ１７００の他の素子に結合する物理的／機械的要素も含み得る。これらの要素の例には、レンズ、プリズム、フィルター、スプリッタ、ミラー、光ファイバ、光カプラ、光学的なエポキシ及び粘着剤、ウインドウ、変調器、光学被覆などが含まれる。好ましい実施形態では、光学系１７０８は、大面積にわたって光を均一に収集するためにテレセントリックレンズを備える（そうでない場合には、光は、非テレセントリックレンズを使用する光学系によって歪んで画像化される）。このレンズ（特に、複数素子型レンズの前側レンズ素子）の直径を、画像化する対象物（例えば、マルチウエルアッセイプレートのセクタ）のサイズに整合させ、それによって、歪みを最小限に抑え、かつ光の収集効率を最大限に高めるための要件とレンズのコストの釣合いをとることが好ましい。６つの正方形セクタで標準マルチウエルアッセイプレートを画像化するように適合されたレンズの好ましい実施形態では、レンズ又は複合レンズの第１レンズ素子の直径は、３．０インチ〜５．０インチ、より好ましくは３．５インチ〜４．５インチ、最も好ましくは、３．９インチ〜４．３インチである。このレンズは、物体面の点源からの半球状放射に対する光の収集効率が２％よりも大きい、より好ましくは５％よりも大きいことが好ましい。物体面から受け取る光の円錐全角は、好ましくは１０％よりも大きく、より好ましくは１５％よりも大きく、さらに好ましくは２０％よりも大きく、さらに好ましくは２５％よりも大きく、最も好ましくは３０％よりも大きい。別の実施形態では、光学系１７０８は、１つ又は複数の光ファイバ又は光ファイバアレイを備える。別の好ましい実施形態では、光学系１７０８は、ウインドウ及び／又はフィルターを備え、光を光検出器１７０６に合焦させない。別の実施形態では、光学系１７０８は、レンズ及び光ファイバ束（例えば、テーパ付き光ファイバ束）を備える。光学系１７０８は、光学系１７０８と遮光容器１７０４の間の結合部の遮光特性に乱れが生じることなく、焦点合わせを行うことができるコンプライアントなカップリングを備え得る。光学系１７０８は、任意選択で、バックグラウンド光に対して相対的に所望の発光信号の収集が最大限に大きくなるように設計されたフィルターを含み得る。好ましい実施形態では、光学系１７０８は、遷移金属標識、特に、ルテニウムトリスビピリジン標識から生成される発光を選択的に透過させるように設計されたフィルターを含む。好ましくは、このようなシステム中の光学系は、８００ｎｍ（より好ましくは７５０ｎｍ）よりも長波長の光の大部分を遮断し、任意選択で、５００ｎｍ（より好ましくは５５０ｎｍ）よりも短波長の光を遮断する。このフィルター素子は、任意選択で、脱着可能又は交換可能とすることができる。好ましい一実施形態によれば、このフィルターは、７５０ｎｍ±２５ｎｍの長���長カットオフ（５０％透過）及び５５０ｎｍ未満の短波長カットオフのバンドパス特性を有し、かつ／又は、その平均バンドパス透過率は８０％よりも大きい。別の実施形態によれば、この機器は、１つ（又は複数）の光検出器を覆うフィルター（例えば、ダイクロイックフィルター、干渉フィルター及び／又は吸収フィルター）を備える。例えば、この光検出器は、フィルター（例えば、ダイクロイックフィルター、干渉フィルター及び／又は吸収フィルター）で覆われたシリコンフォトダイオードアレイを備える光検出器アレイとすることができる。
【０２７８】
プレート搬送機構１７１６は、マルチウエルアッセイプレートを、リーダ１７００内に入れ、その中を移動させ、またそれから出す。プレート搬送機構１７１６は、搬送中にマルチウエルアッセイプレートを保持するプレートキャリア１７４０、プレートキャリア１７４０を移動させる１つ又は複数のリニア並進移動ステージ、１つ又は複数の磁化可能な（好ましくは、可逆的に磁化可能な）タブ、センサ、及びマルチウエルアッセイプレートをキャリアに位置合わせし、かつ／又は保持する様々な機構を備える。プレート搬送機構１７１６は、主に、金属及びプラスチックからなる。一実施形態では、プレート搬送機構１７１６は、プレートスタッカ１７３６から開口部１７１４を通って遮光容器１７０４内に、またその逆にプレート７１０を移動させる。動作の例では、１つ又は複数のマルチウエルアッセイプレートをプレートスタッカ１７３６内に入れる。コンピュータ制御の下で、プレート搬送機構１７１６及びプレートスタッカ１７３６内のエレベータが、基準位置に移動する。これをセンサによって確認する。プレート搬送機構１７１６は並進移動し、開口部１７１４を通って遮光容器１７０４から出、プレートスタッカ１７３６内に入る。プレート搬送機構１７１６がこのように動作すると、プレートキャリア１７４０が、ばね押し式のリアスライダを後退させるエレメントに接触し、プレートキャリア１７４０上に配置したばね押し式の位置決めエレメントが回転し、それによって、プレートキャリア１７４０がマルチウエルアッセイプレートを受け取る準備が整う。プレートスタッカ１７３６内のモータ駆動式エレベータが、プレートのスタックを持ち上げる。ソレノイドによりスタッカ１７３６内のばね押し式ラッチが開き、それによって、（スタック底部の）１枚のプレート１７１０がラッチを通過するまで、プレートスタッカ１７３６内のエレベータによりプレートのスタックが下げられる。次いで、ばね押し式ラッチが閉じ、プレート１７１０がプレート搬送機構１７１６のプレートキャリア１７４０に載せられるまで、スタッカがプレート１７１０を継続して下げる。センサ、好ましくは赤外線センサにより、プレート１７１０がプレートキャリア１７４０上にあることを確認する。プレート搬送機構１７１６が、プレートスタッカ１７３６からプレートキャリア１７４０を出して移動させると、ばね押し式位置決めエレメントが、プレート１７１０を放し、プレートキャリア１７４０の１つの面に押し付けて位置合わせする。ばね押し式リアスライダも、プレート１７１０のリアリップの一部を放し、それを覆い、プレート１７１０をプレートキャリア１７４０の別の面に押し付ける。任意選択で、プレート搬送機構１７１６は、プレートキャリア１７４０を後退させて、プレートキャリア１７４０にプレート１７１０をしっかりと保持するピンを作動させ、それによって、（例えば、電気コネクタ１７２４と良好に電気的接触を行わせようと試みる際に生じる）プレート１７１０の底部に加えられる垂直上向きの力により、プレートが動かないようにする。プレート搬送機構１７１６により、プレートキャリア１７４０は、開口部１７１４を通って遮光容器１７０４内に移動する。開口部１７１４が閉じ、プレート搬送機構１７１６により、プレート１７１０は並進移動し、プレート１７１０を識別するバーコードリーダ１７１８に至る。プレート１７１０は、プレート１７１０の第１セクタが光学系１７０８及びプレート用電気コネクタ１７２４に位置合わせされるまで並進移動する。１回又は複数回の電気化学発光アッセイ測定が行われた後で、プレート搬送機構１７１６は、異なる順序で行われ得る同様な１組のステップを用いて、プレート１７１０を遮光容器１７０４から取り出す。別の実施形態では、個々のプレート１７１０は、（例えば、手動で、あるいはロボット部１７３８により）プレートキャリア１７４０に載せられる。プレートキャリア１７４０の動作は、１つ又は複数のリニアアクチュエータによって行われる。一実施形態では、これらのアクチュエータは、開ループ構成のステップモータで駆動される。コンピュータ１７２６が、指定した数のステップだけ動くようにステップモータに指令を出すと、プレートは特定の位置に移動する。別の実施形態では、プレート搬送機構１７１６中のプレートキャリア１７４０の動作は、コンピュータ１７２６で制御される閉フィードバックループを用いて、直流モータによって駆動される。
【０２７９】
プレートキャリア１７４０内のプレート１７１０の動き及び位置は、プレート位置合わせ機構１７１２によって確認する。プレート位置合わせ機構１７１２は、１つ又は複数のセンサを使用して、プレートキャリア１７４０のある種の位置を確認し、かつ／又はその位置に対する基準位置を設定する。これらのセンサは、例えば、機械式センサ、光学センサ、電気センサ、磁気センサ又は対象物の位置を正確に感知する周知の他のセンサとすることができる。好ましい実施形態では、プレート位置合わせ機構１７１２には、プレートキャリア１７４０上、あるいは、プレート搬送機構１７１６の１つ又は複数の軸上に、１つ又は複数の磁化可能な（好ましくは、可逆的に磁化可能な）（例えば、磁化可能な鋼製の）タブを感知するホール効果センサが組み込まれる（このタブは、それが、ホールセンサと、ホールセンサの反対側に装着した磁石との間を移動し、したがって、磁石がセンサに及ぼす影響を遮断するときに感知される）。このタブ及びホールセンサを使用して、プレート搬送機構１７１６が「基準」位置にある時点を検出し、したがって、プレート搬送機構１７１６の真の位置を求めることができる。別の好ましい実施形態では、プレート位置合わせ機構には、プレート１７１０及び／又はプレートキャリア１７４０が赤外光経路を遮断するときに、赤外光源と赤外光検出器の間の光の遮断を感知する赤外線センサが組み込まれる。プレート位置合わせ機構１７１２は、ステップモータが指定した数のステップ動作を行ったことを確認し、かつ／又は、ステップモータが失速していないことを確認するセンサも含み得る。好ましい実施形態では、このセンサは光学式エンコーダを備える。別の好ましい実施形態では、プレート位置合わせ機構１７１２には、プレートコーナの面取り（例えば、図９Ａのプレート上部９３２の左上及び左下コーナの面取り）を検出する圧力スイッチが組み込まれる。この面取りの有無により、プレートキャリア１７４０内でのプレートの向きが判定される。このセンサにより、プレートの向きが正しくないと判定された場合、コンピュータ１７２６は、動作を停止するように機器に指令を出し、そのプレートを飛ばすか、より好ましくは、そのプレートを読み取るが、データを入れ替えて向きの誤りを補正する（したがって、コスト効果の大きい遅延や貴重なサンプルの損失を防止する）ことができる。
【０２８０】
リーダ１７００内でバーコードリーダ１７１８を使用して、特定のマルチウエルアッセイプレートを識別する。このバーコードリーダは、固定位置型のレーザバーコードスキャナ、例えば、Ｏｐｔｉｃｏｎ社のＮＬＢ  ９６２５／９６４５シリーズであることが好ましい。電子回路１７２０は、リーダ１７００内の１つ又は複数の電子的及び／又は機械的エレメントの動作、制御及び追跡に関与する。電子回路１７２０は、装置内で一般に用いる様々なコンポーネント、例えば、導線、回路、コンピュータチップ、メモリ、ロジック、アナログ電子部品、シールド、コントローラ、変圧器、Ｉ／Ｏデバイスなどを備え得る。電流／電圧源１７２２は、規定した電圧波形及び／又は規定した電流波形を生成することができる電気回路である。電流／電圧源１７２２は、電子回路１７２０、コンピュータ１７２６及びプレート用電気コネクタ１７２４に接続される。本発明の一実施形態では、電流／電圧源１７２２はポテンシオスタットを含む。このポテンシオスタットは、独立した参照電極を含むプレートを読み取るのに有利であり、参照電極における電位に対して相対的に、動作及び／又は対電極における電位を参照することができる。
【０２８１】
プレート用電気コネクタ１７２４は、マルチウエルアッセイプレート１７１０と接触し、それによって、電流／電圧源１７２２による電流及び／又は電圧波形を印加することができる。プレート用電気コネクタ１７２４は、１つ又は複数のコネクタ、電気的接続部、リニアアクチュエータ、及び任意選択で、支持部を備える。好ましい実施形態では、これらのコネクタは、プレート１７１０との電気的接触を向上させるようにばね押し式である。コネクタは、導電性の外面を有する任意の適当な材料製とすることができる。コネクタは、プレートとの繰返し接触に耐える十分な耐久性をもつことが好ましい。一般に、これらのコネクタは、高導電性金属フィルム（例えば、金又は銀）を被覆した硬質金属又は合金からなる。好ましい実施形態では、コネクタは、ニッケル／銀受け器中の金メッキしたステンレス鋼ばねでばね押し式になった、金メッキしたニッケル／銀からなるワッフルポイント型接点ヘッドを含む。これは、例えば、Ｉｎｔｅｒｃｏｎｎｅｃｔ  Ｄｅｖｉｃｅｓ社から提供されるコネクタ（ＧＳＳ−１８．３．８−Ｇ）である。代替実施形態では、コネクタは、高導電性材料を被覆したコンプライアントな材料からなる。これらのコネクタの支持部は、コネクタがプレートに押し付けられるときにコネクタを支持することができる任意の材料からなり得る。好ましい実施形態では、プレート用電気コネクタ１７２４中の支持部は、好ましくは、これらのコネクタを電流／電圧源１７２２及び／又は電子回路１７２０に電気的に接続するトレースを備えた回路ボードからなる。プレート用電気コネクタ１７２４は、基準位置を確認するセンサ（好ましい実施形態では、ホールセンサ）を含み得る。プレート用電気コネクタ１７２４には、温度センサ（例えば、サーミスタ、熱電対、白金ＲＴＤ）を組み込むこともできる。好ましい実施形態では、この温度センサは、プレート用電気コネクタ１７２４の支持部上でばね押し式である。一実施形態では、この温度センサは、マルチウエルアッセイプレート１７１０に接触してその温度を測定する。プレート用電気コネクタ１７２４中のリニアアクチュエータにより、コネクタ（及び任意選択で、支持部）がプレート１７１０に押し付けられて電気的な接触が行われる。
【０２８２】
この機器は、プレート温度を測定するように適合された温度センサ又は温度計を含むと有利である。好ましくは、この温度センサ又は熱センサは、５℃以内、より好ましくは３℃以内、さらに好ましくは１℃以内、最も好ましくは０．２５℃以内でウエル温度を検出することができる。この温度センサは、１０秒以内、好ましくは５秒以内、さらに好ましくは３秒以内で安定な状態に到達できることがさらに好ましい。このセンサは、接触式センサ（例えば、サーミスタ、熱電対又は白金ＲＴＤ）とすることができる。あるいは、このセンサは、ＩＲセンサなどの非接触式センサとすることもできる。好ましい実施形態では、この機器は、１つ又は複数の非接触式温度センサを備え、かつこの機器は、（例えば、複数のセンサを使用し、かつ／又はこれらのセンサに対して相対的にプレートを移動させることによって）プレート上の様々な場所の温度を測定することができるように適合される。別の好ましい実施形態では、この機器は、温度センサから信号を受け取り、使用者にその温度を報告し、好ましくは、測定された発光信号を調整して、発光信号、電気化学発光信号、及び／又は、アッセイの実施中に生じる他の反応に温度が及ぼす影響を補正するように適合されたコンピュータをさらに備える。このコンピュータは、様々な温度で行った較正測定からのデータ及び／又は較正曲線を保存するメモリと、温度変動に対してテストデータを正規化するために、前記データ及び／又は較正曲線を使用するソフトウエアとをさらに備えることが好ましい。別の実施形態によれば、この機器は、ウエル内の温度を制御する温度コントローラも備える。別の実施形態によれば、この機器は、検出された温度が指定範囲外である場合、（ソフトウエアによるエラーや警告などの表示によって）アッセイプレートを不合格とするか、あるいはフラグを立てるように適合される。
【０２８３】
コンピュータ１７２６は、リーダ１７００及び／又は他の周辺装置の動作、制御、データ管理及び追跡に関与する。コンピュータ１７２６は、コンピュータ、ディスプレイ、使用者用入力装置、データ記憶装置、Ｉ／Ｏ装置、ネットワーク装置、イーサネット（登録商標）接続部、モデム、光学的接続部、ソフトウエアなどからなることが好ましい。電源１７２８は、リーダ１７００及び／又は他の装置に電力を供給する。データ及びネットワーク接続部１７３０は、接続部、ハードウエア、バスなどを備え得る。データ及びネットワーク接続部１７３０は、例えば、ＲＳ−２３２ポート、ＵＳＢポート、ＰＣＭＣＩＡカード、ＰＣＩボード、イーサネット（登録商標）カード、モデムなどとすることができる。表示部１７３２は、リーダ１７００の動作及び／又は状態に関する情報を提供し、例えば、光、計器、音による装置、又はコンピュータ１７２６から信号を受け取り、かつ／又はコンピュータ１７２６に信号を送る装置とすることができる。
【０２８４】
試薬ハンドラ１７３４は、マルチウエルアッセイプレートに試薬を添加し、またプレートから試薬を取り除く１つ又は複数の装置である。好ましい実施形態では、試薬ハンドラ１７３４は、ピペットを行うステーションである。ロボット部１７３８は、マルチウエルアッセイプレート及びそのウエルの内容物を搬送し、培養し、かつ／又は混合する１つ又は複数の電気機械式装置を備え得る。プレートスタッカ１７３６は、１つ又は複数のマルチウエルアッセイプレートを保持する１つ又は複数のコンテナを備え、プレートを移動させるための電気的及び／又は機械的システムとすると有利である。プレートスタッカは、プレートの移動及び位置を制御するのに使用することができるラッチ、位置決めエレメント、スライダ、グラバ、押出しアームなどの機構も備え得る。プレートスタッカは、プレートの位置合わせをし、かつ／又は方向づけを行う際の助けとなる機構も有し得る。当技術分野では、多くのプレートスタッカが知られている。
【０２８５】
リーダ１７００を使用するに当たっては、１つ又は複数のウエルにアッセイ試薬を含む１つ又は複数のマルチウエルアッセイプレートを、プレートスタッカ１７３６の入力スタック中に入れる。（以下のすべてのステップは、コンピュータ１７２６及び電子回路１７２０の制御下にある。）上記で説明したように、プレートスタッカ１７３６及びプレート搬送機構１７１６により、マルチウエルアッセイプレート１７１０は、プレートスタッカ１７３６の入力スタックからプレートキャリア１７４０に移動し、入り口開口部１７１４を通って搬送され、遮光容器１７０４内に入る。開口部１７１４が閉じ、プレート搬送機構１７１６により、プレート１７１０は並進移動し、プレート１７１０を識別するバーコードリーダ１７１８に至る。プレート１７１０は、プレート１７１０の第１セクタが光学系１７０８及びプレート用電気コネクタ１７２４に位置合わせされるまで並進移動する。光検出器１７０６により、バックグラウンド画像が取得され、好ましくはそれが記憶され、データがコンピュータ１７２６に送られる。プレート用電気コネクタ１７２４がマルチウエルアッセイプレート１７１０に押し付けられて、電気コネクタ１７２４の接点がプレート１７１０の第１セクタに電気的に接触する。光検出器１７０６が画像の取得を開始し、電流／電圧源１７２２が、プレート用電気コネクタ１７２４によってプレート１７１０に印加する波形を生成する。波形の印加及び画像化が完了した後で、光検出器１７０６及び電子回路１７２０からコンピュータ１７２６にデータを転送し、そこでデータを処理する。プレート用電気コネクタ１７２４は、プレート１７１０から離れるように下がって電気的接触が切断される。センサにより、プレート用電気コネクタ１７２４が完全に下がった時点を確認する。（別のセクタを測定する場合には）次のセクタが光学系１７０８及びプレート用電気コネクタ１７２４に位置合わせされるように、プレート搬送機構１７１６によりプレート１７１０が並進移動し、接触を行い、測定を取得するプロセスが繰り返される。リーダ１７００は、所望の測定がすべて完了するまで、これらのステップを継続して繰り返す。あるいは、一度に２つ以上のセクタに接触を行い、電気を加え、かつ／又は読み取ることができる。別の代替実施形態では、プレート全体に電気を加え、同時に読み取る。最後の測定の後で、プレート用電気コネクタ１７２４が下がり、出口開口部１７１４が開く。プレート搬送機構１７１６により、プレート１７１０が並進移動し、出口開口部１７１４を通って遮光容器１７０４から出、プレートスタッカ１７３６の出力スタックに入る。プレート搬送機構１７１６がこのように動作すると、プレートキャリア１７４０が、ばね押し式のリアスライダを後退させるエレメントに接触し、プレートキャリア１７４０上に配置したばね押し式の位置決めエレメントが回転し、それによって、プレートキャリア１７４０からプレート１７１０を取り出す準備が整う。プレート搬送機構１７１６及びプレートスタッカ１７３６により、プレート１７１０がプレートキャリア１７４０から出力スタッカ１７３６の出力スタックに移動する。センサ、好ましくは赤外線センサにより、プレートキャリア１７４０からプレート１７１０が出たことを確認する。プレート搬送機構１７１６により、プレートキャリア１７４０が並進移動し、プレートスタッカ１７３６から出、出力開口部１７１４を通って遮光容器１７０４に入り、基準位置に至る。所望の場合には、このプロセスを繰り返して別のプレートを読み取る。
【０２８６】
リーダ１７００を使用する別の実施形態では、ロボット部１７３８を使用して、プレートスタッカ１７３６の入力スタックにプレートを導入する。所与のマルチウエルアッセイプレートからの測定が完了すると、プレートはプレートスタッカ１７３６に戻され、ロボット部１７３８によって取り外される。
【０２８７】
リーダ１７００のいくつかの実施形態では、１つ又は複数のカバー１７０２、光学系１７０８、マルチウエルアッセイプレート１７１０、バーコードリーダ１７１８、データ及びネットワーク接続部１７３０、表示部１７３２、試薬ハンドラ１７３４、プレートスタッカ１７３６及び／又はロボット部１７３８は割愛することができる。リーダ１７００の別の実施形態では、バーコードリーダ１７１８に代わりに、プレートを識別するための別の装置、例えば、スキャナ、カメラ、磁気ストリップリーダなどを使用する。リーダ１７００の別の実施形態では、コンピュータ１７２６、電源１７２８、データ及びネットワーク接続部１７３０、試薬ハンドラ１７３４、プレートスタッカ１７３６及び／又はロボット部１７３８など１つ又は複数のコンポーネントは、カバー１７０２の内部に配置される。
【０２８８】
リーダ１７００の別の実施形態では、単一のリーダ内で、複数の遮光容器１７０４、光検出器１７０６、光学系１７０８、プレート位置合わせ機構１７１２、プレート搬送機構１７１６、バーコードリーダ１７１８、電子回路１７２０、電流／電圧源１７２２、プレート用電気コネクタ１７２４、プレートスタッカ１７３６及び／又はロボット部１７３８を組み合わせ、それによって、スピード、スループット及び効率の改善など追加の能力が得られる。
【０２８９】
図１８に、リーダ１７００の好ましい実施形態を示す。図には、リーダ１８００のエレメントを選択して示す。リーダ１８００には、遮光容器１８０４、光検出器１８０６、光学系１８０８、プレート搬送機構１８１６、プレート用電子回路１８２０、入力プレートスタッカ１８３６Ａ、出力プレートスタッカ１８３６Ｂ、入力プレートスタック１８３７Ａ、出力プレートスタック１８３７Ｂ、及び出口ドア及び／又は開口部１８１４Ｂを示す。光検出器１８０６は冷却ＣＣＤカメラを含み、光学系１８０８はテレセントリックレンズを含むことが好ましい。プレートスタック１８３７Ａ及び１８３７Ｂは、１〜５０枚の９６ウエルプレート及び１〜７５枚の３８４ウエルプレートを保持することができることが好ましい。
【０２９０】
図１９に、リーダ１７００の別の実施形態のエレメントを選択して示す。遮光容器１９０４には光学系１９０８が取り付けられる。光学系１９０８は、レンズ及びフィルター（例えば、ルテニウムトリスビピリジン標識からの発光を選択的に透過させるように設計されたフィルター）を備える。光学系１９０８には光検出器１９０６が取り付けられ、光検出器１９０６は、好ましくはＣＣＤチップ１９０７を備える。ドア及び／又は開口部１９１４は、遮光容器１９０４の一部として存在する。セクタ１９１０Ａ、１９１０Ｂ及び１９１０Ｃを含むプレート１９１０は、プレート搬送機構１９１６に装着したプレートキャリア１９４０中に保持される。プレート用電気コネクタ１９２４が、プレート用電気コネクタ接点１９２５を上下に動かして、プレート１９１０のセクタ表面との接触の断続を行う。図１９に示す位置では、コネクタ接点１９２５は、プレート１９１０のセクタ１９１０Ａと電気的に接触している。プレート搬送機構１９１６が、（図示しない）プレート位置合わせ機構とあいまって、プレート１９１０、特にセクタ１９１０Ａを、光学系１９０８、プレート用電気コネクタ１９２４及びプレート用電気コネクタ接点１９２５に適切に位置合わせしたところが示されている。別の実施形態では、プレート用電気コネクタ接点１９２５はプレート１９１０に接触せず、別のセクタ（例えば、セクタ１９１０Ｂ又は１９１０Ｃ）が、光学系１９０８及びプレート用電気コネクタ１９２４並びにプレート用電気コネクタ接点１９２５に位置合わせされるように、プレート搬送機構１９１６がプレート１９１０を並進移動させることができる。好ましくは、プレートキャリア１９４０は、プレート１９１０がプレート用電気コネクタによって加えられる上向きの力に抵抗するようにプレート１９１０を保持し、それによって、プレート用電気コネクタ接点１９２５が、プレート１９１０上のプレート接点に十分な圧力を加えることができる。こうすると、接触抵抗が低い状態で電気的接触が得られる。好ましい実施形態では、この接触抵抗は１０オーム未満である。別の好ましい実施形態では、この接触抵抗は１０オーム未満、好ましくは５オーム未満、より好ましくは２オーム未満、さらに好ましくは１オーム未満、最も好ましくは０．５オーム未満である。
【０２９１】
図２０に、リーダ１７００の別の実施形態のエレメントを選択して示す。画像素子２０５７を備えた光検出器２０５６が、テレセントリックレンズ及びフィルター素子２０５９を備える光学系２０５８に取り付けられる。セクタ２０４２Ａ、２０４２Ｂ、２０４２Ｃ、２０４２Ｄ、２０４２Ｅ及び２０４２Ｆを含むマルチウエルアッセイプレート２０４２が、（部分的に示す）プレート搬送機構２０４７に装着したプレートキャリア２０４０によって保持される。図２０では、光学系２０５８が、セクタ２０４２Ａの画像を収集し、その画像を光検出器２０５６の画像素子２０５７上に結像させる。好ましい実施形態では、セクタ２０４２Ａは、標準９６ウエルマイクロプレートの面積の１／６に等価な面積を有し、光学系２０５８及び画像素子２０５７は、このようなセクタを画像化するのに適した寸法を有する。特に好ましい実施形態では、光学系２０５８は、直径約４．１インチのテレセントリックレンズであり、画像素子２０５７は、寸法約１インチ×１インチのＣＣＤチップである。光学系２０５８は、セクタ２０４２Ａからの光を均一にかつ妥当な効率で収集することが好ましい。プレート搬送機構２０４７は、別のセクタ（例えば、セクタ２０４２Ｂなど）が光学系１９０８に位置合わせされるように、プレート２０４２を並進移動させることができる。
【０２９２】
図１７の別の実施形態では、リーダ１７００は、カバー１７０２、ドア及び／又は開口部１７１４を備えた遮光容器１７０４、光検出器１７０６、光学系１７０８、マルチウエルアッセイプレート１７１０、プレート位置合わせ機構１７１２、プレート搬送機構１７１６、電子回路１７２０、電流／電圧源１７２２、プレート用電気コネクタ１７２４、コンピュータ１７２６、電源１７２８、データ及びネットワーク接続部１７３０、表示部１７３２、試薬ハンドラ１７３４、１つ又は複数のプレートスタッカ１７３６、プレートキャリア１７４０及びロボット部１７３８を備える。
【０２９３】
光検出器１７０６は、フォトダイオードアレイ、より好ましくは、９６ウエルプレートの１行のウエル中の８個のウエルに位置合わせされるように離間して配置された８個のフォトダイオードからなるリニアアレイであることが好ましい。光検出器１７０６は、フォトダイオードを装着する回路ボードをさらに備える。光検出器１７０６のフォトダイオードは、ＥＭＩを低減するために、（最も好ましくは、しんちゅう製の）導電シールドを有することが好ましい。フォトダイオードのプリント回路ボードは、ＥＭＩを低減するために、金属ケース（例えば、アルミニウムケース）内に置くことが好ましい。光学系１７０８は、光学的なクロストーク及びバックグラウンド信号又は非特異的な光信号の測定を低減するために、光学フィルター及び／又は光学被覆、並びに薄いシールドを備えることが好ましい。好ましい実施形態では、この光検出器は、ダイクロイックフィルター、干渉フィルター及び／又は吸収フィルターで覆われたフォトダイオードアレイを備える光検出器アレイである（これらのフィルターは、赤外光、最も好ましくは７５０ｎｍよりも長波長の光を遮断し、任意選択で、５５０ｎｍよりも短波長の光を遮断するように設計されることが好ましい）。
【０２９４】
測定中、光検出器１７０６及び光学系１７０８は、マルチウエルアッセイプレート１７１０の近傍にある。
【０２９５】
遮光容器１７０４は、光の出入りを妨げるように設計された密封コンパートメントである。開口部１７１４にはドアを組み込み、そのドアを開いてマルチウエルアッセイプレートをリーダに出入りして搬送することができる。このドアは、ドアと開口部１７１４の接合部のところの溝形構成に沿ってスライド式に開閉する。この溝形構成により、光の透過を減らす蛇行経路が得られる。開口部１７１４中のドアの動作は、コンピュータ１７２６及び電子回路１７２０で制御されるアクチュエータ（例えば、リニアアクチュエータ及び／又はステップモータなどのモータで駆動されるベルト）によって機械的に駆動される。開口部１７１４中のドアは、タッチボタンを押すことによって作動させることもできる。遮光容器１７０４は、光検出器１７０６、プレートキャリア１７４０、プレート１７１０及び電気接触機構１７２４のコネクタ接点を収容する。遮光容器の壁は黒色として、光の反射を減らすことが好ましい。
【０２９６】
プレート搬送機構１７１６は、リーダ１７００内でマルチウエルアッセイプレートを移動させる。プレート搬送機構は、搬送中にマルチウエルアッセイプレートを保持するプレートキャリア１７４０、プレートキャリア１７４０を移動させるリニア並進移動ステージ、１つ又は複数の磁化可能な（好ましくは、可逆的に磁化可能な）タブ、センサ、及びマルチウエルアッセイプレートをキャリアに位置合わせし、かつ／又は保持する様々な機構を備える。プレート搬送機構１７１６は、遮光容器１７０４内で単一軸に沿ってプレートキャリア１７４０を並進移動させる。プレート１７１０は、プレート１７１０のセクタが光検出器１７０６及びプレート用電気コネクタ１７２４に位置合わせされ得るように並進移動する。プレートキャリア１７４０の動作は、遮光容器１７０４の外側に配置されたアクチュエータ（例えば、リニアアクチュエータ及び／又はステップモータなどのモータで駆動されるベルト）によって行われる。一実施形態では、これらのアクチュエータは、開ループ構成のステップモータで駆動される。コンピュータ１７２６が、指定した数のステップだけ動くようにステップモータに指令を出すと、プレートは特定の位置に移動する。別の実施形態では、プレート搬送機構１７１６中のプレートキャリア１７４０の動作は、コンピュータ１７２６で制御される閉フィードバックループを用いて、直流モータによって駆動される。個々のプレート１７１０は、（例えば、手動で、あるいはロボット部１７３８により）プレートキャリア１７４０に載せられる。
【０２９７】
プレートキャリア１７４０内のプレート１７１０の動き及び位置は、プレート位置合わせ機構１７１２によって確認する。プレート位置合わせ機構１７１２には、プレートキャリア１７４０上、あるいは、プレート搬送機構１７１６の１つ又は複数の軸上に、プレートキャリア１７４０のある種の位置を確認し、かつ／又はその位置に対する基準位置を設定する（すなわち、１つ又は複数の磁化可能な（好ましくは、可逆的に磁化可能な）（例えば、磁化可能な鋼製の）タブを感知することによって行う）ホール効果型センサが組み込まれる。（このタブは、それが、ホールセンサと、ホールセンサの反対側に装着した磁石との間を移動し、したがって、磁石がセンサに及ぼす影響を遮断するときに感知される）。あるいは、プレート位置合わせ機構１７１２には、プレート１７１０及び／又はプレートキャリア１７４０が赤外光経路を遮断するときに、赤外光源と赤外光検出器の間の光の遮断を感知する赤外線センサが組み込まれる。プレート位置合わせ機構１７１２は、ステップモータが指定した数のステップ動作を行ったことを確認し、かつ／又は、ステップモータが失速していないことを確認するセンサも含み得る。好ましい実施形態では、このセンサは光学式エンコーダを備える。好ましい実施形態では、プレート位置合わせ機構１７１２には、プレートコーナの面取り（例えば、図９Ａのプレート上部９３２の左上及び左下コーナの面取り）を検出する圧力スイッチが組み込まれる。この面取りの有無により、プレートキャリア１７４０内でのプレートの向きが判定される。このセンサにより、プレートの向きが正しくないと判定された場合、コンピュータ１７２６は、動作を停止するように機器に指令を出し、そのプレートを飛ばすか、より好ましくは、そのプレートを読み取るが、データを入れ替えて向きの誤りを補正する（したがって、コスト効果の大きい遅延や貴重なサンプルの損失を防止する）ことができる。
【０２９８】
電子回路１７２０は、リーダ１７００内の１つ又は複数の電気的及び／又は機械的エレメントの動作、制御及び追跡に関与する。電子回路１７２０は、装置内で一般に用いる様々なコンポーネント、例えば、導線、回路、コンピュータチップ、メモリ、ロジック、アナログ電子部品、シールド、コントローラ、変圧器、Ｉ／Ｏデバイスなどを備え得る。電流／電圧源１７２２は、規定した電圧波形及び／又は規定した電流波形を生成することができる電気回路である。電流／電圧源１７２２は、電子回路１７２０、コンピュータ１７２６及びプレート用電気コネクタ１７２４に接続される。本発明の一実施形態では、電流／電圧源１７２２はポテンシオスタットを含む。このポテンシオスタットは、独立した参照電極を含むプレートを読み取るのに有利であり、参照電極における電位に対して相対的に、動作及び／又は対電極における電位を参照することができる。
【０２９９】
プレート用電気コネクタ１７２４は、マルチウエルアッセイプレート１７１０と接触し、それによって、電流／電圧源１７２２による電流及び／又は電圧波形を印加することができる。プレート用電気コネクタ１７２４は、１つ又は複数のコネクタ接点、電気的接続部、リニアアクチュエータ、及び任意選択で、支持部を備えることが好ましい。好ましい実施形態では、これらのコネクタ接点は、プレート１７１０との電気的接触を向上させるようにばね押し式である。コネクタ接点は、導電性の外面を有する任意の適当な材料製とすることができる。コネクタ接点は、プレートとの繰返し接触に耐える十分な耐久性をもつことが好ましい。一般に、コネクタ接点は、高導電性金属フィルム（例えば、金又は銀）を被覆した硬質金属又は合金からなる。好ましい実施形態では、コネクタ接点は、ニッケル／銀受け器中の金メッキしたステンレス鋼ばねでばね押し式になった、金メッキしたニッケル／銀からなるワッフルポイント型接点ヘッドであり、例えば、Ｉｎｔｅｒｃｏｎｎｅｃｔ  Ｄｅｖｉｃｅｓ社から提供される接点（ＧＳＳ−１８．３．８−Ｇ）である。代替実施形態では、コネクタ接点は、高導電性材料を被覆したコンプライアントな材料からなる。これらのコネクタ接点の支持部は、接点がプレートに押し付けられるときにコネクタ接点を支持することができる任意の材料からなり得る。好ましい実施形態では、プレート用電気コネクタ１７２４中の支持部は、好ましくは、これらの接点を電流／電圧源１７２２及び／又は電子回路１７２０に電気的に接続するトレースを備えた回路ボードからなる。プレート用電気コネクタは、基準位置を確認するセンサ（好ましい実施形態では、ホールセンサ）を含み得る。プレート用電気コネクタ１７２４には、温度センサ（例えば、サーミスタ、熱電対、白金ＲＴＤ）を組み込むこともできる。好ましい実施形態では、この温度センサは、プレート用電気コネクタ１７２４の支持部でばね押し式である。一実施形態では、この温度センサは、マルチウエルアッセイプレート１７１０に接触してその温度を測定する。プレート用電気コネクタ１７２４中のリニアアクチュエータにより、コネクタ接点（及び任意選択で、支持部）がプレート１７１０に押し付けられて電気的な接触が行われる。好ましい実施形態では、プレート用電気コネクタ１７２４は、１列に配置した７つの電気コネクタ接点を有する。この実施形態では、１〜６個の動作コネクタ接点により、プレート１７１０上の動作電極に接続された接点表面への接触を行うことができ、１〜６個の対向コネクタ接点により、プレート１７１０上の対電極に接続された接点表面への接触を行うことができる。
【０３００】
この機器は、プレート温度を測定するように適合された温度センサ又は温度計を含むと有利である。好ましくは、この温度センサ又は熱センサは、５℃以内、より好ましくは２℃以内、さらに好ましくは１℃以内、最も好ましくは０．２５℃以内でウエル温度を検出することができる。この温度センサは、１０秒以内、好ましくは５秒以内、さらに好ましくは３秒以内で安定な状態に到達できることがさらに好ましい。このセンサは、接触式センサ（例えば、サーミスタ、熱電対又は白金ＲＴＤ）とすることができる。あるいは、このセンサは、ＩＲセンサなどの非接触式センサとすることもできる。好ましい実施形態では、この機器は、１つ又は複数の非接触式温度センサを備える。この機器は、（例えば、複数のセンサを使用し、かつ／又はこれらのセンサに対して相対的にプレートを移動させることによって）プレート上の様々な場所の温度を測定することができるように適合される。別の好ましい実施形態では、この機器は、温度センサから信号を受け取り、使用者にその温度を報告し、好ましくは、測定された発光信号を調整して、発光信号、電気化学発光信号、及び／又は、アッセイの実施中に生じる他の反応に温度が及ぼす影響を補正するように適合されたコンピュータをさらに備える。このコンピュータは、様々な温度で行った較正測定からのデータ及び／又は較正曲線を保存するメモリと、温度変動に対してテストデータを正規化するために、前記データ及び／又は較正曲線を使用するソフトウエアとをさらに備えることが好ましい。別の実施形態によれば、この機器は、ウエル内の温度を制御する温度コントローラも備える。
【０３０１】
動作においては、コンピュータ１７２６によって、あるいは、ケース１７０２上に配置されたタッチボタンを押すことによって、ケース１０７２が開き、開口部１７１４が開く。遮光容器１７０４内にあるプレートキャリア１７４０にマルチウエルアッセイプレートを載せ、開口部１７１４を閉じる。コンピュータ１７２６の制御下で、プレート搬送機構は、プレート１７１０の第１セクタが、光検出器１７０６のフォトダイオードアレイ及びプレート用電気コネクタ１７２４の接点に位置合わせされるまで、マルチウエルアッセイプレート１７１０を並進移動させる。光の収集効率を向上させ、ウエル間の光学的なクロストークを減らすために、光検出器１７０６のフォトダイオードアレイは、プレート１７１０の上部表面の近傍に保持される。プレート用電気コネクタ１７２４により、コネクタ接点がプレート１７１０に押し付けられて、電気的な接触が得られる。電流／電圧源１７２２により、プレート用電気コネクタ１７２４を介してプレート１７１０に印加する波形が生成される。光検出器１７０６により、プレート１７１０中の活動セクタから放出された光が測定される。光検出器１７０６中の８個のフォトダイオードはそれぞれ、マルチウエルアッセイプレート中の１行のウエルの１つのウエル近くに配置され、特定のフォトダイオード上に記録された光が、特定のウエルから収集された光として識別される。あるウエルから、異なるウエルに位置合わせされた光検出器に当たる光による予想クロストーク量を補償するために、ソフトウエアによる補正も存在することが好ましい。光検出器１７０６で収集された信号は、コンピュータ１７２６に送られる。測定が完了した後で、プレート用電気コネクタ１７２４は、プレート１７１０からコネクタ接点を後退させ、次のセクタがプレート用電気コネクタ１７２４及び光検出器１７０６のフォトダイオードアレイに位置合わせされるように、プレート搬送機構１７１６がプレート１７１０を並進移動させる。プレート１７１０との接触が再開され、再度、光の励起／検出が行われる。所望の測定がすべて完了するまで、このサイクルが繰り返される。所与のプレート１７１０の測定の完了時に、プレート搬送機構１７１６は、プレート１７１０が開口部１７１４中のドアに整列するまで、プレートキャリア１７４０を並進移動させる。開口部１７１４が開き、プレート１７１０が取り出される。
【０３０２】
図２１に、図１７の実施形態のエレメントを選択して示す。光検出器２１０６は、フォトダイオードアレイ２１０７及び回路ボード２１０５を備える。フォトダイオードアレイ２１０７は、１列に配置した８個のフォトダイオードを備える。プレート搬送機構２１１６に取り付けられたプレートキャリア２１４０が、プレート２１１０を保持する。本発明のマルチウエルアッセイプレートであるプレート２１１０は、１２個のセクタ２１１０Ａ〜Ｌを有する。図２１では、プレート２１１０のセクタ２１１０Ａが、フォトダイオードアレイ２１０７の下に位置決めされている。プレート２１１０は９６個のウエルを有する。各セクタは、１列に配置された８個のウエルを含む。プレート２１１０のセクタ中の８個のウエルがそれぞれ、フォトダイオードアレイ２１０７のただ１つのフォトダイオードの直下に位置することができるように、フォトダイオードアレイ２１０７を構成する。光の収集効率を向上させ、ウエル間の光学的なクロストークを減らすために、プレート２１１０のセクタの上部をフォトダイオードアレイ２１０７の近傍に保持する。図２１で、マルチウエルアッセイプレート２１１０は、セクタ２１１０Ａ用の接点が、プレート用電気コネクタ２１２４のコネクタ接点２１２５に位置合わせされるようにも位置決めされる。動作においては、プレート用電気コネクタ２１２４により、コネクタ接点２１２５がプレート２１１０のセクタ２１１０Ａの裏面に押し付けられて、電気的な接触が確立する。プレートキャリア２１４０は、プレート用電気コネクタ２１２４によって加えられた上向きの力に抵抗するように、プレート２１１０を保持することが好ましい。プレート用電気コネクタ２１２４が、プレート２１１０からコネクタ接点２１２５を後退させた場合には、別のセクタ（例えば、セクタ２１１０Ｂ）が、プレート用電気コネクタ２１２４、コネクタ接点２１２５及び光検出器２１０６のフォトダイオードアレイ２１０７に位置合わせされるように、プレート搬送機構２１１６がプレートキャリア２１４０を並進移動させることができる。
【０３０３】
図２２に、図１７の実施形態のエレメントを選択して示す。遮光容器２２０４は、光検出器２２０７、プレート２２１０、プレートキャリア２２４０、プレート用電気コネクタ２２２４の複数のコネクタ接点２２０５及びシールド２２０８を収容する。光検出器２２０７は、個々のフォトダイオード２２０７Ａ、２２０７Ｂ、２２０７Ｃ、２２０７Ｄ、２２０７Ｅ、２２０７Ｆ、２２０７Ｇ及び２２０７Ｈを含むフォトダイオードアレイを備える。電磁干渉を防ぐために、光検出器２２０７にシールド２２０８を取り付ける。好ましくは、シールド２２０８は、金属などの導電材料、最も好ましくはしんちゅう製とする。プレート２２１０は９６個の個々のウエルを備える。図２２に、プレート２２１０の１つのセクタを構成する８個のウエル、２２１０Ａ、２２１０Ｂ、２２１０Ｃ、２２１０Ｄ、２２１０Ｅ、２２１０Ｆ、２２１０Ｇ及び２２１０Ｈを示す。プレート２２１０は、キャリア２２４０によって保持される。プレート用電気コネクタ２２２４により、コネクタ接点２２０５がプレート２２１０の底部に押し付けられて、プレート２２１０の１つのセクタへの電気的な接続が確立する。プレートキャリア２２４０は、プレート２２１０のセクタがコネクタ接点２２０５及び光検出器２２０７に位置合わせされるように、プレート２２１０を位置決めする。ウエル２２１０Ａがフォトダイオード２２０７Ａに直接に位置合わせされ、ウエル２２１０Ｂがフォトダイオード２２０７Ｂに位置合わせされ、以下同様になるようにプレート２２１０が位置決めされる。コネクタ接点２２０５はウエルの底部に整列して、１行の８個のウエル間の７箇所の壁に接触する。各ウエルから放出された光は、主にそれに対応するフォトダイオードで収集される。フォトダイオードで受け取った信号のソフトウエアによる補正、すなわち、あるウエルから、異なるウエルに位置合わせされた光検出器に当たる光による予想クロストーク量を補償する補正も存在することが好ましい。
【０３０４】
図２３に、図１７の好ましい実施形態のエレメントを選択して示す。リーダ２３００は、シャシー２３０１、光検出器２３０６、マルチウエルアッセイプレート２３１０、プレート搬送機構２３１６、プレート用電気コネクタ２３２４及び複数のコネクタ接点２３２５を含む。光検出器２３０６は、複数のフォトダイオード、光検出器用回路ボード、シールド及び（図２３に示す）金属カバー備えることが好ましい。図２３には、リーダ２３００の他のエレメントは示さない。
【０３０５】
図１７の別の実施形態では、リーダ１７００は、電気化学発光標識以外の発光物質から放出された光を測定することができる。例えば、リーダ１７００は、蛍光アッセイ、化学発光アッセイ、発光シンチラントを利用する放射能アッセイ、生物発光アッセイなどに使用することができる。リーダ１７００は、吸収及び散乱ベースの測定に使用することもできる。一実施形態では、光学系１７０８は、１つ又は複数の光源と、蛍光標識を励起し検出する適切な光学素子とをさらに備える。別の実施形態では、光学系１７０８は、１つ又は複数の光源と、吸収又は散乱測定用の適切な光学素子とをさらに備える。別の実施形態では、試薬ハンドラ１７３４、光学系１７０８及び光検出器１７０６が、さらに、化学発光アッセイ又は生物発光アッセイ用の適切な試薬ハンドリング機器を構成する。例えば、いくつかの化学発光アッセイでは、化学発光試薬の添加後、短時間かつ制御した時間後に化学発光信号の測定を行うことが必要であり、そのため、機器内に、プレート洗浄機及び／又は制御された方式の試薬の計量分配手段が含まれると有利である。このような計量分配手段には、一度に１つのウエル又は一度に複数のウエルに流体を送達するように適合されたピペット、シリンジその他の流体計量分配装置が含まれ得る。動作においては、プレートを機器内に導入し、任意選択で、一体型プレート洗浄機によってプレートを洗浄し、任意選択で、一体型流体計量分配装置によって化学発光試薬を導入し、（洗浄又は試薬の導入後、任意選択で、制御した時間だけプレートを培養した後で）化学発光をモニタする。
【０３０６】
５．４  発光を測定する方法
本発明の別の態様は、アッセイプレート、好ましくは複数のウエルを有するマルチウエルアッセイプレートから発光を測定する方法に関する。このマルチウエルアッセイプレートは、９６ウエル、３８４ウエルなど標準のプレート構成を有することが好ましい。
【０３０７】
本発明の好ましい一実施形態は、上記で説明した任意の機器及び／又はアッセイプレートを使用して発光を測定する方法に関する。
【０３０８】
この方法は、ウエル又はアッセイドメインから放出される発光、好ましくは電極誘起発光、より好ましくは電気化学発光を測定することを含む。電気化学発光の場合、この方法は、複数のウエル又はアッセイドメインに電気エネルギーを供給するか、あるいは、その他の方法で発光を誘起することも含み得る。蛍光の場合、この方法は、例えば、光源をアッセイ領域上に方向づけることによって蛍光を誘起することを含み得る。化学発光の場合、この方法は、アッセイ領域に化学的な開始剤を添加することを含み得る。
【０３０９】
一実施形態によれば、この方法は、複数のセクタで発光を測定することを伴う。別の実施形態によれば、この方法は、複数のセクタでマルチウエルアッセイプレートに電気エネルギーを供給することを含む。上記で説明したように、複数のセクタでプレートを測定すると、発光の収集効率が向上する。さらに、画像形成表面を比較的小さくし、かつ／又は、光検出器の数を比較的少なくすることができる。
【０３１０】
したがって、本発明の好ましい実施形態は、一緒にアドレス可能なウエルからなる複数の独立にアドレス可能なセクタを有するマルチウエルアッセイプレートから発光を測定する方法に関する。この方法は、
（ａ）マルチウエルアッセイプレートに電気エネルギーを供給することと、
（ｂ）複数のセクタでマルチウエルアッセイプレートから発光を測定することとを含む。
【０３１１】
別の実施形態は、一緒にアドレス可能なウエルからなる複数の独立にアドレス可能なセクタを有するマルチウエルアッセイプレートから発光を測定する方法に関する。この方法は、
（ａ）複数のセクタでマルチウエルアッセイプレートに電気的接続部を設けることと、
（ｂ）複数のセクタでマルチウエルアッセイプレートから発光を測定することとを含む。
【０３１２】
別の実施形態は、複数のウエルを有するマルチウエルアッセイプレートから発光を測定する方法に関する。この方法は、
（ａ）第１セクタの複数のウエルに電気エネルギーを供給することと、
（ｂ）第１セクタの複数のウエルから発光を測定することと、
（ｃ）第２セクタの複数のウエルに電気エネルギーを供給することと、
（ｄ）第２セクタの複数のウエルから発光を測定することとを含む。
【０３１３】
本発明の別の実施形態は、複数のウエルを有するマルチウエルアッセイプレートから発光を測定する方法に関する。この方法は、
（ａ）第１セクタの複数のウエルから発光を測定することと、
（ｂ）第２セクタの複数のウエルから発光を測定することとを含む。
【０３１４】
別の実施形態は、複数のウエルを有するマルチウエルアッセイプレートから発光を測定する方法に関する。この方法は、
（ａ）第１セクタの複数のウエルに電気エネルギーを供給することと、
（ｂ）第２セクタの複数のウエルに電気エネルギーを供給することとを含む。
【０３１５】
別の実施形態は、アッセイプレート、好ましくは、ウエルアレイを有し、上部表面及び底部表面を有する基板を備えるマルチウエルアッセイプレートから発光を測定する機器を使用して、１つ又は複数のアッセイを行う方法に関する。この機器は、アッセイ領域又はアッセイウエルから放出された発光を測定するように適合された光検出器を備える。このプレートは、特に、電気コネクタ接点が、底部からプレートを押し上げる場合、発光の測定中、かつ／又は発光の誘起中、測定プラットホーム上に保持される。「上に保持する」という用語は、電気コネクタがプレートを押しているとき、プレートを下に押し付けて保持することを指すためのものである。プレートがわずかに動いても光の検出又は画像化が変化する恐れがあるので、これは有利である。このプレートは、（例えば、磁気的に）底部から、又は（例えば、固定デバイスによりプレート縁部を押さえて）上部から、あるいは（例えば、側面を支持部上にクランプして）側面から「下に押し付けて保持する」ことができる。
【０３１６】
５．４．１  画像化方法
本発明の一実施形態は、画像システム、好ましくは、カメラを備える画像システム、より具体的には、アッセイプレート又はマルチウエルプレートから放出される発光を画像化する画像システムを使用して、発光アッセイを行う方法に関する。
【０３１７】
本発明の好ましい一実施形態は、複数のウエルを有するマルチウエルプレートから発光を測定する方法に関する。この方法は、少なくとも２つの前記複数のウエルから放出される発光を同時に画像化することを含む。この画像化では、円錐全角が少なくとも１０°、好ましくは少なくとも１５°、より好ましくは少なくとも２０°、さらに好ましくは少なくとも２５°、最も好ましくは少なくとも３０°の円錐状の発光を収集する。
【０３１８】
本発明の別の態様は、複数のセクタで、放出された発光を画像化するステップを含む、マルチウエルアッセイプレートから発光を測定する方法に関する。
【０３１９】
本発明の一実施形態は、
（ａ）画像システムによって、マルチウエルアッセイプレートの第１セクタの第１画像を形成することと、
（ｂ）マルチウエルアッセイプレートの第２セクタの第２画像を形成することとを含む、複数のウエルを有するマルチウエルアッセイプレートから発光を測定する方法に関する。
【０３２０】
複数のウエルを有するマルチウエルアッセイプレートから発光を測定する別の実施形態の方法は、
（ａ）マルチウエルアッセイプレートの第１セクタを画像システムに位置合わせすることと、
（ｂ）画像システムによって、マルチウエルアッセイプレートの第１セクタから発光を測定することと、
（ｃ）マルチウエルアッセイプレートの第２セクタを画像システムに位置合わせすることと、
（ｄ）画像システムによって、マルチウエルアッセイプレートの第２セクタから発光を測定することとを含む。
【０３２１】
別の実施形態は、
（ａ）第１セクタの複数のウエルに電気エネルギーを供給することと、
（ｂ）画像システムを使用して、第１セクタの複数のウエルから発光を測定することと、
（ｃ）第２セクタの複数のウエルに電気エネルギーを供給することと、
（ｄ）画像システムを使用して、第２セクタの複数のウエルから発光を測定することとを含む、複数のウエルを有するマルチウエルアッセイプレートからの発光を測定する方法に関する。
【０３２２】
画像システムを使用するこの方法は、上記で説明したような機器及び／又はアッセイプレート、好ましくはマルチウエルアッセイプレートを使用することが好ましい。
【０３２３】
本発明の別の実施形態は、複数のウエルのそれぞれに約２０〜３００マイクロリットルのアッセイ混合物を導入することと、これらのウエルからアッセイ混合物を測定することとを含む方法に関する。より好ましくは７５〜２００マイクロリットル、より好ましくは１２５〜１７５マイクロリットル、さらに好ましくは約１５０マイクロリットルのアッセイ混合物を９６ウエルプレートのウエルに導入する。別の実施形態は、複数のウエルのそれぞれに、２０〜６０マイクロリットル、好ましくは３０〜４０マイクロリットル、さらに好ましくは約３５マイクロリットルのアッセイ混合物を導入することと、これらのウエルから、好ましくは３８４ウエルプレートのウエルからアッセイ混合物を測定することに関する。
【０３２４】
本発明の別の実施形態は、マルチウエルプレートから発光を測定する機器を使用して、１つ又は複数のアッセイを行う方法に関する。このマルチウエルプレートは、標準構成のウエルを有し、上部表面及び底部表面を有する基板を備える。この機器は、複数のウエルから放出された発光を測定するように適合された光検出器を備える。この方法は、
（ａ）ウエル間の１つ又は複数のセクタ接点位置で、複数の電気コネクタ接点により、底部表面の各セクタに接触を行うことと、
（ｂ）放出された発光を測定することとを含む。
【０３２５】
これらのセクタ接点位置は、図３４Ａ又は３４Ｂに示し、かつ新規なプレート底部構成に関して上記で論じた位置のうち、１つ又は複数、好ましくは２つ以上、より好ましくは３つ以上、さらに好ましくは４つ以上、最も好ましくはすべての位置を含むことが好ましい。
【０３２６】
これらのセクタ接点位置は、図３４Ａ又は３４Ｂに示し、かつ新規なプレート底部構成に関して上記で論じた位置のうち、１つ又は複数、好ましくは２つ以上、より好ましくは３つ以上、さらに好ましくは４つ以上、最も好ましくはすべての位置を含むことが好ましい。
【０３２７】
本発明の別の実施形態は、マルチウエルプレートから発光を測定する機器を使用して、１つ又は複数のアッセイを行う方法に関する。このマルチウエルプレートは、上部表面及び底部表面を有する基板を備える。このマルチウエルプレートは、標準の９６ウエルプレート構成に対応するウエルアレイを有する。このアレイは、
Ａ１〜Ａ４、Ｂ１〜Ｂ４、Ｃ１〜Ｃ４及びＤ１〜Ｄ４のウエルを含む第１セクタと、
Ａ５〜Ａ８、Ｂ５〜Ｂ８、Ｃ５〜Ｃ８及びＤ５〜Ｄ８のウエルを含む第２セクタと、
Ａ９〜Ａ１２、Ｂ９〜Ｂ１２、Ｃ９〜Ｃ１２及びＤ９〜Ｄ１２のウエルを含む第３セクタと、
Ｅ１〜Ｅ４、Ｆ１〜Ｆ４、Ｇ１〜Ｇ４及びＨ１〜Ｈ４のウエルを含む第４セクタと、
Ｅ５〜Ｅ８、Ｆ５〜Ｆ８、Ｇ５〜Ｇ８及びＨ５〜Ｈ８のウエルを含む第５セクタと、
Ｅ９〜Ｅ１２、Ｆ９〜Ｆ１、Ｇ９〜Ｇ１２及びＨ９〜Ｈ１２のウエルを含む第６セクタのうち、１つ又は複数、好ましくは２つ以上、より好ましくはすべてのセクタを含む（それぞれの呼称は、行及び列で定義したウエルの領域を指す）。この機器は、複数のウエルから放出される発光を測定するように適合された光検出器を備える。この方法は、
（ａ）ウエル間の１つ又は複数のセクタ接点位置で、複数の電気コネクタ接点により、底部表面の各セクタに接触を行うことと、
（ｂ）放出された発光を測定することとを含む。
【０３２８】
本発明の好ましい実施形態によれば、各セクタは、複数の電気コネクタ接点によって、少なくとも２つの位置で、好ましくは少なくとも３つの位置で、より好ましくは少なくとも４つの位置で、さらに好ましくは少なくとも５つの位置で、最も好ましくは少なくとも６つの位置で接触が行われる。各セクタは、２×３アレイの位置で接触が行われることが好ましい。
【０３２９】
別の好ましい実施形態によれば、セクタ接点位置は、
（ｉ）Ａ１−Ｂ２、Ａ２−Ｂ３、Ａ３−Ｂ４、Ｃ１−Ｄ２、Ｃ２−Ｄ３、Ｃ３−Ｄ４のうち、２つ以上、好ましくは３つ以上、より好ましくは４つ以上、さらに好ましくは５つ以上、最も好ましくはすべての第１セクタ位置と、
（ｉｉ）Ａ５−Ｂ６、Ａ６−Ｂ７、Ａ７−Ｂ８、Ｃ５−Ｄ６、Ｃ６−Ｄ７、Ｃ７−Ｄ８のうち、２つ以上、好ましくは３つ以上、より好ましくは４つ以上、さらに好ましくは５つ以上、最も好ましくはすべての第２セクタ位置と、
（ｉｉｉ）Ａ９−Ｂ１０、Ａ１０−Ｂ１１、Ａ１１−Ｂ１２、Ｃ９−Ｄ１０、Ｃ１０−Ｄ１１、Ｃ１１−Ｄ１２のうち、２つ以上、好ましくは３つ以上、より好ましくは４つ以上、さらに好ましくは５つ以上、最も好ましくはすべての第３セクタ位置と、
（ｉｖ）Ｅ１−Ｆ２、Ｅ２−Ｆ３、Ｅ３−Ｆ４、Ｇ１−Ｈ２、Ｇ２−Ｈ３、Ｇ３−Ｈ４のうち、２つ以上、好ましくは３つ以上、より好ましくは４つ以上、さらに好ましくは５つ以上、最も好ましくはすべての第４セクタ位置と、
（ｖ）Ｅ５−Ｆ６、Ｅ６−Ｆ７、Ｅ７−Ｆ８、Ｇ５−Ｈ６、Ｇ６−Ｈ７、Ｇ７−Ｈ８のうち、２つ以上、好ましくは３つ以上、より好ましくは４つ以上、さらに好ましくは５つ以上、最も好ましくはすべての第５セクタ位置と、
（ｖｉ）Ｅ９−Ｆ１０、Ｅ１０−Ｆ１１、Ｅ１１−Ｆ１２、Ｇ９−Ｈ１０、Ｇ１０−Ｈ１１、Ｇ１１−Ｈ１２のうち、２つ以上、好ましくは３つ以上、より好ましくは４つ以上、さらに好ましくは５つ以上、最も好ましくはすべての第６セクタ位置のうち、１つ又は複数の位置を含む。
【０３３０】
別の実施形態は、マルチウエルアッセイプレートから発光を測定する機器を使用して、１つ又は複数のアッセイを行う方法に関する。このマルチウエルプレートは、上部表面及び底部表面を有する基板を備える。このマルチウエルプレートは、標準の３８４ウエルプレート構成に対応するウエルアレイを有する。このアレイは、（プレート底部に関して上記で説明した）行Ａ〜Ｐ及び列１〜２４を含む。この機器は、ウエル間で底部表面への接触を行う複数の電気コネクタ接点と、複数のウエルから放出される発光を測定するように適合された光検出器とを備える。
【０３３１】
各セクタは、
（ｉ）Ｂ２−Ｃ３、Ｂ４−Ｃ５、Ｂ６−Ｃ７、Ｆ２−Ｇ３、Ｆ４−Ｇ５、Ｆ６−Ｇ７のうち、２つ以上、好ましくは３つ以上、より好ましくは４つ以上、さらに好ましくは５つ以上、最も好ましくはすべての第１セクタ位置と、
（ｉｉ）Ｂ１０−Ｃ１１、Ｂ１２−Ｃ１３、Ｂ１４−Ｃ１５、Ｆ１０−Ｇ１１、Ｆ１２−Ｇ１３、Ｆ１４−Ｇ１５のうち、２つ以上、好ましくは３つ以上、より好ましくは４つ以上、さらに好ましくは５つ以上、最も好ましくはすべての第２セクタ位置と、
（ｉｉｉ）Ｂ１８−Ｃ１９、Ｂ２０−Ｃ２１、Ｂ２２−Ｃ２３、Ｆ１８−Ｇ１９、Ｆ２０−Ｇ２１、Ｆ２２−Ｇ２３のうち、２つ以上、好ましくは３つ以上、より好ましくは４つ以上、さらに好ましくは５つ以上、最も好ましくはすべての第３セクタ位置と、
（ｉｖ）Ｊ２−Ｋ３、Ｊ４−Ｋ５、Ｊ６−Ｋ７、Ｎ２−Ｏ３、Ｎ４−Ｏ５、Ｎ６−Ｏ７のうち、２つ以上、好ましくは３つ以上、より好ましくは４つ以上、さらに好ましくは５つ以上、最も好ましくはすべての第４セクタ位置と、
（ｖ）Ｊ１０−Ｋ１１、Ｊ１２−Ｋ１３、Ｊ１４−Ｋ１５、Ｎ１０−Ｏ１１、Ｎ１２−Ｏ１３、Ｎ１４−Ｏ１５のうち、２つ以上、好ましくは３つ以上、より好ましくは４つ以上、さらに好ましくは５つ以上、最も好ましくはすべての第５セクタ位置と、
（ｖｉｉｉ）Ｊ１８−Ｋ１９、Ｊ２０−Ｋ２１、Ｊ２２−Ｋ２３、Ｎ１８−Ｏ１９、Ｎ２０−Ｏ２１、Ｎ２２−Ｏ２３のうち、２つ以上、好ましくは３つ以上、より好ましくは４つ以上、さらに好ましくは５つ以上、最も好ましくはすべての第６セクタ位置のうち、１つ又は複数（好ましくは、すべて）の位置で、１つ又は複数の電気接点を含むことが好ましい。
【０３３２】
５．４．２  光検出器アレイを使用する方法
本発明の別の態様は、
（ａ）第１セクタの複数のウエルに電気エネルギーを供給することと、
（ｂ）光検出器アレイによって、第１セクタの複数のウエルから発光を測定することと、
（ｃ）第２セクタの複数のウエルに電気エネルギーを供給することと、
（ｄ）光検出器アレイによって、第２セクタから発光を測定することとを含む、光検出器アレイを使用して発光を測定する方法に関する。
【０３３３】
別の実施形態は、
（ａ）第１セクタの複数のウエルに電気エネルギーを供給することと、
（ｂ）光検出器アレイを使用して、第１セクタの複数のウエルから発光を測定することと、
（ｃ）第２セクタの複数のウエルに電気エネルギーを供給することと、
（ｄ）アレイを使用して、第２セクタの複数のウエルからの発光を測定することとを含む、複数のウエルを有するマルチウエルアッセイプレートから発光を測定する方法を含む。
【０３３４】
別の実施形態は、
（ａ）マルチウエルアッセイプレートの第１セクタに電気エネルギーを供給することと、
（ｂ）光検出器アレイによって、マルチウエルアッセイプレートの第１セクタから発光を測定することと、
（ｃ）マルチウエルアッセイプレートの第２セクタを光検出器に位置合わせすることと、
（ｄ）光検出器アレイによって、マルチウエルアッセイプレートの第２セクタから発光を測定することとを含む方法に関する。
【０３３５】
別の実施形態は、
（ａ）マルチウエルアッセイプレートの第１セクタに電気エネルギーを供給することと、
（ｂ）光検出器アレイによって、マルチウエルアッセイプレートの第１セクタから発光を測定することと、
（ｃ）マルチウエルアッセイプレートの第２セクタを光検出器アレイに位置合わせすることと、
（ｄ）光検出器アレイによって、マルチウエルアッセイプレートの第２セクタから発光を測定することとを含む、複数のウエルを有するマルチウエルアッセイプレートから発光を測定する方法を含む。
【０３３６】
本発明の別の実施形態は、アレイで配置された複数のウエルを有するマルチウエルアッセイプレートから発光を測定する機器を使用して、１つ又は複数のアッセイを行う方法に関する。この方法は、行ごと又は列ごとに、複数のウエルから発光を誘起することと発光を測定することとを含む。
【０３３７】
別の実施形態は、少なくとも１つの対電極コネクタ接点及び少なくとも１つの動作電極コネクタ接点、好ましくは、少なくとも２つの対電極コネクタ接点及び少なくとも２つの動作電極コネクタ接点、より好ましくは、少なくとも３つの対電極コネクタ接点及び少なくとも３つの動作電極コネクタ接点、最も好ましくは、３つの対電極コネクタ接点及び４つの動作電極コネクタ接点によって、マルチウエルプレート底部への接触を行って、１行又は１列のウエル内で発光を同時に誘起することを含む方法に関する。
【０３３８】
この光検出器は、１つ又は複数のフォトダイオード、より好ましくはフォトダイオードアレイを含むことが好ましい。
【０３３９】
好ましくは、発光の測定は、測定中の各ウエルに位置合わせされた少なくとも１つの光検出器を使用して、各ウエルから発光を測定することを含む。
【０３４０】
クロストーク発光が、発光の２％未満、より好ましくは１％未満、さらに好ましくは０．５％未満、最も好ましくは０．１％未満であることが好ましい。
【０３４１】
本発明の別の態様は、同じ機器を使用して、特に、固定式光検出器アレイ（例えば、８個のフォトダイオードからなるリニアアレイ）を有する機器を使用して、様々なプレートフォーマットから発光を測定することに関する。本発明のこの態様を用いると、１つのタイプのプレートフォーマット（例えば、９６ウエルプレート）用に構成された機器を実質的に改変せずに、あるいは全く改変することなく、他のプレートフォーマット（例えば、３８４ウエルプレート）とともに使用することができる。例えば、９６ウエルフォーマットのマルチウエルプレートからＥＣＬを読み取るように適合された機器を上記で説明してきた。この機器では、８個のフォトダイオードからなるアレイが、各測定ステップにおいて各フォトダイオードが１つのウエルに対応する状態で、複数のウエルからなる各列から放出されるＥＣＬを読み取る（すなわち、各列は８つのウエルを含み（８行×１２列）、プレートの測定は１２回のステップ（１列当たり１回の測定／誘起のステップ）で行われる）。
【０３４２】
意外にも、同じ機器を使用して、３８４ウエルプレート、４スポットウエルを備えた９６ウエルプレートその他のマルチスポットプレートなど他のプレートを、同じ固定式光検出器アレイで読み取ることができる。この場合、このような機器及び／又はプレートは、上記で説明したように構成されるか、あるいは、機器及び／又はプレートの設計にわずかな改変が加えられる。
【０３４３】
一実施形態では、８個のフォトダイオードからなるアレイなどの光検出器アレイを有する機器を使用し、機器を改変することなく、２つ以上の代替プレートフォーマットを測定することができる。この機器は、光検出器アレイを次の行又は列のウエルに移動させる回数が、ＥＣＬを誘起する（すなわち、プレートに電圧を印加する）回数よりも少ない状態で、アッセイプレートを測定するように適合されることが好ましい。例えば、１つの方法は、（プレートに対して）光検出器アレイを１２回移動させ、ＥＣＬは、少なくとも２４回、好ましくは少なくとも４８回、より好ましくは少なくとも８４回、最も好ましくは少なくとも１２０回誘起するというものである。
【０３４４】
本発明の別の実施形態によれば、光検出器アレイを有する機器を使用して、各ウエルが複数のアッセイスポット又はアッセイドメインを含むマルチウエルプレート（図３Ａ〜３Ｃを参照）から発光を測定する。より具体的には、例えば、１行のフォトダイオード（すなわち、１つの列の１つのウエル当たり１つのフォトダイオード）を有する機器内で、各ウエル内に複数のアッセイドメインを有するプレート（例えば、図３Ａの４スポットプレート）を動作させることができる。このプレートのタイプは、各ウエル内で４つの異なる検体を測定するために４つの独立にアドレス可能なスポットを備えた標準の９６ウエルプレート上部とすることができるはずである。この４スポットウエルプレートでは、単一の流体体積内で４つのスポットに順に電気を加えることが必要なので、動作電極は、４つの別々のアドレス可能な互いに電気的に絶縁したリード線に分割することが好ましい。標準プレートの場合と同様に、単一の対電極、すなわち、ウエル底部の両縁部にある対電極の小さな部分（図３Ａの対電極３０６Ａ及びＢを参照）は、プレートの各行全体にわたって合わせて接続することができるはずである。
【０３４５】
例えば、このような機器を使用して、単一スポットの９６ウエルプレートを測定することに加えて、各ウエルが４つの離散スポットを含む９６ウエルプレート（「４スポット９６ウエルプレート」）を測定することができる。測定走査の各ステップ中、アレイ内の各フォトダイオードは１つのウエルに対応するので、このフォトダイオードは、４つのスポットを同時に測定することができないはずである。したがって、１つのウエル当たり４つのスポットに順に電気を加えることが好ましい。これは、ウエルサイズよりも小さい間隔でプレートを割り出すことによって実現することができる。すなわち、各スポットの各動作電極ごとに独立にアドレス可能な接点及びリード線が含まれるようにプレート底部を改変する。こうすると、９６ウエルプレートのウエルの１列ごとに、それに対応する底部は、４スポットウエルの各スポット用の４つの動作電極接点を有することになる。
【０３４６】
図３８を参照すると、ウエル３８１０は、動作電極接続部３８２４、３８２５、３８２６及び３８２７を介して４つの独立にアドレス可能な動作電極接点３８２０、３８２１、３８２２及び３８２３に電気的に接続された４つの独立にアドレス可能な動作電極表面３８１１、３８１２、３８１３及び３８１４上に４つのアッセイドメインを含む。この機器は、（例えば、位置「ｘ」で）動作電極接点３８２０、３８２１、３８２２及び３８２３のそれぞれに接触を行う。動作電極接点（例えば、動作電極接点３８２０）に接触が行われるとき、ウエル３８１０内の露出電極表面だけが対応する動作電極表面（例えば、動作電極表面３８１２）になるように、ウエル３８１０内の動作電極接続部の各部分（例えば、部分３８６０）を（図示しない）誘電体で覆うことが好ましい。動作電極接点３８２０、３８２１、３８２２及び３８２３は、動作電極接続部３８４０、３８４１、３８４２及び３８４３を介して（図示しない）１つ又は複数の隣接するウエル内の４つの動作電極にも電気的に接続されることが好ましい。すなわち、図３４Ｂを参照すると、１組の４つの接点を使用して、接触位置「ｘ」の両側にある２つの隣接するウエルをともにアドレスすることができる。図３４Ｂに示す複数の接点「ｘ」を使用することによって、１列の８個のウエルすべてに同様に接触を行うことができ、それによって、ウエル内の４つ（以上）のスポットに順に電気を加え、８個の光検出器からなる単一のリニアアレイで順に測定することができる。
【０３４７】
この機器は、４つの位置（＊）で対電極３８５０への接触を行うことが好ましい。対電極３８５０は、対電極接続部３８５１Ａ及び／又は３８５１Ｂへの露出対電極表面３８５４Ａ及び／又は３８５４Ｂを介してウエル３８１０に電気的に接続されることが好ましく、かつ／又は、ウエル３８１０内で対電極３８５０は、部分的に露出させることができる（例えば、露出対電極表面３８５５）。対電極３８５０は、対電極接続部３８５１Ａ及び／又は３８５１Ｂを介して、最大１列全体のウエルまで、（図示しない）１つ又は複数の隣接するウエルにも電気的に接続させることができる（例えば、ウエルの列全体に沿って、対電極３８５１Ａ及び／又は３８５１Ｂを延ばすことができる）。したがって、図３４Ｂを参照すると、３つの対電極用接点位置（＊）は、電気接続部３８５１Ａ及び／又は３８５１Ｂを介して、かつ／又は、ウエル内の露出部分（例えば、３８５５）を介して８個のウエルに電気的に接続することができる。
【０３４８】
動作電極接点３８２０、３８２１、３８２２及び３８２３及び１つ（又は複数）の対電極用接点３８５０は、マルチウエルプレートの底部上にあることが好ましい。好ましい実施形態によれば、このような底部接点は、好ましくは、「ｘ」及び「＊」などの位置に配置された接続用スルーホールを介して、動作電極表面３８１１、３８１２、３８１３及び３８１４並びに対電極表面３８５４Ａ、３８５４Ｂ及び３８５５に電気的に接続され、動作電極接続部及び／又は対電極接続部は、ウエル３８１０とともに、対応する動作及び対電極表面と同じプレート表面上にある。あるいは、これらの動作及び対電極接続部は底部表面上とし、導電スルーホールを対応する動作及び対電極表面の下に配置することができる。別の実施形態によれば、これらの動作電極接続部及び／又は対電極接続部は、接点層と電極表面層の間に配置された（図示しない）１つ又は複数のパターン化した中間層内にある。この１つ（又は複数）の中間層により、動作電極接点及び／又は対電極用接点から、対応する動作電極表面及び対電極表面までの電気的に絶縁した導電経路が得られることになる。導電経路を提供する中間層を用いると、電気的接続部が２次元構成に限定されないので、各ウエル内でスポットアレイ密度をより高くすることができるはずである。
【０３４９】
図３８に示すようなプレートを使用すると、１つの列のウエル当たり４つの異なる接点位置で、フォトダイオードアレイがその列のウエルの上に留まった状態のまま、この機器の電気コネクタがプレート底部への接触を行うことになる（例えば、１回のステップに対して４回のステップ）。図３４Ｂを参照すると、例えば、図に示す（Ｘで表す）単一の動作電気接点位置３８４０の代わりに、１列のウエル当たり４つの離間した動作電気接点位置（例えば、図３８の動作電極接点３８２０、３８２１、３８２２及び３８２３）を用いることになる。各接触／誘起ステップにより、１つのウエル当たり１つのスポットに電圧が印加される。各ウエルごとに、対応するフォトダイオードが、そのスポットからＥＣＬを測定する。次いで、コネクタが第２の組の接点に接触を行って、第２スポットのところでＥＣＬを誘起し、同じフォトダイオードが第２スポットからＥＣＬを測定し、その後、第３の組の接点、最後に第４の組に対して接触が行われる。１列のウエルの４つのスポットの走査を通じて、その列のウエルがフォトダイオードアレイの下に留まったまま、底部接点が異なるスポットに接続される。単一のフォトダイオード下の異なるスポットを誘起してＥＣＬを順に発光させ、それによって、単一のフォトダイオードにより、２つ以上のスポットからの発光を区別し測定を行うことができる。第４スポットを誘起してＥＣＬを発光させ、放出されたＥＣＬを測定した後で、次の列の４スポットウエルにフォトダイオードアレイを移動させ、各列ごとにこのプロセスを繰り返す。
【０３５０】
こうすると、単一スポットの９６ウエルプレートを読み取るように適合されたシステムを、４スポット９６ウエルプレート用に転換するのに必要な改変は、プレート底部上の電気接点を改変し、プレートの測定走査を、１２ステップ走査から４８ステップ走査（４スポット×１２列）に変更することだけである。この場合、各ステップは、１２回ではなく４８回プレート底部に接触を行うことが必要であるが、フォトダイオードアレイは、プレートに対して１２回しか移動させない。その結果、同じ固定式光検出器アレイを有する同じ機器を使用して、異なるプレートフォーマットからＥＣＬを測定することができる。同じ方法を用いて、７スポットの９６ウエルプレート（例えば、７スポット×１２列＝８４ステップ、１２スポット×１２列＝１４４ステップなど）を測定することができる。
【０３５１】
したがって、好ましい一実施形態は、単一「セクタ」（例えば、複数のウエルからなる列）内で独立にアドレス可能な動作電極（及び／又は対電極）を形成することを伴い、それによって、所与のフォトダイオード下の各スポット又はウエルを順に測定することができる。
【０３５２】
別の実施形態によれば、同じ光検出器アレイを使用して、３８４ウエルプレートからＥＣＬを測定することができる。例えば、図２Ｆを参照すると、９６ウエルプレートの１列のウエルからＥＣＬを測定するように適合された単一のリニアアレイのフォトダイオードは、３８４ウエルプレートでは、２列のウエル（例えば、列１及び２）を覆うはずである。したがって、単一のフォトダイオードを使用して、各ウエルに順に電圧を印加することによってＡ１、Ａ２、Ｂ１及びＢ２の各ウエルから発光を測定し（３８４ウエルプレートは行Ａ〜Ｐ及び列１〜２４を有する）、第２のフォトダイオードが、各ウエルに順に電圧を印加することによって、Ｃ１、Ｃ２、Ｄ１及びＤ２の各ウエルから発光を（第１のフォトダイオードと同時に）測定し、以下同様のことを行う。このように個々のフォトダイオード下の各ウエルに電圧を順に印加することは、各ウエルごとに異なる電気接点（例えば、８個のフォトダイオードからなるアレイの下の１６個のウエルのそれぞれに電圧を供給するための１６個の接続部からなるアレイ。各接続部は、一度に１つのフォトダイオード当たり１つのウエルだけに電圧を印加する）を使用するか、あるいは、４スポットの９６ウエルプレートに関して上記で説明した改変した底部接点を使用するか、もしくは、以下でさらに説明する方法によって実現することができる。
【０３５３】
別の実施形態によれば、列内で代替アッセイドメイン又はウエルを誘起して電気化学発光を放出させ、それを測定する。好ましい一実施形態では、複数のウエルからなる列がそれぞれ、交互に並んだ対電極又は動作電極を有する３８４ウエルプレートを使用する。例えば、再度、図２Ｆを参照すると、ウエルＡ１、Ｃ１、Ｅ１、Ｇ１、Ｉ１、Ｋ１、Ｍ１、Ｏ１内の対向（又は動作）電極をすべて電気的に接続し、ウエルＢ１、Ｄ１、Ｆ１、Ｈ１、Ｊ１、Ｌ１、Ｐ１内の対向（又は動作）電極を互いに電気的に接続する。対応する動作（又は対向）電極は、これらすべてのウエルに共通とすることが好ましい。まず、Ａ１群のウエルを、その対電極及び動作電極に対して接続を行うことによって励起する。次いで、接点がプレートまで持ち上げられたとき、これらの接点が、Ａ１群のウエルではなくＢ１群のウエルに接続された動作電極及び対電極に接続を行うように、３８４ウエルプレートの間隔の半分（２．２５ｍｍ）だけプレートを移動させる。こうすると、この列の後半が励起され、８個のフォトダイオードで光が測定され、この列の読取りが完了する。同様に、プレートの残りの２３列を読み取る。すなわち、プレートを移動させてＡ２群のウエルを測定することができ、再度移動させてＢ２群のウエル、と以下同様に行うことができる。機器内で移動させるのはプレートであることが好ましい。あるいは、プレート接点への接触を行う電気コネクタを移動させることもできる。このような対電極への交互接続は、各ウエル底部の片側の対電極が交互に含まれるようにスクリーン印刷を改変するか、あるいは、対電極を交互に選択的に覆うように誘電体層を改変することによって実現することができる。
【０３５４】
例えば、図２Ｂを参照すると、１行のウエル内で、１つおきのウエル内の対電極２２６Ｂが誘電体で覆われる（かつ、その行の中で、対電極２２６Ｂが覆われていないウエル内の対電極２２６Ａが誘電体で覆われる）場合、動作電極２３０に対応する底部接点（その列のウエルの動作電極が電気的に接続されているところ）及び対電極２２６Ｂに対応する底部接点（その列のウエルの対電極が電気的に接続されているが、交互のウエル内でのみ露出しているところ）に電圧を印加することにより、交互のウエル内でのみＥＣＬが生じる（ステップ１）。次いで、動作電極２３０及び対電極２２６Ａに接続されている接点に接触が行われて、同じ列の他の組の交互のウエル内でＥＣＬが誘起される（ステップ２）。この手法では、同じ機械的な設計で両方のプレートタイプが動作するので、機器を根本的に改変する必要はないであろう。
【０３５５】
この装置を制御するソフトウエアを改変して、単一のリニアアレイの光検出器を使用する標準の９６ウエルマルチアレイプレートに必要な１２回ではなく、１２回よりも多く（好ましくは少なくとも４８回、より好ましくは少なくとも８４回、最も好ましくは少なくとも１２０回）発光を誘起し、かつ／又は発光を読み取ることが好ましい。
【０３５６】
別の実施形態によれば、異なるプレートフォーマット（例えば、９６及び３８４ウエルプレート）を使用するために、機器に対する比較的簡単な電子的改変を加えて、類似しているが好ましい手法を実施することができるはずである。この場合、この装置の接点（すなわち、プレート底部への接触を行う接点又はコネクタ）に電圧を印加する配線にスイッチを付加することができる。上記で説明した未改変の機器では、電圧掃引を冗長接点に印加する（例えば、複数の冗長コネクタが、９６ウエルプレートの１列のウエルについて、プレート底部上の冗長接点表面への接触を行う図３４Ｂを参照されたい）。こうすると、接点を位置決めし直すことなく、その代わりに、接点のサブセットに電圧を選択的に印加し、独立にアドレス可能なプレート接点により、まず、フォトダイオード下で中央に位置するＡ１、Ｃ１などの群のウエルを励起することが可能である。次いで、適当なソフトウエア制御を用いて電圧を切り替え、それによって、プレートの移動を必要とせずに、Ｂ１、Ｄ１などの群のウエルに接続されたプレート裏面上の他の別々にアドレス可能なプレート接点への接触を行う異なる組の接点ピンの両端に電圧を印加することができる。
【０３５７】
別の例として、上記で説明したように、同じ接点の先端が、プレート底部上の異なる動作電極のリード線に接続されるように、小さなステップでプレートを割り出すことによって、これら４つの異なる電極をアドレス可能とすることができるはずである。プレートが完全に静止したままで、４つのスポットに順に電気が加えられるように、既存の接触機構への接続を提供するこの機器の電子回路に切替機構を一体化することが好ましい。別の実施形態によれば、切替を実現する電気的な機構を現場でアップグレード可能とするか、あるいは、それを異なるバージョンの装置に設ける。装置上で標準の９６ウエルプレートが依然として動作することができるように、プレート及び装置を設計することが好ましい。好ましくは、必要なＥＣＬ励起シーケンスの変更に対処できるように装置を制御するソフトウエアを改変し、使用者が、どのプレートタイプを使用するかを指定できるようにする。この場合、接点高さ及びプレート上部が全く同じままであることが好ましい。
【０３５８】
上記で説明したマルチスポット又はマルチウエルの実施形態を、４スポットの特定の例を超えて、独立にアドレス可能な電極を製作するのに用いるスクリーン印刷の印刷分解能で制限される任意の数のスポット又はウエルにまで、アドレス可能なスポット数を一般化することができる。代替製造技術（微細加工及びリソグラフィ）を用いて、スクリーン印刷で可能なものよりもアドレス可能なスポット数を増やすことができるはずである。
【０３５９】
同じ機器内で異なるプレートフォーマットを用いると、他の小さな調整が必要なことがある。例えば、異なるプレートは異なるプレート高さを有することがある（例えば、３８４ウエルプレートは９６ウエルフォーマットよりも低いことがある）。（機器が９６ウエルプレートに適合されている場合には）、スペーサを使用して背の低い３８４ウエルプレートをフォトダイオードまで持ち上げ、かつ／又は接点高さを正しい位置に調整することが好ましい。あるいは、接点高さを持ち上げ、かつスペーサを入れる代わりに、３８４ウエルプレートとともにフルハイトのプレート上部を使用することができるはずである。このプレート上部は、９６ウエル用のプレート上部と同じ高さを有するものである（プレート壁の高さの上昇を補償するためにウエル底部を持ち上げることによって、３８４ウエルフォーマットのウエル容積を維持することが好ましい）。
【０３６０】
これらの実施形態を用いると、励起領域が、フォトダイオードに対していくらか中心から外れることがある。これにより、標準の９６ウエルフォーマットを用いて測定する場合に比べて、光の収集及び／又はフォトダイオード間のクロストークが悪化し得る。使用者及び／又はシステムのソフトウエアがこれを補償することが好ましい。あるいは、光検出器アレイ及び／又はプレートを相互に移動させて、誘起するウエルをそれに対応するフォトダイオードに位置合わせすることができる。例えば、各ウエルをそのフォトダイオードの下に心合わせして光の収集及びセクタ間のクロストークを完全に最適化するために、プレート（例えば、３８４ウエルプレート）の位置を、例えば、未改変リーダの標準の並進移動に直交する方向に（すなわち、ウエルの列に沿って）オフセットすることができるように、この装置をさらに改変できることが好ましい。
【０３６１】
本発明の別の実施形態は、光検出器アレイではなく画像装置を有する機器で、上記で説明した手法を使用することに関する。例えば、画像装置の下でスポット又はウエルに順に電気を加えることにより、所与のレベルの画像分解能に対して、スポット又はウエルの密度をより高くすることができるはずである。画像装置が、密に配置された１群の４つのスポットから放出される光を区別することができない場合、スポットに順に電気を加えることにより、使用者がスポット間の区別をすることができる。こうすると、光検出器アレイの代わりに画像システムを有する機器にも、上記で特定した手法を適用することができる。
【０３６２】
別の実施形態によれば、３８４ウエルプレートのサイズ及び間隔に適合した１６個のフォトダイオードからなるアレイを含むように、光検出器アレイを有する機器を改変することができるはずであり、それによって、各列の１６個のウエルすべてを同時に励起することができるはずである。この手法は、他の手法に比べて、読取り時間を１／２に短縮するという利点を有する。この場合、ウエル間で電圧を交互に切り替えて印加することなく、未改変の９６ウエルプレートと同じコンセプトでプレート底部を設計することになる。したがって、本発明の別の実施形態は、アレイ中の光検出器の数が、測定中の列又は行のウエル及び／又はスポットの数に対応する光検出器アレイを有する機器に関する。
【０３６３】
５．４．３  アッセイ法
本発明のアッセイプレート及び装置は、確立された様々なアッセイフォーマット、例えば、光ルミネッセンス測定に基づくアッセイ、ＳＰＡ（シンチレーション近接アッセイ）、化学発光、電気化学的な電圧及び／又は電流の測定、好ましくは電極誘起発光、最も好ましくは電気化学発光を行うのに有用である。ＥＣＬアッセイを行う方法の例に関しては、米国特許第５，５９１，５８１号、第５，６４１，６２３号、第５，６４３，７１３号、第５，７０５，４０２号、第６，０６６，４４８号、第６，１６５，７０８号、第６，２０７，３６９号及び第６，２１４，５５２号、並びに、公開ＰＣＴ出願ＷＯ８７／０６７０６号及びＷＯ９８／１２５３９号を参照されたい。これらの参照文献を参照によりここに組み込む。アッセイは、検体の量の測定、サンプルの特性（例えば、温度、発光、電気化学活性、色、濁り度などの測定、化学的、生化学的かつ／又は生物学的な活性（例えば、酵素活性）の測定、動力学又は熱力学パラメータ（例えば、反応の速度又は平衡定数）の測定などを対象とするが、これらに限定されるものではない。
【０３６４】
本発明の実施形態を用いて、対象とする検体又は活性を含み得る様々なサンプルを試験することができる。このようなサンプルは、固形、エマルジョン、懸濁液、液状又はガスの形態であり得る。それらは、細胞（生細胞又は死細胞）及び細胞由来の産物、細胞断片、細胞分画、細胞可溶化物、分画されていない細胞可溶化物、細胞小器官、器官、動物部分、動物副産物、細胞膜、（ハイブリドーマなどの生物体を生成する抗体からの上澄み液を含む）細胞培養上澄み液、継代細胞、廃棄物又は飲料水、食品、飲料、薬剤組成物、血液、血清、血漿、毛髪、汗、尿、糞便、組織、生検、構造的な生物学的成分、骨格成分（例えば、骨、靱帯、腱）、分離したかつ／又は分画化した骨格成分、毛髪、毛皮、羽、毛髪分画及び／又は分別物、表皮、表皮分画、真皮、内皮、溶出物、分離したかつ／又は分画化したサンプル、分画化していないサンプル、分離したかつ／又は分画化した液体、唾液、粘液、油、植物、植物部分、植物副産物、下水、環境サンプル、粉塵、スワイプ（ｓｗｉｐｅ）、吸収性材料、ゲル、有機溶剤、化学物質、化学溶液、土、鉱物、鉱床、上水、水源、流体（ガス及び／又は液体）から濾過した残査、固体、ガス、又は空気などを含むか、あるいはそれら由来のサンプルであり得るが、これらに限定されるものではない。このサンプルは、例えば、水、有機溶剤（例えば、アセトニトリル、ジメチルスルホキシド、ジメチルホルムアミド、ｎメチルピロリドン又はアルコール）あるいはそれらの混合物をさらに含み得る。測定され得る検体及び／又は他のサンプルには、サンプル中に存在する全細胞、細胞表面抗原、細胞核／複数の細胞核、核分画、細胞内粒子（例えば、細胞小器官又は膜断片）、膜、可溶化膜、膜分画、核膜、核膜分画、脂質、タンパク質を伴う脂質、糖を伴う脂質、脂質二分子膜、ミセル、中隔、単分子膜、剥離材料、障壁、透析膜、浸透膜、不浸透膜、細胞膜、細胞小器官膜、ウイルス、プリオン、真核細胞、原核細胞、免疫細胞、菌、酵母菌、チリダニ又はその断片、ウイロイド、抗体、抗体断片、抗原、ハプテン、脂肪酸、核酸（及び合成類似物）、タンパク質（及び合成類似物）、リポタンパク質、細胞骨格、タンパク質複合体、ポリサッカライド、阻害剤、補因子、ハプテン、細胞受容体、受容体リガンド、リポポリサッカライド、糖タンパク質、ペプチド、ポリペプチド、ｃＡＭＰ、ＥＧＦ、キナーゼ、酵素、酵素基質、酵素産物、セカンドメッセンジャー、細胞情報伝達因子及び／又は成分、セカンドメッセンジャー細胞情報伝達因子及び／又は成分、細胞代謝産物、ホルモン、内分泌因子、パラ分泌因子、自己分泌因子、免疫因子、サイトカイン、薬剤、薬物、治療薬、合成有機分子、有機金属分子、トランキライザー、バルビツール酸、アルカロイド、ステロイド、ビタミン、アミノ酸、糖、レクチン、組換え又は誘導タンパク質、ビオチン、アビジン、ストレプトアビジン、あるいは無機分子が含まれるが、これらに限定されるものではない。
【０３６５】
測定され得る活性には、ホスホリラーゼ、ホスファターゼ、エステラーゼ、トランスグルタミナーゼの活性、核酸損傷活性、トランスフェラーゼ、オキシダーゼ、レダクターゼ、デヒドロゲナーゼ、グリコシダーゼ、リボソーム、タンパク質処理酵素（例えば、プロテアーゼ、キナーゼ、タンパク質ホスファターゼ、ユビキチンタンパク質リガーゼなど）、核酸処理酵素（例えば、ポリメラーゼ、ヌクレアーゼ、インテグラーゼ、リガーゼ、ヘリカーゼ、テロメラーゼなど）、細胞受容体活性化、セカンドメッセンジャーシステム活性化などが含まれるが、これらに限定されるものではない。
【０３６６】
本発明の一実施形態では、発光、化学発光及び／又は酸化還元活性物質（好ましくは、ＥＣＬ活性物質）を潜在的に含むサンプルを、本発明のアッセイプレート又はアッセイプレートの１つ又は複数のウエルに導入し、このサンプルから電気化学的信号又は発光信号（好ましくは、電気化学発光）を誘起し測定して、この物質の量を測定する。本発明の別の実施形態では、発光、化学発光及び／又は酸化還元活性物質（好ましくは、ＥＣＬ活性物質）を含むサンプルを、本発明のアッセイプレート又はアッセイプレートの１つ又は複数のウエルに導入し、このサンプルから電気化学的信号又は発光信号（好ましくは、電気化学発光）を誘起し測定して、この物質からの信号の生成に影響を及ぼす物質、化学活性又は生物活性の存在（例えば、ＥＣＬ共同反応物、水素イオン、発光消光剤、化学発光トリガーなどの存在、生成及び／又は消費）を測定する。本発明の別の実施形態では、発光、化学発光及び／又は酸化還元活性物質（好ましくは、ＥＣＬ活性物質）を標識として用いて、酵素基質又は結合試薬などのアッセイ試薬をモニタすることができる。検体に特異的な、標識した結合試薬を使用することによって検体を測定するためのアッセイフォーマットには、同質的かつ異質的な方法が含まれる。
【０３６７】
好ましいアッセイフォーマットでは、検体又は活性を測定することを、標識した試薬を溶液相及び固相で支持された部分に分離することに結びつけるために、固相の支持体を使用する。それらの例には、（固相支持体上にペアの一方を固定化するか又は固定化できるようにした）ある材料及びその特異的な結合相手の複合体の形成、（固相支持体上に固定化するか又は固定化できるようにした捕捉試薬を含む）サンドイッチ複合体の形成、（固相支持体上に結合相手又は一方の競合物を固定化するか又は固定化することができるようにした）結合相手に対する２つの競合物の競合、固相支持体上に固定化するか又は固定化できるようにした試薬からの標識（又は標識した材料）の酵素的又は化学的切断、及び固相支持体上に固定化するか又は固定化できるようにした試薬への標識（又は標識した材料）の酵素的又は化学的結合を測定する固相結合アッセイが含まれる。本明細書で用いる「固定化できる」という用語は、溶液中で反応にあずかり、その後、検出ステップ中又は検出ステップ前に固相上に捕捉され得る試薬を指す。例えば、固相上に固定化する試薬の特異的な結合相手を用いて、この試薬を捕捉することができる。あるいは、この試薬を捕捉部分に結合し、この捕捉部分の特異的な結合相手を固相上に固定化する。有用な捕捉部分−結合相手対の例には、ビオチン−ストレプトアビジン（又はアビジン）、抗体−ハプテン、受容体−リガンド、核酸−相補的核酸などが含まれる。
【０３６８】
固相支持体上で行われるアッセイでは、固相支持体上かつ／又は溶解している標識の量を測定することによって、検体又は活性の量を求めることが好ましく、一般に、測定は、表面選択技術、溶液選択技術によって、あるいは、この２つの相を分離した後で行われる。上記で説明した実施形態の固相支持体が、本発明のアッセイプレートの動作電極、あるいは、アッセイプレートのウエル内の動作電極であることが最も好ましい。この構成により、固相支持体上の標識の表面選択性電気化学発光の励起及び測定を行うことができる。あるいは、この固相支持体を動作電極から十分に離れた表面として、動作電極は溶液相の標識を測定するだけとすることができる。
【０３６９】
固相支持体上で行われるアッセイでは、固相支持体上かつ／又は溶解している標識の量を測定することによって、検体又は活性の量を求めることが好ましく、一般に、測定は、表面選択技術、溶液選択技術によって、あるいは、この２つの相を分離した後で行われる。上記で説明した実施形態の固相支持体が、本発明のアッセイプレートの動作電極、あるいは、アッセイプレートのウエル内の動作電極であることがより好ましい。この構成により、固相支持体上の標識の電極誘起発光（最も好ましくは、電気化学発光）の表面選択励起及び測定を行うことができる。あるいは、この固相支持体を動作電極から十分に離れた表面として、動作電極は溶液相の標識から発光を誘起するだけとすることができる。
【０３７０】
本発明の一実施形態では、ｉ）本発明のアッセイプレート又はアッセイプレートの１つ又は複数のウエルにサンプルを導入するステップと、ｉｉ）標識した試薬を結合試薬に接触させるステップと、ｉｉ）結合試薬及び標識した試薬を含む結合複合体を形成するステップと、ｉｉｉ）標識した試薬を誘起して、電気化学信号又は発光信号（好ましくは、電気化学発光）を生成するステップと、ｉｖ）この信号を測定して、標識した試薬を測定するステップとを含む方法によって、発光、化学発光及び／又は酸化還元活性標識（好ましくは、ＥＣＬタグ）で標識した試薬を測定する。固相支持体上にこの結合試薬を固定化するか又は固定化できるようにすることが好ましい。この固相支持体が、本発明のアッセイプレートの動作電極、又はアッセイプレートのウエル内の動作電極であることが最も好ましい。この方法は、固相支持体及び／又は動作電極上に結合試薬を固定化するステップも含む。
【０３７１】
また、本発明は、サンプル中の検体を測定する方法に関する。この方法は、ｉ）標識した検出試薬、及び任意選択で、捕捉試薬にサンプルを接触させるステップであって、これらの検出及び結合試薬が、検体に対する特異的な結合親和性を有するステップと、ｉｉ）結合試薬、検体、及び任意選択で、捕捉試薬を含む結合複合体を形成するステップと、ｉｉｉ）標識した検出試薬を誘起して、電気化学信号又は発光信号（好ましくは、電気化学発光）を生成するステップと、ｉｖ）この信号を測定して、サンプル中の検体を測定するステップとを含む。固相支持体上にこの捕捉試薬を固定化するか、あるいは固定化できるようにすることが好ましい。この固相支持体が、本発明のアッセイプレート、又はアッセイプレートのウエル内の動作電極であることが最も好ましい。この方法は、固相支持体及び／又は動作電極上に捕捉試薬を固定化するステップも含む。
【０３７２】
また、本発明は、サンプル中の検体を測定する方法に関する。この方法は、ｉ）検体の類似物及び結合試薬にサンプルを接触させるステップであって、前記類似物及び前記結合試薬の一方が標識を有し、前記検体及び前記類似物が前記結合試薬への結合に関して競合するステップと、ｉｉ）前記標識を誘起して、電気化学信号又は発光信号（好ましくは、電気化学発光）を生成するステップと、ｉｉｉ）この信号を測定して、サンプル中の検体を測定するステップとを含む。固相支持体上に、（検体の類似物が標識を有する場合には）結合試薬を、あるいは（結合試薬が標識を有する場合には）検体の類似物を固定化するか又は固定化できるようにすることが好ましい。この固相支持体が、本発明のアッセイプレート、又はアッセイプレートのウエル内の動作電極であることが最も好ましい。この方法は、固相支持体及び／又は動作電極上に、検出試薬又は検体の類似物を固定化するステップも含む。
【０３７３】
本発明の別の態様は、トリガーを導入することによって化学発光標識を誘起して発光を放出させる化学発光アッセイを実施する方法及びシステムに関する。このトリガーが標識と反応して、化学発光を形成する。ここに参照により組み込む、Ｍａｓｓｅｙ他の米国特許第５，７９８，０８３号を参照されたい。電気化学的エネルギーを印加することによって、動作電極のところで（過酸化水素などの）トリガーを生成することが好ましい。ここに参照により組み込む、Ｍａｓｓｅｙ他の米国特許第５，７７０，４５９号を参照されたい。電気化学的エネルギーの印加によってトリガーを生成させると、例えば、アッセイモジュールのセクタ又はウエル内で、化学発光の計時的かつ／又は順次誘起を行うことができる。
【０３７４】
化学発光測定を実施する際、本出願人らは、バックグラウンド発光を減算する方法（例えば、機器がバックグラウンド画像を減算する方法）を適合させることが有利であることを見いだした。一般に、ＥＣＬ測定を実施する際、電圧を印加する前に、カメラ又は光検出器の下にプレートを位置決めした状態でバックグラウンド画像を取得し、次いで得られたバックグラウンド画像を、ＥＣＬ励起電圧の印加中に取得した画像から減算する。化学発光測定では、バックグラウンドの読取り時間中にウエルから放出される化学発光が存在する場合、この手法は不利なことがある。しかし、いくつかの異なる手法を用いて、この問題を克服することができる。一実施形態によれば、この機器は、遮光容器内にプレートを入れる前に、バックグラウンド画像を取得するか、又はバックグラウンド発光を測定する（例えば、容器内にプレートを導入する前に、遮光容器内部の画像を取得して、バックグラウンドレベルを求める）ように適合される。別の実施形態によれば、この機器は、プレートの導入後、プレートが遮光容器内にある間にバックグラウンド画像を取得するように適合される。ただし、プレートは、プレートから放出される化学発光が、バックグラウンド測定と干渉しないように、（レンズ又は光検出器の下ではなく）画像化領域から離れた領域にある。別の実施形態によれば、この機器は、各化学発光測定ごとに、処理を行う前にバックグラウンド画像を直接減算するのではなく、所与の装置のバックグラウンドを特徴づけ、それによって、処理した化学発光データからその値を減算するように適合される（例えば、所与の装置について「推定バックグラウンド」を提供し、その値を各化学発光測定ごとに用いる）。
【０３７５】
本発明の別の態様は、本発明のアッセイモジュール又はデバイスを使用して、反応速度又は反応の時間経過を求める方法に関する。ここに参照により組み込む、１９９６年６月１８日発行のＮａｃａｍｕｌｌｉ他の米国特許第５，５２７，７１０号を参照されたい。
【０３７６】
意外にも、ＥＣＬを生成するための電気化学的エネルギーに電極が曝されるＥＣＬアッセイでアッセイ電極を使用した後、後続のアッセイでＥＣＬを誘起する電極の能力は低減するが、なくならない。特に、電圧を最小限に（例えば、ＥＣＬを誘起するのに必要な最小値に近く）保ち、かつ／又は、ＥＣＬを誘起するために電圧を印加する継続時間を最小限に抑える場合、電極への損傷は最小限に抑えられるか、あるいはなくなり、それによって、電極を複数回使用することができる。電極を２回以上使用する一実施形態は、少なくとも１つの反応物を１つ又は複数の産物に変換する反応の時間経過を求める方法に関する。この方法は、
（ａ）反応物及び発光標識を含む組成物を形成するステップであって、
（ｉ）反応物が反応して反応産物を形成し、
（ｉｉ）発光信号を放出させるように発光標識を誘起することができ、発光標識により放出される発光信号がこの反応の影響を受け、
（ｉｉｉ）反応が進行するにつれて放出される発光信号が変化するステップと、
（ｂ）好ましくは、選択した時間間隔で放出された発光を検出して、反応の時間経過を求めるステップとを含む。
【０３７７】
複合体の成分（例えば、反応物又は２次反応相手）を電極上に固定化し、それによって、前記複合体を電極上に形成することが好ましい。この方法は、選択した時間間隔でこの組成物を電気エネルギーに曝し、かつ／又は、この選択した時間間隔中に発光信号を測定して、この反応の時間経過を求めることをさらに含むことが好ましい。
【０３７８】
この標識は電気化学発光標識であることが好ましい。
【０３７９】
この方法は、ステップ（ｂ）で検出した発光信号から反応の時間経過を計算することをさらに含むことが好ましい。
【０３８０】
本発明の別の実施形態は、
（ａ）反応物、反応相手及び発光標識を含む組成物を形成するステップであって、
（ｉ）反応物と反応相手が結合して複合体を形成し、
（ｉｉ）発光信号を放出させるように発光標識を誘起することができ、
（ｉｉｉ）発光標識が反応相手に付着するステップと、
（ｂ）好ましくは、選択した時間間隔で放出された発光を検出して、反応の時間経過を求めるステップとを含む、結合反応の経過時間を求める方法に関する。
【０３８１】
この方法は、選択した時間間隔でこの組成物を電気エネルギーに曝し、かつ／又は、この選択した時間間隔で発光信号を測定して、この結合反応の時間経過を求めることをさらに含むことが好ましい。
【０３８２】
反応相手が抗体であり、反応物が抗原であることが好ましい。
【０３８３】
好ましい一実施形態によれば、反応相手が、共有結合又はビオチン−ストレプトアビジン結合相互作用で発光標識に付着する。
【０３８４】
別の実施形態は、酵素反応の時間経過を求める方法に関する。この方法は、
（ａ）酵素、酵素基質及び発光標識を含む組成物を形成するステップであって、
（ｉ）酵素が基質の反応を触媒して反応産物を形成し、
（ｉｉ）発光信号を放出させるように発光標識を誘起することができ、発光標識から放出される発光信号が基質又は反応産物の濃度に応じて変化し、
（ｉｉｉ）反応が進行するにつれて放出される発光信号強度が変化するステップと、
（ｂ）好ましくは、選択した時間間隔で放出された発光を検出して、この反応の時間経過を求めるステップとを含む。
【０３８５】
この方法は、選択した時間間隔でこの組成物を電気エネルギーに曝し、かつ／又は、この選択した時間間隔で発光信号を測定して、この反応の時間経過を求めることをさらに含むことが好ましい。
【０３８６】
酵素基質が補因子、より好ましくはＮＡＤＨであることが好ましい。
【０３８７】
反応産物が補因子、より好ましくはＮＡＤＨであることが好ましい。
【０３８８】
別の好ましい実施形態は、発光標識を含む組成物における反応の時間経過を求める方法に関する。前記反応中に、選択した時間間隔でこの組成物を電気エネルギーに曝して標識を誘起し、それによって、電気化学発光信号を放出させ、前記選択した時間間隔中にこの電気化学発光信号を測定して反応の時間経過を求める。
【０３８９】
好ましい一実施形態によれば、この反応は、反応産物が形成されるような反応物と反応相手との反応である。発光信号強度が反応物、反応相手又は反応産物の濃度に関連することが好ましい。
【０３９０】
この反応は、反応物と反応相手との特異的な結合反応であることが好ましい。
【０３９１】
この反応は、酵素により触媒された反応であることが好ましい。
【０３９２】
この反応は、反応産物を形成する反応物のものであり、前記反応物の濃度が、前記電気化学発光プロセスに影響を及ぼすことが好ましい。
【０３９３】
様々な材料が、電極誘起発光、特に電気化学発光を放出することが示されており、本発明の方法、プレート、キット、システム及び装置とともに使用することができる。好ましい電気化学発光系では、電気化学発光の放出後、及び電気化学発光実験中に、ＥＣＬ活性材料及び／又は標識が再生成され、それらを繰り返し励起して励起状態にし、かつ／又は誘起して発光を放出させることができる。例えば、１つのクラスのＥＣＬ活性材料は、ｉ）材料が酸化されるステップと、ｉｉ）酸化された材料が強還元剤によって還元され、それによって励起状態の材料が生成されるステップと、ｉｉｉ）励起状態からフォトンが放出され、それによってＥＣＬ活性材料が再生成されるステップとを含む機序で機能すると考えられる。ＥＣＬ活性材料と強還元剤の酸化還元電位差が十分であり、それによって、ステップ（ｉｉ）で放出されるエネルギーがフォトンのエネルギー以上になることが好ましい。類似の機序では、ステップ（ｉ）及び（ｉｉ）を、ｉ）材料の還元、及びｉｉ）強酸化剤による還元された材料の酸化で置き換えることができる。いくつかの特に好ましい系では、この機序は、ＥＣＬ共同反応物を酸化して強還元剤を形成するか、あるいは、同様に、ＥＣＬ共同反応物を還元して強酸化剤を形成するステップをさらに含むと考えられる。
【０３９４】
好ましい発光材料及び標識には、ルテニウム、オスミウム及びレニウムの発光性有機金属複合体が含まれる。いくつかの特に有用な材料は、ルテニウム及びオスミウムのポリピリジル複合体、特に、ＭＬ１Ｌ２Ｌ３構造を有する複合体である。ただし、Ｍはルテニウム又はオスミウム、Ｌ１、Ｌ２及びＬ３はそれぞれ、ビピリジン、フェナントロリン、置換ビピリジン及び／又は置換フェナントロリンである。本発明者らは、（この開示をここに参照により組み込む、２００１年６月２９日出願の「改善された非特異結合特性を有するＥＣＬタグ、それを用いる方法及びそれを含むキット（ＥＣＬ  Ｌａｂｅｌｓ  Ｈａｖｉｎｇ  Ｉｍｐｒｏｖｅｄ  Ｎｏｎ−Ｓｐｅｃｉｆｉｃ  Ｂｉｎｄｉｎｇ  Ｐｒｏｐｅｒｔｉｅｓ，Ｍｅｔｈｏｄｓ  ｏｆ  Ｕｓｉｎｇ  ａｎｄ  Ｋｉｔｓ  Ｃｏｎｔａｉｎｉｎｇ  ｔｈｅ  Ｓａｍｅ）」という名称の同時係属の米国特許出願番号０９／８９６，９７４に記載されているように）負に帯電した基、好ましくは硫酸基、最も好ましくはスルホン基を含む置換基を与える置換ビピリジン又はフェナントロリンを含めると、それらが、特に、カーボン、カーボン粒子、カーボンフィブリル、カーボン複合材、カーボンフィブリル複合材及び／又はカーボンインクを含む電極に非特異的に結合することに耐性を示すために特に好ましいことを見いだした。
【０３９５】
本発明の別の態様は、本発明のアッセイモジュールを再利用する方法に関し、より具体的には、対象とする検体の存在又は量を求める際に、以前に使用したモジュールにより放出される信号（例えば、ＥＣＬ）の減少が補償され、かつ／又は較正される、２度目（又は３度目など）にアッセイモジュールを使用する方法に関する。例えば、意外にも、ＥＣＬを生成するための電気化学エネルギーに電極が曝される電気化学発光アッセイでアッセイ電極を使用した後、後続のアッセイでＥＣＬを誘起する電極の能力が低減するが、なくならない。したがって、一実施形態は、あるアッセイモジュールを使用して第１アッセイ（好ましくは、電気化学発光アッセイ）を実施し、次いで、このアッセイモジュールを使用して第２アッセイ（好ましくは、電気化学発光アッセイ）を実施することに関する。この方法では、第２アッセイを実施する際に、使用済みアッセイモジュールによって生成される信号の減少が補償され、かつ／又は較正される。一実施形態によれば、上記で説明した第２アッセイは、同じアッセイ（好ましくは、電気化学発光アッセイ）の第２の読取りであり、それによって、結果を統計的によりよく分析するか、あるいは、最初のアッセイの判定を確認するためのものである。
【０３９６】
本発明の別の態様は、最初の使用の後で、アッセイモジュールを修復し、かつ／又は復元する方法に関し、より具体的には、結合試薬を備えた電極表面を復元して後続のアッセイを実施できるようにする方法に関する。一実施形態は、電極表面から使用済みの生物試薬を除去（例えば、電極表面を清浄化）し、その電極表面に生物試薬を付着し直すことを含む。別の実施形態は、使用済みの生物試薬の上に、修復層（例えば、カーボン電極上のカーボン層）を付着し直し、次いで、その修復層に新しい生物学的試薬を付着させることに関する。
【０３９７】
使用済みの生物試薬を除去するステップは、（ｉ）水、（ｉｉ）漂白剤、（ｉｉｉ）界面活性剤／洗剤を含む水、（ｉｖ）酸性溶液、（ｖ）塩基性溶液、（ｖｉ）有機溶剤（例えば、アルコール、エタノール、メタノール、ＤＭＳＯ、アセトンなど）（この場合、溶剤は、モジュールに使用する材料（例えば、カーボン／ポリマーインク電極、及びポリスチレン又はポリプロピレンプレート）を溶解しないが、電極表面上の生物材料を変性させるように選択することが好ましい）、（ｖｉｉ）過酸化水素、（ｖｉｉｉ）カーボン表面上の還元剤（例えば、化学的還元）、（ｉｘ）有機材料を「エッチング」する化学的清浄化反応、（ｘ）清浄化／洗浄化したカーボン表面の電気化学的還元、（ｘｉ）洗浄中に電極に電圧を印加すると「清浄化」作用が生じる電気化学的な活性溶液（好ましくは、電気的特性（電流／電圧）をモニタして清浄化効果を判定するステップを含む）、（ｘｉｉ）洗浄のスピードを上げる高温溶液の使用、（ｘｉｉｉ）多数回の洗浄（例えば、１つのウエル当たり２００μｌで３回洗浄して１回の洗浄よりも良好に清浄化を行う。ただし、洗浄サイクル数は２〜１０回の間で変化し、分量は２５μｌから３５０μｌまで変化する（例えば、標準のマイクロプレート洗浄手順及び機器を使用する））、及び（ｘｉｖ）これらの手法の任意の組合せ、などの溶液で洗浄することを含めて様々な方法によって実施することができる。
【０３９８】
使用済みの生物試薬を除去し、かつ／又はその他の方法で表面を修復するステップは、（ｉ）プラズマエッチング、（ｉｉ）プラズマによる材料の被着、（ｉｉｉ）コロナ処理、（ｉｖ）オゾンへの露出、（ｖ）イオン又は電子による衝突、（ｖｉ）カーボン表面の照射、（ｖｉｉ）表面の火炎処理、（ｖｉｉｉ）（材料を落とすための）表面の焼成、（ｉｘ）低圧での表面の焼成、（ｘ）電極表面を改質／修復するためのカーボン表面のアニール、（ｘｉ）上記で説明した任意の溶液洗浄と後続の非溶液処理の組合せ、及び／又は（ｘｉｉ）物理的／機械的処理（例えば、サンドペーパー磨き／研磨／摩擦など）などの非液体／溶液的な手法を使用して実施することもできる。
【０３９９】
修復したアッセイモジュールを試験して、修復ステップが十分であったかどうかを判定することが好ましい。例えば、修復した電極の電気特性（電流／電圧）を試験又はモニタして清浄化の効果を判定する。試験は、光学顕微鏡又は電子顕微鏡を使用して視覚的に行うこともできる。
【０４００】
洗浄その他の方法で修復した電極表面（好ましくは、カーボン電極表面）に捕捉試薬を被覆するステップは、（ｉ）被着させた試薬の乾燥を伴う微量被着又は被着させた試薬の乾燥を伴わない微量被着、（ｉｉ）溶液からの生体分子被覆、（ｉｉｉ）電極がすでに被覆されており、それを一度使用した後での上記で説明したいずれかの被覆手法の使用、及び／又は（ｉｖ）任意の導電材料の表面上への電気化学的／化学的／物理的／機械的その他の被着によって実施することができる。
【０４０１】
５．５  システム
本発明の別の態様は、発光アッセイ、好ましくは電極誘起発光アッセイ、より好ましくは電気化学発光アッセイを行うシステムに関する。このシステムは、好ましくは上記で説明した発光を誘起し測定するための機器と、電極誘起発光試薬、好ましくは電気化学発光試薬を含むマルチウエルプレートとを備える。
【０４０２】
別の実施形態は、この機器と、マルチウエルプレートと、電極誘起発光試薬、好ましくは電気化学発光試薬とを備えるシステムに関する。
【０４０３】
別の実施形態は、上記で説明した発光を測定するための機器と、アッセイプレート、好ましくはマルチウエルアッセイプレートとを備えるシステムに関する。
【０４０４】
別の実施形態は、発光を誘起し測定するための機器と、アッセイプレート、好ましくは上記で説明したマルチウエルアッセイプレートとを備えるシステムに関する。
【０４０５】
別の実施形態は、機器と、アッセイプレート、好ましくはマルチウエルアッセイプレートとを備える。このプレートは、電極誘起発光試薬、好ましくは電気化学発光標識を含む。
【０４０６】
別の実施形態は、この機器と、１つ又は複数のロボット装置及び／又はシステムとを備える。このロボット装置及び／又はシステムは、（ａ）プレートを機器に入れ、その中で移動させ、機器から出すことと、（ｂ）（例えば、冷蔵ユニットに）プレートを格納することと、（ｃ）（例えば、試薬を混合し、かつ／又はウエルに試薬を導入するように適合された）液体又は試薬のハンドリング装置と、（ｄ）（例えば、試薬を混合し、かつ／又は反応速度を速めるための）アッセイプレート振とう機と、（ｅ）（例えば、プレートを洗浄し、かつ／又はアッセイの洗浄ステップを実施するための）プレート洗浄機（例えば、ウエルアスピレータ）のうち１つ又は複数を実施するように構成される。このようなロボット装置及び／又はシステムを、機器内に統合し、かつ／又は別のコンポーネントとして結合することができる。
【０４０７】
好ましい実施形態によれば、この機器又はシステムには、例えば、プレート密封機（例えば、Ｚｙｍａｒｋ）、プレート洗浄機（例えば、ＴＥＣＡＮ、ＢｉｏＴｅｋ）、試薬計量分配装置及び／又は自動ピペットステーション及び／又は液体ハンドリングステーション（例えば、Ｚｙｍａｒｋ、Ｌａｂｓｙｓｔｅｍｓ、Ｂｅｃｋｍａｎ、ＴＥＣＡＮ）、インキュベータ（例えば、Ｚｙｍａｒｋ）、プレート振とう機（例えば、Ｚｙｍａｒｋ）、化合物ライブラリ又はサンプル格納庫、及び／又は、化合物及び／又はサンプル回収モジュールのうち１つ又は複数が組み込まれる（又は取り付けられ、あるいは隣接して配置され、ないしはロボット的に接続又は結合される）。
【０４０８】
好ましい実施形態によれば、１つ又は複数のこれらの装置を、ロボットアセンブリを介して本発明の機器に結合し、それによって、アッセイプロセス全体を自動的に行うことができる。代替実施形態によれば、手動でプレートのスタックを移動させることによって、この機器と様々な装置の間でマルチウエルプレートを手動で移動させる。
【０４０９】
特に好ましい実施形態は、本発明の機器をハイスループットアセンブリに統合することに関する。このハイスループットアセンブリは、化合物ライブラリの格納庫、試薬計量分配装置及び／又は自動ピペットステーション及び／又は液体ハンドリングステーション、培養及び／又は振とうステーション、洗浄機（任意選択）、及び本発明の機器のうち１つ又は複数を、好ましくは、（配置又はロボットアセンブリとの結合によって）直列に備えることが好ましい。このシステムは、アッセイを実施した後でアッセイモジュールを廃棄するための廃棄物処理モジュールも備える。
【０４１０】
５．６  キット
本発明の別の態様は、アッセイ、好ましくは発光アッセイ、より好ましくは電極誘起発光アッセイ、最も好ましくは電気化学発光アッセイを行うために使用するキットに関する。このキットは、アッセイモジュール、好ましくはアッセイプレート、より好ましくはマルチウエルアッセイプレートと、結合試薬、酵素、酵素基質及びアッセイを行うのに有用な他の試薬からなる群から選択される少なくとも１つのアッセイ成分とを備える。これらの例には、全細胞、細胞表面抗原、細胞内粒子（例えば、細胞小器官又は膜断片）、ウイルス、プリオン、チリダニ又はその断片、ウイロイド、抗体、抗原、ハプテン、脂肪酸、核酸（及び合成類似物）、タンパク質（及び合成類似物）、リポタンパク質、ポリサッカライド、リポポリサッカライド、糖タンパク質、ペプチド、ポリペプチド、酵素（例えば、ホスホリラーゼ、ホスファターゼ、エステラーゼ、トランスグルタミナーゼ、トランスフェラーゼ、オキシダーゼ、レダクターゼ、デヒドロゲナーゼ、グリコシダーゼ、タンパク質処理酵素（例えば、プロテアーゼ、キナーゼ、タンパク質ホスファターゼ、ユビキチンタンパク質リガーゼなど）、核酸処理酵素（例えば、ポリメラーゼ、ヌクレアーゼ、インテグラーゼ、リガーゼ、ヘリカーゼ、テロメラーゼなど）、酵素基質（例えば、上記に挙げた酵素の基質）、セカンドメッセンジャー、細胞代謝産物、ホルモン、薬剤、トランキライザー、バルビツール酸、アルカロイド、ステロイド、ビタミン、アミノ酸、糖、レクチン、組換え又は誘導タンパク質、ビオチン、アビジン、ストレプトアビジン、発光標識（好ましくは、電気化学発光標識）、電気化学発光共同反応物、ｐＨ緩衝液、遮断剤、防腐剤、安定剤、洗剤、乾燥剤、吸湿剤などが含まれるが、これらに限定されるものではない。このようなアッセイ試薬は、（好ましくは発光標識、最も好ましくは電気化学発光標識で）標識しないこともできるし、標識することもできる。本発明の一実施形態は、アッセイ、好ましくは発光アッセイ、より好ましくは電極誘起発光アッセイ、最も好ましくは電気化学発光アッセイを行うのに使用するキットを含む。このキットは、アッセイモジュール、好ましくはアッセイプレート、より好ましくはマルチウエルアッセイプレートと、（ａ）少なくとも１つの発光標識（好ましくは、電気化学発光標識）、（ｂ）少なくとも１つの電気化学発光用共同反応物、（ｃ）１つ又は複数の結合試薬、（ｄ）ｐＨ緩衝液、（ｅ）１つ又は複数の遮断試薬、（ｆ）防腐剤、（ｇ）安定剤、（ｈ）酵素、（ｉ）洗剤、（ｊ）乾燥剤、及び（ｋ）吸湿剤からなる群から選択される少なくとも１つのアッセイ成分とを備える。
【０４１１】
このキットは、アッセイモジュール、好ましくはアッセイプレートと、１つ又は複数の容器、好ましくは２つ以上、より好ましくは３つ以上の容器内の１つ（又は複数）のアッセイ成分とを備えることが好ましい。
【０４１２】
このアッセイモジュールは、複数のセクタで電極誘起発光アッセイ（好ましくは、電気化学発光アッセイ）を行うのに使用するように適合されたマルチウエルプレートであることが好ましい。
【０４１３】
一実施形態によれば、このキットは、１つ又は複数のプレートウエル内に、好ましくは乾燥形態で１つ又は複数のアッセイ成分を備える。
【０４１４】
一実施形態によれば、このアッセイ成分は別の容器内にある。別の実施形態によれば、このキットは、結合試薬及び安定剤を備える容器を含む。別の実施形態によれば、このウエルの試薬は、結合試薬、安定剤を含み得る。このキットは、ウエル内に液体を含まないことが好ましい。
【０４１５】
好ましい一実施形態は、電極誘起発光アッセイ（好ましくは、電気化学発光アッセイ）を行うのに使用するキットに関する。このキットは、アッセイプレート、好ましくはマルチウエルアッセイプレートと、少なくとも１つの発光標識（好ましくは、電気化学発光標識）及び少なくとも１つの電気化学発光共同反応物からなる群から選択される少なくとも１つのアッセイ成分とを備える。
【０４１６】
別の実施形態は、マルチウエルプレート、及び少なくとも１つの電極誘起発光標識（好ましくは、電気化学発光標識）及び／又は少なくとも１つの生物試薬及び／又は少なくとも１つの遮断剤（例えば、ＢＳＡ）を備えるキットに関する。
【０４１７】
好ましい一実施形態によれば、このキットは、抗体、抗体の断片、タンパク質、酵素、酵素基質、阻害剤、補因子、抗原、ハプテン、リポタンパク質、リポサッカライド、細胞、細胞内成分、細胞受容体、ウイルス、核酸、抗原、脂質、糖タンパク質、炭水化物、ペプチド、アミノ酸、ホルモン、タンパク質結合性リガンド、薬剤、発光標識（好ましくは、ＥＣＬタグ）、又はそれらの組合せから選択され、好ましくはプレート表面上に固定化された少なくとも１つの生物試薬を備える。
【０４１８】
このキットは、タンパク質、核酸又はそれらの組合せを含む固定化した試薬を備えることが好ましい。
【０４１９】
別の実施形態によれば、このキットは、アッセイ用希釈剤（例えば、アッセイの性能を最適化するために、試薬を中に入れて希釈する試薬）も備える。
【０４２０】
好ましい一実施形態によれば、複数のウエルは、少なくとも２つの異なる生物試薬を含む。例えば、ウエルは、異なる生物試薬を有する２つ以上のアッセイドメインを含み得る。
【０４２１】
このキットは、少なくとも１つの電気化学発光共同反応物及び／又は少なくとも１つの電極誘起発光標識（好ましくは、電気化学発光標識）を備えることが好ましい。
【０４２２】
別の実施形態によれば、このキットは、複数のアッセイ用に適合されたものである。このキットは、追加のアッセイで使用する追加のアッセイ試薬をさらに備えることが好ましい。この追加のアッセイは、放射能アッセイ、酵素アッセイ、化学的比色アッセイ、蛍光アッセイ、化学発光アッセイ及びそれらの組合せからなる群から選択される。
【０４２３】
別の実施形態によれば、このキットは、２個以上、好ましくは４個以上、より好ましくは８個以上、より好ましくは１５個以上、最も好ましくは２５個以上のアッセイモジュール又はプレートを備える。好ましい実施形態によれば、このキットは、再密封可能な（例えば、ジップロック開口部）バッグ又は容器内に入れる。
【０４２４】
このバッグ又は容器は、水分を実質的に通さないことが好ましい。好ましい一実施形態によれば、このバッグは、フォイル、好ましくはアルミニウム蒸着フォイルである。
【０４２５】
このパッケージは、半透明、透明又は不透明としてよい。乾燥又は不活性雰囲気を含み、アルミニウムでライニングしたプラスチック容器又はバッグ内に、プレートをパッケージすることが好ましい（例えば、窒素又はアルゴンの雰囲気下でこのバッグを密封するか、あるいは、このバッグに乾燥剤を入れることができる）。別の実施形態によれば、この容器を真空密封する。
【０４２６】
好ましくは、この容器は、１枚のプレートを含む。別の実施形態によれば、この容器は、１０枚のプレートを含む。別の実施形態によれば、この容器は、１０〜１００枚のプレートを含む。
【０４２７】
このアッセイモジュール又はプレートは、無菌であり、かつ／又は粉塵その他の汚染物を実質的に含まないことが好ましい。
【０４２８】
また、このアッセイモジュールは、ほぼ無菌であることが好ましい。
【０４２９】
一実施形態によれば、このキットは、「クリーンルーム」環境で（少なくとも部分的に）製造し、かつ／又はパッケージする。好ましくは、このキットは、１立方フィート当たりの粒子の数（０．５ミクロン粒子計数を用いたクリーンルーム粒子計数）が１００，０００未満（すなわち、１ｍ３当たり３５３万個の粒子）であるクラス１００，０００のクリーンルームで（少なくとも部分的に）製造し、かつ／又はパッケージする。
【０４３０】
好ましくは、キットの（０．５ミクロン未満の粒子の）汚染物粒子計数は、６０００万個／ｍ２未満、より好ましくは３０００万個／ｍ２未満、さらに好ましくは２０００万個／ｍ２未満、さらに好ましくは１５００万個／ｍ２未満、最も好ましくは１０００万個／ｍ２未満である。
【０４３１】
好ましくは、汚染性の非揮発性残査は、０．５０ｇ／ｍ２未満、より好ましくは０．２５ｇ／ｍ２未満、さらに好ましくは０．１５ｇ／ｍ２未満、最も好ましくは０．１０ｇ／ｍ２未満である。
【０４３２】
好ましくは、汚染物イオン濃度は、５０ｐｐｍ未満、より好ましくは２０ｐｐｍ未満、さらに好ましくは１０ｐｐｍ未満、さらに好ましくは５ｐｐｍ未満、最も好ましくは１ｐｐｍ未満、である。
【０４３３】
本発明の別の態様は、アッセイ電極又はアッセイモジュールなどの上に、好ましくは本発明のマルチウエルプレートの電極上に被覆した様々な生物種／化学種を安定化させる新規な手法に関する。例えば、マルチウエルプレート又はキットは、ある範囲の用途向けに製造することができる。プレートは、被覆しないこともできるし、特定の試薬であらかじめ被覆することもできる。一般に、プレート上に被覆した試薬により、プレート表面にある種のアッセイ成分を特異的に結合させることができる。プレート上にこれらの試薬を被覆させた後、プレートをアッセイに使用する前に、通常、ある時間遅れが生じる。したがって、試薬の被覆の安定性が不可欠である。試薬が変性その他のしかたで劣化した場合、試薬は生物学的に活性が少なくなるか、あるいは不活性になる。以下で説明する被覆の安定化の手法を、本明細書を通じて説明する様々なタイプの被覆及び／又は様々なアッセイモジュール（例えば、マルチウエルマルチスポットプレートなど）に適用することができる。
【０４３４】
プレート表面上で試薬を安定化させるための一実施形態は、プレートに安定化溶液を塗布し、その後、生物試薬を付着させる前に、又は付着中に、あるいは付着させた後で表面上でこの溶液を乾燥させることを伴う。好ましくは、この安定化溶液は、糖を含む緩衝溶液である。この溶液が乾燥すると、固定化した試薬の生物活性の安定性を助長する望ましい環境を生成する糖の被覆が残る。好ましくは、得られた被覆表面は、糖１〜１００μｇ／ｃｍ２を含む。水溶液でウエルを再水和し、この溶液中に溶解する糖の量を測定することによって、この表面上に存在する糖の量を測定することができる。
【０４３５】
一実施形態では、（ａ）緩衝液（例えば、リン酸アンモニウム、リン酸ナトリウム及び／又はリン酸カリウム）、及び（ｂ）糖を含む安定化溶液を使用する。この糖は、フルクトース、マルトース、スクロース、グルコース、トレハロースなどを含めて、単糖ファミリのいずれか１つとすることができる。好ましくは、この糖はスクロースである。
【０４３６】
別の実施形態によれば、この安定化溶液は、防腐剤（例えば、Ｋａｙｔｈｏｎ（市販の防腐剤））をさらに含む。別の実施形態によれば、この安定化溶液は、界面活性剤、好ましくは非イオン性の界面活性剤（例えば、Ｔｗｅｅｎ  ２０）をさらに含む。別の実施形態によれば、この安定化溶液は、防腐剤及び界面活性剤をさらに含む。ただし、この安定化溶液は、任意選択で、防腐剤又は界面活性剤なしで、緩衝液及び糖を含むことができるはずである。
【０４３７】
好ましい実施形態によれば、この安定化溶液は、リン酸二水素アンモニウム１０〜３０ｇ／ｌ、第一リン酸アンモニウム１〜２ｇ／ｌ、Ｋａｙｔｈｏｎ（市販の防腐剤）１〜３ｇ／ｌ、Ｔｗｅｅｎ  ２０（市販の界面活性剤）０．５〜２ｇ／ｌ及びスクロース１０〜３０ｇ／ｌを含む。
【０４３８】
特に好ましい実施形態によれば、この安定化溶液は、リン酸二水素アンモニウム２４．７ｇ／ｌ、第一リン酸アンモニウム１．５ｇ／ｌ、Ｋａｙｔｈｏｎ（市販の防腐剤）２ｇ／ｌ、Ｔｗｅｅｎ  ２０（市販の界面活性剤）１ｇ／ｌ及びスクロース２０ｇ／ｌを含む。
【０４３９】
好ましくは、この溶液のｐＨを、６．５〜８．５、より好ましくは７．０〜８．０、さらに好ましくは７．４〜７．８、最も好ましくは約７．６に調整する。水酸化カリウム（塩基）又は塩化水素（酸）などの単酸又は単塩基で、ｐＨを調整することが好ましい。
【０４４０】
また、本発明は、安定化溶液を塗布する方法に関する。安定化溶液を表面（例えば、電極又はプレート）に塗布するにはいくつかの方法がある。一般に、１つ（又は複数）の動作電極の１つ（又は複数）の活動区域（例えば、アッセイスポット、アッセイ領域又はアッセイドメイン）上に捕捉試薬を微量分配する。培養期間後、任意選択で、ウエルを洗浄し、かつ／又は遮断試薬で遮断する。プレートを遮断しない場合には、安定化溶液を用いて結合していない捕捉試薬を洗い流すことができ、微量の安定化溶液がウエル中に乾燥して残る。一般に、安定化溶液の薄い皮膜だけがウエル中に残る（例えば、９６ウエルプレートの各ウエルに対しては５μｌ未満の量が好ましく、３８４ウエルプレートの各ウエルに対しては２μｌ未満の量が好ましい）。別の実施形態によれば、ウエルから遮断溶液を吸引し、残った溶液を安定化溶液で洗い流し、プレートを遮断する。微量の安定化溶液がウエル中に残って生物試薬が被覆され、安定化溶液によって捕捉試薬及び遮断試薬がともに安定化する。
【０４４１】
本発明の別の実施形態は、本発明のアッセイモジュールを適切に保管する方法に関する。長期間の保管にわたって安定性を維持するには、プレートは乾燥しているべきである。いくつかのステップを用いて、プレートの乾燥状態を確保することができる。まず、洗浄サイクルの終了時に安定化溶液の大部分を除去することが好ましい。一般に、使用環境条件で、ある時間たつと、残りの流体は乾燥する。あるいは、ある時間にわたり、ウエル中に乾燥空気を吹き付けることによってウエルを乾燥させることができる。一実施形態によれば、プレートの各ウエル中に、個々のチューブを通して空気を吹き付ける。あるいは、各ウエル中に配置したチューブを通して空気を吸引して、室内の比較的乾燥した空気がウエル中に流れるようにすることができる。いずれの手法でも同様にウエルを乾燥させることができる。プレートを乾燥させる別の方法は、安定化溶液で洗浄したプレートのバッチを真空チャンバ内に入れることである。真空中で残りの水分が蒸発して、プレートが乾燥する。プレート上の安定化溶液の乾燥は、個々のバッチで行うこともできるし、自動プレート処理システムの一部として行うこともできる。
【０４４２】
安定化溶液とともにプレートを乾燥させた後で、乾燥剤のパックと一緒にプレートをパッケージして、さらに乾燥が行われ得るようにすることが好ましい。この乾燥剤により、製品の保存期間中にパッケージ材料を透過する有害な水蒸気も吸収され得る。水蒸気の透過を妨げる遮断性の高いパッケージ材料を用いることが好ましい。好ましくは、プレートを真空パックする際に、パッケージ内の空気を除去する。真空パッケージの前に、パッケージに不活性ガス（例えば、窒素、アルゴン）を充填して、パッケージから酸素及び水蒸気を追い出すことができる。好ましい一実施形態によれば、プレートは、乾燥剤（例えば、好ましくはシリカゲル、より好ましくはパッケージしたプレートそれぞれにつき約３．５ｇのシリカゲル乾燥剤）を含み、アルミニウム箔（例えば、０．３５ミルのアルミニウム箔）に積層したポリプロピレンからなるバッグに入れる。必要なシリカゲル乾燥剤の正確な量は、パッケージ材料の水蒸気透過性、プレート上の残留水分、及び製品の所望の保存期間で決まる。好ましい一実施形態では、１枚のプレート当たり１〜２ｇの乾燥剤を使用する。この乾燥剤は、ある閾値量の水分を吸収すると色が変わることが好ましい。複数のプレートを合わせてパッケージする際には、必要な乾燥剤の量が多くなる。というのは、プレート上に残る水分が増え、パッケージする表面積が大きくなるからである。
【０４４３】
本発明の別の実施形態は、試薬を固定化する表面の導電率の変化を測定することによって、アッセイモジュールの乾燥化又は乾燥状態を測定する新規な方法に関する。例えば、本発明のマルチウエルプレートは各ウエルの底部上に電極を一体化しており、それによって、標準のマルチウエルプレートでは不可能な方法で、プレート底部の乾燥状態を測定することができる。ウエル底部及びウエル壁を被覆する安定化溶液は、導電材料であり、この溶液の導電率は水分の濃度で決まる。したがって、この溶液が被覆を形成し乾燥して安定状態に達するまで、導電率は小さくなる。動作電極から対電極までの導電率を測定することによって、乾燥の程度をモニタすることが可能であり、プレートの乾燥状態を測定する品質管理の働きをする。パッケージしたプレートの保管後に同様の測定を行い、パッケージが水分に対する良好な障壁を提供し、かつ／又は、乾燥剤がプレートを乾燥状態に保つのに十分であったかを確認することができる。プレートの安定性を確保するには、導電率が、３０μＳ（マイクロジーメンス）未満、好ましくは１０μＳ未満、より好ましくは５μＳ未満、最も好ましくは約１μＳ未満になるまでプレートを乾燥させる。
【０４４４】
５．７  非適合プレート用のアダプタ
本発明の別の態様は、この機器の電気コネクタに整列しない接点表面を有するプレートを使用して、電極誘起発光アッセイ（好ましくは、電気化学発光アッセイ）を行うための機器とともに使用するように設計され構成されたプレートアダプタに関する。したがって、アダプタを使用して、この機器の電気コネクタと非適合プレートの接点表面の間で適応性のある電気的接続を行うことができる。
【０４４５】
本発明の一実施形態は、アッセイプレート中で、好ましくは、複数のウエルを有するマルチウエルアッセイプレート中でアッセイを行う機器で使用するプレート接点アダプタに関する。このプレートは、複数のウエルに電気エネルギーを供給するための複数のプレート動作接点表面及び複数のプレート対向接点表面を備える。この機器は、複数のウエルに電気エネルギーを供給するように適合された１つ又は複数の動作コネクタ及び１つ又は複数の対向コネクタを含む。これら１つ又は複数の動作コネクタ及び／又は１つ又は複数の対向コネクタは、対応するプレート動作接点表面及び／又はプレート対向接点表面に対合せず、かつ／又は整列しない。このプレート接点アダプタは、
（ａ）少なくとも第１アダプタ表面及び第２アダプタ表面を有する非導電性基板と、
（ｂ）機器の１つ又は複数の動作コネクタに対合するように構成された第１アダプタ表面上の１つ又は複数の動作アダプタ接点表面と、
（ｃ）機器の１つ又は複数の対向コネクタに対合するように構成された第１アダプタ表面上の１つ又は複数の対向アダプタ接点表面と、
（ｄ）１つ又は複数の動作アダプタ接点表面に電気的に接続され、１つ又は複数のプレート動作接点表面と電気的に接触するように構成された第２アダプタ表面上の１つ又は複数の動作アダプタ接点と、
（ｅ）１つ又は複数の対向アダプタ接点表面に電気的に接続され、１つ又は複数のプレート対向接点表面と電気的に接触するように構成された第２アダプタ表面上の１つ又は複数の対向アダプタ接点とを備える。
【０４４６】
好ましくは、このプレートアダプタは、標準の９６ウエル又は３８４ウエルプレートにほぼ対応する寸法を有し、かつ第１アダプタ表面上の以下の位置のうち、少なくとも１つ、好ましくは少なくとも２つ、より好ましくは少なくとも４つ、最も好ましくはすべての位置に配置されたアダプタ接点位置のところでアダプタ接点表面を有する。これらの位置は、それぞれプレートアダプタの左縁部及び上縁部から（インチで）測った座標（Ｘ，Ｙ）（±０．２５０”、好ましくは、±０．１２５”）で定義する。
（ｉ）１つ又は複数（好ましくは２つ以上、より好ましくは３つ以上、最も好ましくはすべて）の第１セクタ位置が、（０．７４３、０．６２０）、（１．０９７、０．６２０）、（１．４５１、０．６２０）、（０．７４３、１．３２９）、（１．０９７、１．３２９）、（１．４５１、１．３２９）であり、最も好ましくは、１つ又は複数の動作アダプタ接点位置を、（０．７４３、０．６２０）、（１．４５１、０．６２０）、（０．７４３、１．３２９）及び（１．４５１、１．３２９）から選択し、かつ／又は、１つ又は複数の対向アダプタ接点位置を、（１．０９７、０．６２０）及び（１．０９７、１．３２９）から選択する。
（ｉｉ）１つ又は複数（好ましくは２つ以上、より好ましくは３つ以上、最も好ましくはすべて）の第２セクタ位置が、（２．１６１、０．６２０）、（２．５１５、０．６２０）、（２．８６９、０．６２０）、（２．１６１、１．３２９）、（２．５１５、１．３２９）、（２．８６９、１．３２９）であり、最も好ましくは、１つ又は複数の動作アダプタ接点位置を、（２．１６１、０．６２０）、（２．８６９、０．６２０）、（２．１６１、１．３２９）及び（２．８６９、１．３２９）から選択し、かつ／又は、１つ又は複数の対向アダプタ接点位置を、（２．５１５、０．６２０）及び（２．５１５、１．３２９）から選択する。
（ｉｉｉ）１つ又は複数（好ましくは２つ以上、より好ましくは３つ以上、最も好ましくはすべて）の第３セクタ位置が、（３．５７９、０．６２０）、（３．９３３、０．６２０）、（４．２８７、０．６２０）、（３．５７９、１．３２９）、（３．９３３、１．３２９）、（４．２８７、１．３２９）であり、最も好ましくは、１つ又は複数の動作アダプタ接点位置を、（３．５７９、０．６２０）、（４．２８７、０．６２０）、（３．５７９、１．３２９）及び（４．２８７、１．３２９）から選択し、かつ／又は、１つ又は複数の対向アダプタ接点位置を、（３．９３３、０．６２０）及び（３．９３３、１．３２９）から選択する。
（ｉｉｉ）１つ又は複数（好ましくは２つ以上、より好ましくは３つ以上、最も好ましくはすべて）の第４セクタ位置が、（０．７４３、２．０３８）、（１．０９７、２．０３８）、（１．４５１、２．０３８）、（０．７４３、２．７４７）、（１．０９７、２．７４７）、（１．４５１、２．７４７）であり、最も好ましくは、１つ又は複数の動作アダプタ接点位置を、（０．７４３、２．０３８）、（１．４５１、２．０３８）、（０．７４３、２．７４７）及び（１．４５１、２．７４７）から選択し、かつ／又は、１つ又は複数の対向アダプタ接点位置を、（１．０９７、２．０３８）及び（１．０９７、２．７４７）から選択する。
（ｉｖ）１つ又は複数（好ましくは２つ以上、より好ましくは３つ以上、最も好ましくはすべて）の第５セクタ位置が、（２．１６１、２．０３８）、（２．５１５、２．０３８）、（２．８６９、２．０３８）、（２．１６１、２．７４７）、（２．５１５、２．７４７）、（２．８６９、２．７４７）であり、最も好ましくは、１つ又は複数の動作アダプタ接点位置を、（２．１６１、２．０３８）、（２．８６９、２．０３８）、（２．１６１、２．７４７）及び（２．８６９、２．７４７）から選択し、かつ／又は、１つ又は複数の対向アダプタ接点位置を、（２．５１５、２．０３８）及び（２．５１５、２．７４７）から選択する。
（ｖ）１つ又は複数（好ましくは２つ以上、より好ましくは３つ以上、最も好ましくはすべて）の第６セクタ位置が、（３．５７９、２．０３８）、（３．９３３、２．０３８）、（４．２８７、２．０３８）、（３．５７９、２．７４７）、（３．９３３、２．７４７）、（４．２８７、２．７４７）であり、最も好ましくは、１つ又は複数の動作アダプタ接点位置を、（３．５７９、２．０３８）、（４．２８７、２．０３８）、（３．５７９、２．７４７）及び（４．２８７、２．７４７）から選択し、かつ／又は、１つ又は複数の対向アダプタ接点位置を、（３．９３３、２．０３８）及び（３．９３３、２．７４７）から選択する。
【０４４７】
このアダプタは、１つ又は複数のアダプタ接点表面を含む第１層、１つ又は複数のアダプタ接点を含む第２層及びそれらの間の１つ（又は複数）の絶縁層を備えることが好ましい。好ましくは、この１つ（又は複数）の絶縁層は、これら１つ又は複数のアダプタ接点表面を１つ又は複数のアダプタ接点に電気的に接続する１つ又は複数の導電経路を含む。好ましい一実施形態によれば、このアダプタは、アダプタをプレート底部に取り付けることができるように、アダプタ接点を有する表面上に粘着剤を備える。別の実施形態によれば、このアダプタはプレート上にクランプされる。別の実施形態によれば、このアダプタを、この機器の電気コネクタに接続されるように構成する。
【０４４８】
本発明の別の実施形態は、複数のウエルを有するマルチウエルアッセイプレートから発光を測定する方法に関する。この方法は、アダプタを使用して、マルチウエルアッセイプレートに電気エネルギーを供給することを含む。
【０４４９】
別の実施形態は、このアダプタを備える機器に関する。
【０４５０】
別の実施形態は、アダプタを伴うマルチウエルプレートに関し、このアダプタは、このマルチウエルプレートに取り付けられるか、あるいは、それに接触する。
【０４５１】
５．８  ウエルに再照準する方法
本発明の別の態様は、複数のウエルを有するマルチウエルアッセイプレートから発光を測定するための機器を使用して、１つ又は複数のアッセイを行う方法に関する。この機器は、複数のウエル内で発光を生成するためのエネルギー源と、これら複数のウエルから放出される発光を測定するカメラとを備える。この方法は、カメラの焦点を調整することによって測定を最適化し、それによって、この機器内で１つ又は複数のアッセイを行う方法を最適化することを含む。好ましくは、この最適化には、レンズを調整し、かつ／又は、ウエルとカメラの間の距離を調整することが含まれる。このような方法により、例えば、様々な寸法を有し（すなわち、画像形成表面又は検出表面と発光表面の間の距離が変動する）、かつ／又はウエル中に様々な体積の流体を有し、かつ／又は様々なサンプル組成を有する（例えば、様々な光学特性を有する）プレートを使用することができる。
【０４５２】
好ましくは、この機器は、再照準を行って蓋又はカバーの存在を検出し、その後、この蓋又はカバーがプレート底部の画像に及ぼす影響を補償することができるように適合される。さらに、この再照準により、ウエル中の流体の量（又は、ウエル中の流体の屈折率の変化）を検出し、その後、プレート底部に焦点を合わせ直すことができよう。
【０４５３】
５．９  電気接点又は電気コネクタを再配置する方法
本発明の別の態様は、異なる接点表面構成を有するマルチウエルプレートを使用して、１つ又は複数のアッセイを行う方法に関する。すなわち、この方法は、この機器の電気コネクタを再構成又は再配置して、プレートの接点表面に正しく整列し、かつそれらへの接触を正しく行うことを含む。このような方法により、プレートの選択の柔軟性がより大きくなり得る。また、このような方法により、新しい接点構成を有する将来のプレートを将来の時点で使用することもできる。
【０４５４】
本発明の一実施形態は、複数のウエルと、これら複数のウエルに電気的に接続された２つ以上のプレート接点表面とを有するマルチウエルアッセイプレートから発光を測定するための機器を使用して、１つ又は複数のアッセイを行う方法に関する。この機器は、複数のウエル内で発光を生成するためのエネルギー源と、複数のウエルから放出される発光を測定するカメラと、マルチウエルプレートへの接触を行い、それによって、ウエルにエネルギーを供給するための１つ又は複数の電気コネクタとを備える。この方法は、この機器の１つ又は複数の電気コネクタを配置かつ／又は再構成して、プレート接点表面に位置合わせすることを含む。
【０４５５】
本発明の別の実施形態は、第１組の電気コネクタの代わりに、異なる構成を有する第２組の電気コネクタを使用する方法に関する。したがって、本発明の別の態様は、電気接点をこのように再構成又は再配置し、かつ／又は、第１組の電気接点の代わりに、異なる構成を有する第２組の電気接点を使用するように適合された機器に関する。
【０４５６】
５．１０  コンピュータにより実施される制御／インターフェースシステム
ＣＣＤによる実施
図３５ａに、本明細書で説明した代表的な診断装置上でＥＣＬベースのアッセイを行うための自動化／コンピュータ化プロセスの一実施形態についてのトップレベルのブロック図を示す。図３５ａのプロセスフロー図に示すステップのいずれか１つ又はすべてのステップ及び関連する図は、汎用コンピュータシステム又は特別に設計され装備を施されたコンピュータシステムによって実施することができることを理解されたい。典型的なコンピュータシステムは、少なくとも１つのプロセッサと、このプロセッサに接続された少なくとも１つのメモリからなる。一実施形態では、図３５ａに示すプロセスフロー及び関連する図を、プロセッサが実行することができる１組の命令で実施することができる。このような実施形態では、コンピュータに接続された装置上でＥＣＬベースのアッセイを実施する命令セットを、例えば、任意の磁気媒体、任意の光学媒体、任意の光磁気媒体などを含めて、コンピュータにより読込み可能な記憶媒体に記憶させることができる。このコンピュータにより読込み可能な記憶媒体は、例えば、ＲＯＭ（読出し専用メモリ）に直接アクセスするか、あるいは、コンピュータシステムにローカルに接続された適当な読込み装置に実行可能な命令を含む記憶媒体をロードすることによってローカルにアクセスすることもできるし、あるいは、例えば、コンピュータシステムにリモートに接続された装置から命令セットをダウンロードすることによってリモートにアクセスすることもできる。コンピュータシステムにリモートに接続された装置は、例えば、コンピュータシステムにネットワーク接続されたサーバ、離れたところにある記憶装置又は専用ネットワーク機器、デジタル送信機器（例えば、衛星、マイクロ波、赤外線及び／又は無線放送）などを含み得る。
【０４５７】
ステップ３５２０で、少なくとも一部の命令セットをプロセッサが実行できるようにプロセッサに接続されたメモリにロードする。図３５ｂは、ステップ３５２０で実行される動作を示すより詳細なブロック図である。一実施形態では、命令の初期化は、装置の構成に関連する情報、例えば、特定のカメラに関連する情報、動作制御システムに関連する情報、ＥＣＬ用の電子回路／サブシステムに関連する情報などを含む構成ファイルを読み込む（３５２１）ことを含み得る。カメラに固有の情報は、例えば、カメラのタイプ（ＣＣＤ、ＣＭＯＳ）、特定のＣＣＤチップに関するパラメータ、動作パラメータ（積分時間、ビニング、ゲイン設定など）、欠陥マップ、フィルター、固定焦点長又は可変焦点長などを含み得る。制御システムに関する情報は、例えば、モータの数及び配置、位置センサの数及び配置、自由度、動作範囲、速度プロフィールパラメータ、実行可能な経路、ロボットローディングシステム（例えば、各プレートをロードするか、あるいは、各スタックチューブをロードするロボットシステムなど）の有無などを含み得る。ＥＣＬ用の電子回路／サブシステムに関連する情報は、例えば、電源、印加可能な波形の範囲、電気接点の数及び配置、電気接点の動作範囲などを含み得る。構成ファイルが読み込まれると（３５２１）、コンピュータシステムは、カメラ及び関連のサブシステムを初期化し（３５２２）、動作コントローラ及び関連のサブシステムを初期化し、ＥＣＬ用の電子回路及び／又は関連のサブシステムを初期化し、３５２１で読み込まれた構成ファイルで定義し得る他の任意のシステム又はサブシステムを初期化する適切な命令を実行することができる。
【０４５８】
ステップ３５０２で、スタックチューブをそれぞれの受け器にロードする。スタックチューブのローディングは完全に自動的に、あるいは完全に手動で、ないしはそれらの任意の組合せで行うことができる。例えば、完全に自動なやり方では、ロボットマニピュレーションシステムに接続されたコンピュータシステムは、ロボットマニピュレーションシステムがスタックチューブのロード／アンロードを行うように指令する命令を保持することができるはずである。もちろん、ロボットマニピュレーションシステムに接続されたコンピュータシステムは、診断装置に接続された同じコンピュータシステムとすることもできるし、あるいは、ロボットマニピュレーションシステムを制御する専用の別のコンピュータシステムとすることもできるはずであることを理解されたい。ステップ３５３０で、プレートキャリア上にプレートをロードするように、動作制御システムに命令が発行される。図３５ｃは、ステップ３５３０で実行される動作を示すより詳細なブロック図である。ステップ３５３１で、コンピュータシステムは、適切なサブシステムが、容器のドアを開き（３５３１）、分析すべきプレートを含むスタックチューブからプレートを受け取るためにプレートキャリアを定位置に移動させる（３５３２、３５３３）ように指令する命令を実行する。プレートキャリアがプレートを受け取る位置にくると、コンピュータは、適切なサブシステムが、スタックチューブからプレートを解放してプレートキャリア上に置くように指令する命令３５３４、３５３５を実行する。ステップ３５３６、３５３７で、適切なサブシステムが、スタックチューブ上のプレート保持機構に係合し、後で診断装置の容器内に搬送するための位置にプレートキャリアを移動させるように指令を受ける。一実施形態では、図３５ｃに示すように、ソレノイドにより機械式のラッチを作動させて、プレートチューブからプレートを解放し（３５３４）、プレートチューブ内でプレートを保持する（３５３６）ことができる。好ましい実施形態では、センサにより、プレートがプレートキャリア上にうまくロードされたかどうかが示される（３５３８）。センサによりプレートが存在することがコンピュータに示される場合には、適切なサブシステムが、容器内にプレートキャリアを移動させ（３５４５）、容器のドアを閉じる（３５４６）ように指令する命令が実行される。ただし、センサにより、プレートがプレートキャリア上にロードされなかったことが示される場合には、適切なサブシステムが、再度３５３３から３５３９までのステップを実施する命令を実行するように指令する代替命令が実行される。ステップ３５３９で、プレートが依然として存在しないと判定される場合には、コンピュータは、まず、この動作が以前に試みられたかどうかを判定し（３５４０）、そうである場合には、適切なサブシステムが、プレートキャリアを移動させて容器内に戻し（３５４１）、誤りを生成し（３５４２）、プロセスを終了させる（３５４９）ように指令する代替命令セットを実行する。もちろん、図３５ｃは、プレートキャリア上にプレートをロードする試みを２回しか行わない実施形態を示す一例であり、プレートをロードするように試みる回数は、ただの１回から指定する回数まで変えることができることを理解されたい。試行回数は、命令セット中で規定した固定回数とすることもできるはずであるし、３５２１でロードした構成ファイルあるいは使用者／操作者によって規定される可変回数とすることもできるはずである。
【０４５９】
次に、３５３０でプレートキャリア上にプレートをロードした後で、実施形態の一例について図３７に示すバーコード３７３０〜３７３３、３７４０〜３７４３をプレートから読み取る（３５５０）。図３５ｄは、ステップ３５５０で実行される動作を示すより詳細なブロック図である。ステップ３５５１で、コンピュータシステムは、第１位置、例えば３７３０がバーコード情報で占められているかどうかを判定する。一実施形態では、使用者／操作者は、例えば、マウス、キーボード、データファイルなど使用者用の入力装置から、プレート上のバーコードの数及び配置を指定することができる。別の実施形態では、第１位置３７３０自体が、バーコードの数及び配置を示す符号化した情報を含むことができる。このような実施形態では、コンピュータシステムは、例えば、コンピュータシステムが、常に第１位置を読み、第１位置からの情報を使用して他のバーコード化された情報の数及び配置を決定する命令を実行することができるはずである。第１位置がバーコード情報を含む場合、コンピュータシステムは、適切なサブシステムが、第１バーコード読取り位置にプレートキャリアを移動させ（３５５２）、バーコード情報３７３０を読み取る（３５５３）ように命令を出す。次いで、バーコード情報で占められた任意の数の後続のバーコード位置３７３０〜３７３３、３７４０〜３７４３について、指定されたすべてのバーコードが読み取られるまで、このプロセスを繰り返す（３５５４〜３５５６）ことができるはずである。図３５ｄは、２つのバーコードが存在し得る可能な実施形態の単なる一例を示すものであり、実際には、物理的な制約（例えば、プレートの読取り可能な区域、プレートの読取り可能な区域上に配置することができるバーコードの数など）だけで制限される任意の数のバーコード（例えば、図３７を参照）を使用することができることに留意することが重要である。
【０４６０】
好ましい実施形態では、このシステムは、バーコードに基づいてマイクロタイタープレートを処理することができるように、「責任の連鎖（ｃｈａｉｎ  ｏｆ  ｒｅｓｐｏｎｓｉｂｉｌｉｔｙ）」として知られるソフトウエア設計パターンを使用することができる。この診断装置は、マイクロタイタープレート上のバーコードを読み取り、解釈するように構成することができる。バーコードは、その中に、多数の様々なフォーマットで符号化された多数の情報を有し得る。責任の連鎖パターンにより、コンピュータシステムは、多くの異なるフォーマットを読み取り解釈することができる。いくつかのフォーマットは診断装置の製造又は組立て時に指定され、他のフォーマットはその後なんらかの時点で指定され、さらに他のフォーマットは様々な業者により指定され得る。
【０４６１】
例えば、一例では、診断装置の製造業者は、特定の装置が取り扱うことができるアッセイの数及びタイプ、マイクロタイタープレートのタイプ、ウエルの数、ウエル内のスポットの数、電極の数、タイプ、組成及び／又は配置などに関するある種の要件及び／又は制限を指定する。別の例では、診断装置自体の製造業者と同じであることもあるし異なることもある、マイクロタイタープレート又はマイクロタイタープレートの一部（例えば、プレート底部なしのマイクロタイタープレート、一体化電極を備えたプレート底部など）の製造業者も、プレートの正しい取扱い及び使用法について指定したある種の要件及び／又は制限（例えば、使用する材料、電極を製作するのに用いるプロセスなど）を有することがある。
【０４６２】
さらに別の例では、マイクロタイタープレート又は診断装置の製造業者と同じ業者であることもあるし異なることもある、ある種の試薬を電極上に固定化することを担当する業者は、さらに、試薬で処理したマイクロタイタープレートの正しい使用法及び取扱いについて、その製造業者自身の要件／制限（例えば、温度、湿度、光／ＵＶの露光、保存期間、保存要件、どのウエルがコントロール（陽性及び／又は陰性）、特定の濃度を有する既知の較正物、未知のサンプルを含むかなど）を指定することがある。さらに別の例では、アッセイを実施する業者は、どのウエルにどの化合物を計量分配したかを追跡するために、プレートにバーコードを貼るように望むこともある。
【０４６３】
責任の連鎖の手法を用いると、いつでもどの業者でも新しいフォーマットを導入することができる。マイクロタイタープレート上にバーコードを配置することを望む業者は、単にあるコンポーネント、すなわちバーコードインタプリタを供給することによってそれを行うことができる。このインタプリタは、既存のコードの書換え又は改変を必要とせずに、システムに付加することができる。各バーコードインタプリタは、個々のバーコードフォーマットを解析し復号する汎用インターフェースを実現する自己完結型のコンポーネントとすることができるはずである。バーコードが読み取られると、コンピュータシステムは、適切なバーコードインタプリタを識別するタスクを、利用可能なバーコードインタプリタのリストを構築し、第１インタプリタにバーコードを復号するように要求する別の命令セットに割り当てる命令を実行する。
【０４６４】
一実施形態では、第１インタプリタが符号化を解釈できる場合、第１インタプリタがバーコード上の情報を解析し復号する。このインタプリタがこのフォーマットを認識しない場合には、このインタプリタは、このバーコードをリスト上の次のインタプリタに送る。このようにして、各インタプリタにバーコードを処理する機会が与えられる。別の実施形態では、コンピュータシステムは、並列に又は順に、各インタプリタに符号化された情報を送り、インタプリタがそのフォーマットを認識するかどうかに関する応答を待つことができる。新しいフォーマットが導入された場合、この新しいフォーマットを取り扱う新しいインタプリタでシステムを構成するだけでよい。チェーン上の他のインタプリタはこの新しいフォーマットを無視し、コンピュータシステムにこのフォーマットを認識しないことを伝えるか、あるいは、このフォーマットに適したインタプリタが見つかるまで、このフォーマットをチェーン上の次のインタプリタに送る。
【０４６５】
３５５０でバーコード情報が読み取られると、適切なサブシステムがプレートを「読み取る」ように指令する命令が実行される（３５６０）。図３５ｅは、ステップ３５６０で実行される動作を示すより詳細なブロック図である。ステップ３５６１で、適切なサブシステムが、第１セクタを読み取る位置にプレートキャリアを移動させるように指令する命令が実行される。第１セクタを読み取る位置にくると、適切なサブシステムが、バックグラウンド画像を読み取る（３５６２、３５６３）ように指令する命令が実行される。ステップ３５６４で、３５６３で取得したバックグラウンド画像に対する生画像処理を行う命令が実行される。ステップ３５６４では、例えば、ＣＣＤチップの欠陥補正、（必要なら）交差、宇宙線による偽信号の除去及び画像統計値の計算を行う命令を実行し、かつある種のアルゴリズムを適用（３５７６）することができる（画像処理は、以下でより詳細に論じる）。
【０４６６】
３５６３で取得した画像を生画像処理にかけた後で、バックグラウンド画像処理ステップ３５６５を実施して、光漏れの状態が存在するかどうかを判定する（３５７７）。光漏れの状態があると判定されない場合には、プロセスはステップ３５６６に進み、適切なサブシステムが、電気接点をもち上げ（３５６６）、適切な波形を印加し（３５６７）、カメラの取得手順を開始する（３５６８）ように指令を受ける。図３５ｅに示すように、ステップ３５６７及び３５６８をほぼ並列すなわちほぼ同時に行う。３５６９でカメラの取得手順が終了した後で、取得した画像を読み取り（３５７０）、生画像処理にかける（３５７１）。この生画像処理は、ＣＣＤチップの欠陥補正、入換え、宇宙線による偽信号の除去及び画像統計値の計算（３５７６）のうちの１つ又は複数を含み得る。
【０４６７】
次に、３５７１で処理した画像をセクタ画像処理手順３５７２に送る。一実施形態では、ステップ３５７２は、再寸法設定、バックグラウンド減算、ウエルマスクの生成及び適用、自動センタリング、平均化、クロストーク補正、暗画像の検出及び飽和の検出のうち１つ又は複数を含み得る。次いで、適切なサブシステムが、電気接点を下げる（３５７３）ように指令を受ける。読み取るべき残りのセクタがある場合には（３５７４）、適切なサブシステムが、次のセクタにプレートキャリアを移動させ（３５７５）、プレート上のすべてのセクタが読み取られるまで（３５７９）、このプロセスを続けるように指令を受ける。もちろん、ステップ３５７１及び３５７２をリアルタイムで行う必要はなく、その代わりに、オフラインモードで行うことができることを理解されたい。例えば、この診断装置は、個々のプレート、スタックチューブ中のすべてのプレート又は任意の数のプレート上のすべてのセクタを読み取り、後で画像処理を行うようにそれらの画像を記憶することができる。このような動作において、一実施形態では、使用者が画像処理ルーチンを実行することによって画像処理を開始することができるはずであり、また、別の実施形態では、あらかじめ規定した数のプレート／セクタが読み取られた後、所定の時間で画像処理が行われるように自動的にスケジュールすることができるはずであり、あるいは、それらの任意の組合せとすることができるはずである。
【０４６８】
プレート全体が読み取られた後で、適切なサブシステムがプレートを取り出す（３５８０）ように指令する命令が実行される。図３５ｆは、ステップ３５８０で実行される動作を示すより詳細なブロック図である。容器からプレートを取り出す指令に応答して、適切なサブシステムが、容器のドアを開く（３５８１）。次に、プレートを入力スタック位置に戻す（例えば、ロボットマニピュレーションシステムとともにこの装置を動作させる）かどうかが判定され、戻す場合には、適切なサブシステムが、「入力スタック」位置にプレートキャリアを移動させるように指令を受ける。プレートを入力スタック位置に戻さないと判定される場合には、適切なサブシステムが、「出力スタック」位置にプレートキャリアを移動させるように指令を受ける。プレートキャリアが入力スタック位置又は出力スタック位置のいずれに位置する場合でも、適切なサブシステムが、プレートキャリアをもち上げるか、あるいはスタッカリフトをもち上げるように指令を受け、それによって、プレートが適切な受け器に置かれる。次いで、スタッカリフトが下げられ（３５８６）、好ましい実施形態では、プレートがプレートキャリアからうまく取り出されたかどうかの判定がなされる（３５８７、３５８８）。プレートがうまく取り出されなかった場合、指定した回数又はプレートが取り出されるまでステップ３５８５〜３５８８を繰り返す。図３５ｆには、ステップ３５８５〜３５８８を２回しか行わない反復プロセスを示すが、このプロセスを任意の反復回数で行うことができることを理解されたい。反復回数が許容可能な回数を超えると（３５８９）、適切なサブシステムが、容器内にプレートキャリアを移動させ（３５９０）、誤りを生成する（３５９１）ように指令を受ける。ステップ３５８８で判定される際にプレートがうまく取り出されなかった場合、適切なサブシステムが、容器内にプレートキャリアを移動させるように命令を受けることになる（３５９２）。
【０４６９】
フォトダイオードアレイの実施
図３６ａに、本明細書で説明したフォトダイオードアレイを使用する代表的な診断装置上でＥＣＬベースのアッセイを行うための自動化／コンピュータ化プロセスの一実施形態についてのトップレベルのブロック図を示す。図３６ａのプロセスフロー図に示すステップのいずれか１つ又はすべてのステップ及び関連する図は、汎用コンピュータシステム又は特別に設計され装備を施されたコンピュータシステムによって実施することができることを理解されたい。典型的なコンピュータシステムは、少なくとも１つのプロセッサと、このプロセッサに接続された少なくとも１つのメモリからなる。一実施形態では、図３６ａに示すプロセスフロー及び関連する図を、プロセッサが実行することができる１組の命令で実施することができる。このような実施形態では、コンピュータに接続された装置上でＥＣＬベースのアッセイを実施する命令セットを、例えば、任意の磁気媒体、任意の光学媒体、任意の光磁気媒体などを含めて、コンピュータにより読込み可能な記憶媒体に記憶させることができる。このコンピュータにより読込み可能な記憶媒体は、例えば、ＲＯＭ（読出し専用メモリ）に直接アクセスするか、あるいは、コンピュータシステムにローカルに接続された適当な読込み装置に実行可能な命令を含む記憶媒体をロードすることによってローカルにアクセスすることもできるし、あるいは、例えば、コンピュータシステムにリモートに接続された装置から命令セットをダウンロードすることによってリモートにアクセスすることもできる。コンピュータシステムにリモートに接続された装置は、例えば、コンピュータシステムにネットワーク接続されたサーバ、離れたところにある記憶装置又は専用ネットワーク機器、デジタル送信機器（例えば、衛星、マイクロ波、赤外線及び／又は無線放送）などを含み得る。
【０４７０】
ステップ３６２０で、診断装置に電力を供給し、少なくとも一部の実行可能な命令セットをプロセッサが実行できるようにプロセッサに接続されたメモリにロードする。図３６ｂは、ステップ３６２０で実行される動作を示すより詳細なブロック図である。一実施形態の例では、まず、使用者／操作者が診断装置に電力を供給し（３６２１）、この時点で、使用者／操作者は、プレートをロードするかどうかを選ぶ（３６２２）ことができる。使用者／操作者がプレートをロードすることを望む場合、ドアセンサに触れると（３６２３）、適切なサブシステムが作動してユニットのカバーを開ける（３６２４）。カバーが開くと、使用者／操作者は、プレートをロードし（３６２５）、ドアセンサに触れることによって（３６２７）ドアを閉じることができる（３６２６）。ドアセンサに触れると（３６２７）、適切なサブシステムが作動してカバーを閉じる（３６２８）。この時点で、使用者／操作者がプログラム／ソフトウエアを起動して（３６２９）、装置の動作を開始することができる。
【０４７１】
ステップ３６４０で、少なくとも一部の命令セットをプロセッサが実行できるようにプロセッサに接続されたメモリにロードする。図３６ｃは、ステップ３６４０で実行される動作を示すより詳細なブロック図である。一実施形態では、命令の初期化は、装置の構成に関連する情報、例えば、特定のフォトダイオードセンサに関連する情報、動作制御システムに関連する情報、ＥＣＬ用の電子回路／サブシステムに関連する情報などを含む構成ファイルを読み込む（３６４１）ことを含み得る。フォトダイオードに固有の情報は、例えば、ダイオードのタイプ、動作パラメータ、ダイナミックレンジ、検出限界、フィルター、波長などを含み得る。制御システムに関連する情報は、例えば、モータの数及び配置、位置センサの数及び配置、自由度、動作範囲、実行可能な経路、ロボットローディングシステム（例えば、各プレートをロードするか、あるいは、各スタックチューブをロードするロボットシステムなど）の有無などを含み得る。ＥＣＬ用の電子回路／サブシステムに関連する情報は、例えば、電源、印加可能な波形の範囲、電気接点の数及び配置、電気接点の動作範囲などを含み得る。構成ファイルが読み込まれると（３６４１）、コンピュータシステムは、適切な動作パラメータを設定し（３６４２）、適切な検出パラメータを設定し（３６４３）、動作コントローラ及び関連のサブシステムを初期化し（３６４４）（例えば、適切なサブシステムが、カバー軸（３６４５）、接点軸（３６４６）及びキャリッジ軸（３７１０）に対して「基準位置に戻す」命令を実行するように指令を出し）、３６４１で読み込まれた構成ファイルで定義し得る他の任意のシステム又はサブシステムを初期化するように適切な命令を実行することができる。図３６ｆは、ステップ３７１０で実行される動作を示すより詳細なブロック図である。一実施形態では、キャリッジ軸を基準位置に戻すこと（３７１０）は、電流が高い状態のまま（３７１１）キャリッジを基準位置に移動させ、接点を固定位置に移動させ（３７１２）、電流をキャリッジ軸に保持する（３７１３）ことを含み得る。
【０４７２】
ステップ３６０２で、使用者／操作者は、プレートの読取り（３６５０）を準備する命令を実行するようにコンピュータシステムに指示することができる。図３６ｄは、ステップ３６５０で実行される動作を示すより詳細なブロック図である。一実施形態では、図３６ｄに示すように、プレート読取りの準備は、カバーが開いているかどうかを判定するステップ３６５１を含み得る。開いていない場合には、使用者／操作者は、（例えば、図３６ｂのステップ３６２３に示すように、ドアセンサを押すことによって）カバーを開く（３６５２）ように指示することができ、適切なサブシステムがカバーを開く（３６５３）ように指令する命令が実行される。３６５１でカバーを開くように判定された場合、コンピュータシステムは、プレートキャリア内に「前のプレート」が存在するかどうか判定する（３６５４）ことができるはずであり、存在する場合には、前のプレートをアンロードする（３６５５）ように使用者を促すことをコンピュータシステムにプログラムすることができる。次に、使用者／操作者が新しいプレートをロードする（３６５６）ことができるはずであり、プレートを直ちに読み取るかどうか決める（３６５７）ことができる。ＹＥＳの場合、使用者／操作者は、プレートを直ちに読み取る（３６６２）ようにシステムに指示することができるはずである。図３６ｄに示す一実施形態では、安全上の予防措置として、使用者／操作者による動作なしに指定した時間（例えば、３０分）よりも長くカバーが開いたままであるかどうか判定する（３６６０）ようにシステムをプログラムすることができるはずである。ＹＥＳの場合、適切なサブシステムがカバーを閉じる（３６６１）ように指令する命令が実行される。
【０４７３】
プレートを読み取るように指示が受信されると（例えば、使用者は、装置自体上のボタンを押すこともできるはずであるし、あるいは、グラフィカルユーザインターフェースソフトウエアで表示されたボタンを押すこともできるはずである）、適切なサブシステムがプレートを読み取る（３６６０）ように指令する命令が実行される。図３６ｅは、ステップ３６６０で実行される動作を示すより詳細なブロック図である。図３６ｅに示す実施形態では、コンピュータシステムは、適切なサブシステムが、カバー軸を基準位置に戻す（すなわち、カバーを閉じる）か、あるいは、カバー軸がすでに基準位置に戻されている（すなわち、閉じている）（３６７１）ことを確認し、キャリッジ軸に高電流を印加し（３６７２）、接点軸を基準位置に戻し（すなわち、電気接点を後退させるか、あるいは、それらがすでに後退していることを確認し）（３６７３）、読み取るべき第１行にプレートキャリア又はキャリッジを移動させる（３６７４）ように指令する命令を実行することができるはずである。読取りプロセスを進める前に、プレートの向きを確認する（３６７５）。ステップ３６８０で、適切なサブシステムが、正しいプレート高さまで電気接点を移動させ（３６８１）、検査対象になっているウエルの行からＥＣＬ信号を読み取る（３６８２）ことによって、プレートを読み取るように指令する命令が実行される。次に、ＥＣＬ信号の温度補正に使用するプレートの温度測定が行われ（３６８３）、取得したデータを、例えば、コンピュータシステムに接続された固定ディスク記憶装置又はコンピュータにより読込み可能な携帯型の媒体（例えば、フロッピー（登録商標）ディスク、ＣＤ−ＲＯＭ、ＤＶＤ、光磁気記憶媒体など）の一方又は両方に記憶させる電子ファイルに出力する。データを取得した後で、適切なサブシステムが、接点軸を基準位置に戻す（すなわち、電気接点を後退させる）ように指令する命令が実行され、読み取られていない残りの行があるかどうかの判定がなされる（３６７６）。最後の行がまだ読み取られていない場合、適切なサブシステムが、次の行にキャリッジを移動させ（３６７７）、読取りが行われる（３６８０）ように指令を受ける。最後の行が読み取られると、図３６ｃのステップ３７１０を参照して上記でより詳細に説明したように、適切なサブシステムが、キャリッジ軸を基準位置に戻し（すなわち、プレートのロード／アンロード位置にキャリッジを戻し）（３６７８）、カバーを開く（３６７９）ように指令を受ける。
【０４７４】
一実施形態では、使用者／操作者が指定する反復回数だけ、このプレート読取り手順３６５０、３６６０を連続して繰り返す（３６０５）ことができる。読み取るべきプレートがもうない場合には、使用者／操作者は、システムが運転を停止する（３６０６）ように指示することができる。この時点で、使用者／操作者は、プレートをアンロードする（３６９０）ことができ、システムの運転を停止する（３７００）ことができる。この場合も、カバーを閉じる前に、あるいは、カバーが閉じられていることを確認する（３６０８）前に、所定の時間（例えば、３０分）アイドリングする（３６０７）ようにシステムをプログラムすることができるはずである。
【０４７５】
可能な一実施形態について上記で論じた使用者／操作者によるステップも、例えば、ロボットマニピュレーションシステムを利用することによって自動化することができ、本発明は、プレートのロード／アンロード、カバーを開くことなどについて、人間の介入を必要とするようには限定されないことを理解されたい。
【０４７６】
画像処理
図３５ａに、マイクロプレートの１つ又は複数のウエル内で行う発光ベースのアッセイの画像を取得するのにＣＣＤカメラを使用する一実施形態についてのプロセスフロー図の例を示す。図３５ｅに、図３５ａに示すプレートの読取りステップを詳細に示す。一般に、画像の取得及び／又は解析にＣＣＤカメラを使用するには、ある種の要因を考慮に入れることが必要であり、また、データの精度、正確さ及び／又は完全性を保証するためにある種の対策を取ることが必要である。典型的な要因には、ＣＣＤチップの欠陥補正、バックグラウンド画像の減算／補正、宇宙線の除去／補正、ハードウエアによるビニング、ソフトウエアによるビニング、画像の入換え、及び当業者に周知の他の様々な要因が含まれる。これらの要因の一部は、独特かつ／又は特定の応用例によって改変されることがある。例えば、地球から天体を画像化し解析する際のバックグラウンド画像の減算／補正は、宇宙空間からの天体の画像化／解析とは異なるある種の変数によって決まる。したがって、以下でより詳細に論じるように、マイクロプレートの１つ又は複数のウエル内で実施する発光ベースのアッセイの画像データを画像化し解析するのにＣＣＤカメラを使用することに影響を及ぼす一般の要因を、特定の応用例に関連する変数に照らして検討しなければならない。改変されているいないに関わらず一般の応用例には存在せず、マイクロプレートの１つ又は複数のウエル内で実施する発光ベースのアッセイの画像の取得／解析を行うＣＣＤカメラの特定の応用例だけに存在する他の要因には、例えば、ウエルマスクの生成及び適用、画像の位置合わせ及びセンタリング、平均化、クロストーク補正、暗画像の検出、飽和の検出、及び画像の取得／解析に影響を及ぼし得るその他の要因が含まれる。
【０４７７】
一実施形態では、ＣＣＤカメラの欠陥補正は、使用者が定義した欠陥マップに基づいて行うことができる。欠陥マップは、不良であるか又は機能しないカメラの区域、したがって、画像の取得／解析から除外することになる区域を定義する単なるテキストベースのファイルとすることができるはずである。例えば、各欠陥を、フルチップ画像上の特定の画素又は矩形区域として、左上／右下系座標で定義することができるはずである。例えば、暗状態及び照明状態の両方の場合のフルチップ画像を解析することによって、各ＣＣＤチップの欠陥を列記した欠陥マップを決定することができるはずである。一実施形態では、欠陥マップは、ＣＣＤカメラの製造時に生成した初期欠陥マップ及びＣＣＤカメラの製造後に生成され更新されるリアルタイム欠陥マップからなり得る。このリアルタイム欠陥マップは、例えば、カメラの初期設置後に生成し、その後、毎週、毎月、ある回数の使用後、カメラを使用するたびに行うことを含めて、定期的に計画した間隔で更新するか、あるいは、操作者／使用者が任意に指定又は選択する間隔で更新することができるはずである。
【０４７８】
この欠陥マップは、電子的なフォーマットで記憶させることもできるし、非電子的なフォーマットで保管することもできるはずである。電子フォーマットファイルをカメラのハードウエア中、例えば、カメラのファームウエア、バイオス、メモリレジスタなどの中に記憶させることもできるはずであるし、あるいは、カメラのハードウエアから切り離した別個の機械読込み可能な媒体上に記憶させる電子ファイル中に記憶させることもできるはずである。この切り離した別個の電子ファイルを、全体的なシステムの一部として、あるいは、例えば、構成ファイル又は初期化ファイルとして使用する独立したファイルとして記憶させるデータベースファイルとすることができるはずである。あるいは、この欠陥マップを、従来方式の非電子的な媒体上に非電子ファイルで保管し、起動プロセス又は手順の一部として手作業でシステムに入力することもできるはずである。カメラのハードウエア中に欠陥マップを記憶させない実施形態では、欠陥マップは、特定のカメラをそのカメラに関連する特定の組の欠陥マップとともに割り当てることができる識別用のエントリ／フィールドを含むことができるはずである。一般に、欠陥マップはフルチップ画像座標で指定することができるので、任意の前処理に先だって、欠陥補正を、画像に対して行う最初の操作とすることが好ましい。ある実施形態の例では、このような画像処理を自動的に行うようにコンピュータをプログラムすることができるはずである。
【０４７９】
例えば、特定のカメラについての関連欠陥補正マップがあるときと同様に、欠陥補正を利用しなければならない場合、例えば、各欠陥画素値に代わりに、それに隣接する画素の平均値を使用することによって補正を行うことができるはずである。一般の欠陥が行欠陥又は列欠陥を含む場合、隣接画素値は、最も近接する画素又はその次に最も近接する画素から選択することができる。例えば、ある欠陥を単一の画素Ｉｒ，ｃと定義する場合、下記の第２最近接公式を適用することができるはずである。ただし、ｒはその画素の行の値を表し、ｃはその画素の列の値を表す。
【０４８０】
【数１】
2004534226.tif 000004
【０４８１】
欠陥が単一画素に限定されず、列全体又は列の一部を含み得る場合、下記の式を適用して、その列又はその列の一部内の各画素ごとに補正値を得ることができるはずである。
【０４８２】
【数２】
2004534226.tif 000005
【０４８３】
さらに、欠陥が行全体又は行の一部を含む場合、その行又はその行の一部内の各画素ごとに下記の式を適用することができるはずである。
【０４８４】
【数３】
2004534226.tif 000006
【０４８５】
欠陥が、隣接する２行又は２列以上、あるいはそれらの一部を含む場合、例えば、その次に最も近接する画素間の線形補間を使用することによって置換値を得ることができるはずである。
【０４８６】
また、ある実施形態では、別の典型的な画像処理／補正操作を必要とすることがある。これらの操作には、例えば、画像の入換え及び／又は回転が含まれ得る。これは、例えば、特定のカメラを設置した結果、使用者／操作者に自然な向きにならない画像が得られる場合である。この場合、画像の入換え及び／又は回転を行って、使用者に自然な画像の向きを得ることができるはずである。
【０４８７】
画像の取得／解析にＣＣＤカメラを使用する際に一般に考えられる別の要因は、ＣＣＤカメラの１つ又は複数の画素に宇宙線が当たり得た可能性、すなわち宇宙線の衝突である。宇宙線により、センサ上に輝点が生じ、したがって、得られる画像の取得／解析に影響を及ぼすことがある。宇宙線の衝突は、空間的かつ時間的に無作為に生じる。したがって、画像の取得／解析を確実に正しく行うには、ＣＣＤカメラのある局所区域内で観察される値よりもかなり大きい画素値を識別し、必要に応じて補正を加えると有利である。一実施形態では、まず、閾値で定義し得るように、隣接画素よりも明るい画素を見つけることによって（例えば、傾き操作を用いて、隣接する画素値の大きな差異を識別することによって）、あるいは、統計的にかなりの異常値と判定される画素を識別することによって、宇宙線の衝突を識別する宇宙線の除去／補正アルゴリズムを利用することができるはずである。閾値は、例えば、固定プリセット値、使用者が指定する固定値、ある種の変数に基づく可変プリセット値、あるいは、あらかじめ定義されているか又は使用者が定義するある種の変数に基づき使用者が指定する可変値で定義することができる。例えば、閾値は、個々の画素に適用する係数として定義することができる。したがって、一実施形態では、ある画素値が、それを取り囲む各隣接画素よりも４倍大きい場合、それを宇宙線の衝突とみなすと指定することができる。あるいは、画素値を、行内隣接画素値及び列内隣接画素値の両方と比較するのではなく、単に画素値を、同じ行で隣接する画素又は同じ列で隣接する画素のいずれかと比較することによって宇宙線の衝突を識別することができる。
【０４８８】
ある画素値が、おそらく宇宙線の衝突の結果であると識別されると、その画素値の代わりに、隣接画素の平均値を用いることができるはずである。このような宇宙線の除去／補正手順を、許容可能な画像が得られるまで繰り返し適用することができる。さらに、宇宙線の衝突の検討を行う前に、すべての画素から、バックグラウンド値又はオフセット値をあらかじめ減算することができるはずである。
【０４８９】
例えば、行内隣接画素値又は列内隣接画素値のいずれかを比較する宇宙線の衝突識別手順は、使用者が、閾値（Ｔ＝４）及びバックグラウンド、又はオフセット値（Ｏ＝７）を指定することによって開始することができるはずである。次いで、画像中のすべての画素について、最小値（Ｍ）を画定することができるはずである。次に、下記の式を用いて、画素値のオフセットを計算することができる。
Ｃ＝Ｍ−Ｏ
【０４９０】
次に、下記の式を用いて、各画素Ｉｉごとに、パラメータＲｉ−１及びＲｉ＋１を計算することができる。ただし、「ｉ」は、その行又は列の画素を指す。
【０４９１】
【数４】
2004534226.tif 000007
及び
【０４９２】
【数５】
2004534226.tif 000008
【０４９３】
最後に、パラメータＲｉ−１及びＲｉ＋１がそれぞれ、閾値Ｔよりも大きい場合、この画素値は、おそらく宇宙線の衝突の結果である。さらに、この宇宙線の除去／補正手順を複数回用いて、２画素以上が損なわれる宇宙線の衝突を除去／補正することができるはずである。
【０４９４】
画像の取得／解析にＣＣＤカメラを使用する際に一般に考えられるさらに別の要因は、ＣＣＤカメラの検出限界を改善するハードウエアによるビニングの使用である。例えば、ハードウエアでのＣＣＤ画素のビニングを用いて、単位面積当たりの読出しノイズを減少させることができる。読出しノイズは、アナログ信号のＡ／Ｄ（アナログデジタル）変換プロセスなどから生じるノイズを含み得る。一実施形態では、ビニングを大きくとることにより、電子ノイズの合計を小さくすることができるはずであり、読出しノイズが、一般にビニングの選択の影響を受けない暗電流によるノイズよりも小さいレベルに電子ノイズが落ちるまで、より大きなビニングを用いることが好ましい。マイクロプレートの１つ又は複数のウエル中で実施する発光ベースのアッセイの画像を取得／解析するのにＣＣＤカメラを使用する一実施形態では、ビニングにより、読出し時間がより高速になり、画像データが少なくなるという利益が追加されることが有利である。しかし、ビニングを大きくすると、ダイナミックレンジも小さくなり得る。すなわち、より低い光のレベルで検出器が飽和し得る。また、ビニングは、画像の分解能にも影響を及ぼし得る。したがって、特定の応用例で用いることができるビニングのレベルは、その特定の応用例の分解能の要件によって制限され得る。ある種の実施形態では、典型的なビニング設定は、例えば、２×２、４×４、８×８などを含むこともできるはずであるし、あるいは、全くビニングを行わないように設定することもできるはずである。
【０４９５】
上記で論じたように、マイクロプレートの１つ又は複数のウエル内で実施する発光ベースのアッセイの画像を取得／解析するＣＣＤカメラの他の使用法では一般に見られない別の要因を考慮することができる。例えば、光漏れ検出ルーチンを実施することによって、遮光容器の完全性を確認することが望ましいことがある。光漏れ検出は、バックグラウンド画像を取得し、そのバックグラウンド画像の画像統計値を用いて、遮光容器の完全性が損なわれているかどうかを判定することによって行うことができるはずである。一実施形態では、バックグラウンド画像の平均強度及び標準偏差を、使用者が定義する光漏れ検出閾値と比較することができる。例えば、バックグラウンド画像強度の平均値又は標準偏差が対応する閾値よりも大きい場合、光漏れの状態が存在し得る。この光漏れの状態を、例えば、後続の処理のために警告することができるはずである。警告は、使用者／操作者に対して発行することができ、使用者／操作者が補正処置を取るまで、あるいは、光漏れの状態にもかかわらず操作者が操作を継続するように積極的に指示するなどの行為があるまで動作を停止することができるはずである。この光漏れ検出手順は、欠陥補正及び／又は宇宙線の除去／補正の実施前に行うことができるはずであるが、欠陥及び／又は宇宙線の衝突が光漏れの状態の識別に及ぼし得る潜在的な影響を減らすように画像を処理した後で初めて行うことが好ましい。
【０４９６】
考慮し得る別の要因は、取得した１つ（又は複数）の画像の再寸法設定に関するものである。いくつかの実施形態では、ハードウエアによるビニングとは独立に画像処理を行うために、またいくつかの場合には、処理時間を短縮するために、バックグラウンド画像及びセクタ画像をともに、ある所定のサイズに寸法設定し直すことができるはずである。例えば、所定のサイズは、９６ウエルプレートでは１６０×１６０、３８４ウエルプレートでは３２０×３２０、１５３６ウエルプレートでは６４０×６４０、及びマルチスポットプレートでは６４０×６４０とすることができる。再寸法設定を用いる場合、また、元の画像サイズが所定のサイズよりも大きい場合、寸法設定し直した画像の画素値（ｎｅｗ）は、例えば、以下の式で示す副画素の合計とすることができるはずである。
【０４９７】
【数６】
2004534226.tif 000009
及び
【０４９８】
【数７】
2004534226.tif 000010
【０４９９】
あるいは、元の画像サイズが所定のサイズよりも小さい場合、寸法設定し直した画像の画素値は、寸法設定し直した画像のＮ個の画素の間に元の画像の画素値を分配することによって得られるはずである。すなわち、寸法設定し直した画像の画素値を計算するには、寸法設定し直した画像が所定のサイズに等しくなるまで、元の画像を２倍に反復して展開することができるはずである。例えば、各反復に際して、元の画素値の１／４及び元の画素値に隣接する画素の値に重み付けした値に基づいて、中間（ｉｎｔｅｒｍｅｄｉａｔｅ）画素値を計算することができるはずである。元の画素値には、例えば、９／１６の重みを与えることができるはずであり、次の行内隣接画素には３／１６の重み、次の列内隣接画素には１／１６の重み、対角に隣接する画素には１／１６の重みを与えることができるはずである。例えば、以下のようになる。
【０５００】
【数８】
2004534226.tif 000011
及び
Ｎ＝ｆａｃｔｏｒ２
したがって、
【０５０１】
【数９】
2004534226.tif 000012
【０５０２】
考慮し得る別の要因は、バックグラウンド減算に関するものである。ＣＣＤカメラでは、光源に曝すことよって得られる電子のみならず、熱によって生成される電子が積分される。一実施形態では、発光ベースのアッセイ画像と同じ設定で取得したバックグラウンド画像を減算して、熱により生成された電子が、発光ベースのアッセイからの画像の取得／解析に及ぼし得る潜在的な悪影響を打ち消すことができる。バックグラウンド画像の減算は、差分操作を用いて熱により生成された電子の寄与を取り除くことによって行うことができる。これは、単に、実際の（ｏｒｉｇｉｎａｌ）画像アレイからバックグラウンド（ｂａｃｋｇｒｏｕｎｄ）画像アレイの減算とすることができるはずである。例えば、以下のようになる。
【０５０３】
【数１０】
2004534226.tif 000013
【０５０４】
考慮し得る別の要因は、画像形成中の特定のマイクロプレートの配置に対応する画像マスクの生成及び適用に関するものである。一実施形態では、この画像マスクは、取得画像と同じサイズの２値行列Ｍ（ｒ，ｃ）とすることができるはずである。この２値行列では、マイクロプレートのウエル又はウエル内の１つ又は複数のスポットと光学的に重なり合う画素を値１で定義することができる。さらに、製造上の欠陥により位置合わせ不良が導入される場合、中心座標にオフセットを加えることによって、マイクロプレート上のある種の座標に対して相対的に画像マスクを回転させることもできるはずである。画像マスクが生成されると、単に、取得した画像行列とこの２値画像マスク行列を乗算することによって、この画像マスクを適用することができる。
【０５０５】
一実施形態では、個々のマイクロプレート構成用の適切な画像マスクを生成するために、使用者が、ある種のパラメータを指定することが求められるはずである。例えば、使用者は、絶対単位又は所定の画像サイズの関数としての単位で表し得るウエル半径及びウエル間隔、円形、矩形などのウエル形状、及び、例えば、列（Ｘ）及び行（Ｙ）座標で表した中央マスクの座標という、プレート構成を定義するパラメータを指定することができる。マルチスポットプレートでは、使用者が、ウエル内のスポット間間隔、ウエル内のスポットの配置、ウエル内のスポットのサイズなども規定することが求められるはずである。別の実施形態では、１つ又は複数の上述のパラメータは、プレート自体の上に見られる表示によって、例えば、製造時又は試薬の付着時にプレート上に貼られたバーコードラベルを使用することによって自動的に指定することができるはずである。
【０５０６】
ある種の場合、実際のセクタ画像が、ＣＣＤカメラで取得した画像全体の中心に完全に位置合わせされないときに明白に示されるように、別の形の位置合わせ不良又は誤差が存在することがある。このような位置合わせ不良は、例えば、装置自体の機械的な変更、ＣＣＤカメラ下でのマイクロプレートの位置合わせ不良などから生じることがある。一実施形態では、このような位置合わせ不良は、機器に機械的な変更を加えた後で１つ又は複数の機器の較正を行って粗い中心位置及び角度を設定し、各セクタに対して微調整を行うことによって考慮することができる。機器の較正は、使用者／操作者又はサービス技術者が行うことができ、ある種の保守を行う際、あるいは、所定の回数の使用後など、所定の保守スケジュールに従って行うことができる。次いで、このように較正した中心を用いて、例えば、ステップモータを使用することによってＣＣＤカメラの下でマイクロプレートを位置決めすることができるはずである。
【０５０７】
一実施形態では、微調整は、コンピュータにより実施されるプロセスによって行うことができる。このプロセスでは、わずかなプレートの位置合わせ不良を補償するために、すべてのセクタに対して画像マスクの位置合わせの微調整を自動的に行う。例えば、相関関数Ｆ（Δｒ，Δｃ，Δθ）を計算する自動センタリングアルゴリズムを用いることができるはずである。ただし、Δｒ，Δｃ及びΔθは、マイクロプレートのセクタの実際の中心と回転を決定するためのマスクと画像の間の位置及び回転のオフセット値である。上記で説明したように、較正を正しく行うと、較正した位置から開始して、相関関数の最近接極大値が真の中心になるようにする助けになる。この極大値を見つけるために、すべての可能なΔｒ，Δｃ及びΔθについて相関関数を計算するか、あるいは、反復プロセスを用いて、Ｆ（Δｒ，Δｃ，Δθ）の値が大きくなるようにΔｒ，Δｃ及びΔθを変化させることによって極大値を決定することができる。
【０５０８】
一実施形態では、分解能を落とした画像を用いて初期位置合わせ位置を求めることによってこの自動センタリングアルゴリズムを開始し、次いで、より分解能の高い画像のいくつかのステップによって処理を継続し、精確に位置合わせされた位置に向かうことができるはずである。このような手法により、最適に位置合わせされた位置に迅速に収束させることができるはずである。例えば、最初のステップで、画像に４倍のビニングをかけることによって得られた低分解能の画像でこの自動センタリングアルゴリズムを開始し、画素及び角度を１増分だけオフセットさせたΔｒ，Δｃ，Δθの値で相関関数Ｆ（Δｒ，Δｃ，Δθ）を評価し、次いで、Ｆが最大になる位置に向かうことができるはずである。次いで、相関関数の極大値が見つかるか、あるいは、なんらかの所定の反復回数が行われるまでこのプロセスを繰り返す。一実施形態では、所定の反復回数内で極大値が見つからない場合、エラーメッセージを表示し、かつ／又は画像が暗いかどうかを確認することができるように指定することができる。極大値が見つかった場合、それに対応する中心が次のステップの開始位置になり、この位置で画像を２倍に展開することになる。この手順を、初期（所定の）画像サイズに達するまで繰り返す。
【０５０９】
いくつかの極めて輝度の高いウエルが位置合わせ計算で支配的にならないようにするために、一実施形態では、画像に正規化関数を適用して、輝度の高いスポット／ウエル及び輝度の低いスポット／ウエルにより均一に重み付けを行うことができる。このような正規化関数の一例は、画像中のすべての画素値の３乗根を取ることからなるものである。
【０５１０】
最後に、Ｆ（Δｒ，Δｃ，Δθ）の最大値に対応する中心を真の中心とみなすことになる。さらに、この新しく計算した中心を最初に較正した中心と比較することができるはずであり、この新しい中心が、所定の値、例えば、ウエル／スポット間隔の１／２よりも大きいと判定される場合、警告を発行する、装置の動作を一時停止するなどの予防措置を取ることができるはずである。
【０５１１】
上記で論じたように、この自動センタリングアルゴリズムが、ある種の所定の反復回数内でセクタ画像の真の中心を見つけることができない場合、別の手順を用いて画像が実際に暗いかどうかを判定することができる。あるいは、暗画像の識別は、自動センタリングについて上記で概要を説明したステップを行う前に実施することができるはずである。一実施形態では、暗画像の検出は、得られた値をある種の所定のベースライン値と比較することによって行うことができる。このベースライン値は、例えば、アッセイ緩衝液の結果の典型値、プレートのタイプなどを参照して経験的に規定することができる。例えば、あるセクタの極大結果値がベースライン値よりも小さい場合、この画像は暗いとみなすことになる。
【０５１２】
考慮し得る別の要因は、クロストークに関するものである。クロストークは、光学系の不完全性のために生じる。例えば、１つのウエル又はスポットからの光が回折、屈折、多数回反射又は散乱して、隣接するウエル内又は隣接するスポット上に、（「流出して」）入り込む際に生じる。一実施形態では、クロストークは、実験的に測定することができ、補正行列を構築し、それを用いてクロストークのデコンボルーションを行うことができる。このクロストーク補正行列は、ウエル又はスポットとそれに隣接するウエル又はスポットの間の逆クロストーク行列である。単一スポット及び複数スポットの応用例にクロストーク補正を適用することができるが、経験上、単一スポット応用例では、クロストーク補正なしで満足な性能が得られることがわかっている。
【０５１３】
ある種の実施形態では、クロストーク補正に加えて、ウエル全体にわたって存在し得る収集効率の変動を補正すると有利なことがある。ある種の実施形態では、ウエル全体にわたる収集効率は、均一でないことがある。例えば、ウエルの縁部近傍の領域からの光は、ウエルの中心近傍の領域からの光ほど効率的に収集されないことがある。単一ウエル内に複数のスポットを配置する実施形態では、例えば収集効率の変動は、より重大であり得る。というのは、ウエルの縁部近傍の領域に位置する同じ反応が、より小さい画素値をもつように見えることがあり得るからである。各ウエル内で単一スポットしか用いない実施形態で、依然として収集効率の変動が存在することがある。というのは、プレートの縁部近傍の領域に位置する同じ反応が、より小さい画素値をもつように見えることがあり得るからである。一実施形態では、例えば効率を計算又は経験的に決定し、測定された初期報告画素値に適切な換算係数を用いることによって、このような収集効率の変動を補正することができる。
【０５１４】
温度による感度／変動を補正するために、別の補正が必要なことがある。一般に、発光ベースのアッセイは、いくらかの温度依存性／感度を示すことがあることが観測されている。一実施形態では、最適な結果を得るために、温度及び／又はその変動を制御かつ／又は測定すると有利である。例えば、マイクロプレート全体にわたって、又はマイクロプレートの１つ又は複数の局所部分で、あるいは単一ウエル内などで温度変動が存在することがある。例えば、接触式又は非接触式温度センサを利用することによって、温度及び／又は温度変動の測定を行うことができる。接触式温度センサには、サーミスタ、熱電対などが含まれ、それらを使用して、例えば、マイクロプレートの底部の温度を測定して、反応物の実際の温度を推定する。非接触式温度センサには、赤外線光度計、赤外線分光計、レーザなどが含まれ、それらを使用して反応物の温度を離れたところから読み取る。
【０５１５】
例えば、特定のアッセイ及び／又は標識の温度依存性のデータから導出した経験的な関係を用いて、特定の組のアッセイの結果に適用すべき適切な温度補正係数を求めることによって、温度補正を適用することができる。温度補正係数は、マイクロプレート全体の平均温度に基づく単一の係数となり得ることもあるし、あるいは、例えば、各ウエル内の実際の温度、単一スポットの反応物の実際の温度、単一セクタの平均温度などに依存し得る可変係数となり得ることもある。
【０５１６】
別の実施形態では、１つ又は複数のウエル内の反応物の温度を離れたところから検出するのみならず、マイクロプレート自体の１つ又は複数の位置の温度を離れたところから検出する非接触式センサを使用して、ウエル内の反応物の実際の温度をより良好に推定し得る。温度センサにより測定が行われ得る位置にプレートを移動させることもできるし、プレートを固定位置に保持しセンサを測定位置に移動させることもでき、かつ／又は、プレートを固定位置に保持し走査型センサを使用して温度測定値を得ることもできるはずである。走査型センサには、例えば、調整可能なミラーを使用してプレート上及びウエル内の様々な位置を走査する赤外線分光計などの非接触式センサを使用することを含めることができるはずである。
【０５１７】
前に説明した画像処理手順に加えて、ＣＣＤカメラを使用して画像の解析を行い、例えば、反応の不均一性、アッセイ又は画像取得の質などを求めることもできる。一実施形態では、プレート及び／又は反応物の調製に問題があることを示し得る反応の不均一性を検出するのに有効な画素の割合を求めることが可能である。さらに、１つ又は複数のウエル内の画像統計値（例えば、平均値、変動値、中央値）により、読取り値の質に関するなんらかの表示を提供することができるはずである。
【０５１８】
好ましい別の実施形態によれば、この機器は、ＥＣＬを誘起する前にプレートの画像を取得して、（ａ）プレートの位置（例えば、センタリング、スポットの位置など）、（ｂ）プレートの向き（例えば、１８０°の向き）、（ｃ）プレートのタイプ、（ｄ）プレートカバー又はシールの存在、（ｅ）焦点合わせ、（ｆ）ウエルのサンプル容積などを決定することができるように適合される。この機器は、遮光容器内でプレートの画像取得を行うことができるように、ＬＥＤその他の光源をさらに備えることが好ましい。画像取得中にのみこの光源をパルス化してプレートの照明を行い、後続の発光の測定ではそれを消灯することができる。別の実施形態によれば、ＥＣＬを誘起する前に光を当てた状態で取得した画像から集めた情報を、後続のデータ処理用の入力（例えば、セクタのセンタリング、プレートの向き及びプレートのタイプの情報）として用いる。
【０５１９】
図３６ａに、１つ又は複数のフォトダイオードを使用して、マイクロプレートの１つ又は複数のウエル内で実施する発光ベースのアッセイから発光を検出する一実施形態のプロセスフロー図の例を示す。図３６ｅには、図３６ａに示す発光読取りステップをより詳細に示す。このフロー図は、プレート及び／又はサンプル温度を測定するステップをさらに含むことが好ましい。マイクロプレートの１つ又は複数のウエル内から発光を検出するのに１つ又は複数のフォトダイオードを使用するには、ＣＣＤカメラに関して前に論じたものを超えて、ある種の改変した要因を追加して考慮し、ある種の改変した補正手段を追加して実施することが必要なことがある。例えば、フォトダイオードセンサを使用すると、バックグラウンドの予測値及び減算値は変動する。というのは、フォトダイオードセンサを使用して取得した発光データが波形の形であるからである。もちろん、上記で論じたように、ＣＣＤカメラの使用モードは、検出ハードウエア自体内でＥＣＬ信号を積分することに限定されず、ＣＣＤカメラが時間の関数としてＥＣＬ信号強度を測定し、１つ（又は複数）の適切なアルゴリズム及びソフトウエア命令セットによってプログラム可能なコンピュータシステム内でその信号を積分するモードで使用することができることを理解されたい。一実施形態では、暗状態を表すバックグラウンド読取り値を得るために、発光ベースのアッセイの活性化の前後で発光データを取得する。発光ベースのアッセイの活性化の前後で暗状態の値を取得して、電子的なドリフトすなわち低周波数ノイズ、及びオフセットの影響を取り除く。両方の測定値を使用して暗信号の推定値を生成することができ、線形、２次その他のモデルを用いて、例えば、収集効率を上げるために白色マイクロプレートを使用するときに、プレートから発し得る（例えば、リン光による）バックグラウンド光を補正することができるはずである。この暗信号の推定値を測定信号から減算し、得られた波形を時間で積分して最終的な読取り値が得られる。あるいは、積分するのではなく、周知の時間応答関数を用いて、測定応答をフィットさせることができる。
【０５２０】
あるいは、発光ベースのアッセイが、例えばＥＣＬアッセイである別の実施形態では、活性化波形をパルス化し、１つ又は複数のパルス間で暗信号を測定することができるはずである。このようなパルス化により、例えば、本質的に信号をより高周波数側にシフトすることによって、より適切に低周波数ノイズを除去することにより、検出限界を向上させることができるはずである。
【０５２１】
５．１１  生物学的に活性のある化合物を選択し、新規な薬物を生成する方法
本発明の別の態様は、生物学的に活性のある化合物を選択又は識別し、任意選択で、このような生物学的に活性のある化合物を、適切な量で適切なキャリア組成物に組み込むための改善された方法及びシステムに関する。本発明は、本発明のマルチウエルプレート、機器、システム、キット及び／又は方法を使用して、好ましくはＨＴＳ（ハイスループットスクリーニング）によって、新しい薬物をスクリーニングすることを含む。本発明は、好ましくは５０種類よりも多く、より好ましくは１００種類よりも多く、より好ましくは５００種類よりも多く、さらに好ましくは１，０００種類よりも多く、最も好ましくは５，０００種類よりも多くの種類をスクリーニングすることを含む。特に好ましい実施形態によれば、このスクリーニングでは、１０，０００種類よりも多く、５０，０００種類よりも多く、１００，０００種類よりも多く、５００，０００種類よりも多く、かつ／又は１，０００，０００種類よりも多くの化合物を含む。
【０５２２】
本発明の一実施形態は、化合物ライブラリから生物学的に活性のある化合物を選択又は識別する方法に関する。前記方法は、生物学的又は生化学的活性について前記化合物ライブラリをスクリーニングすることを含む。前記スクリーニングは、生物学的又は生化学的活性について化合物ライブラリのアッセイを行うことを含む。このアッセイは、本発明のプレート及び／又は機器を使用して行う。
【０５２３】
好ましくは、この方法は、１つ又は複数の活性化合物を識別することをさらに含む。
【０５２４】
好ましくは、この方法は、インビボでの生物学的利用能、毒性及び／又は生物活性について、前記１つ又は複数の活性化合物を試験することをさらに含む。好ましい一実施形態によれば、この試験は、本発明のプレート及び／又は機器を使用してさらにスクリーニングすることを含む。
【０５２５】
好ましくは、この方法は、前記１つ又は複数の活性化合物の類似物を合成することをさらに含む。好ましい一実施形態によれば、本発明のプレート及び／又は機器を使用して、生物学的利用能、生物活性及び／又は毒性についてこの類似物をスクリーニングする。
【０５２６】
特に好ましい実施形態によれば、この方法は、１つ又は複数の化合物を配合して、人間及び／又は動物に投与するための薬物にすることをさらに含む。
【０５２７】
好ましくは、この配合は、薬物中の１つ又は複数の活性化合物の適切な量を決定し、この適切な量を、１つ又は複数の賦形剤又はキャリアに混合することを含む。好ましくは、この賦形剤は糖及び／又はデンプンを含む。
【０５２８】
本発明の別の実施形態は、生化学的な物質の複合混合物を分析して、その中の複数の結合成分を測定する方法に関する。この方法は、
（ａ）複数の結合試薬を中に有する複数のウエルを備え、電極誘起発光アッセイ（好ましくは、電気化学発光アッセイ）に適合したマルチウエルプレートに前記混合物を導入することと、
（ｂ）前記ウエル中の１つ又は複数のサンプルを誘起して発光させることと、
（ｃ）前記ウエルのそれぞれから発光を測定することとを含む。
【０５２９】
本発明の別の実施形態は、（生物学的かつ／又は化学的な）組合せ混合物の出力を分析して、その中の複数の結合成分を測定する方法に関する。この方法は、
（ａ）複数の結合試薬を中に有する複数のウエルを備え、電極誘起発光（好ましくは、電気化学発光）アッセイに適合したマルチウエルプレートに前記混合物を導入することと、
（ｂ）前記ウエル中の１つ又は複数のサンプルを誘起して発光させることと、
（ｃ）前記ウエルのそれぞれから発光を測定することとを含む。
【０５３０】
本発明の別の実施形態は、多数の同時アッセイにおいて、サンプル中の単一の生化学物質を測定する方法に関する。この方法は、
（ａ）複数の結合試薬を中に有する複数のウエルを備え、電極誘起発光（好ましくは、電気化学発光）アッセイに適合したマルチウエルプレートに前記サンプルを導入することと、
（ｂ）前記ウエル中の１つ又は複数のサンプルを誘起して発光させることと、
（ｃ）前記ウエルのそれぞれから発光を測定することとを含む。
【０５３１】
本発明の別の実施形態は、
（ａ）試験用の多数の化合物を選択することと、
（ｂ）（上記で説明したマルチウエルプレート及び／又は機器のいずれか１つを使用して）生物活性について前記多数の化合物をスクリーニングして、１つ又は複数の生物学的に活性のある化合物を見つけることと、
（ｃ）前記１つ又は複数の生物学的に活性のある化合物を改変して、毒性を減らし、かつ／又は生物活性を増強し、それによって、１つ又は複数の改変された生物学的に活性のある化合物を形成することを含む、創薬を行う方法に関する。
【０５３２】
好ましくは、この方法は、前記改変された生物学的に活性のある化合物を、（上記で説明したマルチウエルプレート及び／又は機器を使用して）生物活性及び／又は毒性についてスクリーニングすることをさらに含む。
【０５３３】
好ましくは、この方法は、１つ又は複数の前記改変された生物学的に活性のある化合物の適切な量を決定することをさらに含む。好ましくは、この方法は、この量を、糖又はデンプンなどの適切なキャリアに組み込んで、固形（例えば、丸剤又は錠剤）又は液状の薬物を形成することをさらに含む。
【０５３４】
本発明の方法、機器、及び／又は、アッセイプレート又はモジュールを、様々なスクリーニング法及び／又は創薬法に統合し、かつ／又はその中で使用することができると有利である。このようなスクリーニング法及び／又は創薬法には、Ｂｌａｋｅの米国特許第５，５６５，３２５号、Ｃｈｅｎ他の米国特許第５，５９３，１３５号、Ｔｈａｓｔｒｕｐ他の米国特許第５，５２１，１３５号、Ａｇｒａｆｉｏｔｉｓ他の米国特許第５，６８４，７１１号、Ｄｏｗｅｒ他の米国特許第５，６３９，６０３号、Ａｓｈｂｙ他の米国特許第５，５６９，５８８号、米国特許第５，５４１，０６１号、米国特許第５，５７４，６５６号、及びＰｅｔｅｒｓｏｎ他の米国特許第５，７８３，４３１号に記載されているものが含まれる。
【０５３５】
別の実施形態によれば、本発明は、薬物に関連する悪影響を識別し、この悪影響に関する情報をデータベースに記憶することをさらに含む。ここに参照により組み込むＣｌａｓｓｅｎの米国特許第６，２１９，６７４号を参照されたい。
【０５３６】
本発明の別の態様は、改善された生物学的に活性のある化合物及び／又は本発明の方法を用いて作製された薬物に関する。
【０５３７】
以下の例は、本発明の範囲に含まれる機器、プレート、キット及び方法の一部の例である。もちろん、これらは、本発明を限定するようにみなされるものではない。当業者は、必要以上の実験を行うことなく、本発明に関して多くの変更及び改変を加えることができよう。
【実施例】
【０５３８】
６．１  スクリーン印刷した電極を有するマルチウエルアッセイプレートの製作
厚さ０．００７インチのマイラー（Ｍｙｌａｒ）ポリエステルシート上に電極及び電気接点をスクリーン印刷することによって多層プレートの底部を準備した。まず、このマイラーシートを、ＣＯ２レーザで切断して、導電スルーホール（すなわち、後で、導電インクを充填することによって導電性にしたホール）を形成し、かつ、プレート底部をプレート上部に位置合わせするのに使用した位置合わせ用の穴を形成した。適当にパターン化した銀インク層（Ａｃｈｅｓｏｎ  ４７９ｓｓ）及びカーボンインクの上層（Ａｃｈｅｓｏｎ  ４０７ｃ）をスクリーン印刷することによってマイラーシートの底部上に電気接点を形成した。このカーボンインク層は、銀インク層よりもわずかに大きく（０．０１インチ）寸法設定し、それによって、銀フィルムの縁部の露出を防いだ。３層のカーボンインクを使用して銀が露出したままにならないようにしたことを除き、同様にマイラーフィルムの上面上に動作及び対電極を形成した。これらのスクリーン印刷ステップ中に、導電スルーホールに導電インクを充填した。その後、電極層の上に誘電体インクを印刷して、動作電極の活動露出表面区域を画定した。一般に、１８インチ×１２インチのマイラーシート上に９枚のプレート底部を同時に印刷した。スクリーン印刷ステップ中の典型的な重ね合わせ公差は、基板の上面上で±０．００７インチ〜０．００８インチ、底面上で±０．０１０インチであった。印刷した対電極ストリップと動作電極ストリップの間の間隔は、０．０１０インチよりも大きく保ち、それによって、短絡が形成されるのを防いだ。大面積の平坦電極で改変したプラズマチャンバ（米国フロリダ州セントピーターズバーグ（Ｓｔ．Ｐｅｔｅｒｓｂｕｒｇ）所在のＡｄｖａｎｃｅｄ  Ｐｌａｓｍａ  Ｓｙｓｔｅｍｓ社のシリーズＢ）中で、酸素プラズマ（２０００Ｗ、２００ミリトール）により５分間、パターン化したプレート底部を処理することによって、動作電極をアッセイで使用するように整えた。
【０５３９】
上記で説明したプレート底部及び射出成形したプレート上部を使用してマルチウエルアッセイプレートを組み立てた。プレート上部の寸法は、生体分子スクリーニング学会により確立された業界標準を満足させた。このプレート上部は、黒色プラスチック（黒色顔料を装入したポリスチレン）又は白色プラスチック（二酸化チタンを装入したポリスチレン）製とした。プレート上部の底部表面に、打抜き両面テープ（両面に２ミルのアクリル製感圧粘着剤を被覆した１ミルのＰＥＴ）を接触させて、プレート上部がプレート底部に密封されるようにした。このテープを切断して、プレート上部の穴に対して相対的にわずかに大きい穴を形成した。（レーザで切断した位置合わせ用の穴を利用して）プレート底部を、ＸＹテーブル上の位置合わせピン上に取り付けた。このプレート底部をプレート上部に光学的に位置合わせし、次いで、空気圧プレス機（４００ポンド、１０秒間）を使用してそれらを互いに密封した。露出動作電極がウエル内で中央に位置するように（９６ウエルプレートでは±０．０２０インチ、３８４ウエルプレートでは±０．０１５インチ）、位置合わせを十分正確に行った。これらの公差により、動作電極の露出領域がウエル内にあり、動作電極の両側に露出対電極表面がくるようにした。
【０５４０】
上記で説明した手順に従って、様々なタイプのマルチウエルアッセイプレートを準備した。後続の実施例において参照することができるように、以下に、いくつかの特定のプレート設計をより詳細に説明する。図１０に示すコンポーネント及びパターン並びに白色のプレート上部を使用して、８個のウエルからなる１２個の列状セクタに分割した９６ウエルプレートであるプレートＡを準備した。図１１に示すコンポーネント及びパターン並びに黒色のプレート上部を使用して、４×４個のウエルからなる６個の正方形セクタに分割した９６ウエルプレートであるプレートＢを準備した。（図１１（詳細図Ａ及びＣ）に示すように電極及び接点を分割した点を除き）図１４に示すコンポーネント及びパターン並びに黒色のプレート上部を使用して、４×４個のウエルからなる６個の正方形セクタに分割した９６ウエルプレートであるプレートＣを準備した。各ウエル内の動作電極表面上で４個の分離した「流体封じ込め領域」が露出するように、プレートＣの誘電体層をパターン化した。プレートＤは、各ウエル内の動作電極上で７個の分離した「流体封じ込め領域」が露出するように誘電体層をパターン化した点を除き、プレートＣに類似のものとした。プレートＥは、各ウエル内の動作電極上で１０個の分離した「流体封じ込め領域」が露出するように誘電体層をパターン化した点を除き、プレートＣに類似のものとした。図１２に示すコンポーネント及びパターン並びに黒色のプレート上部を使用して、８×８個のウエルからなる６個の正方形セクタに分割した３８４ウエルプレートであるプレートＦを準備した。図１０、１１、１２及び１４、詳細図Ａ、Ｂ、Ｃ及びＤにそれぞれ、印刷した接点層、スルーホールを備えたマイラーフィルム、印刷した電極層及び印刷した誘電体層を示す。
【０５４１】
６．２  押出しカーボンポリマー複合材から形成したプレート底部を有するマルチウエルアッセイプレートの製作
この例では、図８Ａに示すマルチウエルアッセイプレート８００（以下ではプレートＧと称する）の実施形態の製作を説明する。この例では、導電層８２０は、ＥＶＡ（エチレン−ビニルアセテート）共重合体中に分散させたカーボンフィブリルを含む複合材とした。導電テープ８１０は、導電性フォイル積層体（１ミル層のアクリル製感圧粘着剤で被覆され、かつ加工ステップ中にこの粘着剤を保護する保護裏当て材を有する１ミルのＰＥＴ（ポリエステル）基板上に０．３６ミルのアルミニウムフィルムを有するＬａｍａｒｔ  ＡＰＳ−２５）とした。粘着層８０６は、両面に２ミルのアクリル製感圧粘着剤を被覆した１ミルのＰＥＴ（ポリエステル）フィルムを含む両面粘着テープとした。プレート上部８０２は、生体分子スクリーニング学会のガイドラインに適合した、黒色の射出成形ポリスチレン製プレート上部とした。
【０５４２】
カーボンフィブリル−ＥＶＡ複合材は、公開ＰＣＴ出願ＷＯ９８／１２５３９号に記載されているように準備し、厚さ０．０１０インチのシートに押し出した。このシートを粘着性ポリエステルライナで裏当てし、平台式彫刻ダイで切断した（単一片のライナ上で正しい向きに複合材の６個の正方形セクションが残るように切断深さを設計した）。回転式ダイを使用して導電テープを打ち抜き、複合材シートの上部表面と合体した。大面積の平坦電極で改変したプラズマチャンバ（米国フロリダ州セントピーターズバーグ（Ｓｔ．Ｐｅｔｅｒｓｂｕｒｇ）所在のＡｄｖａｎｃｅｄ  Ｐｌａｓｍａ  Ｓｙｓｔｅｍｓ社のシリーズＢ）中で、酸素プラズマ（２０００Ｗ、２００ミリトール）により５分間、パターン化したプレート底部を処理することによって、複合材シートの露出した上部表面をアッセイで使用するように整えた。底部に銀を塗り、対電極を上に折り曲げる前に、両面粘着材を使用して、プレート上部にプレート底部を取り付けた。次いで、複合材シートの裏面からライナを取り外し、複合材シートの裏面に銀ペーストを塗り、導電テープを複合材シートの裏面に巻きつけ合体させて、完成したプレート底部を形成した。プレートＨは１６×２４の配置のウエルを有し、プレートＩは８×１２の配置のウエルを用いて準備したが、図８Ｂに示す１２個の列状のセクションに分割した白色のプレート上部及びフィブリル複合材を有する点を除き、類似の手順を用いてこの２つの別のプレートを準備した。
【０５４３】
６．３  ＥＣＬ測定
２つの装置構成の１つを使用して、マルチウエルアッセイプレートからＥＣＬを誘起し測定した。単一の列状セクタに電気的に接触するように設計した装置上で、８個のウエルからなる１２個の列状セクタに分割したプレート（プレートＡ及びＨ）を読み取った。装置と電気的に接触しているセクタを、各ウエルから放出されるＥＣＬを測定するのに使用した８個のフォトダイオードからなるアレイに位置合わせした。併進移動テーブルを使用して、フォトダイオードアレイの下にプレートを併進移動させて、１２個すべてのセクタを読み取ることができるようにした。個々の正方形セクタに電気的に接触するように設計した装置上で、６個の正方形セクタに分割したプレート（プレートＢ、Ｃ、Ｄ、Ｅ、Ｆ及びＧ）を読み取った。装置と電気的に接触しているセクタを、セクタから放出されるＥＣＬを画像化するのに使用した冷却ＣＣＤカメラ（Ｐｒｉｎｃｅｔｏｎ  Ｉｎｓｔｒｕｍｅｎｔｓ社のＶｅｒｓＡｒｒａｙ  １３００Ｆ）に結合された（直径４．１インチの前側レンズを有する）テレセントリックレンズに位置合わせした。このカメラは、約２．６ｃｍ×２．６ｃｍの寸法を有し、１３４０×１３００アレイの画素を有するＣＣＤチップを使用するものであった。画素サイズは、０．０２ｍｍ×０．０２２ｍｍであった。光路中に光学バンドパスフィルターを使用して、ルテニウムトリスビピリジンの発光プロフィールに一致する光を選択した。併進移動テーブルを使用して、テレセントリックレンズの下にプレートを併進移動させて、６個すべてのセクタを読み取ることができるようにした。画像解析ソフトウエアを使用して、ウエル又はウエル中のアッセイドメインを識別し、特定のウエル又はドメインからのＥＣＬを定量化した。３秒間で２．５Ｖから５．５Ｖまで電圧を直線的に走査して、スクリーン印刷したカーボン動作電極を有するプレートからＥＣＬを誘起した。３秒間で２Ｖから５Ｖまで電圧を直線的に走査して、フィブリル−ＥＶＡ複合材電極を有するプレートからＥＣＬを誘起した。ＥＣＬは、（バックグラウンド光レベル及び検出器のオフセットを補正した後で）電圧走査期間にわたって測定された光信号の積分合計として得られる。２つの異なる装置上で測定したＥＣＬ信号は、直接比較可能ではない。
【０５４４】
６．４  溶液中のルテニウムトリスビピリジンからのＥＣＬ
トリプロピルアミン約１００ｍＭ及び０．１％トリトンＸ−１００の２００ｍＭリン酸緩衝液（ｐＨ７．５（ＩＧＥＮ  Ｉｎｔｅｒｎａｔｉｏｎａｌ社のＯｒｉｇｅｎ（登録商標）Ａｓｓａｙ  Ｂｕｆｆｅｒ））中で、様々な濃度の二塩化ルテニウム（ＩＩ）トリスビピリジンを含む溶液を調製した。実施例６．１及び６．２に従って準備したマルチウエルアッセイプレート中で、（実施例６．３で説明した手順に従って）これらの溶液からＥＣＬを測定した。ウエル中の溶液の体積は、９６ウエルプレートでは１００μＬ、３８４ウエルプレートでは４０μＬであった。図２４及び２５に、ルテニウムトリスビピリジン濃度の関数として、様々な異なるプレート構成におけるＥＣＬ信号を示す。これらのグラフは、マルチウエルアッセイプレートが、溶液中のルテニウムトリスビピリジンの高感度検出に適したものであったことを示している。
【０５４５】
６．５  マルチウエルアッセイプレートを使用したＥＣＬイムノアッセイ
以下の例では、ＥＣＬベースのサンドイッチイムノアッセイにおけるマルチウエルアッセイプレートの使用を示す。実施例６．１及び６．２に従って準備したプレートに、対象とする検体のエピトープに特異的な捕捉抗体を被覆した。この被覆は、各ウエルの活動動作電極表面上に抗体を含む溶液を計量分配し、この溶液を１時間にわたって乾燥させることによって行った。この溶液の体積は、抗体溶液が動作電極の表面全体にわたって広がるが、（導電テープ層又は印刷した誘電体層により提供された物理的な障壁によって）動作電極表面に閉じ込められるように選択した。抗体濃度は、完全に飽和した動作電極表面上で存在する量に対して相対的にわずかに過剰な抗体が供給されるように選択した。いくつかの場合、動作電極表面上に抗体を被着させる前に、ビオチンで標識した抗体を使用し、かつこのビオチン抗体をアビジンと混合すると、抗体の被着の再現性がよく良好になり、かつ／又はより効率的になることがわかった。あるいは、動作電極上にアビジンを結合させ、後続のステップで、ビオチンで標識した抗体をアビジン層に結合させることもできるはずである。動作電極上で抗体溶液を乾燥させた後で、５％（ｗ／ｖ）ＢＳＡ（ウシ血清アルブミン）のＰＢＳ（リン酸緩衝食塩水）溶液をウエルに満たすことによって、結合していない過剰な抗体を除去した（かつ被覆されていない表面を遮断した）。４℃で終夜、このプレートを遮断溶液とともに培養し、次いで、ＰＢＳで洗浄した。このステップ及び後続のステップで、ウエル中の流体の量は、動作電極の露出表面に閉じ込められるのではなく、ウエルの底部表面全体を覆うのに十分であった。被覆したプレートのウエル中で、ｉ）サンプルと、ｉｉ）（ルテニウムトリスビピリジンのスルホン化誘導体である、下記に示すＮＨＳエステル１と反応させることによって標識した）検出抗体を含む溶液（ＢＳＡ、洗剤及び／又は他の遮断剤を含む緩衝電解液）とを混合することによってアッセイを行った。この標識は、「改善された非特異結合特性を有するＥＣＬタグ、それを用いる方法及びそれを含むキット（ＥＣＬ  ＬＡＢＥＬ  ＨＡＶＩＮＧ  ＩＭＰＲＯＶＥＤ  ＮＯＮ−ＳＰＥＣＩＦＩＣ  ＢＩＮＤＩＮＧ  ＰＲＯＰＥＲＴＩＥＳ，ＭＥＴＨＯＤＳ  ＯＦ  ＵＳＩＮＧ  ＡＮＤ  ＫＩＴＳ  ＣＯＮＴＡＩＮＩＮＧ  ＴＨＥ  ＳＡＭＥ）」という名称の、同日に出願された同時係属の米国特許出願番号          に記載されている。この開示をここに参照により組み込む。
【０５４６】
【化１】
2004534226.tif 000014
【０５４７】
室温で１時間、このプレートを培養した（プレート振とう機を使用して、９６ウエルプレートを混合した。３８４プレートは混合しなかった）。ウエルをＰＢＳで洗浄した。トリプロピルアミン含む溶液（ＩＧＥＮ  Ｉｎｔｅｒｎａｔｉｏｎａｌ社のＯＲＩＧＥＮ  Ａｓｓａｙ  Ｂｕｆｆｅｒ）を、ウエルに充填し（９６ウエルプレートには１００μＬ、３８４ウエルプレートには４０μＬ）、実施例６．３で説明したＥＣＬ検出法を利用して分析を行った。
【０５４８】
図２６及び２７に、サンプル中の前立腺（ｐｒｏｓｔｒａｔｅ）特異性抗原（ＰＳＡ）濃度の関数として、様々な異なるプレート構成上で測定したＥＣＬ信号を示す。捕捉抗体及び検出抗体は、Ｒｏｃｈｅ  Ｅｌｅｃｓｙｓ  ＰＳＡ  Ａｓｓａｙ  Ｋｉｔ（Ｒｏｃｈｅ  Ｄｉａｇｎｏｓｔｉｃｓ）で使用されているものと同じ抗体を標識することによって調製した。図２８に、ＡＦＰ（αフェトプロテイン）濃度の関数として、ＡＦＰ用のＥＣＬイムノアッセイを用いて測定したＥＣＬ信号を示す。捕捉抗体及び検出抗体は、Ｒｏｃｈｅ  Ｅｌｅｃｓｙｓ  ＡＦＰ  Ａｓｓａｙ  Ｋｉｔ（Ｒｏｃｈｅ  Ｄｉａｇｎｏｓｔｉｃｓ）で使用されているものと同じ抗体を標識することによって調製した。得られたＥＣＬ信号は、対象とする検体を含まないサンプルを使用して測定したバックグラウンド信号について補正する。
【０５４９】
６．６  マルチウエルアッセイプレート中の複数検体イムノアッセイ
４種類の異なるサイトカイン、すなわち、インターロイキン１β（ＩＬ−１β）、インターロイキン６（ＩＬ−６）、インターフェロンγ（ＩＦＮ−γ）及び腫瘍壊死因子α（ＴＮＦ−α）用のサンドイッチイムノアッセイを、プラズマ処理ステップ後かつプレート上部の取付け前に、動作電極表面上に抗体を結合させた点を除き、実施例６．１のプレートＣについて説明した設計及び手順に従って製造したプレートのウエル中で同時に行った。このプレートの設計では、各ウエル内の動作電極の上に印刷した誘電体パターンを有し、それによって、各電極の上で４つの「流体封じ込め領域」が露出する。各ウエル内の流体封じ込め領域上に抗体の溶液（１つの領域当たり１つの抗体）を微量分配し、動作電極表面に抗体を結合させることによって、別個のアッセイドメインに４種類の（それぞれが、対象とする検体の１つに対して選択的な）捕捉抗体をパターン化した。（ＩＬ−１β及びＴＮＦ−αについては濃度３２μｇ／ｍＬ、あるいは、ＩＬ−６及びＩＦＮ−γについては濃度６４μｇ／ｍＬの）抗体及び０．１％ＢＳＡのリン酸緩衝食塩水溶液（０．２５μＬ）を、ソレノイドバルブ制御式微量分配装置（Ｃａｒｔｅｓｉａｎ  Ｔｅｃｈｎｏｌｏｇｉｅｓ社のＢｉｏｄｏｔ  Ｄｉｓｐｅｎｓｏｒ）を使用して流体封じ込め領域上に計量分配し、蒸発させて乾燥させた。この抗体の量は、流体封じ込め領域内の全露出電極表面の上を広がるのに十分であったが、流体が誘電体層で形成した境界を越えて広がらない程度に十分に少量であった。動作電極上で抗体溶液を乾燥させた後で、プレート上部を取り付け、５％（ｗ／ｖ）ＢＳＡ（ウシ血清アルブミン）のＰＢＳ（リン酸緩衝食塩水）溶液をウエルに満たすことによって、結合していない過剰な抗体を除去した（かつ被覆されていない表面を遮断した）。４℃で終夜、このプレートを遮断溶液とともに培養し、次いで、ＰＢＳで洗浄した。
【０５５０】
ｉ）ウエルにサンプル０．０２ｍＬを加え、プレート振とう機上で１時間培養するステップと、ｉｉ）ＰＢＳでウエルを洗浄するステップと、ｉｉｉ）対象とする４種類の検体に対する（ＮＨＳエステル１で標識した）４種類の検出抗体をそれぞれ２，０００ｎｇ／ｍＬ含む溶液０．０２ｍＬを加え、プレート振とう機上で１時間培養するステップと、ｉｖ）ＰＢＳで洗浄するステップと、ｖ）トリプロピルアミンのリン酸緩衝溶液（ＩＧＥＮ  Ｉｎｔｅｒｎａｔｉｏｎａｌ社のＯＲＩＧＥＮ  Ａｓｓａｙ  Ｂｕｆｆｅｒ）０．１ｍＬを導入するステップと、ｖｉ）実施例６．３で説明したＥＣＬを測定するステップとによってアッセイを行った。冷却ＣＣＤカメラを使用して、プレートから放出されたＥＣＬを画像化した。この機器では、画像解析ソフトウエアを使用して、ＥＣＬ画像中のアッセイドメインを識別し、各ウエル内の４つのアッセイドメインのそれぞれから放出された光を定量化した。図２９に、マルチウエルアッセイプレートの単一ウエル内の単一サンプル中で、対象とする各検体を独立に測定できることを示す。この図に、各検体濃度の関数として、各アッセイドメインから放出されたＥＣＬを示す。特定の検体の導入により、その検体を対象とする捕捉抗体を有するアッセイドメインにおいて、（検体が存在しない状態で測定したバックグラウンド信号に対して相対的に）検体濃度に応じたＥＣＬの直線的な増加が生じたが、他の検体を対象とする抗体を有するアッセイドメインにおけるＥＣＬは影響を受けなかった。図３０に、４種類の検体の混合物を含むアッセイ溶液に使用した複数のウエルからなるセクタから放出されたＥＣＬの画像を示す。強調して示したウエルには、４つのアッセイドメインの配置を示すように注釈が付けられている。この特定のウエルを使用して、それぞれ２５０ｐｇ／ｍＬのＩＬ−１β及びＴＮＦ−α並びにそれぞれ８ｐｇ／ｍＬのＩＬ−６及びＩＦＮ−γを有するサンプルのアッセイを行った。
【０５５１】
６．７  マルチウエルアッセイプレート中のＥＣＬベースの核酸ハイブリダイゼーションアッセイ
この例では、実施例６．２のプレートＧについて説明したように製造したプレート上で行った核酸ハイブリダイゼーションアッセイを説明する。動作電極上に濃度１ｍｇ／ｍＬのアビジンを含む溶液１，５００ｎＬを計量分配し、表面上でこの溶液を乾燥させることによって、各ウエル内の動作電極の露出表面を被覆した（導電テープによって設けられた流体障壁でアビジンを動作電極表面に閉じ込めた）。動作電極上でアビジン溶液を乾燥させた後で、５％（ｗ／ｖ）ＢＳＡ（ウシ血清アルブミン）のＰＢＳ（リン酸緩衝食塩水）溶液をウエルに満たすことによって、結合していない過剰な抗体を除去した（かつ被覆されていない表面を遮断した）。４℃で終夜、このプレートを遮断溶液とともに培養し、次いで、ＰＢＳで洗浄した。
【０５５２】
アビジンを被覆したプレートにより、ビオチンで標識した試薬の固定化に好都合な一般のプラットホームが得られる。この例では、ビオチンで標識した２８ヌクレオチドＤＮＡプローブ配列をプレート上に固定化した。これは、各ウエルにビオチンで標識したプローブの１００ｎＭ溶液０．０５ｍＬを導入し、プレート振とう機上でプレートを振とうさせながら１時間培養し、ＰＢＳで過剰なプローブを洗い流すことによって行った。この固定化したプローブを、ルテニウムトリスビピリジン誘導体（ＩＧＥＮ  Ｉｎｔｅｒｎａｔｉｏｎａｌ社のＴＡＧ  Ｐｈｏｓｐｈｏｒａｍｉｄｉｔｅ）を５’位置に標識した相補的ＤＮＡの標的配列を含むサンプル用のアッセイに用いた。様々な量の標識した標的ＤＮＡ配列溶液０．０５ｍＬをウエルに導入し、プレート振とう機上でプレートを振とうさせながら、室温で１時間にわたりハイブリダイズさせた。ＰＢＳでウエルを洗浄した後で、これらのウエルにＯＲＩＧＥＮ  Ａｓｓａｙ  Ｂｕｆｆｅｒ（ＩＧＥＮ  Ｉｎｔｅｒｎａｔｉｏｎａｌ社）０．１ｍＬを満たし、実施例６．３で説明したように分析した。図３１に、（標識した標的配列がない状態で観測したバックグラウンド信号について補正した）ＥＣＬ信号が、４桁を超える濃度範囲にわたって標的配列濃度に一次従属することを示す。
【０５５３】
６．８  化学発光ベースのアッセイにおけるマルチウエルアッセイプレート及び発光用画像機器の使用
この例では、実施例６．２のプレートＢについて説明したように製造したプレート上で行った化学発光ベースの結合アッセイを説明する。この例では、プレートのカーボンインク動作電極を電極として使用せずに、結合試薬用の大表面積固相支持体としてのみ使用した。動作電極上に濃度１ｍｇ／ｍＬのアビジンを含む溶液２，５００ｎＬを計量分配し、表面上でこの溶液を乾燥させることによって、各ウエル内の動作電極の露出表面を被覆した（導電テープによって設けられた流体障壁でアビジンを動作電極表面に閉じ込めた）。動作電極上でアビジン溶液を乾燥させた後で、５％（ｗ／ｖ）ＢＳＡ（ウシ血清アルブミン）のＰＢＳ（リン酸緩衝食塩水）溶液をウエルに満たすことによって、結合していない過剰な抗体を除去した（かつ被覆されていない表面を遮断した）。４℃で終夜、このプレートを遮断溶液とともに培養し、次いで、ＰＢＳで洗浄した。
【０５５４】
このアビジンを被覆したプレートを、ビオチンで標識した抗体のアッセイ用の固相として使用した。様々な量のビオチン標識マウスモノクローナルＩｇＧの０．１％ＢＳＡ／ＰＢＳ０．０５ｍＬ溶液を含むサンプルをウエルに加えた。このプレートをプレート振とう機上で１時間混合させ、次いで、ＰＢＳで洗浄した。その後、このウエルを、０．１％ＢＳＡのＰＢＳ溶液で１：１０，０００に希釈したアルカリ性ホスファターゼで標識したヒツジ抗マウス抗体（Ｓｉｇｍａ）の希釈液０．０５ｍＬで処理した。このプレートをプレート振とう機上で１時間混合させ、次いで、ＰＢＳで洗浄し、その後、トリスベースの緩衝液で洗った。化学発光用のアルカリ性リン酸基質及び化学発光用のエンハンサー（Ｅｍｅｒａｌｄ  ＩＩ基質及びエンハンサー５０μＬ、Ｐｅｒｋｉｎ  Ｅｌｍｅｒ社）を含む溶液をウエルに加えた。このプレートを５〜１０分間培養させて、化学発光反応を安定化させ、次いで、プレートに電位を印加しなかった点を除き、実施例６．３で説明した画像用プレートリーダを使用して画像化を行った。図３２に、ビオチンで標識したモノクローナル抗体濃度の関数として化学発光を示す。この化学発光は、標準のポリスチレンプレート上に結合させたアビジンを使用した類似の実験で測定されたものよりもかなり輝度が高かった。おそらくは、このカーボン表面上のアッセイでは、プラズマ処理した大表面積カーボン表面の優れた結合特性から利益が得られた。
【０５５５】
６．９  １５３６ウエルプレートにおけるＥＣＬ測定
図８Ａに示す基本的なマルチウエルプレート構造を、１５３６ウエルプレートフォーマットに適合させた。銀インクの上のカーボンインクから構成される６つのパッドをマイラー基板上にスクリーン印刷することによって、分割した動作電極層を作製した。この導電パッドを、スクリーン印刷ステップ中に導電材料を充填したマイラー基板中のレーザで切断したスルーホールによって、プレート裏面上のスクリーン印刷した電気接点（やはり、銀インクの上のカーボンインク）に接続した。標準のフォトリソグラフィ技術を用いて、厚さ２ミルのアルミニウム箔をパターン化して、この箔中に４８×３２アレイの正方形の穴を生成することによって、対電極層を作製した。すなわち、ｉ）フォトレジスト層でこの箔を被覆し、ｉｉ）パターン付きマスクを通した照明でこのフォトレジストをパターン化し、ｉｉｉ）このフォトレジストを洗浄して、露光したアルミニウムのパターンを露出させ、ｉｖ）このアルミニウムを化学エッチングして穴のアレイを生成し、ｖ）残りのフォトレジストを除去した。図８Ａの類推から、このアルミニウムフィルムを、プレートに対して相対的に大きく寸法設定して、フィルムを動作電極層に巻き付けることができるようにした。このアルミニウムフィルムを貫通して動作電極接点に接触することができるように、アルミニウム箔のこの大きく寸法設定したセクションにフォトリソグラフィ的に穴を画定した。次いで、エッチングしたアルミニウム箔の一方の面を、同じパターンの穴を有する誘電体フィルムに積層させた。
【０５５６】
このプレートを以下のように組み立てた。レーザで（１５３６ウエルのパターンで）切断した４８×３２アレイの正方形の穴を有する両面粘着テープを、正方形のウエルを備えた１５３６ウエルプレート上部（Ｇｒｅｉｎｅｒ  Ａｍｅｒｉｃａ）の底部に位置合わせし対合させた。次いで、この粘着テープの残りの露出面を、パターン化したアルミニウム箔の非積層面に位置合わせし対合させた。次いで、レーザで切断した４８×３２アレイの正方形の穴を備えた両面粘着テープの第２層を、アルミニウム箔の積層面に位置合わせし対合させた。最後に、両面粘着テープの第２層の残りの露出面を、マイラー基板に位置合わせし対合させて、プレート上部を貫通するホールと、積層アルミニウム箔と、両面粘着テープの２つの層とによって画定された壁を有し、かつ動作電極パッドで画定されたウエル底部を有するウエルを備えた１５３６ウエルプレートを形成した。このプレート構造を完成させるために、両面粘着テープの第３層（大きく寸法設定したセクションのアルミニウム箔層と同じ配置でパターン化した穴を有する層）を、スクリーン印刷したマイラー基板の裏面に位置合わせし対合させた。アルミニウム箔層のこの大きく寸法設定したセクションを基板に巻き付け、両面粘着テープの第３層に対合させて、（積層アルミニウム箔及び両面粘着テープの第３層中の穴を通して）アルミニウム箔への電気的接触のみならず、基板裏面上のパターン化した電気接点への電気的接触を行うことができるようにした。
【０５５７】
（実施例６．３で説明したように）個々の正方形セクタに電気的に接触するように設計した装置上で、１５３６ウエルプレート中でＥＣＬを誘起し、このプレートからＥＣＬを測定し、読み取った。様々な濃度の二塩化ルテニウム（ＩＩ）トリスビピリジンのＴＰＡ含有緩衝溶液（ＩＧＥＮ  Ｉｎｔｅｒｎａｔｉｏｎａｌ社のＯＲＩＧＥＮ  Ａｓｓａｙ  Ｂｕｆｆｅｒ）を、プレートのウエルに計量分配した（１つのウエル当たり０．００５ｍＬ）。動作電極に印加する電圧を、３秒間で２Ｖから４Ｖまで立ち上げることによってＥＣＬを誘起した。図３３に、ウエル中の二塩化ルテニウム（ＩＩ）トリスビピリジン濃度の関数として、各ウエルに関連する積分した電気化学発光を示す。各点は、プレートの３２個のウエルから得られた平均値を表す。二塩化ルテニウム（ＩＩ）トリスビピリジン濃度に対する予想されたＥＣＬ強度の一次従属性（線形回帰で決定した対数−対数のグラフの勾配は１．０６）が観察された。
【０５５８】
６．１０  光化学誘起発光に対するＴｉＯ２のタイプの影響
以下の形態のＴｉＯ２を試験して、光化学誘起発光に対するＴｉＯ２のタイプの影響を決定した。注記がない限り、等級はすべてルチルである。
【０５５９】
【表２】
2004534226.tif 000015
実験１：
手順：
１．粉体形態の各タイプのＴｉＯ２０．６グラムを計量した。
２．エポキシ３．４グラムを計量し、手でＴｉＯ２と混合して、最終濃度１５重量％のＴｉＯ２を得た。
３．次いで、すべてのサンプルをアルミニウムの表面上にスポットした。
４．この表面をＵＶ又は蛍光で数秒間露光し、次いで、ＣＣＤカメラを備えたリーダ内に入れた。
５．１５秒後に発光強度を読み取った。
結果：エポキシ中の１５重量％のＴｉＯ２（装置内に挿入後１５秒）
【０５６０】
【表３】
2004534226.tif 000016
【０５６１】
この実験から、アルミナによる表面処理（ＤｕＰｏｎｔ等級）では、リン酸による処理（ＲＣＬ  １８８）に比べて光の放出が１／４〜１／５、シリカ（ＲＣＬ  ６）に比べて１／２〜１／３に減少するように見える。
【０５６２】
２つの最高等級のＲ１０４及びＲ９６０並びにＲＣＬ  １８８をポリスチレン中に混合して、所望のポリマー中で効果が同じであるかどうか調べた（実験２）。
【０５６３】
実験２
上記で試験した３つの形態のＴｉＯ２を、〜５及び１５重量％でポリスチレン中に混合したものについて、タングステン光源を使用して上記の実験を繰り返した。３回同じようにサンプルを測定した。装置内に挿入後１５秒で光強度を読み取った。
ポリスチレン中の結果（装置内に挿入後１５秒）
【０５６４】
【表４】
2004534226.tif 000017
【０５６５】
この場合も、アルミナを被覆したＴｉＯ２は、シリカを被覆した材料よりも光の放出が少なかった。Ｒ１０４では、放出された光は、ＴｉＯ２濃度の増加に対して減少した。この実験を繰り返し、同じ結果が得られた。独立した測定によって、Ｒ１０４サンプルのＴｉＯ２濃度を確認した。
【０５６６】
７．参照文献の組込み
本発明の範囲は、ここで説明した特定の実施形態によって限定されるものではない。実際、上記の説明及び添付の図から、ここで説明したものに加えて、本発明の様々な改変が当業者には明らかであろう。このような改変は特許請求の範囲の範囲に含まれるものである。本明細書では様々な刊行物を引用したが、それらの開示全体を参照により組み込む。
【図面の簡単な説明】
【０５６７】
【図１】
９６個のウエルを有する業界標準マルチウエルアッセイプレートを示す図である。
【図２】
本発明の一実施形態によるマルチウエルアッセイプレートを示す上面図である。
【図２Ａ】
本発明の別の実施形態によるマルチウエルアッセイプレートのウエル２００を示す上面図であり、ウエル２００は、内面１６４を有する壁１６２、対電極１６６及びウエル２００の底部を形成する動作電極１６８を有する。
【図２Ｂ】
本発明によるマルチウエルアッセイプレートのウエル２２０を示す上面図であり、ウエル２２０は、壁２２２、対電極２２６Ａ及び２２６Ｂ並びに動作電極２３０を有する。
【図２Ｃ】
本発明によるマルチウエルアッセイプレートのウエル２４０を示す上面図であり、ウエル２４０は、壁２４２、対電極２４６Ａ及び２４６Ｂ並びに動作電極２５０を有する。
【図２Ｄ】
本発明によるマルチウエルアッセイプレートのウエル２６０を示す上面図であり、ウエル２６０は、壁２６２、対電極２６６及び動作電極２７０を有する。
【図２Ｅ】
本発明によるプレート上部２８０を示す図であり、プレート上部２８０は、プレート上部本体２８１、上部表面２８２、壁２８５及び内面２８６を備える。プレート上部２８０は、本発明のマルチウエルアッセイプレート中のウエルの壁を部分的に形成するのに使用することができるホール２８４を有する。
【図２Ｆ】
本発明によるプレート上部２９０を示す図であり、プレート上部２９０は、３８４個の正方形ホール２９１を有する。
【図２Ｇ】
本発明によるプレート上部２９５を示す図であり、プレート上部２９５は、１５３６個のホール２９７を有する。
【図２Ｈ】
本発明によるマルチウエルアッセイプレート２０００を示す側面から見た断面図であり、プレート２０００は、支持／動作電極２００１、複数のウエル２００２、誘電体層２００４、対電極２００６、リップ２００８及びプレート上部２００９を有する。プレート２０００には、アッセイ試薬、電気接続部、支持材料など、マルチウエルアッセイプレートに関して他のところで説明した他の形状も組み込まれる。
【図２Ｉ】
本発明のマルチウエルアッセイプレート２０１０を示す側面から見た断面図であり、マルチウエルアッセイプレート２０１０は、支持部２０１１、１つ又は複数のウエル２０１２、動作電極２０１３、誘電体層２０１４、対電極２０１６、リップ２０１８及び境界２０１９を有する。プレート２０１０には、アッセイ試薬、電気接続部、支持材料など、マルチウエルアッセイプレートに関して他のところで説明した他の形状も組み込まれる。
【図２Ｊ】
本発明のマルチウエルアッセイプレート２０２０を示す側面から見た断面図であり、プレート２０２０は、支持部２０２１、１つ又は複数のウエル２０２２、１つ又は複数の動作電極２０２３、１つ又は複数の対電極２０２６、リップ２０２８及び１つ又は複数の境界２０２９を有する。プレート２０２０には、アッセイ試薬、電気接続部、支持材料など、マルチウエルアッセイプレートに関して上記で説明した他の形状も組み込まれる。
【図３Ａ】
本発明の別の実施形態によるウエル３００を示す図であり、ウエル３００は、内面３０４を有する壁３０２、対電極３０６Ａ及び３０６Ｂ、動作電極３１０並びにアッセイドメイン３１２を備える。
【図３Ｂ】
本発明によるウエル３３０を示す図であり、ウエル３３０は、複数のアッセイドメイン３３６を有する。
【図３Ｃ】
本発明によるウエル３６０を示す図であり、ウエル３６０は、複数のアッセイドメイン３６６を有する。
【図４Ａ】
本発明の別の実施形態によるウエル４００を示す図であり、ウエル４００は、内面４０４を有する壁４０２、対電極４０６Ａ及び４０６Ｂ、動作電極４１０、並びに動作電極４１０のドメイン４１８を画定する境界４１６を有する。
【図４Ｂ】
本発明によるウエル４３０を示す図であり、境界４４０は、動作電極４４４から対電極４３４Ａ及び４３４Ｂを分離する。
【図４Ｃ】
本発明によるウエル４６０を示す図であり、境界４７０は、動作電極４７４から対電極４６４Ａ及び４６４Ｂを分離する。
【図４Ｄ】
壁４８２、対電極４８８Ａ及び４８８Ｂ、境界４９２、動作電極４９４、境界４９８Ａ及び４９８Ｂ、並びにアッセイドメイン４９９Ａ及び４９９Ｂを備える、本発明によるウエル４８０を示す図である。
【図４Ｅ】
本発明によるウエル４９００を示す図であり、ウエル４９００は、内面４９０３を備えた壁４９０２、対電極４９０４Ａ及び４９０４Ｂ、支持部を露出させるギャップ４９０６Ａ及び４９０６Ｂ、並びに動作電極４９１０を露出させる複数のホール４９１２を備えた障壁４９０８を有する。
【図５】
本発明の別の実施形態によるマルチウエルアッセイプレート５００を示す図である。
【図６】
本発明のマルチウエルアッセイプレート内の分割した導電層の例を示す図である。
【図６Ａ】
６個のセクション６０２Ａ、６０２Ｂ、６０２Ｃ、６０２Ｄ、６０２Ｅ及び６０２Ｆに分割した導電層６００を示す図である。
【図６Ｂ】
１２個のセクション６２２Ａ〜Ｌに分割した導電層６２０を示す図である。
【図６Ｃ】
９６個のセクション６４４に分割した導電層６４０を示す図である。
【図７】
本発明のマルチウエルアッセイプレート内の分割した電極の例を示す図である。
【図７Ａ】
６個のセクションに分割した電極７００を示す図である。
【図７Ｂ】
１２個のセクションに分割した電極７２０を示す図である。
【図７Ｃ】
８個のセクションに分割した電極７４０を示す図である。
【図７Ｄ】
９６個のセクションに分割した電極７６０を示す図である。
【図８Ａ】
本発明のマルチウエルアッセイプレート８００を示す図である。
【図８Ｂ】
本発明のマルチウエルアッセイプレート８３０を示す図である。
【図８Ｃ】
図８Ｂに示すマルチウエルアッセイプレート８３０からの２つのウエル８４２Ａ及び８４２Ｂを示す模式化した断面図である。
【図９Ａ】
本発明によるマルチウエルプレート９３０のコンポーネントを示す図である。
【図９Ｂ】
図９Ａに示すマルチウエルアッセイプレート９３０からの３つのウエルを示す模式化した断面図である。
【図１０Ａ】
本発明のマルチウエルアッセイプレート１０００を示す図である。
【図１０Ｂ】
図１０Ａに示すマルチウエルアッセイプレート１０００からの３つのウエルを示す模式化した断面図である。
【図１１Ａ】
本発明の９６ウエルアッセイプレート１１００を示す図である。
【図１２Ａ】
本発明の３８４ウエルアッセイプレート１２００を示す図である。
【図１３Ａ】
各ウエル内に複数の流体封じ込め領域を有する本発明のマルチウエルアッセイプレート１３００を示す図である。
【図１３Ｂ】
各ウエル内に複数の流体封じ込め領域を有する本発明のマルチウエルアッセイプレート１３５０を示す図である。
【図１４Ａ】
各ウエル内に複数の流体封じ込め領域を有する本発明のマルチウエルアッセイプレート１４００を示す図である。
【図１４Ｂ】
図１４Ａに示す９６ウエルアッセイプレート１４００からの３つのウエルを示す模式化した断面図である。
【図１５】
各ウエル内に複数の流体封じ込め領域を有する本発明のマルチウエルアッセイプレート１５００を示す図である。
【図１６Ａ】
基板上に単一のパターン化した導電層を有する本発明のマルチウエルアッセイプレート１６００を示す図である。
【図１６Ｂ】
動作電極セクション１６４２及び対電極セクション１６４４を有する導電層１６４０を示す図である。
【図１６Ｃ】
プレート１６６０を示す図であり、マルチウエルアッセイプレート内で電極を分割するための代替方式を示す。
【図１７】
本発明の一実施形態による機器を示す図であり、リーダ１７００は、カバー１７０２、１つ又は複数のドア又は開口部１７１４を備えた遮光容器１７０４、光検出器１７０６、光学系１７０８、マルチウエルアッセイプレート１７１０、プレート位置合わせ装置１７１２、プレート搬送装置１７１６、バーコードリーダ１７１８、電子回路１７２０、電流／電圧源１７２２、プレート用電気コネクタ１７２４、コンピュータ１７２６、電源１７２８、データ及びネットワーク接続部１７３０、表示部１７３２、試薬ハンドラ１７３４、１つ又は複数のプレートスタッカ１７３６、ロボット部１７３８及びプレートキャリア１７４０を備える。
【図１８】
本発明による機器を示す図であり、選択したエレメントを示すリーダ１８００には、遮光容器１８０４、光検出器１８０６、光学系１８０８、プレート搬送装置１８１６、プレート用電子回路１８２０、入力プレートスタッカ１８３６Ａ、出力プレートスタッカ１８３６Ｂ、入力プレートスタック１８３７Ａ、出力プレートスタック１８３７Ｂ、及び出口ドア又は開口部１８１４Ｂを示す。
【図１９】
本発明による機器の選択したコンポーネントを示す図であり、光学系１９０８、光検出器１９０７、プレートセクタ１９１０Ａ、及び接点１９２５を有するプレート用電気コネクタ１９２４の位置合わせを強調して示す。図には、遮光容器１９０４、ドア又は開口部１９１４、プレート１９１０、プレートキャリア１９４０及びプレート搬送装置１９１６も示す。
【図２０】
本発明による機器の選択したコンポーネントを示す図であり、本発明のマルチウエルアッセイプレート２０４２のセクタ２０４２Ａの画像化を強調して示す。図には、光検出器２０５７、光学系２０５８、フィルター２０５９、プレートキャリア２０４０及びプレート搬送装置２０４７も示す。
【図２１】
本発明の機器の選択したコンポーネントを示す図であり、プレートセクタ２１１０Ａ、接点２１２５を備えたプレート用電気コネクタ２１２４及び光検出器２１０６のフォトダイオードアレイ２１０７の相対位置を強調して示す。図には、プレート２１１０、光検出器回路ボード２１０５、プレート搬送装置２１１６及びプレートキャリア２１４０も示す。
【図２２】
本発明による機器の選択したコンポーネントを示す図であり、マルチウエルアッセイプレート２２１０のウエル２２１０Ａ〜Ｈに対するフォトダイオード２２０７Ａ〜Ｈのそれぞれの相対位置について、フォトダイオードアレイ２２０７を強調して示す。図には、プレート用電気コネクタ２２２４、電子回路２２２０、電気接点２２０５、シールド２２０８、遮光容器２２０４及びプレートキャリア２２４０も示す。
【図２３】
本発明による機器を示す図であり、選択したエレメントを示すリーダ２３００には、シャシー２３０１、光検出器２３０６、マルチウエルアッセイプレート２３１０、プレート搬送装置２３１６、プレート用電気コネクタ２３２４及び複数の接点２３２５を示す。
【図２４】
本発明のいくつかの実施形態のマルチウエルアッセイプレートのウエルから放出されたＥＣＬ信号を、ウエル中のルテニウムトリスビピリジン濃度の関数として示すグラフである。このＥＣＬ信号は、冷却ＣＣＤカメラを使用した画像化によって測定した。
【図２５】
本発明の２つの実施形態のマルチウエルアッセイプレートのウエルから放出されたＥＣＬ信号を、ウエル中のルテニウムトリスビピリジン濃度の関数として示すグラフである。このＥＣＬ信号は、８個のフォトダイオードからなるアレイで測定した。
【図２６】
本発明の２つの実施形態のマルチウエルアッセイプレートを使用して、ＰＳＡ（前立腺特異性抗原）用のサンドイッチイムノアッセイを行った様子を示すグラフである。グラフには、ＰＳＡ濃度の関数としてＥＣＬ信号を示す。このＥＣＬ信号は、冷却ＣＣＤカメラを用いた画像化によって測定した。
【図２７】
本発明の２つの実施形態のマルチウエルアッセイプレートを使用して、ＰＳＡ用のサンドイッチイムノアッセイを行った様子を示すグラフである。グラフには、ＰＳＡ濃度の関数としてＥＣＬ信号を示す。このＥＣＬ信号は、８個のフォトダイオードからなるアレイで測定した。
【図２８】
本発明の３つの実施形態のマルチウエルアッセイプレートを使用して、ＡＦＰ用のサンドイッチイムノアッセイを行った様子を示すグラフである。グラフには、ＡＦＰ濃度の関数としてＥＣＬ信号を示す。このＥＣＬ信号は、冷却ＣＣＤカメラを用いた画像化によって測定した。
【図２９】
ＥＣＬサンドイッチイムノアッセイによって、マルチウエルアッセイプレートのウエル中の４種類の検体（ＩＬ−１β、ＩＬ−６、ＴＮＦ−α及びＩＦＮ−γ）を独立に測定した様子を示すグラフである。各ウエル中の動作電極は、４つのアッセイドメインでパターン化し、各アッセイドメインは、検体の１つに特異的な捕捉抗体を含む。グラフには、各検体濃度の関数として、各アッセイドメインから放出されたＥＣＬ信号を示す。
【図３０】
ＥＣＬサンドイッチイムノアッセイによって、マルチウエルアッセイプレートのウエル中の４種類の検体（ＩＬ−１β、ＩＬ−６、ＴＮＦ−α及びＩＦＮ−γ）を独立に測定した様子を示す図である。各ウエル中の動作電極は、４つのアッセイドメインでパターン化し、各アッセイドメインは、検体の１つに特異的な捕捉抗体を含む。図には、４種類の検体の様々な混合物を含むサンプルをアッセイするのに使用した、複数のウエルからなるセクタから放出されたＥＣＬの画像を示す。強調して示したウエルに注釈を付けて、４つのアッセイドメインの配置を示す。この特定のウエルを使用して、それぞれ２５０ｐｇ／ｍＬのＩＬ−１β及びＴＮＦ−α並びにそれぞれ８ｐｇ／ｍＬのＩＬ−６及びＩＦＮ−γを有するサンプルのアッセイを行った。
【図３１】
本発明のマルチウエルアッセイプレートを使用して、核酸ハイブリダイゼーションアッセイを行った様子を示すグラフである。グラフには、ルテニウムトリスビピリジンで標識したＤＮＡ標的濃度の関数としてＥＣＬ信号を示す。このＥＣＬ信号は、冷却ＣＣＤカメラを用いた画像化によって測定した。
【図３２】
化学発光ベースのアッセイにおいて本発明のマルチウエルアッセイプレートを使用した様子を示すグラフである。
【図３３】
ウエル中の二塩化ルテニウム（ＩＩ）トリスビピリジン濃度の関数として、本発明の１５３６ウエルプレートから放出された電気化学発光の積分強度を示すグラフである。
【図３４Ａ】
２×３アレイの６つの正方形セクタを有するアッセイプレート上の好ましい接点位置を示す図である。
【図３４Ｂ】
１２列のセクタアレイを有するアッセイプレート上の好ましい接点位置を示す図である。
【図３５ａ】
ＣＣＤカメラを使用する自動診断装置の代表的なブロック図を示す図である。
【図３５ｂ】
ＣＣＤカメラを使用する自動診断装置の代表的なブロック図を示す図である。
【図３５ｃ】
ＣＣＤカメラを使用する自動診断装置の代表的なブロック図を示す図である。
【図３５ｄ】
ＣＣＤカメラを使用する自動診断装置の代表的なブロック図を示す図である。
【図３５ｅ】
ＣＣＤカメラを使用する自動診断装置の代表的なブロック図を示す図である。
【図３５ｆ】
ＣＣＤカメラを使用する自動診断装置の代表的なブロック図を示す図である。
【図３６ａ】
フォトダイオードアレイを使用する自動診断装置の代表的なブロック図を示す図である。
【図３６ｂ】
フォトダイオードアレイを使用する自動診断装置の代表的なブロック図を示す図である。
【図３６ｃ】
フォトダイオードアレイを使用する自動診断装置の代表的なブロック図を示す図である。
【図３６ｄ】
フォトダイオードアレイを使用する自動診断装置の代表的なブロック図を示す図である。
【図３６ｅ】
フォトダイオードアレイを使用する自動診断装置の代表的なブロック図を示す図である。
【図３６ｆ】
フォトダイオードアレイを使用する自動診断装置の代表的なブロック図を示す図である。
【図３７】
マイクロタイタープレートの縁部に沿ったバーコード情報の配置を示す図である。
【図３８】
単一の光検出器で測定するように構成された、本発明の一実施形態による４スポットウエルを示す上面図である。
【図１】
2004534226.tif 000018
【図８Ａ】
2004534226.tif 000019
【図８Ｂ】
2004534226.tif 000020
【図９Ａ】
2004534226.tif 000021
【図１０Ａ】
2004534226.tif 000022
【図１１Ａ】
2004534226.tif 000023
【図１２Ａ】
2004534226.tif 000024
【図１４Ａ】
2004534226.tif 000025
【図１５】
2004534226.tif 000026
【図１６Ａ】
2004534226.tif 000027
【図２４】
2004534226.tif 000028
【図２５】
2004534226.tif 000029
【図２６】
2004534226.tif 000030
【図２７】
2004534226.tif 000031
【図２８】
2004534226.tif 000032
【図２９】
2004534226.tif 000033
【図３１】
2004534226.tif 000034
【図３２】
2004534226.tif 000035
【図３３】
2004534226.tif 000036
【図３４Ａ】
2004534226.tif 000037
【図３４Ｂ】
2004534226.tif 000038
【図３５ａ】
2004534226.tif 000039
【図３５ｂ】
2004534226.tif 000040
【図３５ｃ】
2004534226.tif 000041
【図３５ｄ】
2004534226.tif 000042
【図３５ｅ】
2004534226.tif 000043
【図３５ｆ】
2004534226.tif 000044
【図３６ａ】
2004534226.tif 000045
【図３６ｂ】
2004534226.tif 000046
【図３６ｃ】
2004534226.tif 000047
【図３６ｄ】
2004534226.tif 000048
【図３６ｅ】
2004534226.tif 000049
【図３６ｆ】
2004534226.tif 000050
【国際公開パンフレット】
2004534226.tif 000051
2004534226.tif 000052
2004534226.tif 000053
2004534226.tif 000054
2004534226.tif 000055
2004534226.tif 000056
2004534226.tif 000057
2004534226.tif 000058
2004534226.tif 000059
2004534226.tif 000060
2004534226.tif 000061
2004534226.tif 000062
2004534226.tif 000063
2004534226.tif 000064
2004534226.tif 000065
2004534226.tif 000066
2004534226.tif 000067
2004534226.tif 000068
2004534226.tif 000069
2004534226.tif 000070
2004534226.tif 000071
2004534226.tif 000072
2004534226.tif 000073
2004534226.tif 000074
2004534226.tif 000075
2004534226.tif 000076
2004534226.tif 000077
2004534226.tif 000078
2004534226.tif 000079
2004534226.tif 000080
2004534226.tif 000081
2004534226.tif 000082
2004534226.tif 000083
2004534226.tif 000084
2004534226.tif 000085
2004534226.tif 000086
2004534226.tif 000087
2004534226.tif 000088
2004534226.tif 000089
2004534226.tif 000090
2004534226.tif 000091
2004534226.tif 000092
2004534226.tif 000093
2004534226.tif 000094
2004534226.tif 000095
2004534226.tif 000096
2004534226.tif 000097
2004534226.tif 000098
2004534226.tif 000099
2004534226.tif 000100
2004534226.tif 000101
2004534226.tif 000102
2004534226.tif 000103
2004534226.tif 000104
2004534226.tif 000105
2004534226.tif 000106
2004534226.tif 000107
2004534226.tif 000108
2004534226.tif 000109
2004534226.tif 000110
2004534226.tif 000111
2004534226.tif 000112
2004534226.tif 000113
2004534226.tif 000114
2004534226.tif 000115
2004534226.tif 000116
2004534226.tif 000117
2004534226.tif 000118
2004534226.tif 000119
2004534226.tif 000120
2004534226.tif 000121
2004534226.tif 000122
2004534226.tif 000123
2004534226.tif 000124
2004534226.tif 000125
2004534226.tif 000126
2004534226.tif 000127
2004534226.tif 000128
2004534226.tif 000129
2004534226.tif 000130
2004534226.tif 000131
2004534226.tif 000132
2004534226.tif 000133
2004534226.tif 000134
2004534226.tif 000135
2004534226.tif 000136
2004534226.tif 000137
2004534226.tif 000138
2004534226.tif 000139
2004534226.tif 000140
2004534226.tif 000141
2004534226.tif 000142
2004534226.tif 000143
2004534226.tif 000144
2004534226.tif 000145
2004534226.tif 000146
2004534226.tif 000147
2004534226.tif 000148
2004534226.tif 000149
2004534226.tif 000150
2004534226.tif 000151
2004534226.tif 000152
2004534226.tif 000153
2004534226.tif 000154
2004534226.tif 000155
2004534226.tif 000156
2004534226.tif 000157
2004534226.tif 000158
2004534226.tif 000159
2004534226.tif 000160
2004534226.tif 000161
2004534226.tif 000162
2004534226.tif 000163
2004534226.tif 000164
2004534226.tif 000165
2004534226.tif 000166
2004534226.tif 000167
2004534226.tif 000168
2004534226.tif 000169
2004534226.tif 000170
2004534226.tif 000171
2004534226.tif 000172
2004534226.tif 000173
2004534226.tif 000174
2004534226.tif 000175
2004534226.tif 000176
2004534226.tif 000177
2004534226.tif 000178
2004534226.tif 000179
2004534226.tif 000180
2004534226.tif 000181
2004534226.tif 000182
2004534226.tif 000183
2004534226.tif 000184
2004534226.tif 000185
2004534226.tif 000186
2004534226.tif 000187
2004534226.tif 000188
2004534226.tif 000189
2004534226.tif 000190
2004534226.tif 000191
2004534226.tif 000192
2004534226.tif 000193
2004534226.tif 000194
2004534226.tif 000195
2004534226.tif 000196
2004534226.tif 000197
2004534226.tif 000198
2004534226.tif 000199
2004534226.tif 000200
2004534226.tif 000201
2004534226.tif 000202
2004534226.tif 000203
2004534226.tif 000204
2004534226.tif 000205
2004534226.tif 000206
2004534226.tif 000207
2004534226.tif 000208
2004534226.tif 000209
2004534226.tif 000210
2004534226.tif 000211
2004534226.tif 000212
2004534226.tif 000213
2004534226.tif 000214
2004534226.tif 000215
2004534226.tif 000216
2004534226.tif 000217
2004534226.tif 000218
2004534226.tif 000219
2004534226.tif 000220
2004534226.tif 000221
2004534226.tif 000222
2004534226.tif 000223
2004534226.tif 000224
2004534226.tif 000225
2004534226.tif 000226
2004534226.tif 000227
2004534226.tif 000228
2004534226.tif 000229
2004534226.tif 000230
2004534226.tif 000231
2004534226.tif 000232
2004534226.tif 000233
2004534226.tif 000234
2004534226.tif 000235
2004534226.tif 000236
2004534226.tif 000237
2004534226.tif 000238
2004534226.tif 000239
2004534226.tif 000240
2004534226.tif 000241
2004534226.tif 000242
2004534226.tif 000243
2004534226.tif 000244
2004534226.tif 000245
2004534226.tif 000246
2004534226.tif 000247
2004534226.tif 000248
2004534226.tif 000249
2004534226.tif 000250
2004534226.tif 000251
2004534226.tif 000252
2004534226.tif 000253
2004534226.tif 000254
2004534226.tif 000255
2004534226.tif 000256
2004534226.tif 000257
2004534226.tif 000258
2004534226.tif 000259
2004534226.tif 000260
2004534226.tif 000261
2004534226.tif 000262
2004534226.tif 000263
2004534226.tif 000264
2004534226.tif 000265
2004534226.tif 000266
2004534226.tif 000267
2004534226.tif 000268
2004534226.tif 000269
2004534226.tif 000270
2004534226.tif 000271
2004534226.tif 000272
2004534226.tif 000273
2004534226.tif 000274
2004534226.tif 000275
2004534226.tif 000276
2004534226.tif 000277
2004534226.tif 000278
2004534226.tif 000279
2004534226.tif 000280
2004534226.tif 000281
2004534226.tif 000282
2004534226.tif 000283
2004534226.tif 000284
2004534226.tif 000285
2004534226.tif 000286
2004534226.tif 000287
2004534226.tif 000288
2004534226.tif 000289
2004534226.tif 000290
2004534226.tif 000291
2004534226.tif 000292
2004534226.tif 000293
2004534226.tif 000294
2004534226.tif 000295
2004534226.tif 000296
2004534226.tif 000297
2004534226.tif 000298
2004534226.tif 000299
2004534226.tif 000300
2004534226.tif 000301
2004534226.tif 000302
2004534226.tif 000303
2004534226.tif 000304
2004534226.tif 000305
2004534226.tif 000306
2004534226.tif 000307
2004534226.tif 000308
2004534226.tif 000309
2004534226.tif 000310
2004534226.tif 000311
2004534226.tif 000312
2004534226.tif 000313
2004534226.tif 000314
2004534226.tif 000315
2004534226.tif 000316
2004534226.tif 000317
2004534226.tif 000318
2004534226.tif 000319
2004534226.tif 000320
2004534226.tif 000321
2004534226.tif 000322
2004534226.tif 000323
2004534226.tif 000324
2004534226.tif 000325
2004534226.tif 000326
2004534226.tif 000327
2004534226.tif 000328
2004534226.tif 000329
2004534226.tif 000330
2004534226.tif 000331
2004534226.tif 000332
2004534226.tif 000333
2004534226.tif 000334
2004534226.tif 000335
2004534226.tif 000336
2004534226.tif 000337
2004534226.tif 000338
2004534226.tif 000339
2004534226.tif 000340
2004534226.tif 000341
2004534226.tif 000342
2004534226.tif 000343
2004534226.tif 000344
2004534226.tif 000345
2004534226.tif 000346
2004534226.tif 000347
2004534226.tif 000348
2004534226.tif 000349
2004534226.tif 000350
2004534226.tif 000351
2004534226.tif 000352
2004534226.tif 000353
2004534226.tif 000354
2004534226.tif 000355
2004534226.tif 000356
2004534226.tif 000357
2004534226.tif 000358
2004534226.tif 000359
2004534226.tif 000360
2004534226.tif 000361
2004534226.tif 000362
2004534226.tif 000363
2004534226.tif 000364
2004534226.tif 000365
2004534226.tif 000366
2004534226.tif 000367
2004534226.tif 000368
2004534226.tif 000369
2004534226.tif 000370
2004534226.tif 000371
2004534226.tif 000372
2004534226.tif 000373
2004534226.tif 000374
2004534226.tif 000375
2004534226.tif 000376
2004534226.tif 000377
2004534226.tif 000378
2004534226.tif 000379
2004534226.tif 000380
2004534226.tif 000381
2004534226.tif 000382
2004534226.tif 000383
2004534226.tif 000384
2004534226.tif 000385
2004534226.tif 000386
2004534226.tif 000387
【国際公開パンフレット（コレクトバージョン）】
2004534226.tif 000388
2004534226.tif 000389
【国際調査報告】
2004534226.tif 000390
2004534226.tif 000391
2004534226.tif 000392